(57)【要約】コンテンツから利用者が所望する部分コンテンツを取得することのできる再生装置を提供することを目的とする。再生装置は、オブジェクトの種類を示す種類情報を受け取ると、前記種類情報を受け取った時点における再生中のコンテンツの再生位置を示す位置情報を取得する。再生装置は、受け取った前記種類情報にて示される種類に対応するオブジェトを含み、取得した前記位置情報にて示される再生位置又は再生位置の近傍から開始される部分コンテンツを取得する。
2005032829.tif 000002
【特許請求の範囲】
【請求項１】
再生装置であって、
オブジェクトの種類を示す種類情報を受け取る情報受取手段と、
前記種類情報を受け取った時点における再生中のコンテンツの再生位置を示す位置情報を取得する位置取得手段と、
前記種類情報にて示される種類に対応するオブジェクトを含み、前記位置情報にて示される再生位置又は再生位置の近傍から開始される部分コンテンツを、前記コンテンツから取得する部分コンテンツ取得手段と
を備えることを特徴とする再生装置。
【請求項２】
前記部分コンテンツ取得手段は、前記位置取得手段が前記位置情報を取得した時点で、前記部分コンテンツを取得し、
前記再生装置は、さらに、
ブックマーク記憶手段と、
前記部分コンテンツを、前記ブックマーク記憶手段に書き込む書込手段と
を備えることを特徴とする請求の範囲１に記載の再生装置。
【請求項３】
前記コンテンツは、複数の静止画像からなる動画像を含み、
前記部分コンテンツは、前記コンテンツに含まれる静止画像から構成され、
前記部分コンテンツ取得手段は、前記位置情報にて示される再生位置から前方方向において、前記種類情報にて示される種類に対応するオブジェクトが出現する静止画像を検出し、検出した静止画像を前記部分コンテンツとして取得する
ことを特徴とする請求の範囲２に記載の再生装置。
【請求項４】
前記部分コンテンツ取得手段は、前記種類情報が、画像に関連するオブジェクトが属する種類を示す場合には、静止画像を前記部分コンテンツとして取得する
ことを特徴とする請求の範囲３に記載の再生装置。
【請求項５】
前記種類情報は、オブジェクトの種類が１画像の一部を構成する人物画像又は文字であること示す、又は１画像全体を構成するキャプチャであることを示し、
前記部分コンテンツ取得手段は、前記種類情報にて示される種類が、人物画像、文字又はキャプチャであることを示す場合には、静止画像を前記部分コンテンツとして取得する
ことを特徴とする請求の範囲４に記載の再生装置。
【請求項６】
前記コンテンツは、複数の静止画像からなる動画像と、動画像に対応する音声とを含み、
前記部分コンテンツは、前記コンテンツに含まれる部分動画像及び前記部分動画像に対応する部分音声から構成され、
前記部分コンテンツ取得手段は、前記位置情報にて示される再生位置から前方方向において、前記種類情報にて示される種類に対応するオブジェクトが出現する静止画像を検出し、検出した静止画像から開始される部分動画像と前記部分動画像に対応する部分音声とを前記部分コンテンツとして取得する
ことを特徴とする請求の範囲２に記載の再生装置。
【請求項７】
前記部分コンテンツ取得手段は、前記種類情報が、音に関連するオブジェクトが属する種類を示す場合には、部分動画像及び前記部分動画像に対応する部分音声を前記部分コンテンツとして取得する
ことを特徴とする請求の範囲６に記載の再生装置。
【請求項８】
前記種類情報は、オブジェクトの種類が音楽であることを示し、
前記部分コンテンツ取得手段は、前記種類情報にて示される種類が、音楽である場合には、部分動画像及び前記部分動画像に対応する部分音声を、前記部分コンテンツとして取得する
ことを特徴とする請求の範囲７に記載の再生装置。
【請求項９】
前記コンテンツは、１以上のコーナーコンテンツを含み、
各コーナーコンテンツは、１以上の画像を含み、
各コーナーコンテンツの前後には、コーナーコンテンツの境界を示す特定画像が存在し、
前記部分コンテンツ取得手段は、前記位置情報にて示される再生位置から前方方向において、前記再生位置に最も近い特定画像を検出し、検出した特定画像の直後から開始されるコーナーコンテンツを、前記部分コンテンツとして取得する
ことを特徴とする請求の範囲２に記載の再生装置。
【請求項１０】
前記再生装置は、さらに、
前記部分コンテンツの出力要求を受け取る要求受取手段と、
前記要求受取手段が前記出力要求を受け取ると、前記部分コンテンツを、前記ブックマーク記憶手段より読み出す読出手段と、
読み出された前記部分コンテンツを出力する出力手段と
を備えることを特徴とする請求の範囲２に記載の再生装置。
【請求項１１】
前記再生装置は、さらに、
前記部分コンテンツの出力要求を、外部端末よりネットワークを介して受信する受信手段と、
前記受信手段が、前記出力要求を受け取ると、前記部分コンテンツを、前記ブックマーク記憶手段より読み出す読出手段と、
読み出された前記部分コンテンツを、前記外部端末へネットワークを介して送信するコンテンツ送信手段と
を備えることを特徴とする請求の範囲２に記載の再生装置。
【請求項１２】
前記再生装置は、さらに、
前記部分コンテンツ取得手段にて取得される部分コンテンツの出力要求を受け取る要求受取手段と、
取得された前記部分コンテンツを出力する出力手段とを備え、
前記部分コンテンツ取得手段は、前記要求受取手段が前記出力要求を受け取った時点で、前記位置情報及び前記種類情報を用いて、部分コンテンツを取得する
ことを特徴とする請求の範囲１に記載の再生装置。
【請求項１３】
前記部分コンテンツ取得手段は、
前記コンテンツの削除を示す削除情報を受け取ると、前記コンテンツから、前記部分コンテンツを含む特定部分コンテンツを除く他の部分を削除する
ことを特徴とする請求の範囲１に記載の再生装置。
【請求項１４】
前記コンテンツは、複数の静止画像からなる動画像と、動画像に対応する音声とを含み、
前記再生装置は、さらに、
前記コンテンツを予め記録しているコンテンツ記憶手段を備え、
前記部分コンテンツ取得手段は、
ブックマーク記憶部と、
前記位置情報と、前記種類情報とを対応付けて、前記ブックマーク記憶部に書き込む書込部と、
前記コンテンツの削除を示す削除情報を受け取る削除受取部と、
前記削除受取部が削除情報を受け取ると、前記位置情報にて示される再生位置から前方方向において、前記種類情報にて示される種類に対応するオブジェクトが出現する静止画像を前記コンテンツから検出し、検出した静止画像から開始される特定部分動画像と、前記特定部分動画像に対応する特定部分音声とを含み、前記コンテンツの一部である特定部分コンテンツを取得する第１取得部と、
前記第１取得部にて取得された特定部分コンテンツを前記コンテンツ記憶手段へ記録する記録部と、
前記コンテンツを前記コンテンツ記憶手段より削除する削除部と、
前記コンテンツ記憶手段にて記録されている前記特定部分コンテンツから、前記種類情報及び前記位置情報を用いて、前記部分コンテンツを取得する第２取得部と
を備えることを特徴とする請求の範囲１３に記載の再生装置。
【請求項１５】
前記再生装置は、さらに、
前記部分コンテンツの出力要求を受け取る要求受取手段と、
取得された前記部分コンテンツを出力する出力手段とを備え、
前記第２取得部は、前記要求受取手段が前記出力要求を受け取った時点で、前記位置情報及び前記種類情報を用いて、部分コンテンツを取得する
ことを特徴とする請求の範囲１４に記載の再生装置。
【請求項１６】
前記部分コンテンツ取得手段は、前記位置取得手段が前記位置情報を取得した時点で、前記部分コンテンツを取得し、
前記再生装置は、さらに、
前記コンテンツを予め記録しているコンテンツ記憶手段と、
ブックマーク記憶手段と、
前記部分コンテンツを、前記ブックマーク記憶手段に書き込む書込手段と、
前記コンテンツの削除を示す削除情報を受け取る削除受取手段と、
前記削除受取手段が削除情報を受け取ると、前記ブックマーク記憶手段に記憶されている前記部分コンテンツを残し、前記コンテンツを前記コンテンツ記憶手段より削除する削除手段と
を備えることを特徴とする請求の範囲１に記載の再生装置。
【請求項１７】
前記情報受取手段は、前記種類情報を外部端末から受け取り、さらに、前記外部端末を識別する端末識別子を前記外部端末から受け取り、
前記再生装置は、さらに、
ブックマーク記憶手段と、
前記端末識別子を、前記位置情報及び前記種類情報と対応付けて、ブックマーク記憶手段に書き込む書込手段と
を備えることを特徴とする請求の範囲１に記載の再生装置。
【請求項１８】
前記再生装置は、さらに、
外部端末から、前記部分コンテンツ取得手段にて取得される部分コンテンツの出力要求と、端末識別子とを受信する受信手段と、
前記部分コンテンツを、前記出力要求を送信した外部端末へ送信するコンテンツ送信手段とを備え、
前記部分コンテンツ取得手段は、受信した端末識別子と、ブックマーク記憶手段に記憶されている端末識別子とを比較し、一致した端末識別子に対応する位置情報及び種類情報を、前記ブックマーク記憶手段から読み出し、読み出した位置情報及び種類情報とを用いて、前記部分コンテンツを取得する
ことを特徴とする請求の範囲１７に記載の再生装置。
【請求項１９】
前記コンテンツは、複数の画像からなる画像群を含み、
前記部分コンテンツは、前記画像群に含まれる少なくとも１以上の画像を含み、
前記部分コンテンツ取得手段は、前記部分コンテンツに含まれる各画像の画質を、前記コンテンツに含まれる画像群を形成する画像の画質よりも低くなるように間引きする
ことを特徴とする請求の範囲１８に記載の再生装置。
【請求項２０】
前記コンテンツは、音声を含み、
前記部分コンテンツは、前記音声の一部である部分音声を含み、
前記部分コンテンツ取得手段は、前記部分コンテンツに含まれる前記部分音声の音質を、前記コンテンツに含まれる音声の音質より低くなるように間引きする
ことを特徴とする請求の範囲１８に記載の再生装置。
【請求項２１】
前記コンテンツは、複数の画像からなる画像群を含み、
前記部分コンテンツは、前記画像群に含まれる少なくとも１以上の画像に、予め定めされた文字が付加されており、
前記部分コンテンツ取得手段は、前記画像群から取得された画像に、予め定められた文字を付加する
ことを特徴とする請求の範囲１８に記載の再生装置。
【請求項２２】
前記ブックマーク記憶手段は、さらに、前記位置情報及び前記種類情報とは異なる別の位置情報及び別の種類情報が、前記外部端末とは異なる別の外部端末を識別する別の端末識別子と、対応付けられて格納されており、前記別の位置情報及び前記別の種類情報は、前記コンテンツに対応しており、
前記再生装置は、さらに、
前記送信手段にて送信された前記部分コンテンツの有効期限を、前記位置情報と対応付けて、前記ブックマーク記憶手段へ書き込む期限書込手段を備え、
前記部分コンテンツ取得手段は、前記有効期限内において、前記受信手段が前記外部端末から前記出力要求及び前記端末識別子を受信した場合には、前記部分コンテンツを取得し、前記受信手段が、前記別の外部端末から、前記別の位置情報と前記別の種類情報とに対する部分コンテンツの出力要求、及び前記別の端末識別子を受信した場合には、前記別の位置情報と前記別の種類情報とに対する部分コンテンツの取得を抑止する
ことを特徴とする請求の範囲１８に記載の再生装置。
【請求項２３】
前記情報受取手段は、さらに、オブジェクトに関連する地域を示す地域識別子を受け取り、
前記再生装置は、さらに、
ブックマーク記憶手段と、
前記地域識別子を、前記位置情報及び前記種類情報と対応付けて、前記ブックマーク記憶手段に書き込む書込手段と
を備えることを特徴とする請求の範囲１に記載の再生装置。
【請求項２４】
前記再生装置は、さらに、
外部端末から、前記部分コンテンツ取得手段にて取得される部分コンテンツの出力要求と、前記外部端末が位置する地域を示す端末地域識別子とを、受信する識別子受信手段と、
前記部分コンテンツを、前記外部端末へ送信するコンテンツ送信手段とを備え、
前記部分コンテンツ取得手段は、前記端末地域識別子と一致する地域識別子に対応する位置情報及び種類情報を、前記ブックマーク記憶手段から読み出し、読み出した位置情報及び種類情報とを用いて、前記部分コンテンツを取得する
ことを特徴とする請求の範囲２３に記載の再生装置。
【請求項２５】
前記位置取得手段は、前記位置情報として、前記コンテンツの再生開始から前記種類情報を受け取った時点までの経過時刻を取得し、
前記部分コンテンツ取得手段は、前記経過時刻内より開始される前記部分コンテンツを取得する
ことを特徴とする請求の範囲１に記載の再生装置。
【請求項２６】
再生装置と、前記再生装置に、再生中のコンテンツにブックマークを付す指示を送る端末装置とからなるブックマークシステムであって、
前記端末装置は、
オブジェクトに対するブックマークの指示を利用者から受け付ける受付手段と、
前記ブックマークの指示が受け付けられると、前記オブジェクトの種類を示す種類情報を前記再生装置へ送信する情報送信手段とを備え、
前記再生装置は、
前記端末装置から、前記種類情報を受け取る情報受取手段と、
前記種類情報を受け取った時点における再生中のコンテンツの再生位置を示す位置情報を取得する位置取得手段と、
前記種類情報にて示される種類に対応するオブジェクトを含み、前記位置情報にて示される再生位置又は再生位置の近傍から開始される部分コンテンツを、前記コンテンツから取得する部分コンテンツ取得手段と
を備えることを特徴とするブックマークシステム。
【請求項２７】
前記部分コンテンツ取得手段は、前記情報受取手段が種類情報を受け取った時点で、前記部分コンテンツを取得し、
前記再生装置は、さらに、
ブックマーク記憶手段と、
前記部分コンテンツを、前記ブックマーク記憶手段に書き込む書込手段と
を備えることを特徴とする請求の範囲２６に記載のブックマークシステム。
【請求項２８】
前記端末装置は、さらに、
当該端末装置を識別する端末識別子を予め記憶している識別子記憶手段を備え、
前記情報送信手段は、さらに、前記端末識別子を、前記種類情報と対応付けて送信し、
前記情報受取手段は、さらに、前記端末識別子を受け取り、
前記書込手段は、さらに、受け取った前記端末識別子を、前記部分コンテンツと対応付けて、前記ブックマーク記憶手段に書き込む
ことを特徴とする請求の範囲２７に記載のブックマークシステム。
【請求項２９】
前記受付手段は、さらに、前記ブックマーク記憶手段に記憶されている部分コンテンツの出力要求を受け付け、
前記再生装置は、さらに、
前記出力要求と、前記出力要求を行った端末装置を識別する端末識別子とを、前記端末装置から受信する受信手段と、
前記受信手段が前記出力要求と前記端末識別子とを受信すると、受信した端末識別子と、ブックマーク記憶手段に記憶されている端末識別子とを比較し、一致した端末識別子に対応する部分コンテンツを、前記ブックマーク記憶手段より読み出す読出手段と、
読み出された部分コンテンツを、前記端末装置へ送信するコンテンツ送信手段とを備え、
前記端末装置は、さらに、
前記受付手段が、前記出力要求を受け付けると、受け付けられた前記出力要求と前記端末識別子とを前記再生装置へ送信する要求送信手段と、
前記読出手段にて読み出された部分コンテンツを、前記再生装置から受信するコンテンツ受信手段と、
受信した部分コンテンツを出力するコンテンツ出力手段と
を備えることを特徴とする請求の範囲２８に記載のブックマークシステム。
【請求項３０】
前記再生装置と、前記端末装置とは、ホームネットワークにより接続されており、
前記再生装置は、前記ホームネットワークにおけるサーバ装置であり、
前記端末装置は、前記ホームネットワークにおけるクライアント装置である
ことを特徴とする請求の範囲２９に記載のブックマークシステム。
【請求項３１】
前記端末装置は、携帯型の端末装置である
ことを特徴とする請求の範囲２９に記載のブックマークシステム。
【請求項３２】
前記再生装置は、さらに、
前記位置情報を、前記端末措置へ送信する位置送信手段を備え、
前記端末装置は、さらに、
前記位置情報を、受信する位置受信手段と、
ブックマーク記憶手段と、
受信した前記位置情報と、前記再生装置へ送信した前記種類情報とを対応付けて、前記ブックマーク記憶手段へ書き込む情報書込手段と
を備えることを特徴とする請求の範囲２６に記載のブックマークシステム。
【請求項３３】
前記受付手段は、さらに、前記位置情報及び前記種類情報に対する部分コンテンツの出力要求を受け付け、
前記端末装置は、さらに、
前記受付手段が前記出力要求を受け付けると、受け付けられた前記出力要求と、前記ブックマーク記憶手段にて記憶されている前記位置情報及び前記種類情報とを、前記再生装置へ送信する要求送信手段と、
送信した前記位置情報及び前記種類情報により取得された部分コンテンツを、前記再生装置から受信するコンテンツ受信手段と、
受信した前記部分コンテンツを出力するコンテンツ出力手段とを備え、
前記再生装置は、さらに、
前記位置情報及び前記種類情報と、前記出力要求とを、前記端末装置から受信する受信手段と、
前記部分コンテンツ取得手段にて取得される部分コンテンツを、前記端末装置へ送信するコンテンツ送信手段とを備え、
前記部分コンテンツ取得手段は、受信手段が前記位置情報及び前記種類情報と、前記出力要求とを受信した時点で、受信した前記位置情報及び前記種類情報とを用いて、部分コンテンツを取得する
ことを特徴とする請求の範囲３２に記載のブックマークシステム。
【請求項３４】
再生装置に、再生中のコンテンツにブックマークを付す指示を送る端末装置であって、
オブジェクトに対するブックマークの指示を利用者から受け付ける受付手段と、
前記ブックマークの指示が受け付けられると、前記オブジェクトの種類を示す種類情報を前記再生装置へ送信する情報送信手段と、
前記種類情報を送信した時点における再生中のコンテンツの再生位置を示す位置情報を、前記再生装置から受信する位置受信手段と、
ブックマーク記憶手段と、
受信した前記位置情報と、前記再生装置へ送信した前記種類情報とを対応付けて、前記ブックマーク記憶手段へ書き込む情報書込手段と
を備えることを特徴とする端末装置。
【請求項３５】
前記ブックマーク記憶手段は、前記種類情報にて示される種類に対応する領域を有し、
前記情報書込手段は、前記種類情報及び前記位置情報を、対応する領域へ格納する
ことを特徴とする請求の範囲３４に記載の端末装置。
【請求項３６】
前記受付手段は、さらに、前記位置情報及び前記種類情報に対応し、且つ前記再生装置にて前記コンテンツから取得される部分コンテンツの出力要求を受け付け、
前記端末装置は、さらに、
前記出力要求と、前記ブックマーク記憶手段にて記憶されている前記位置情報及び前記種類情報とを、前記再生装置へ送信する要求送信手段と、
前記位置情報及び前記種類情報に対する部分コンテンツを、前記再生装置から受信するコンテンツ受信手段と、
受信した前記部分コンテンツを出力するコンテンツ出力手段と
を備えることを特徴とする請求の範囲３４に記載の端末装置。
【請求項３７】
前記端末装置は、他の端末装置と通信を行う携帯型の端末装置であり、
前記情報送信手段は、さらに、前記ブックマーク記憶手段にて記憶されている前記位置情報と前記種類情報とを、前記他の端末装置へ送信する
ことを特徴とする請求の範囲３６に記載の端末装置。
【請求項３８】
前記位置受信手段は、さらに、前記他の端末装置から、前記他の端末装置に格納されている位置情報と種類情報とを受信し、
前記情報書込手段は、さらに、前記他の端末装置から受信した位置情報と種類情報とを前記ブックマーク記憶手段へ書き込む
ことを特徴とする請求の範囲３７に記載の端末装置。
【請求項３９】
前記端末装置は、前記再生装置をサーバ装置とするホームネットワークによってネットワーク接続されたクライアント装置である
ことを特徴とする請求の範囲３６に記載の端末装置。
【請求項４０】
前記受付手段は、さらに、オブジェクトに関連する地域を示す地域識別子を受け付け、
前記情報書込手段は、さらに、前記地域識別子を、前記位置情報と対応付けて、前記ブックマーク記憶手段へ書き込む
ことを特徴とする請求の範囲３４に記載の端末装置。
【請求項４１】
前記受付手段は、さらに、地域識別子に対応する前記位置情報及び前記種類情報に対応し、且つ前記再生装置にて前記コンテンツから取得される部分コンテンツの出力要求を受け付け、
前記端末装置は、さらに、
前記出力要求を受け付けると、当該端末装置が現在位置する地域を識別する端末地域識別子を取得する識別子取得手段と、
取得された前記端末地域識別子と一致する端末識別子に対応する前記位置情報及び種類情報を、前記ブックマーク記憶手段から取得する情報取得手段と、
取得した前記位置情報及び種類情報と、前記出力要求とを、前記再生装置へ送信する要求送信手段と、
送信した前記位置情報及び前記種類情報により取得される部分コンテンツを、前記再生装置から受信するコンテンツ受信手段と、
受信した部分コンテンツを出力するコンテンツ出力手段と
を備えることを特徴とする請求の範囲４０に記載の端末装置。
【請求項４２】
再生装置の集積回路であって、
オブジェクトの種類を示す種類情報を受け取る情報受取手段と、
前記種類情報を受け取った時点における再生中のコンテンツの再生位置を示す位置情報を取得する位置取得手段と、
前記種類情報にて示される種類に対応するオブジェクトを含み、前記位置情報にて示される再生位置又は再生位置の近傍から開始される部分コンテンツを、前記コンテンツから取得する部分コンテンツ取得手段と
を備えることを特徴とする集積回路。
【請求項４３】
再生装置に、再生中のコンテンツにブックマークを付す指示を送る端末装置の集積回路であって、
オブジェクトのブックマークの指示を利用者から受け付ける受付手段と、
前記ブックマークの指示が受け付けられると、前記オブジェクトの種類を示す種類情報を前記再生装置へ送信する情報送信手段と、
前記種類情報を送信した時点における再生中のコンテンツの再生位置を示す位置情報を、前記再生装置から受信する位置受信手段と、
ブックマーク記憶手段と、
受信した前記位置情報と、前記再生装置へ送信した前記種類情報とを対応付けて、前記ブックマーク記憶手段へ書き込む情報書込手段と
を備えることを特徴とする集積回路。
【請求項４４】
再生装置に用いられる取得方法であって、
オブジェクトの種類を示す種類情報を受け取る情報受取ステップと、
前記種類情報を受け取った時点における再生中のコンテンツの再生位置を示す位置情報を取得する位置取得ステップと、
前記種類情報にて示される種類に対応するオブジェクトを含み、前記位置情報にて示される再生位置又は再生位置又は再生位置の近傍から開始される部分コンテンツを、前記コンテンツから取得する部分コンテンツ取得ステップと
を含むことを特徴とする取得方法。
【請求項４５】
再生装置に、
オブジェクトの種類を示す種類情報を受け取る情報受取ステップと、
前記種類情報を受け取った時点における再生中のコンテンツの再生位置を示す位置情報を取得する位置取得ステップと、
前記種類情報にて示される種類に対応するオブジェクトを含み、前記位置情報にて示される再生位置又は再生位置の近傍から開始される部分コンテンツを、前記コンテンツから取得する部分コンテンツ取得ステップと
を実行させるための取得プログラム。
【請求項４６】
再生装置に、
オブジェクトの種類を示す種類情報を受け取る情報受取ステップと、
前記種類情報を受け取った時点における再生中のコンテンツの再生位置を示す位置情報を取得する位置取得ステップと、
前記種類情報にて示される種類に対応するオブジェクトを含み、前記位置情報にて示される再生位置又は再生位置の近傍から開始される部分コンテンツを、前記コンテンツから取得する部分コンテンツ取得ステップと
を実行させるための取得プログラムを記録したコンピュータ読み取り可能な取得プログラム記録媒体。
【請求項４７】
再生装置に、再生中のコンテンツにブックマークを付す指示を送り、且つブックマーク記憶手段を備える端末装置に用いられるブックマーク方法であって、
オブジェクトのブックマークの指示を利用者から受け付ける受付ステップと、
前記ブックマークの指示が受け付けられると、前記オブジェクトの種類を示す種類情報を前記再生装置へ送信する情報送信ステップと、
前記種類情報を送信した時点における再生中のコンテンツの再生位置を示す位置情報を、前記再生装置から受信する位置受信ステップと、
受信した前記位置情報と、前記再生装置へ送信した前記種類情報とを対応付けて、前記ブックマーク記憶手段へ書き込む情報書込ステップと
を含むことを特徴とするブックマーク方法。
【請求項４８】
再生装置に、再生中のコンテンツにブックマークを付す指示を送り、且つブックマーク記憶手段を備える端末装置に、
オブジェクトのブックマークの指示を利用者から受け付ける受付ステップと、
前記ブックマークの指示が受け付けられると、前記オブジェクトの種類を示す種類情報を前記再生装置へ送信する情報送信ステップと、
前記種類情報を送信した時点における再生中のコンテンツの再生位置を示す位置情報を、前記再生装置から受信する位置受信ステップと、
受信した前記位置情報と、前記再生装置へ送信した前記種類情報とを対応付けて、前記ブックマーク記憶手段へ書き込む情報書込ステップと
を実行させるためのブックマークプログラム。
【請求項４９】
再生装置に、再生中のコンテンツにブックマークを付す指示を送り、且つブックマーク記憶手段を備える端末装置に、
オブジェクトのブックマークの指示を利用者から受け付ける受付ステップと、
前記ブックマークの指示が受け付けられると、前記オブジェクトの種類を示す種類情報を前記再生装置へ送信する情報送信ステップと、
前記種類情報を送信した時点における再生中のコンテンツの再生位置を示す位置情報を、前記再生装置から受信する位置受信ステップと、
受信した前記位置情報と、前記再生装置へ送信した前記種類情報とを対応付けて、前記ブックマーク記憶手段へ書き込む情報書込ステップと
を実行させるためのブックマークプログラムを記録したコンピュータ読み取り可能なブックマークプログラム記録媒体。
【発明の詳細な説明】
【技術分野】  本発明は、コンテンツから、利用者の所望する部分コンテンツを取得する技術に関する。
【背景技術】  利用者がコンテンツを視聴している際に、視聴しているコンテンツの情報を、後日参照したい場合に、参照したいコンテンツとして指定しておくことで、後日指定したコンテンツの情報を参照する技術がある。
例えば、放送されたコンテンツの情報を検索する際に、的確なキーワードが分からなくても必要な検索ができる検索システムが開示されている。この検索システムは、参照したい番組コンテンツの指定を行うブックマーカーと、検索エンジンと、検索エンジンと通信を行うゲートウェイデバイスとから構成され、検索エンジンは、各放送局にて放送されたコンテンツのコンテンツ名とそのコンテンツの放送時刻とが関連付けられたプレイリストが蓄積されているデータベースと、放送されたコンテンツのコンテンツ名とそのコンテンツの関連情報とが関連付けられ蓄積されたデータベースとを有している。
この検索システムによると、利用者は、たまたまラジオ番組にて放送された音楽コンテンツが気に入った場合には、ブックマーカーによって、その時刻を示す時刻情報を取得し、ブックマーカーに記憶する。ブックマーカーは、ゲートウェイデバイスに接続され、利用者の所定の操作により、記憶している時刻情報を検索エンジンに送信する。検索エンジンは、受信した時刻情報に示される時刻に放送された音楽コンテンツの名称（曲名）をプレイリストから取得し、取得した曲名と関連付けられた関連情報（例えば、アーティスト名）を取得し、取得した曲名及び関連情報をゲートウェイデベイスへ送信する。ゲートウェイデバイスは、曲名及び関連情報を受信し、表示する。これにより、利用者は、放送されたコンテンツの曲名及び関連情報を、後日、簡単に参照することができる。
しかしながら、上記の検索システムは、検索エンジンを用いて、放送されたコンテンツのコンテンツ名と、関連情報を取得し、取得したコンテンツ名及び関連情報を、ゲートウェイデバイスを用いて、表示するのみであり、ある番組内において放送されたコンテンツの内容を、再度知りたいという利用者にとっては、上記の検索システムは、満足できるシステムとは言い難い。
【発明の開示】
そこで、本発明は、コンテンツから利用者が所望する部分コンテンツを取得することのできる再生装置、ブックマークシステム、端末装置、取得方法、取得プログラム、取得プログラム記録媒体、ブックマーク方法及びブックマークプログラム及びブックマークプログラム記録媒体を提供することを目的とする。
上記目的を達成するために、本発明は、再生装置であって、オブジェクトの種類を示す種類情報を受け取る情報受取手段と、前記種類情報を受け取った時点における再生中のコンテンツの再生位置を示す位置情報を取得する位置取得手段と、前記種類情報にて示される種類に対応するオブジェクトを含み、前記位置情報にて示される再生位置又は再生位置の近傍から開始される部分コンテンツを、前記コンテンツから取得する部分コンテンツ取得手段とを備えることを特徴とする。
この構成によると、再生装置は、種類情報にて示される種類の対応するオブジェクトを含み、位置情報にて示される再生位置又は再生位置の近傍から開始される部分コンテンツを取得することができる。これにより、再生装置は、ユーザが気に入ったオブジェクトを含む部分コンテンツを取得することができるので、ユーザは、取得された部分コンテンツから自身が気に入ったオブジェクトを、再度視聴することができる。
ここで、前記部分コンテンツ取得手段は、前記位置取得手段が前記位置情報を取得した時点で、前記部分コンテンツを取得し、前記再生装置は、さらに、ブックマーク記憶手段と、前記部分コンテンツを、前記ブックマーク記憶手段に書き込む書込手段とを備えるとしてもよい。
この構成によると、再生装置は、種類情報を受け取った時点で、部分コンテンツを取得し、取得した部分コンテンツを書き込むことが可能となる。これにより、再生装置は、取得した部分コンテンツを、ブックマーク記憶手段にて管理することができる。
ここで、前記コンテンツは、複数の静止画像からなる動画像を含み、前記部分コンテンツは、前記コンテンツに含まれる静止画像から構成され、前記部分コンテンツ取得手段は、前記位置情報にて示される再生位置から前方方向において、前記種類情報にて示される種類に対応するオブジェクトが出現する静止画像を検出し、検出した静止画像を前記部分コンテンツとして取得するとしてもよい。
この構成によると、再生装置は、オブジェクトが出現する静止画像を検出し、検出した静止画像を、部分コンテンツとして取得することができる。
ここで、前記部分コンテンツ取得手段は、前記種類情報が、画像に関連するオブジェクトが属する種類を示す場合には、静止画像を前記部分コンテンツとして取得するとしてもよい。
この構成によると、種類情報が画像に関連するオブジェクトが属する種類を示す場合には、再生装置は、静止画像を取得することができる。
ここで、前記種類情報は、オブジェクトの種類が１画像の一部を構成する人物画像又は文字であること示す、又は１画像全体を構成するキャプチャであることを示し、前記部分コンテンツ取得手段は、前記種類情報にて示される種類が、人物画像、文字又はキャプチャであることを示す場合には、静止画像を前記部分コンテンツとして取得するとしてもよい。
この構成によると、画像に関連するオブジェクトの種類を、人物画像、文字、又はキャプチャとすることができる。
ここで、前記コンテンツは、複数の静止画像からなる動画像と、動画像に対応する音声とを含み、前記部分コンテンツは、前記コンテンツに含まれる部分動画像及び前記部分動画像に対応する部分音声から構成され、前記部分コンテンツ取得手段は、前記位置情報にて示される再生位置から前方方向において、前記種類情報にて示される種類に対応するオブジェクトが出現する静止画像を検出し、検出した静止画像から開始される部分動画像と前記部分動画像に対応する部分音声とを前記部分コンテンツとして取得するとしてもよい。
この構成によると、再生装置は、オブジェクトが出現する静止画像を検出し、検出した静止画像から開始される部分動画像及び部分音声を、部分コンテンツとして取得することができる。
ここで、前記部分コンテンツ取得手段は、前記種類情報が、音に関連するオブジェクトが属する種類を示す場合には、部分動画像及び前記部分動画像に対応する部分音声を前記部分コンテンツとして取得するとしてもよい。
この構成によると、種類情報が音に関連するオブジェクトが属する種類を示す場合には、再生装置は、部分動画像及び部分音声を取得することができる。
ここで、前記種類情報は、オブジェクトの種類が音楽であることを示し、前記部分コンテンツ取得手段は、前記種類情報にて示される種類が、音楽である場合には、部分動画像及び前記部分動画像に対応する部分音声を、前記部分コンテンツとして取得するとしてもよい。
この構成によると、音に関連するオブジェクトの種類は、音楽とすることができる。
ここで、前記コンテンツは、１以上のコーナーコンテンツを含み、各コーナーコンテンツは、１以上の画像を含み、各コーナーコンテンツの前後には、コーナーコンテンツの境界を示す特定画像が存在し、前記部分コンテンツ取得手段は、前記位置情報にて示される再生位置から前方方向において、前記再生位置に最も近い特定画像を検出し、検出した特定画像の直後から開始されるコーナーコンテンツを、前記部分コンテンツとして取得するとしてもよい。
この構成によると、再生装置は、種類情報にて示される種類に対応するオブジェクトを含むコーナーコンテンツを、部分コンテンツとして取得することができる。
ここで、前記再生装置は、さらに、前記部分コンテンツの出力要求を受け取る要求受取手段と、前記要求受取手段が前記出力要求を受け取ると、前記部分コンテンツを、前記ブックマーク記憶手段より読み出す読出手段と、読み出された前記部分コンテンツを出力する出力手段とを備えるとしてもよい。
この構成によると、再生装置は、出力要求を受け取ると、ブックマーク記憶手段より部分コンテンツを読み出し、出力することが可能となる。これにより、再生装置は、部分コンテンツを出力する場合に、部分コンテンツをコンテンツから取得する必要がないため、ユーザの要求から出力までにかかる時間を短くすることができる。
ここで、前記再生装置は、さらに、前記部分コンテンツの出力要求を、外部端末よりネットワークを介して受信する受信手段と、前記受信手段が、前記出力要求を受け取ると、前記部分コンテンツを、前記ブックマーク記憶手段より読み出す読出手段と、読み出された前記部分コンテンツを、前記外部端末へネットワークを介して送信するコンテンツ送信手段とを備えるとしてもよい。
この構成によると、再生装置は、外部端末よりネットワークを介して、出力要求を受け取り、読み出した部分コンテンツを、ネットワークを介して外部端末へ送信することができる。
ここで、前記再生装置は、さらに、前記部分コンテンツ取得手段にて取得される部分コンテンツの出力要求を受け取る要求受取手段と、取得された前記部分コンテンツを出力する出力手段とを備え、前記部分コンテンツ取得手段は、前記要求受取手段が前記出力要求を受け取った時点で、前記位置情報及び前記種類情報を用いて、部分コンテンツを取得するとしてもよい。
この構成によると、再生装置は、出力要求を受け取ると、位置情報と種類情報とを用いて、部分コンテンツを取得し、取得した部分コンテンツを出力することができる。
ここで、前記部分コンテンツ取得手段は、前記コンテンツの削除を示す削除情報を受け取ると、前記コンテンツから、前記部分コンテンツを含む特定部分コンテンツを除く他の部分を削除するとしてもよい。
この構成によると、再生装置は、コンテンツを削除する場合に、部分コンテンツを含む特定部分コンテンツを残すことができる。
ここで、前記コンテンツは、複数の静止画像からなる動画像と、動画像に対応する音声とを含み、前記再生装置は、さらに、前記コンテンツを予め記録しているコンテンツ記憶手段を備え、前記部分コンテンツ取得手段は、ブックマーク記憶部と、前記位置情報と、前記種類情報とを対応付けて、前記ブックマーク記憶部に書き込む書込部と、前記コンテンツの削除を示す削除情報を受け取る削除受取部と、前記削除受取部が削除情報を受け取ると、前記位置情報にて示される再生位置から前方方向において、前記種類情報にて示される種類に対応するオブジェクトが出現する静止画像を前記コンテンツから検出し、検出した静止画像から開始される特定部分動画像と、前記特定部分動画像に対応する特定部分音声とを含み、前記コンテンツの一部である特定部分コンテンツを取得する第１取得部と、前記第１取得部にて取得された特定部分コンテンツを前記コンテンツ記憶手段へ記録する記録部と、前記コンテンツを前記コンテンツ記憶手段より削除する削除部と、前記コンテンツ記憶手段にて記録されている前記特定部分コンテンツから、前記種類情報及び前記位置情報を用いて、前記部分コンテンツを取得する第２取得部とを備えるとしてもよい。
この構成によると、再生装置は、コンテンツを削除する場合には、位置情報及び種類情報を用いて、種類情報にて示される種類に対応するオブジェクトが含まれる特定部分コンテンツを取得し、取得した特定部分コンテンツをコンテンツ記憶手段に記録し、特定部分コンテンツから、部分コンテンツを取得することができる。これにより、再生装置は、コンテンツを削除しても、コンテンツ記憶手段に特定部分コンテンツを記録しておくことにより、記録している特定部分コンテンツから部分コンテンツを取得することができる。
ここで、前記再生装置は、さらに、前記部分コンテンツの出力要求を受け取る要求受取手段と、取得された前記部分コンテンツを出力する出力手段とを備え、前記第２取得部は、前記要求受取手段が前記出力要求を受け取った時点で、前記位置情報及び前記種類情報を用いて、部分コンテンツを取得するとしてもよい。
この構成によると、再生装置は、出力要求を受け取った時点で、特定部分コンテンツから部分コンテンツを取得することができる。
ここで、前記部分コンテンツ取得手段は、前記位置取得手段が前記位置情報を取得した時点で、前記部分コンテンツを取得し、前記再生装置は、さらに、前記コンテンツを予め記録しているコンテンツ記憶手段と、ブックマーク記憶手段と、前記部分コンテンツを、前記ブックマーク記憶手段に書き込む書込手段と、前記コンテンツの削除を示す削除情報を受け取る削除受取手段と、前記削除受取手段が削除情報を受け取ると、前記ブックマーク記憶手段に記憶されている前記部分コンテンツを残し、前記コンテンツを前記コンテンツ記憶手段より削除する削除手段とを備えるとしてもよい。
この構成によると、再生装置は、コンテンツを削除しても、ブックマーク記憶手段にて、部分コンテンツを記憶している。そのため、ユーザは、コンテンツを削除した後でも、部分コンテンツから自身が気に入ったオブジェクトを、再度視聴することができる。
ここで、前記情報受取手段は、前記種類情報を外部端末から受け取り、さらに、前記外部端末を識別する端末識別子を前記外部端末から受け取り、前記再生装置は、さらに、ブックマーク記憶手段と、前記端末識別子を、前記位置情報及び前記種類情報と対応付けて、ブックマーク記憶手段に書き込む書込手段とを備えるとしてもよい。
この構成によると、再生装置は、端末識別子を位置情報と対応付けて、ブックマーク記憶手段へ書き込むことができる。これにより、再生装置は、外部端末ごとに、位置情報を管理することができる。
ここで、前記再生装置は、さらに、外部端末から、前記部分コンテンツ取得手段にて取得される部分コンテンツの出力要求と、端末識別子とを受信する受信手段と、前記部分コンテンツを、前記出力要求を送信した外部端末へ送信するコンテンツ送信手段とを備え、前記部分コンテンツ取得手段は、受信した端末識別子と、ブックマーク記憶手段に記憶されている端末識別子とを比較し、一致した端末識別子に対応する位置情報及び種類情報を、前記ブックマーク記憶手段から読み出し、読み出した位置情報及び種類情報とを用いて、前記部分コンテンツを取得するとしてもよい。
この構成によると、再生装置は、外部端末から、出力要求と端末識別子とを受け取ると、受信した端末識別子と、ブックマーク記憶手段に記憶されている端末識別子とを比較し、一致した端末識別子に対応する位置情報及び種類情報を用いて取得された部分コンテンツを、外部端末へ出力することができる。
ここで、前記コンテンツは、複数の画像からなる画像群を含み、前記部分コンテンツは、前記画像群に含まれる少なくとも１以上の画像を含み、前記部分コンテンツ取得手段は、前記部分コンテンツに含まれる各画像の画質を、前記コンテンツに含まれる画像群を形成する画像の画質よりも低くなるように間引きするとしてもよい。
この構成によると、再生装置は、取得する１以上の画像の画質を、コンテンツに含まれる画像群を形成する画像の画質よりも落とすことができる。
ここで、前記コンテンツは、音声を含み、前記部分コンテンツは、前記音声の一部である部分音声を含み、前記部分コンテンツ取得手段は、前記部分コンテンツに含まれる前記部分音声の音質を、前記コンテンツに含まれる音声の音質より低くなるように間引きするとしてもよい。
この構成によると、再生装置は、取得する部分音声の音質を、コンテンツに含まれる音質よりも落とすことができる。
ここで、前記コンテンツは、複数の画像からなる画像群を含み、前記部分コンテンツは、前記画像群に含まれる少なくとも１以上の画像に、予め定めされた文字が付加されており、前記部分コンテンツ取得手段は、前記画像群から取得された画像に、予め定められた文字を付加するとしてもよい。
この構成によると、再生装置にて取得される画像は、画像群から取得された画像に、予め定められた文字が付加された画像とすることができる。
ここで、前記ブックマーク記憶手段は、さらに、前記位置情報及び前記種類情報とは異なる別の位置情報及び別の種類情報が、前記外部端末とは異なる別の外部端末を識別する別の端末識別子と、対応付けられて格納されており、前記別の位置情報及び前記別の種類情報は、前記コンテンツに対応しており、前記再生装置は、さらに、前記送信手段にて送信された前記部分コンテンツの有効期限を、前記位置情報と対応付けて、前記ブックマーク記憶手段へ書き込む期限書込手段を備え、前記部分コンテンツ取得手段は、前記有効期限内において、前記受信手段が前記外部端末から前記出力要求及び前記端末識別子を受信した場合には、前記部分コンテンツを取得し、前記受信手段が、前記別の外部端末から、前記別の位置情報と前記別の種類情報とに対する部分コンテンツの出力要求、及び前記別の端末識別子を受信した場合には、前記別の位置情報と前記別の種類情報とに対する部分コンテンツの取得を抑止するとしてもよい。
この構成によると、再生装置にて取得される部分コンテンツに、有効期限を付加することにより、有効期限内において、他の端末から、同一のコンテンツに対応する別の位置情報及び別の種類情報による部分コンテンツの取得を抑止することができる。
ここで、前記情報受取手段は、さらに、オブジェクトに関連する地域を示す地域識別子を受け取り、前記再生装置は、さらに、ブックマーク記憶手段と、前記地域識別子を、前記位置情報及び前記種類情報と対応付けて、前記ブックマーク記憶手段に書き込む書込手段とを備えるとしてもよい。
この構成によると、再生装置は、地域識別子を位置情報と対応付けて、ブックマーク記憶手段へ書き込むことができる。
ここで、前記再生装置は、さらに、外部端末から、前記部分コンテンツ取得手段にて取得される部分コンテンツの出力要求と、前記外部端末が位置する地域を示す端末地域識別子とを、受信する識別子受信手段と、前記部分コンテンツを、前記外部端末へ送信するコンテンツ送信手段とを備え、前記部分コンテンツ取得手段は、前記端末地域識別子と一致する地域識別子に対応する位置情報及び種類情報を、前記ブックマーク記憶手段から読み出し、読み出した位置情報及び種類情報とを用いて、前記部分コンテンツを取得するとしてもよい。
この構成によると、再生装置は、外部端末から端末地域識別子を受け取り、受け取った端末地域識別子と一致する地域識別子に対応する位置情報及び種類情報を用いて取得される部分コンテンツを、外部端末へ送信することができる。これにより、ユーザは、外部端末を用いて、外出先に関連する部分コンテンツを再生装置から受け取ることができる。
ここで、前記位置取得手段は、前記位置情報として、前記コンテンツの再生開始から前記種類情報を受け取った時点までの経過時刻を取得し、前記部分コンテンツ取得手段は、前記経過時刻内より開始される前記部分コンテンツを取得するとしてもよい。
この構成によると、再生装置は、位置情報として、コンテンツの再生開始から種類情報を受け取った時点までの経過時刻を取得し、取得した経過時刻を用いて、部分コンテンツを取得することができる。
また、本発明は、再生装置と、前記再生装置に、再生中のコンテンツにブックマークを付す指示を送る端末装置とからなるブックマークシステムであって、前記端末装置は、オブジェクトに対するブックマークの指示を利用者から受け付ける受付手段と、前記ブックマークの指示が受け付けられると、前記オブジェクトの種類を示す種類情報を前記再生装置へ送信する情報送信手段とを備え、前記再生装置は、前記端末装置から、前記種類情報を受け取る情報受取手段と、前記種類情報を受け取った時点における再生中のコンテンツの再生位置を示す位置情報を取得する位置取得手段と、前記種類情報にて示される種類に対応するオブジェクトを含み、前記位置情報にて示される再生位置又は再生位置の近傍から開始される部分コンテンツを、前記コンテンツから取得する部分コンテンツ取得手段とを備えることを特徴とする。
この構成によると、ブックマークシステムの端末装置は、利用者からブックマークの指示を受け付けると、種類情報を再生装置へ送信し、再生装置は、種類情報を端末装置から受け取ると、位置情報を取得し、受け取った種類情報にて示される種類の対応するオブジェクトを含み、取得した位置情報にて示される再生位置又は再生位置の近傍から開始される部分コンテンツを取得することができる。
ここで、前記部分コンテンツ取得手段は、前記情報受取手段が種類情報を受け取った時点で、前記部分コンテンツを取得し、前記再生装置は、さらに、ブックマーク記憶手段と、前記部分コンテンツを、前記ブックマーク記憶手段に書き込む書込手段とを備えるとしてもよい。
この構成によると、再生装置は、種類情報を、端末装置から受け取った際に、部分コンテンツを取得し、取得した部分コンテンツを、ブックマーク記憶手段へ書き込むことが可能となる。これにより、これにより、再生装置は、取得した部分コンテンツを、ブックマーク記憶手段にて管理することができる。
ここで、前記端末装置は、さらに、当該端末装置を識別する端末識別子を予め記憶している識別子記憶手段を備え、前記情報送信手段は、さらに、前記端末識別子を、前記種類情報と対応付けて送信し、前記情報受取手段は、さらに、前記端末識別子を受け取り、前記書込手段は、さらに、受け取った前記端末識別子を、前記部分コンテンツと対応付けて、前記ブックマーク記憶手段に書き込むとしてもよい。
この構成によると、再生装置は、端末識別子を、取得した部分コンテンツと対応付けて、部分コンテンツ記憶手段に書き込むことができる。これにより、再生装置は、端末装置ごとに、部分コンテンツを管理することができる。
ここで、前記受付手段は、さらに、前記ブックマーク記憶手段に記憶されている部分コンテンツの出力要求を受け付け、前記再生装置は、さらに、前記出力要求と、前記出力要求を行った端末装置を識別する端末識別子とを、前記端末装置から受信する受信手段と、前記受信手段が前記出力要求と前記端末識別子とを受信すると、受信した端末識別子と、ブックマーク記憶手段に記憶されている端末識別子とを比較し、一致した端末識別子に対応する部分コンテンツを、前記ブックマーク記憶手段より読み出す読出手段と、読み出された部分コンテンツを、前記端末装置へ送信するコンテンツ送信手段とを備え、前記端末装置は、さらに、前記受付手段が、前記出力要求を受け付けると、受け付けられた前記出力要求と前記端末識別子とを前記再生装置へ送信する要求送信手段と、前記読出手段にて読み出された部分コンテンツを、前記再生装置から受信するコンテンツ受信手段と、受信した部分コンテンツを出力するコンテンツ出力手段とを備えるとしてもよい。
この構成によると、再生装置は、端末端末から、出力要求と端末識別子とを受け取ると、受信した端末識別子と、ブックマーク記憶手段に記憶されている端末識別子とを比較し、一致した端末識別子に対応する部分コンテンツを、端末端末へ送信することができる。また、端末装置は、再生装置から部分コンテンツを受け取り、受け取った部分コンテンツを出力することができる。これにより、再生装置は、端末装置から部分コンテンツの出力要求があると、出力要求を行った端末装置を識別する端末識別子に対応する部分コンテンツを、ブックマーク記憶手段より読み出し、読み出した部分コンテンツを、端末装置へ送信すればよい。従って、端末装置から部分コンテンツの出力要求がある度に部分コンテンツをコンテンツから取得し、取得した部分コンテンツを送信する場合よりも、出力要求を受信してから部分コンテンツの送信までにかかる時間を短くすることができる。
ここで、前記再生装置と、前記端末装置とは、ホームネットワークにより接続されており、前記再生装置は、前記ホームネットワークにおけるサーバ装置であり、前記端末装置は、前記ホームネットワークにおけるクライアント装置であるとしてもよい。
この構成によると、再生装置をホームネットワークにおけるサーバ装置とし、端末装置をホームネットワークにおけるクライアント装置とすることができる。これにより、ブックマークシステムを、ホームネットワークにて形成することができる。
ここで、前記端末装置は、携帯型の端末装置であるとしてもよい。
この構成によると、ブックマークシステムの端末装置を携帯型の端末装置とすることができる。
ここで、前記再生装置は、さらに、前記位置情報を、前記端末措置へ送信する位置送信手段を備え、前記端末装置は、さらに、前記位置情報を、受信する位置受信手段と、ブックマーク記憶手段と、受信した前記位置情報と、前記再生装置へ送信した前記種類情報とを対応付けて、前記ブックマーク記憶手段へ書き込む情報書込手段とを備えるとしてもよい。
この構成によると、再生装置は、取得した位置情報を端末装置へ送信し、端末装置は、位置情報と種類情報とを対応付けて、ブックマーク記憶手段に書き込むことができる。
ここで、前記受付手段は、さらに、前記位置情報及び前記種類情報に対する部分コンテンツの出力要求を受け付け、前記端末装置は、さらに、前記受付手段が前記出力要求を受け付けると、受け付けられた前記出力要求と、前記ブックマーク記憶手段にて記憶されている前記位置情報及び前記種類情報とを、前記再生装置へ送信する要求送信手段と、送信した前記位置情報及び前記種類情報により取得された部分コンテンツを、前記再生装置から受信するコンテンツ受信手段と、受信した前記部分コンテンツを出力するコンテンツ出力手段とを備え、前記再生装置は、さらに、前記位置情報及び前記種類情報と、前記出力要求とを、前記端末装置から受信する受信手段と、前記部分コンテンツ取得手段にて取得される部分コンテンツを、前記端末装置へ送信するコンテンツ送信手段とを備え、前記部分コンテンツ取得手段は、受信手段が前記位置情報及び前記種類情報と、前記出力要求とを受信した時点で、受信した前記位置情報及び前記種類情報とを用いて、部分コンテンツを取得するとしてもよい。
この構成によると、端末装置は、出力要求と、位置情報及び種類情報とを再生装置へ送信し、再生装置は、受信した位置情報と種類情報とを用いて、部分コンテンツを取得し、取得した部分コンテンツを端末装置へ送信し、端末装置は、受け取った部分コンテンツを出力することができる。
また、本発明は、再生装置に、再生中のコンテンツにブックマークを付す指示を送る端末装置であって、オブジェクトに対するブックマークの指示を利用者から受け付ける受付手段と、前記ブックマークの指示が受け付けられると、前記オブジェクトの種類を示す種類情報を前記再生装置へ送信する情報送信手段と、前記種類情報を送信した時点における再生中のコンテンツの再生位置を示す位置情報を、前記再生装置から受信する位置受信手段と、ブックマーク記憶手段と、受信した前記位置情報と、前記再生装置へ送信した前記種類情報とを対応付けて、前記ブックマーク記憶手段へ書き込む情報書込手段とを備えることを特徴とする。
この構成によると、端末装置は、利用者からブックマークの指示を受け付けると、種類情報を再生装置へ送信し、再生装置から位置情報を受信し、位置情報と種類情報とを対応付けて、ブックマーク記憶手段へ書き込むことができる。
ここで、前記ブックマーク記憶手段は、前記種類情報にて示される種類に対応する領域を有し、前記情報書込手段は、前記種類情報及び前記位置情報を、対応する領域へ格納するとしてもよい。
この構成によると、端末装置は、種類情報にて示される種類に対応する領域に、位置情報及び種類情報とを格納することができる。これにより、オブジェクトの種類ごとに、位置情報及び種類情報を管理することができる。
ここで、前記受付手段は、さらに、前記位置情報及び前記種類情報に対応し、且つ前記再生装置にて前記コンテンツから取得される部分コンテンツの出力要求を受け付け、前記端末装置は、さらに、前記出力要求と、前記ブックマーク記憶手段にて記憶されている前記位置情報及び前記種類情報とを、前記再生装置へ送信する要求送信手段と、前記位置情報及び前記種類情報に対する部分コンテンツを、前記再生装置から受信するコンテンツ受信手段と、受信した前記部分コンテンツを出力するコンテンツ出力手段とを備えるとしてもよい。
この構成によると、端末装置は、出力要求と、位置情報及び種類情報とを再生装置へ送信し、再生装置から送信した位置情報及び種類情報に対応する部分コンテンツを受信し、受信した部分コンテンツを出力することができる。これにより、利用者は、外出先においても、端末装置を用いることにより部分コンテンツを視聴することができる。
ここで、前記端末装置は、他の端末装置と通信を行う携帯型の端末装置であり、前記情報送信手段は、さらに、前記ブックマーク記憶手段にて記憶されている前記位置情報と前記種類情報とを、前記他の端末装置へ送信するとしてもよい。
この構成によると、携帯型の端末装置は、ブックマーク記憶手段にて記憶している位置情報及び種類情報を、他の端末装置へ送信することができる。
ここで、前記位置受信手段は、さらに、前記他の端末装置から、前記他の端末装置に格納されている位置情報と種類情報とを受信し、前記情報書込手段は、さらに、前記他の端末装置から受信した位置情報と種類情報とを前記ブックマーク記憶手段へ書き込むとしてもよい。
この構成によると、端末装置は、他の端末装置から、別の位置情報及び別の種類情報を受信し、受信した別の位置情報及び別の種類情報を、ブックマーク記憶手段へ書き込むことができる。
ここで、前記端末装置は、前記再生装置をサーバ装置とするホームネットワークによってネットワーク接続されたクライアント装置であるとしてもよい。
この構成によると、端末装置は、再生装置をサーバ装置とするホームネットワークにおけるクライアント装置とすることができる。
ここで、前記受付手段は、さらに、オブジェクトに関連する地域を示す地域識別子を受け付け、前記情報書込手段は、さらに、前記地域識別子を、前記位置情報と対応付けて、前記ブックマーク記憶手段へ書き込むとしてもよい。
この構成によると、端末装置は、地域識別子を、位置情報と対応付けて、ブックマーク記憶手段に書き込むことができる。
ここで、前記受付手段は、さらに、地域識別子に対応する前記位置情報及び前記種類情報に対応し、且つ前記再生装置にて前記コンテンツから取得される部分コンテンツの出力要求を受け付け、前記端末装置は、さらに、前記出力要求を受け付けると、当該端末装置が現在位置する地域を識別する端末地域識別子を取得する識別子取得手段と、取得された前記端末地域識別子と一致する端末識別子に対応する前記位置情報及び種類情報を、前記ブックマーク記憶手段から取得する情報取得手段と、取得した前記位置情報及び種類情報と、前記出力要求とを、前記再生装置へ送信する要求送信手段と、送信した前記位置情報及び前記種類情報により取得される部分コンテンツを、前記再生装置から受信するコンテンツ受信手段と、受信した部分コンテンツを出力するコンテンツ出力手段とを備えるとしてもよい。
この構成によると、端末装置は、当該端末装置が現在位置する地域を示す端末地域識別子と一致する地域識別子に対応する位置情報及び種類情報を、再生装置へ送信し、再生装置から送信した位置情報及び種類情報に対応する部分コンテンツを受信して、受信した部分コンテンツを出力することができる。これにより、端末装置を所持する利用者は、現在、自身が位置する地域に関連する部分コンテンツを視聴することができる。
【図面の簡単な説明】  図１は、ブックマークシステム１の使用形態を示す図である。
図２は、携帯電話機１００の構成を示すブロック図である。
図３は、ブックマーク記憶部１０１の構成を示すブロック図である。
図４は、音楽フォルダ１２０が有する音楽情報テーブルＴ１００のデータ構造を示す。
図５は、人物フォルダ１２１が有する人物情報テーブルＴ１０１のデータ構造を示す。
図６は、文字フォルダ１２２が有する文字情報テーブルＴ１０２のデータ構造を示す。
図７は、キャプチャフォルダ１２３が有するキャプチャ情報テーブルＴ１０３のデータ構造を示す。
図８は、地域情報記憶部１０２が有する地域情報テーブルＴ１１０のデータ構造を示す。
図９は、ブックマーク情報の選択を行う場合に表示部１０９にて表示される情報の一例を示す。
図１０は、再生装置２００の構成を示すブロック図である。
図１１は、番組コンテンツ記憶部２０１の構成を示すブロック図である。
図１２は、検索情報記憶部２０２が有する検索情報テーブルＴ２００のデータ構造を示す。
図１３は、番組コンテンツ「ＦＦＦ」を削除した後に番組コンテンツ記憶部２０１が記憶している内容を示す図である。
図１４は、ブックマーク登録時の動作概要を示す流れ図である。
図１５は、指定表示を行う場合の動作概要を示す流れ図である。
図１６は、地域表示を行う場合の動作概要を示す流れ図である。
図１７は、ブックマーク情報格納処理の動作を示す流れ図である。
図１８は、画像データ取得処理の動作を示す流れ図である。
図１９は、番組コンテンツ取得処理の動作を示す流れ図である。
図２０は、削除処理の動作を示す流れ図である。図２１へ続く。
図２１は、削除処理の動作を示す流れ図である。図２０から続く。
図２２は、再生装置１０００の構成を示すブロック図である。
図２３は、ブックマーク記憶部１００２の音楽フォルダが有する音楽情報テーブルＴ１０００のデータ構造を示す。
図２４は、携帯電話機１１００の構成を示すブロック図である。
図２５は、ブックマーク登録時の動作概要を示す流れ図である。
図２６は、指定表示を行う場合の動作概要を示す流れ図である。
図２７は、地域表示を行う場合の動作概要を示す流れ図である。
図２８は、再生装置２００Ａの構成を示すブロック図である。
図２９は、画像データ取得処理の動作を示す流れ図である。図２４へ続く。
図３０は、画像データ取得処理の動作を示す流れ図である。図２３から続く。
図３１は、ブックマークシステム２の使用形態を示す図である。
図３２は、再生装置２０００の構成を示すブロック図である。
図３３は、番組コンテンツ記憶部２００１の構成を示すブロック図である。
図３４は、ブックマーク記憶部２００２の構成を示すブロック図である。
図３５は、音楽フォルダ２０２０が有する音楽情報テーブルＴ２０００のデータ構造を示す。
図３６は、人物フォルダ２０２１が有する人物情報テーブルＴ２００１のデータ構造を示す。
図３７は、文字フォルダ２０２２が有する文字情報テーブルＴ２００２のデータ構造を示す。
図３８は、キャプチャフォルダ２０２３が有するキャプチャ情報テーブルＴ２００３のデータ構造を示す。
図３９は、画面データと再生中の番組コンテンツとを表示している画面の一例を示す。
図４０は、ブックマーク情報の選択を行う場合に出力部２００７を介してモニタ１１にて表示される情報の一例を示す。
図４１は、リモコン２３００の構成を示す。
図４２は、携帯電話機２１００の構成を示すブロック図である。
図４３は、地域情報記憶部２１０２が有する地域情報テーブルＴ２１００のデータ構造を示す。
図４４は、ブックマーク情報の登録を行うＢＭ登録処理の動作を示す流れ図である。
図４５は、画像データ取得処理の動作を示す流れ図である。
図４６は、情報格納処理の動作を示す流れ図である。
図４７は、第１表示処理の動作を示す流れ図である。
図４８は、第２表示処理の動作を示す流れ図である。
図４９は、再生装置３０００の構成を示すブロック図である。
図５０は、ブックマーク記憶部３００２の音楽フォルダが有する音楽情報テーブルＴ３０００の一例を示す。
図５１は、画像データ取得処理の動作を示す流れ図である。
図５２は、番組コンテンツ取得処理の動作を示す流れ図である。
図５３は、削除処理の動作を示す流れ図である。図５４へ続く。
図５４は、削除処理の動作を示す流れ図である。図５３から続く。
【発明を実施するための最良の形態】  １．第１の実施の形態
１．１  ブックマークシステム１の構成
図１は、ブックマークシステム１の使用形態を示す図であり、ブックマークシステム１は、携帯電話機１００と、テレビ１０と接続された再生装置２００とから構成される。再生装置２００の一例は、ＤＶＤレコーダである。
再生装置２００は、放送局から放送される番組コンテンツを録画し、録画した番組コンテツの再生を行う。このとき、番組コンテンツは、番組コンテンツが放送されたチャンネル番号（以下、「ＣＨ番号」という。）と、番組コンテンツを識別する番組ＩＤと、番組コンテンツの録画が開始された録画開始時刻と対応付けられている。
携帯電話機１００と再生装置２００とは、赤外線通信による双方向通信及びインターネットによる通信が可能である。
携帯電話機１００は、再生装置２００と赤外線通信を行うことにより、再生装置２００にて録画した番組コンテンツをテレビ１０にて再生中に、後で参照したい画像データに係る情報の登録を行う旨の情報を送信し、再生装置２００よりその画像データに係る情報を受信し、記憶する。ここで、後で参照する画像データを指定することをブックマーク（ＢｏｏｋＭａｒｋ）と呼ぶ。
さらに、携帯電話機１００は、記憶しているブックマークされた画像データに係る情報を、公衆無線通信網及びインターネットを介して再生装置２００へ送信して、再生装置２００より当該ブックマークされた画像データに係る静止画像若しくは動画像を受信し、表示する。
１．２  携帯電話機１００の構成
ここでは、携帯電話機１００の構成について説明する。
携帯電話機１００は、携帯型の通信端末装置であって、図２に示すように、ブックマーク記憶部１０１、地域情報記憶部１０２、無線部１０３、ベースバンド信号処理部１０４、スピーカー１０５、マイク１０６、制御部１０７、入力部１０８、表示部１０９及び送受信部１１０から構成されている。
携帯電話機１００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機１００は、その機能を達成する。
（１）ブックマーク記憶部１０１
ブックマーク記憶部１０１は、図３に示すように、音楽フォルダ１２０、人物フォルダ１２１、文字フォルダ１２２及びキャプチャフォルダ１２３を有している。
＜音楽フォルダ１２０＞
音楽フォルダ１２０は、図４に一例として示すように、音楽情報テーブルＴ１００を有している。
音楽情報テーブルＴ１００は、識別名、ＢＭ（ＢｏｏｋＭａｒｋ）用表示時刻、ＢＭ用ＣＨ番号、ＢＭ用番組ＩＤ、地域コード及び付加情報からなる組を１以上記憶するための領域を備えている。ここで、識別名、ＢＭ用表示時刻、ＢＭ用ＣＨ番号、ＢＭ用番組ＩＤ、地域コード及び付加情報からなる情報をブックマーク情報という。
識別名は、記憶しているブックマーク情報を識別する名称である。ＢＭ用表示時刻は、ブックマークされた画像データが放送された放送時刻であり、日付と時刻で示される。ＢＭ用ＣＨ番号は、ブックマークを行った番組コンテンツに対応するＣＨ番号であり、ＢＭ用番組ＩＤは、ブックマークを行った番組コンテンツに対応する番組ＩＤである。地域コードは、地域を識別する情報であり、その地域の電話番号の市外局番と対応している。付加情報は、ブックマークの対象を示す情報である。
ここで、地域コードは、必ず記録される情報ではなく、必要に応じて記録される。
なお、音楽情報テーブルＴ１００における付加情報は、常に「音楽」となる。また、ＢＭ用番組ＩＤは、後述する再生装置２００にて記憶している番組ＩＤと同一のものである。
また、ブックマークの対象は、人の知覚によって認知されるオブジェクトであり、ブックマークの対象を示す情報とは、人の知覚によって認知されるオブジェクトの種類を示す。付加情報が「音楽」である場合には、ブックマークの対象が、出力された音声であり、その音声は、人の聴覚によって認知されるオブジェクトである。
＜人物フォルダ１２１＞
人物フォルダ１２１は、図５に一例として示すように、人物情報テーブルＴ１０１を有している。
人物情報テーブルＴ１０１のデータ構造については、音楽情報テーブルＴ１００と同様であるため、説明は省略する。
なお、人物情報テーブルＴ１０１における付加情報は、常に「人物」となる。付加情報が「人物」である場合には、ブックマークの対象が、表示された画像の一部を構成する人物画像であり、その人物画像は、人の視覚によって認知されるオブジェクトである。
＜文字フォルダ１２２＞
文字フォルダ１２２は、図６に一例として示すように、文字情報テーブルＴ１０２を有している。
文字情報テーブルＴ１０２のデータ構造については、音楽情報テーブルＴ１００と同様であるため、説明は省略する。
なお、文字情報テーブルＴ１０２における付加情報は、常に「文字」となる。付加情報が「文字」である場合には、ブックマークの対象が、表示された画像の一部を構成する文字であり、その文字は、人の視覚によって認知されるオブジェクトである。
＜キャプチャフォルダ１２３＞
キャプチャフォルダ１２３は、図７に一例として示すように、キャプチャ情報テーブルＴ１０３を有している。
キャプチャ情報テーブルＴ１０３のデータ構造については、音楽情報テーブルＴ１００と同様であるため、説明は省略する。
なお、キャプチャ情報テーブルＴ１０３における付加情報は、常に「キャプチャ」となる。付加情報が「キャプチャ」である場合には、ブックマークの対象が、表示された画像であり、その画像は、人の視覚によって認知されるオブジェクトである。
（２）地域情報記憶部１０２
地域情報記憶部１０２は、図８に一例として示すように、地域情報テーブルＴ１１０を有している。
地域情報テーブルＴ１１０は、位置及び地域コードからなる組を１以上記憶するための領域を備えている。
位置は、地域名を示す情報であり、例えば、大阪市、神戸市などである。地域コードは、音楽情報テーブルＴ１００の地域コードと同様であるため、説明は省略する。
（３）無線部１０３
無線部１０３は、アンテナ３００を備えており、無線信号の送受信を行う。
（４）ベースバンド信号処理部１０４
ベースバンド信号処理部１０４は、無線部１０３より受け取った信号をスピーカー１０５へ出力するための信号処理や、マイク１０６より受け取った音声を無線部１０３へ出力するための信号処理を行う。
また、ベースバンド信号処理部１０４は、インターネット及び公衆無線通信網を介して受信した情報を無線部１０３を介して受け取ると、受け取った情報を制御部１０７へ出力する。さらに、ベースバンド信号処理部１０４は、制御部１０７から音声データを受け取ると、受け取った音声データをスピーカー１０５へ出力するための信号処理をも行う。
（５）スピーカー１０５
スピーカー１０５は、ベースバンド信号処理部１０４にて処理された信号を音声として出力する。
（６）マイク１０６
マイク１０６は、使用者の音声を受け付け、受け付けた音声をベースバンド信号処理部１０４へ出力する。
（７）制御部１０７
制御部１０７は、位置を測定するＧＰＳ（Ｇｌｏｂａｌ  Ｐｏｓｉｔｉｏｎｉｎｇ  Ｓｙｓｔｅｍ）機能を予め備えており、携帯電話機１００全体の制御を行っている。
以下、ブックマーク情報の登録、利用者指定によるブックマークされた画像データの表示（以下、「指定表示」という。）、及び現在位置する地域に係るブックマークされた画像データの表示（以下、「地域表示」という。）における制御について、説明する。
＜ブックマーク情報の登録＞
制御部１０７は、ブックマーク情報の登録を行うことを示すブックマーク指示情報を入力部１０８より受け取る。また、制御部１０７は、入力部１０８にて、地域コードを示す地域コード情報を利用者より受け付けた場合には、入力部１０８よりブックマーク指示情報と併せて、地域コード情報も受け取る。ここで、ブックマーク指示情報は、対応情報を含み、対応情報とは、ブックマークの対象を示す情報であり、「人物」、「音楽」、「文字」及び「キャプチャ」のうち何れかを示す。例えば、ブックマークの対象が、人物である場合には、対応情報は「人物」を示し、音楽である場合には、対応情報は「音楽」を示し、文字である場合には、対応情報は「文字」を示し、キャプチャである場合には、対応情報は「キャプチャ」を示す。なお、「文字」にて指定される情報とは、例えば、テロップ表示されている文字列を示す。次に、制御部１０７は、受け取ったブックマーク指示情報を赤外線通信により、再生装置２００へ送受信部１１０を介して送信する。また、制御部１０７は、送信したブックマーク指示情報を一時的に記憶する。これにより、ブックマーク対象の種類を示す情報（対応情報）を送信する情報送信部が構成されることになる。
制御部１０７は、送受信部１１０を介して再生装置２００より、ＢＭ用表示時刻と、ＢＭ用ＣＨ番号と、ＢＭ用番組ＩＤとからなる番組情報を受信し、さらに、入力部１０８より識別名を示す識別名情報を受け取る。これにより、ＢＭ用表示時刻を含む番組情報を受信する時刻受信部が構成されることになる。
制御部１０７は、識別名情報と、受信した番組情報と、地域コード情報と、一時的に記憶しているブックマーク指示情報に含まれる対応情報とを用いて、ブックマーク情報を生成する。なお、ブックマーク情報に含まれる地域コードは、入力部１０８より、ブックマーク指示情報と併せて地域コード情報を受け取った場合にのみ記録される。
制御部１０７は、生成したブックマーク情報に含まれる付加情報に応じて、音楽情報テーブルＴ１００、人物情報テーブルＴ１０１、文字情報テーブルＴ１０２及びキャプチャ情報テーブルＴ１０３のうちの何れかに、生成したブックマーク情報を記録する。つまり、生成したブックマーク情報に含まれる付加情報が、音楽である判断する場合には、生成したブックマーク情報を音楽情報テーブルＴ１００へ記録し、人物であると判断する場合には、生成したブックマーク情報を人物情報テーブルＴ１０１へ記録し、文字であると判断する場合には、生成したブックマーク情報を文字情報テーブルＴ１０２へ記録し、キャプチャであると判断する場合には、生成したブックマーク情報をキャプチャ情報テーブルＴ１０３へ記録する。これにより、ブックマーク記憶部１０１へ、ブックマーク情報を書き込む情報書込部が構成されることになる。
＜指定表示＞
制御部１０７は、ブックマークされた画像データの表示開始を行うことを示す表示開始情報を入力部１０８より受け取ると、ブックマーク情報の格納先の選択を促す選択指示情報を表示部１０９へ出力し、選択された格納先の情報を入力部１０８より受け取る。ここで、選択された格納先の情報とは、音楽フォルダ１２０、人物フォルダ１２１、文字フォルダ１２２及びキャプチャフォルダ１２３のうち何れかのフォルダを示す情報である。
さらに、制御部１０７は、選択された格納先の情報にて示されるフォルダに記録されているブックマーク情報に含まれる識別名を取得する。例えば、選択された格納先の情報が、人物フォルダを示す場合には、制御部１０７は、ブックマーク記憶部１０１の人物フォルダ１２１に記録されている全てのブックマーク情報より、識別名「人物Ａ」及び「人物Ｂ」を取得する。
制御部１０７は、取得した全ての識別名からなる一覧情報を生成し、生成した一覧情報を表示部１０９へ出力する。例えば、取得した識別名が、「人物Ａ」及び「人物Ｂ」である場合には、「人物Ａ」及び「人物Ｂ」からなる一覧情報を生成する。
制御部１０７は、入力部１０８より、選択された識別名の情報を受け取ると、受け取った識別名の情報に対応するブックマーク情報をブックマーク記憶部１０１より取得する。例えば、選択された識別名の情報が「人物Ｂ」を示す場合には、制御部１０７は、ブックマーク記憶部１０１の人物フォルダ１２１より、識別名「人物Ｂ」を含むブックマーク情報を取得する。
制御部１０７は、取得したブックマーク情報と、受け取った表示開始情報とを無線部１０３を介して再生装置２００へ、公衆無線通信網及びインターネットを利用して送信する。
以上により、ブックマーク情報と、表示の指示を示す情報を送信する指示送信部が構成されることになる。
制御部１０７は、送信したブックマーク情報に係る静止画像の画像データ若しくは動画像の画像データを、無線部１０３を介して再生装置２００より、インターネット及び公衆無線通信網を利用して受信する。また、動画像の画像データを受信する際には、動画像に係る音声データをも受信する。これにより、静止画像からなる部分コンテンツ、若しくは動画像と音声とからなる部分コンテンツを受信するコンテンツ受信部が構成されることになる。
制御部１０７は、受信した静止画像の画像データ若しくは動画像の画像データに基づく静止画像若しくは動画像を、表示部１０９を介して表示する。また、動画像に係る音声データをも受信した場合には、受信した音声データを、ベースバンド信号処理部１０４を介してスピーカー１０５へ出力する。これにより、制御部１０７は、受信した動画像の再生を行うことができる。
以上により、静止画像からなる部分コンテンツ、若しくは動画像と音声とからなる部分コンテンツを出力するコンテンツ出力部が構成されることになる。
＜地域表示＞
制御部１０７は、現在位置する地域に係るブックマークされた画像データの表示を示す地域表示情報を入力部１０８より受け取ると、ＧＰＳ機能を用いて、現在の位置を測定する。制御部１０７は、測定結果より得られた地域に対応する地域コードを地域情報記憶部１０２より取得する。これにより、地域コードを取得する識別子取得部が構成されることになる。
制御部１０７は、ブックマーク記憶部１０１より取得した地域コードと一致する、つまり取得した地域コードを含むブックマーク情報を全て取得する。例えば、現在位置が大阪市である場合には、地域コード「０６」を含むブックマーク情報を全て取得する。この場合、文字フォルダ１２２より識別名が「文字Ａ」、「文字Ｂ」及び「文字Ｄ」であるそれぞれのブックマーク情報と、キャプチャフォルダ１２３より識別名が「キャプチャＢ」であるブックマーク情報とを取得する。これにより、ブックマーク情報を取得する情報取得部が構成されることになる。
制御部１０７は、取得した全てのブックマーク情報と、ブックマークされた画像データの表示開始を行うことを示す表示開始情報とを無線部１０３を介して再生装置２００へ、公衆無線通信網及びインターネットを利用して送信する。以上により、上記と同様に指示送信部が構成されることになる。つまり、指示送信部は、ブックマーク情報と表示開始情報と送信する構成部である。
制御部１０７は、送信したブックマーク情報に係る静止画像の画像データ若しくは動画像の画像データを、無線部１０３を介して再生装置２００より、インターネット及び公衆無線通信網を利用して受信する。また、動画像の画像データを受信する際には、動画像に係る音声データをも受信する。これにより、上記と同様にコンテンツ受信部が構成されることなる。
受信した静止画像の画像データ若しくは動画像の画像データに基づく静止画像若しくは動画像を、表示部１０９を介して表示する。また、動画像に係る音声データをも受信した場合には、受信した音声データを、ベースバンド信号処理部１０４を介してスピーカー１０５へ出力する。これにより、上記と同様に、コンテンツ出力部が構成されることになる。
なお、制御部１０７は、複数のブックマーク情報を再生装置２００へ送信すると、送信した各ブックマーク情報に係る静止画像を受信、若しくは動画像及び音声を受信することとなる。このとき、入力部１０８より、前の静止画像若しくは前の動画像へ切り替えを行う前画像情報、又は後の静止画像若しくは後の動画像へ切り替えを行う後画像情報を受け付けることにより、表示部１０９にて表示する静止画像若しくは動画像を制御する。
（８）入力部１０８
入力部１０８は、数字入力キーなどの入力機能を備えたキーボード等により構成されており、使用者から入力指示を受け付ける。
入力部１０８は、ブックマーク指示情報を受け付け、受け付けたブックマーク指示情報を制御部１０７へ出力する。また、入力部１０８は、地域コード情報を受け付け、受け付けた地域コード情報を制御部１０７へ出力する。なお、地域コード情報は、ブックマーク指示情報の受け付け時に受け付け、地域コード情報を制御部１０７へ出力する際には、ブックマーク指示情報と併せて、出力する。
さらに、入力部１０８は、識別名情報を受け付けると、受け付けた識別名情報を制御部１０７へ出力する。
入力部１０８は、表示開始情報を受け付けると、受け付けた表示開始情報を制御部１０７へ出力し、ブックマーク情報の格納先の選択を受け付ける。次に、入力部１０８は、選択された格納先の情報を制御部１０７へ出力し、ブックマークの識別名の選択を受け付け、選択された識別名の情報を制御部１０７へ出力する。
また、入力部１０８は、地域表示情報を受け付けると、受け付けた地域表示情報を制御部１０７へ出力する。さらに、入力部１０８は、前画像情報を受け付け、受け付けた前画像情報を制御部１０７へ出力する。また、入力部１０８は、後画像情報を受け付け、受け付けた後画像情報を制御部１０７へ出力する。
以上により、受付部が構成されることになる。
（９）表示部１０９
表示部１０９は、制御部１０７より選択指示情報を受け取ると、図９（ａ）に一例として示すように、ブックマーク記憶部１０１が有する各フォルダのフォルダ名に、それぞれ異なる番号を割り当て、割り当てた番号とフォルダ名とを組にして表示する。
これにより、携帯電話機１００は、利用者へブックマークされた情報の格納先の選択を促すことができ、利用者は表示部１０９にて表示された番号を入力部１０８より入力することにより、ブックマークされた情報の格納先を選択することができる。
表示部１０９は、入力部１０８にて格納先の選択を受け付け後、制御部１０７より一覧情報を受け取ると、受け取った一覧情報に含まれる全ての識別名にそれぞれ異なる番号を割り当て、表示の際には、割り当てた番号と識別名とを組にして表示する。例えば、図９（ｂ）は、図９（ａ）において、格納先として人物フォルダが選択されたときの一覧情報に含まれる全ての識別名を示している。
これにより、携帯電話機１００は、利用者へブックマーク情報の選択を促すことができ、利用者は、表示部１０９にて表示された番号を入力部１０８より入力することにより、ブックマーク情報を選択することができる。
さらに、表示部１０９は、制御部１０７より受け取った静止画像の画像データ若しくは動画像の画像データに基づいて、静止画像若しくは動画像を表示する。
（１０）送受信部１１０
送受信部１１０は、制御部１０７より受け取った情報を、赤外線通信により再生装置２００へ送信する。
また、送受信部１１０は、赤外線通信により再生装置２００から情報を受信し、受信した情報を制御部１０７へ出力する。
１．３  再生装置２００の構成
ここでは、再生装置２００の構成について説明する。
再生装置２００は、図１０に示すように、番組コンテンツ記憶部２０１、検索情報記憶部２０２、再生部２０３、登録部２０４、データ取得部２０５、削除部２０６、第１送受信部２０７及び第２送受信部２０８から構成されている。
再生装置２００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置２００は、その機能を達成する。
（１）番組コンテンツ記憶部２０１
番組コンテンツ記憶部２０１は、録画した番組コンテンツをＣＨ番号、番組ＩＤ及び録画開始時刻と対応付けて、１以上記憶するための領域を有している。
番組コンテンツ記憶部２０１に記録されている番組コンテンツは、時間軸に沿って連続した複数のフレーム（静止画像）からなる画像データと、各フレームでの音声を示す音声データとからなる。また、番組ＩＤは、番組コンテンツの録画時に再生装置２００にて付与するものとする。
例えば、図１１に一例として示すように、番組コンテンツ「ＡＡＡ」は、ＣＨ番号「２」、番組ＩＤ「０２０００３」、録画開始時刻「２００３／０８／０１  １９：００：００」と対応付けられて、記憶されている。
以上により、番組コンテンツを予め記録しているコンテンツ記憶部が構成されることになる。
（２）検索情報記憶部２０２
検索情報記憶部２０２は、図１２に一例として示すように、検索情報テーブルＴ２００を有している。
検索情報テーブルＴ２００は、検索用表示時刻、検索用ＣＨ番号、検索用番組ＩＤ及び検索用付加情報からなる組を１以上記憶するための領域を備えている。ここで、検索用表示時刻、検索用ＣＨ番号、検索用番組ＩＤ及び検索用付加情報からなる情報を検索情報という。
検索用表示時刻は、ブックマークされた画像データが放送された放送時刻であり、日付と時刻で示される。検索用ＣＨ番号は、ブックマークされた番組コンテンツに対応するＣＨ番号であり、検索用番組ＩＤは、ブックマークされた番組コンテンツに対応する番組ＩＤである。検索用付加情報は、ブックマークの対象を示す情報であり、「音楽」、「人物」、「文字」及び「キャプチャ」のうち何れかが記録されている。
（３）再生部２０３
再生部２０３は、再生する番組コンテンツに対応するＣＨ番号、番組ＩＤ及び録画開始時刻を記憶する再生情報記憶領域を有している。
再生部２０３は、番組コンテンツ記憶部２０１にて記憶している番組コンテンツの再生を行う。再生部２０３は、番組コンテンツの再生を行う際、再生する番組コンテンツに対応するＣＨ番号、番組ＩＤ及び録画開始時刻を、再生情報記憶領域へ記憶し、番組コンテンツの再生終了時に記憶しているＣＨ番号、番組ＩＤ及び録画開始時刻を消去する。
（４）登録部２０４
登録部２０４は、再生部２０３にて番組コンテンツが再生されると、再生開始からの再生されたフレームの枚数をカウントしている。
登録部２０４は、番組コンテンツの再生中に、第１送受信部２０７を介して携帯電話機１００より、赤外線通信を用いて、ブックマーク指示情報を受信する。これにより、ブックマーク対象の種類を示す情報（対応情報）を受け取る情報受取部が構成されることになる。
登録部２０４は、ブックマーク指示情報を受信した時点までにカウントしたフレームの数を用いて、番組コンテンツの先頭に位置する画像データからブックマーク指示情報を受信した時点に再生部２０３にて再生されている画像データまでの区間における経過時刻を算出する。登録部２０４は、再生部２０３に記憶している録画開始時刻を取得し、取得した録画開始時刻に算出した経過時刻を加算することにより、ブックマーク指示情報を受け取った時点の画像データの放送時刻を取得する。さらに、登録部２０４は、再生部２０３より再生中の番組コンテンツに対応するＣＨ番号及び番組ＩＤを取得する。
なお、通常ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式で放送されている番組コンテンツは、１秒あたり３０フレーム（静止画像）の画像データを含んでいるため、ブックマークされた画像データまでの区間の経過時刻は約３３ｍ秒単位で特定できるが、本実施の形態では説明が煩雑になることを避けるため、経過時刻を分秒にて算出し、録画開始時刻に加算するものとする。また、取得した放送時刻と、１秒あたりに再生されるフレームの数との関係より、取得した放送時刻から、ブックマーク指示情報を受け取った時点のフレームを特定することができる。
以上により、ブックマーク情報を受け取った時点の番組コンテンツ内の位置を特定する情報（ここでは、放送時刻）を取得する位置取得部が構成されることになる。
登録部２０４は、取得した放送時刻、ＣＨ番号及び番組ＩＤとを用いて、番組情報を生成し、生成した番組情報を第１送受信部２０７を介して携帯電話機１００へ、赤外線通信を利用して送信する。これにより、放送時刻を含む番組情報を送信する時刻送信部が構成されることになる。
また、登録部２０４は、取得した放送時刻と、受信したブックマーク指示情報に含まれる対応情報と、再生部２０３より取得したＣＨ番号及び番組ＩＤとを用いて、検索情報を生成し、生成した検索情報を検索情報テーブルＴ２００へ書き込む。
ここで、検索情報に含まれる検索用表示時刻と、検索用ＣＨ番号と、検索用番組ＩＤと、検索用付加情報とは、携帯電話機１００において、送信された番組情報を用いて生成されるブックマーク情報に含まれるＢＭ用表示時刻と、ＢＭ用ＣＨ番号と、ＢＭ用番組ＩＤと、付加情報のそれぞれと一致していることがわかる。なぜなら、検索用表示時刻とＢＭ用表示時刻とは、登録部２０４にて算出された放送時刻を用いており、検索用ＣＨ番号及び検索用番組ＩＤと、ＢＭ用ＣＨ番号及びＢＭ用番組ＩＤとは、登録部２０４にて取得したＣＨ番号及び番組ＩＤとを用いており、検索用付加情報と付加情報とは、ブックマーク指示情報に含まれる対応情報を用いているからである。これにより、検索情報とブックマーク情報との対応が可能となる。
（５）データ取得部２０５
データ取得部２０５は、携帯電話機１００へ送信する動画像を生成する静止画像の数（例えば、３００である。）、音楽認識処理を行うプログラム（以下、「音楽認識処理」という。）、人物認識処理を行うプログラム（以下、「人物認識処理」という。）、文字認識処理を行うプログラム（以下、「文字認識処理」という。）及びキャプチャ認識処理を行うプログラム（以下、「キャプチャ認識処理」という。）を予め記憶している。
ここで、音楽認識処理とは、番組コンテンツにおける音声データにおいて、特徴音が周期的に繰り返す区間である音楽区間の先頭に位置する音楽先頭フレームを、所定のアルゴリズムにより検索する処理である。また、人物認識処理とは、番組コンテンツにおける画像データにおいて、ブックマーク情報に含まれるＢＭ用表示時刻に対応する画像データに示される人物が出現する人物先頭フレームを、所定のアルゴリズムにより検索する処理である。また、文字認識処理とは、番組コンテンツにおける画像データにおいて、テロップが出現する文字先頭フレームを、所定のアルゴリズムにより検索する処理である。また、キャプチャ認識処理とは、番組コンテンツにおける画像データにおいて、時間的に連続して撮影されたフレームの固まりであるシーンが、他のシーンより切り替わった先頭フレームであるキャプチャ先頭フレームを、所定のアルゴリズムにより検索する処理である。なお、以下では、音楽認識処理を行うプログラム、人物認識処理を行うプログラム、文字認識処理を行うプログラム及びキャプチャ認識処理を行うプログラムを、それぞれ音楽認識処理、人物認識処理、文字認識処理及びキャプチャ認識処理という。
データ取得部２０５は、第２送受信部２０８を介して携帯電話機１００よりブックマーク情報及び表示開始情報を受信すると、受信したブックマーク情報に含まれるＢＭ用ＣＨ番号及びＢＭ用番組ＩＤと対応する番組コンテンツを番組コンテンツ記憶部２０１より取得する。このとき、後述する番組コンテンツの削除により、ＢＭ用ＣＨ番号及びＢＭ用番組ＩＤと対応する番組コンテンツが複数存在する場合があるため、ＢＭ用ＣＨ番号及びＢＭ用番組ＩＤと対応する番組コンテンツを複数取得した場合には、取得した複数の番組コンテンツのうち録画開始時刻がブックマーク情報に含まれるＢＭ用表示時刻にて示される時刻と一致する番組コンテンツを取得する。これにより、ＢＭ用ＣＨ番号及びＢＭ用番組ＩＤと対応する番組コンテンツが複数存在する場合でも、１つの番組コンテンツを取得することができる。
次に、データ取得部２０５は、以下に記述する取得方法によって、取得した番組コンテンツより静止画像若しくは動画像を取得する。これにより、番組コンテンツからブックマークされた静止画像若しくは動画像を取得する部分コンテンツ取得部が構成されることになる。
データ取得部２０５は、取得した静止画像若しくは動画像を画像データとして第２送受信部２０８を介して、携帯電話機１００へ送信する。なお、動画像を送信する際には、動画像に係る音声データをも送信する。
＜取得方法＞
データ取得部２０５は、ブックマーク情報に含まれる付加情報が、「音楽」であるか否かを判断する。「音楽」であると判断する場合には、ブックマーク情報に含まれるＢＭ用表示時刻と番組コンテンツ記憶部２０１より取得した番組コンテンツとを用いて、音楽認識処理を実行することにより、番組コンテンツにおいて、ＢＭ用表示時刻にて示されるフレームより前に位置する直近の音楽先頭フレームを検出し、さらに、検出した音楽先頭フレームから連続するフレームを３００枚、コピーにより取得し、取得した各フレームに対応する音声データをも、コピーにより取得する。つまり、データ取得部２０５は、音楽先頭フレームを含め、合計３００枚のフレーム及び音声データをコピーにより取得することができる。これにより、データ取得部２０５は、動画像と、その音声とをコピーにより取得することになる。
ブックマーク情報に含まれる付加情報が、「音楽」でないと判断する場合には、「人物」であるか否かを判断し、「人物」であると判断する場合には、ブックマーク情報に含まれるＢＭ用表示時刻と番組コンテンツ記憶部２０１より取得した番組コンテンツとを用いて、人物認識処理を実行することにより、番組コンテンツにおいて、ＢＭ用表示時刻にて示されるフレームより前に位置する直近の人物先頭フレームを検出し、検出した人物先頭フレームをコピーにより取得する。
ブックマーク情報に含まれる付加情報が、「人物」でないと判断する場合には、「文字」であるか否かを判断し、「文字」であると判断する場合には、ブックマーク情報に含まれるＢＭ用表示時刻と番組コンテンツ記憶部２０１より取得した番組コンテンツとを用いて、文字認識処理を実行することにより、番組コンテンツにおいて、ＢＭ用表示時刻にて示されるフレームより前に位置する直近の文字先頭フレームを検出し、検出した文字先頭フレームをコピーにより取得する。
ブックマーク情報に含まれる付加情報が、「文字」でないと判断する場合、つまり、「キャプチャ」であると判断する場合には、ブックマーク情報に含まれるＢＭ用表示時刻と番組コンテンツ記憶部２０１より取得した番組コンテンツとを用いて、キャプチャ認識処理を実行することにより、番組コンテンツにおいて、ＢＭ用表示時刻にて示されるフレームより前に位置する直近のキャプチャ先頭フレームを検出し、検出したキャプチャ先頭フレームをコピーにより取得する。
ここで、フレームより前に位置するとは、番組コンテンツの開始位置からＢＭ表示時刻にて示される位置の間に位置することをいう。
（６）削除部２０６
削除部２０６は、データ取得部２０５と同様に、音楽認識処理、人物認識処理、文字認識処理及びキャプチャ認識処理を予め記憶している。
削除部２０６は、利用者より番組コンテンツ記憶部２０１に記録されている番組コンテンツの削除を行う旨の削除指示情報を受け付ける。ここで、削除指示情報は、番組ＩＤを含む情報である。
削除部２０６は、番組コンテンツ記憶部２０１より、受け付けた削除指示情報に含まれる番組ＩＤに対応する番組コンテンツを取得し、さらに、検索情報記憶部２０２より、番組ＩＤと一致する検索用番組ＩＤを含む検索情報を全て取得する。
削除部２０６は、取得した番組コンテンツ及び検索情報とを用いて、以下に記述する削除方法を取得した検索情報の数分繰り返す。
＜削除方法＞
削除部２０６は、検索情報に含まれる検索用付加情報が、「音楽」であるか否かを判断する。「音楽」であると判断する場合には、検索情報に含まれる検索用表示時刻と取得した番組コンテンツとを用いて、音楽認識処理を実行し、検索用表示時刻より前に位置する直近の音楽先頭フレームを検出し、さらに、検出した音楽先頭フレームから予め設定された時間分（例えば、３分）の連続するフレーム及び音声データからなる音楽用音声画像データをコピーにより取得し、取得した音楽用音声画像データを番組ＩＤ、ＣＨ番号及び検索用表示時刻と対応付けて一時的に記憶する。
検索情報に含まれる検索用付加情報が、「音楽」でないと判断する場合には、「人物」であるか否かを判断し、「人物」であると判断する場合には、検索情報に含まれる検索用表示時刻と番組コンテンツ記憶部２０１より取得した番組コンテンツとを用いて、人物認識処理を実行し、検索用表示時刻より前に位置する直近の人物先頭フレームを検出し、さらに、検出した人物先頭フレームから予め設定された時間分（例えば、３分）の連続するフレーム及び音声データからなる人物用音声画像データをコピーにより取得し、取得した人物用音声画像データを番組ＩＤ、ＣＨ番号及び検索用表示時刻と対応付けて一時的に記憶する。
検索情報に含まれる検索用付加情報が、「人物」でないと判断する場合には、「文字」であるか否かを判断し、「文字」であると判断する場合には、検索情報に含まれる検索用表示時刻と番組コンテンツ記憶部２０１より取得した番組コンテンツとを用いて、文字認識処理を実行し、検索用表示時刻より前に位置する直近の文字先頭フレームを検出し、さらに、検出した文字先頭フレームから予め設定された時間分（例えば、３分）の連続するフレーム及び音声データからなる文字用音声画像データをコピーにより取得し、取得した文字用音声画像データを番組ＩＤ、ＣＨ番号及び検索用表示時刻と対応付けて一時的に記憶する。
検索情報に含まれる検索用付加情報が、「文字」でないと判断する場合、つまり、「キャプチャ」であると判断する場合には、検索情報に含まれる検索用表示時刻と番組コンテンツ記憶部２０１より取得した番組コンテンツとを用いて、キャプチャ認識処理を実行し、検索用表示時刻より前に位置する直近のキャプチャ先頭フレームを検出し、さらに、検出したキャプチャ先頭フレームから予め設定された時間分（例えば、３分）の連続するフレーム及び音声データからなるキャプチャ用音声画像データをコピーにより取得し、取得したキャプチャ用音声画像データを番組ＩＤ、ＣＨ番号及び検索用表示時刻と対応付けて一時的に記憶する。
ここで、以降において、音楽用音声画像データ、人物用音声画像データ、文字用音声画像データ及びキャプチャ用音声画像データを、説明上区別する必要がない場合には、総称して音声画像データと呼ぶ。
削除部２０６は、上記の動作を、検索情報記憶部２０２より取得した全ての検索情報に対して行った後、番組コンテンツを消去し、一時的に記憶している音声画像データを、番組コンテンツ記憶部２０１に記憶する。このとき、録画開始時刻は、検索用表示時刻にて示される日付及び時刻となる。
これにより、番組コンテンツが削除された後も、ブックマークされた画像データが存在する付近の画像データ及び音声データが保存されているため、参照が可能となる。
＜具体例＞
ここで、複数の検索情報に対応する番組コンテンツの削除後、番組コンテンツ記憶部２０１に記憶される内容について、以下に説明する。
例えば、図１１において、番組ＩＤが「１００００５」である番組コンテンツ「ＦＦＦ」を削除する場合、先ず、削除部２０６は、検索情報記憶部２０２より検索情報４００及び４０１を取得する。取得した検索情報４００に含まれる検索用表示時刻を用いて、検索用表示時刻に示される時刻付近のキャプチャ用音声画像データ（以下、「ＦＦＦ−１」という。）を取得し、取得したＦＦＦ−１を番組ＩＤ、ＣＨ番号及び検索用表示時刻と対応付けて一時的に記憶し、さらに、取得した検索情報４０１に含まれる検索用表示時刻を用いて、検索用表示時刻に示される時刻付近のキャプチャ用音声画像データ（以下、「ＦＦＦ−２」という。）を取得し、取得したＦＦＦ−２を番組ＩＤ、ＣＨ番号及び検索用表示時刻と対応付けて一時的に記憶する。
次に、削除部２０６は、番組コンテンツ記憶部２０１にて記憶している「ＦＦＦ」と、それに対応する番組ＩＤ、ＣＨ番号及び録画開始時刻とを消去し、一時的に記憶しているキャプチャ用音声画像データ「ＦＦＦ−１」及び「ＦＦＦ−２」を番組コンテンツ記憶部２０１へ記憶する。
このときの番組コンテンツ記憶部２０１にて記憶されている内容を図１３にて示す。上述したように、番組コンテンツ「ＦＦＦ」は消去され、「ＦＦＦ−１」及び「ＦＦＦ−２」が記憶されている。
（７）第１送受信部２０７
第１送受信部２０７は、赤外線通信により携帯電話機１００より受信した情報を登録部２０４へ出力する。
また、第１送受信部２０７は、登録部２０４より受け取った情報を携帯電話機１００へ、赤外線通信により送信する。
（８）第２送受信部２０８
第２送受信部２０８は、インターネットを介して携帯電話機１００より受信した情報をデータ取得部２０５へ出力する。
また、第２送受信部２０８は、データ取得部２０５より受け取った情報を携帯電話機１００へ、インターネットを介して送信する。
１．４  ブックマークシステム１の動作
ここでは、ブックマークシステム１の動作について説明する。
（１）ブックマーク情報の登録時の動作概要
ここでは、ブックマーク情報の登録時における動作概要について、図１４に示す流れ図を用いて説明する。
携帯電話機１００は、利用者よりブックマーク指示情報を受け付けると、受け付けたブックマーク指示情報を再生装置２００へ送信する（ステップＳ１０）。
再生装置２００は、携帯電話機１００より、ブックマーク指示情報を受信すると、ＣＨ番号と、番組ＩＤと、ブックマークされた画像データの放送時刻とを取得し（ステップＳ１５）、取得した放送時刻とＣＨ番号と番組ＩＤとを用いて番組情報を生成し、生成した番組情報を携帯電話機１００へ送信する（ステップＳ２０）。なお、ステップＳ１５における放送時刻は、ブックマーク指示情報を受信した時点までの経過時刻を算出し、算出した経過時刻に、再生中の番組コンテンツの録画開始時刻を加算することにより、取得することができる。
携帯電話機１００は、再生装置２００より番組情報を受信し、さらに、識別名を入力部１０８より受け付けると、ステップＳ１０にて受け付けたブックマーク指示情報と、受け付けた識別名と、受信した番組情報とを用いて、ブックマーク情報を生成する（ステップＳ２５）。次に、携帯電話機１００は、ブックマーク情報格納処理により、生成したブックマーク情報に含まれる付加情報の内容に応じて、生成したブックマーク情報をブックマーク記憶部１０１へ格納する（ステップＳ３０）。なお、ステップＳ１０において、利用者より地域コード情報をも受け付けた場合にのみ、生成したブックマーク情報に含まれる地域コードに受け付けた地域コード情報にて示される地域コードが記録される。
再生装置２００は、ステップＳ１５にて受信したブックマーク指示情報と、ステップＳ１５取得した放送時刻、ＣＨ番号及び番組ＩＤと用いて、検索情報を生成し、生成した検索情報を検索情報記憶部２０２へ記憶する（ステップＳ３５）。
（２）指定表示時の動作概要
ここでは、指定表示時の動作概要について、図１５に示す流れ図を用いて、説明する。
携帯電話機１００は、利用者より識別名の選択を受け付け、受け付けた識別名に対応するブックマーク情報及び表示開始情報を再生装置２００へ送信する（ステップＳ５０）。
再生装置２００は、携帯電話機１００よりブックマーク情報及び表示開始情報を受信すると、画像データ取得処理を行うことにより、受信したブックマーク情報と対応する画像データを取得し、取得した画像データを携帯電話機１００へ送信する（ステップＳ５５）。
携帯電話機１００は、再生装置２００より画像データを受信すると、受信した画像データに基づいて画像を表示する（ステップＳ６０）。
（３）地域表示時の動作概要
ここでは、地域表示時の動作概要について、図１６に示す流れ図を用いて、説明する。
携帯電話機１００は、利用者より地域表示情報を受け付けると、ＧＰＳ機能を用いて、位置を測定し、測定結果より現在位置する地域の地域コードを取得する（ステップＳ１００）。次に、携帯電話機１００は、取得した地域コードを含むブックマーク情報をブックマーク記憶部１０１より取得し、取得したブックマーク情報及び表示開始情報を再生装置２００へ送信する（ステップＳ１０５）。
再生装置２００は、携帯電話機１００よりブックマーク情報を受信すると、画像データ取得処理を行い、受信したブックマーク情報と対応する画像データを取得し、取得した画像データを携帯電話機１００へ送信する（ステップＳ１１０）。
携帯電話機１００は、再生装置２００より画像データを受信すると、受信した画像データに基づいて画像を表示する（ステップＳ１１５）。
なお、ステップＳ１０５おいて、複数のブックマーク情報を取得した場合には、取得した全てのブックマーク情報を再生装置２００へ送信し、ステップＳ１１０において、受信した各ブックマーク情報に対応する画像データを取得し、取得した全ての画像データを送信する。さらに、携帯電話機１００は、ステップＳ１１５において、前画像情報若しくは後画像情報を受け付けることにより、表示する画像データを制御する。
（４）ブックマーク情報格納処理の動作
ここでは、携帯電話機１００にて行われるブックマーク情報格納処理の動作について、図１７に示す流れ図を用いて説明する
制御部１０７は、ブックマーク情報に含まれる付加情報が「音楽」であるか否かを判断する（ステップＳ２００）。
「音楽」であると判断する場合には、ブックマーク情報を音楽フォルダ１２０へ書き込み（ステップＳ２０５）、「音楽」でないと判断する場合には、付加情報が「人物」であるか否かを判断する（ステップＳ２１０）。
「人物」であると判断する場合には、ブックマーク情報を人物フォルダ１２１へ書き込み（ステップＳ２１５）、「人物」でないと判断する場合には、付加情報が「文字」であるか否かを判断する（ステップＳ２２０）。
「文字」であると判断する場合には、ブックマーク情報を文字フォルダ１２２へ書き込み（ステップＳ２２５）、「文字」でないと判断する場合、つまり、付加情報は「キャプチャ」であると判断する場合には、ブックマーク情報をキャプチャフォルダ１２３へ書き込む（ステップＳ２３０）。
（５）画像データ取得処理
ここでは、再生装置２００にて行われる画像データ取得処理について、図１８に示す流れ図を用いて説明する。
データ取得部２０５は、携帯電話機１００よりブックマーク情報を受信し（ステップＳ３００）、受信したブックマーク情報を用いて、番組コンテンツ取得処理を行うことにより、受信したブックマーク情報に対応する番組コンテンツを番組コンテンツ記憶部２０１より取得する（ステップＳ３０５）。
次に、受信したブックマーク情報に含まれる付加情報が「音楽」であるか否かを判断する（ステップＳ３１０）。
「音楽」であると判断する場合には、データ取得部２０５は、音楽認識処理を実行して、取得した番組コンテンツから音楽先頭フレームを検出して取得し（ステップＳ３１５）、さらに、取得した音楽先頭フレームから連続するフレームを予め設定された数分コピーにより取得し、さらに音声データをもコピーにより取得する（ステップＳ３２０）。データ取得部２０５は、取得した音楽先頭フレームより連続するフレーム、つまり、音楽先頭フレームからの動画像を画像データとして、動画像に係る音声データとともに携帯電話機１００へ送信する（ステップＳ３２５）。なお、ステップＳ３１５においては、取得した音楽先頭フレームの音声データを、コピーにより取得する。
ステップＳ３１０にて、「音楽」でないと判断する場合には、付加情報が「人物」であるか否かを判断する（ステップＳ３３０）。
「人物」であると判断する場合には、データ取得部２０５は、人物認識処理を実行して、取得した番組コンテンツから人物先頭フレームを検出して取得し（ステップＳ３３５）、取得した人物先頭フレームからなる静止画像を画像データとして携帯電話機１００へ送信する（ステップＳ３４０）。
ステップＳ３３０にて、「人物」でないと判断する場合には、付加情報が「文字」であるか否かを判断する（ステップＳ３４５）。
「文字」であると判断する場合には、データ取得部２０５は、文字認識処理を実行して、取得した番組コンテンツから文字先頭フレームを検出して取得し（ステップＳ３５０）、取得した文字先頭フレームからなる静止画像を画像データとして携帯電話機１００へ送信する（ステップＳ３５５）。
ステップＳ３４５にて、「文字」でないと判断する場合、つまり、付加情報は「キャプチャ」であると判断する場合には、データ取得部２０５は、キャプチャ認識処理を実行して、取得した番組コンテンツからキャプチャ先頭フレームを検出して取得し（ステップＳ３６０）、取得したキャプチャ先頭フレームからなる静止画像を画像データとして携帯電話機１００へ送信する（ステップＳ３６５）。
なお、ステップＳ３００にて、複数のブックマーク情報を受信した場合には、ステップＳ３０５からステップＳ３６５までの動作を受信したブックマーク情報の数分繰り返す。
また、フレームを検出して取得とは、フレームを検出し、検出したフレームをコピーにより取得することをいう。
（６）番組コンテンツ取得処理
ここでは、図１８に示す画像データ取得処理のステップＳ３０５にて行われる番組コンテンツ取得処理について、図１９に示す流れ図を用いて説明する。
データ取得部２０５は、受信したブックマーク情報のＢＭ用ＣＨ番号及びＢＭ用番組ＩＤと対応する番組コンテンツを番組コンテンツ記憶部２０１より、少なくとも１つ以上取得する（ステップＳ３７０）。次に、取得した番組コンテンツが１つであるか否かを判断する（ステップＳ３７５）。
取得した番組コンテンツが１つであると判断する場合には、処理を終了し、取得した番組コンテンツが１つでないと判断する場合には、取得した複数の番組コンテンツのうち録画開始時刻がブックマーク情報に含まれるＢＭ用表示時刻にて示される時刻と一致する番組コンテンツを取得する（ステップＳ３８０）。
（７）削除処理
ここでは、再生装置２００にて行われる番組コンテンツの削除処理について、図２０及び図２１に示す流れ図を用いて説明する。
削除部２０６は、削除指示情報を受け取ると（ステップＳ４００）、受け取った削除指示情報に含まれる番組ＩＤと対応する番組コンテンツを番組コンテンツ記憶部２０１より取得し、さらに、番組ＩＤと対応する検索情報を全て検索情報記憶部２０２より取得する（ステップＳ４０５）。
取得した全ての検索情報のうち１つの検索情報に対して、検索情報に含まれる検索用付加情報が音楽であるか否かの判断を行う（ステップＳ４１０）。
「音楽」であると判断する場合には、削除部２０６は、音楽認識処理を実行して、音楽先頭フレームを検出し（ステップＳ４１５）、さらに、検出した音楽先頭フレームを用いて音楽用音声画像データをコピーにより取得し、取得した音楽用音声画像データを番組ＩＤ、ＣＨ番号及び検索用表示時刻と対応付けて一時的に記憶する（ステップＳ４２０）。
ステップＳ４１０にて、「音楽」でないと判断する場合には、検索用付加情報が「人物」であるか否かを判断する（ステップＳ４２５）。
「人物」であると判断する場合には、削除部２０６は、人物認識処理を実行して、人物先頭フレームを検出し（ステップＳ４３０）、検出した人物先頭フレームを用いて、人物用音声画像データをコピーにより取得し、取得した人物用音声画像データを番組ＩＤ、ＣＨ番号及び検索用表示時刻と対応付けて一時的に記憶する。（ステップＳ４３５）。
ステップＳ４２５にて、「人物」でないと判断する場合には、検索用付加情報が「文字」であるか否かを判断する（ステップＳ４４０）。
「文字」であると判断する場合には、削除部２０６は、文字認識処理を実行して、文字先頭フレームを検出し（ステップＳ４４５）、検出した文字先頭フレームを用いて、文字用音声画像データをコピーにより取得し、取得した文字用音声画像データを番組ＩＤ、ＣＨ番号及び検索用表示時刻と対応付けて一時的に記憶する（ステップＳ４５０）。
ステップＳ４４０にて、「文字」でないと判断する場合、つまり、検索用付加情報が「キャプチャ」であると判断する場合には、削除部２０６は、キャプチャ認識処理を実行して、キャプチャ先頭フレームを検出し（ステップＳ４５５）、検出したキャプチャ先頭フレームを用いて、キャプチャ用音声画像データをコピーにより取得し、取得したキャプチャ用音声画像データを番組ＩＤ、ＣＨ番号及び検索用表示時刻と対応付けて一時的に記憶する（ステップＳ４６０）。
削除部２０６は、ステップＳ４０５にて取得した検索情報のうちで、ステップＳ４１０からステップＳ４６０までの処理がされていない検索情報が存在するか否かを判断し（ステップＳ４６５）、検索情報が存在すると判断する場合には、処理がされていない検索情報を取得し（ステップＳ４７０）、ステップＳ４１０に戻り、取得した検索情報に対して、ステップＳ４１０以降の動作を行う。
削除部２０６は、ステップＳ４６５にて、ステップＳ４１０からステップＳ４６０までの処理がされていない検索情報が存在しない、つまり、ステップＳ４０５にて取得した全ての検索情報に対してステップＳ４１０からステップＳ４６０までの処理がされていると判断する場合には、番組コンテンツを消去し（ステップＳ４７５）、一時的に記憶している音声画像データを番組ＩＤ、ＣＨ番号、検索用表示時刻と対応付けて番組コンテンツ記憶部２０１へ記憶する（ステップＳ４８０）。
１．５  まとめ
以上、説明したように本発明によれば、ブックマークシステムは、再生装置にてコンテンツの再生中に携帯電話機を用いて、ブックマークを行い、ブックマーク情報を生成し、生成したブックマーク情報を記憶することで、後日、記憶しているブックマーク情報を用いて、携帯電話機にてブックマークされた画像データの表示を行うことができる。
また、再生装置は、携帯電話機より受信したブックマーク情報を用いて、画像データの取得を高速に行うことができる。
また、ブックマークの登録時に利用者がブックマークしたい画像データと実際にブックマークされた画像データとが、ブックマーク指示情報の送信から受信までに要する時間の影響により異なる場合が考えられるが、上記に示した再生装置は、画像データ取得時に、音楽認識処理、人物認識処理、文字認識処理及びキャプチャ認識処理のうちで、付加情報に示される情報に対応する認識処理を実行することにより、利用者が希望する画像データを従来より正確に取得し、取得した画像データを携帯電話機へ送信することができる。
また、携帯電話機は、ブックマークを行う場合に、双方向通信により再生装置からブックマークした画像データの放送時刻や番組ＩＤ等の情報を受信することができる。
また、携帯電話機は、生成したブックマーク情報を内容に応じて、フォルダへ自動に振分けるため、ブックマーク情報の整理が簡単にできる。
１．６  ブックマーク情報の格納先の変形例
上記実施の形態では、ブックマーク情報を携帯電話機にて格納したが、ここでは、ブックマーク情報を再生装置のみに記憶した場合の変形例について説明する。
本変形例における再生装置１０００及び携帯電話機１１００について、以下に説明する。
１．６．１  再生装置１０００
再生装置１０００は、図２２に示すように、番組コンテンツ記憶部１００１、ブックマーク記憶部１００２、再生部１００３、登録部１００４、データ取得部１００５、削除部１００６、受信部１００７及び送受信部１００８から構成されている。
再生装置１０００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置１０００は、その機能を達成する。
（１）番組コンテンツ記憶部１００１
番組コンテンツ記憶部１００１は、上記にて示す番組コンテンツ記憶部２０１と同様であるため、説明は省略する。
（２）ブックマーク記憶部１００２
ブックマーク記憶部１００２は、上記にて示すブックマーク記憶部１０１と同様のフォルダ構成を有している。上記実施の形態と異なる点は、ブックマーク情報には、上記実施の形態にて示すデータに、さらに、携帯電話機を識別する電話機ＩＤを含む点である。
ここで、図２３に音楽フォルダにて記憶されている音楽情報テーブルＴ１０００の一例を示す。
音楽情報テーブルＴ１０００は、識別名、ＢＭ用表示時刻、ＢＭ用ＣＨ番号、ＢＭ用番組ＩＤ、地域コード、端末識別子及び付加情報である。
端末識別子は、携帯電話機を識別する電話機ＩＤである。残りの項目については、上記実施の形態と同様であるため、説明は省略する。
また、他のフォルダにて記憶されている各テーブルの構成は、音楽情報テーブルＴ１０００の構成と同様であるため、説明は省略する。
（３）再生部１００３
再生部１００３は、上記にて示す再生部２０３と同様であるため説明は省略する。
（４）登録部１００４
登録部１００４は、再生部１００３にて番組コンテンツが再生されると、再生開始からの再生されたフレームの枚数をカウントしている。
登録部１００４は、番組コンテンツの再生中に、受信部１００７を介して携帯電話機１１００から、ブックマーク指示情報と、携帯電話機１１００を識別する電話機ＩＤとを受信する。
登録部１００４は、上記にて示す登録部２０４と同様の動作にて、ブックマークされた画像データの放送時刻を取得し、さらに、再生部１００３より再生中の番組コンテンツに対応するＣＨ番号及び番組ＩＤを取得する。
これにより、取得した放送時刻と、１秒あたりに再生されるフレームの数との関係より、取得した放送時刻から、ブックマーク指示情報を受け取った時点のフレームを特定することができる。以上により、ブックマーク情報を受け取った時点の番組コンテンツ内の位置を特定する情報（ここでは、放送時刻）を取得する位置取得部が構成されることになる。
さらに、登録部１００４は、受信部１００７を介して携帯電話機１１００から、識別名を受信する。
登録部１００４は、取得した放送時刻と、受信したブックマーク指示情報に含まれる対応情報と、受信した電話機ＩＤ及び識別名と、再生部１００３より取得したＣＨ番号及び番組ＩＤとを用いて、ブックマーク情報を生成し、生成したブックマーク情報を、ブックマーク情報に含まれる付加情報に応じたブックマーク記憶部１００２内のフォルダへ書き込む。登録部１００４は、ブックマーク指示情報を受信後、さらに、地域コードを受信すると、取得した放送時刻と、受信したブックマーク指示情報に含まれる対応情報と、受信した電話機ＩＤ、地域コード及び識別名と、再生部１００３より取得したＣＨ番号及び番組ＩＤとを用いて、ブックマーク情報を生成し、生成したブックマーク情報を、ブックマーク情報に含まれる付加情報に応じたブックマーク記憶部１００２内のフォルダへ書き込む。
以上により、ブックマーク情報を書き込む書込部が構成されることになる。
また、登録部１００４において、上記に示すように、ブックマーク対象の種類を示す情報（対応情報）、電話機ＩＤ、識別名及び地域コードを受け取る情報受取部も構成されることになる。
（５）データ取得部１００５
データ取得部１００５は、携帯電話機１１００へ送信する動画像を生成する静止画像の数（例えば、３００である。）を記憶しており、さらに、「音楽認識処理」、「人物認識処理」、「文字認識処理」及び「キャプチャ認識処理」のそれぞれに対応するプログラムを予め記憶している。また、携帯電話機１１００より受信した電話機ＩＤを一時的に記憶するためのＩＤ記憶領域を有している。
データ取得部１００５は、送受信部１００８を介して携帯電話機１１００より、ブックマークされた画像データの表示開始を行うことを示す表示開始情報と、電話機ＩＤとを受け取ると、ブックマーク情報の格納先の選択を促すために、ブックマーク記憶部１００２が有する各フォルダのフォルダ名に、それぞれ異なる番号を割り当て、割り当てた番号とフォルダ名とを組にした格納先リストを生成し、生成した格納先リストを送受信部１００８を介して携帯電話機１１００へ送信する。また、受信した電話機ＩＤをＩＤ記憶領域に記憶する。なお、格納先リストの画面イメージは、図９（ａ）と同様であるため、説明は省略する。
データ取得部１００５は、選択された格納先を示す選択フォルダ情報を、携帯電話機１１００から送受信部１００８を介して、受信する。ここで、選択フォルダ情報は、選択されたフォルダに割り当てられた番号からなる情報である。
さらに、データ取得部１００５は、選択フォルダ情報にて示されるフォルダに記録されているブックマーク情報のうち、ＩＤ記憶領域にて記憶している電話機ＩＤを含むブックマーク情報を全て取得し、取得した各ブックマーク情報に含まれる識別名を取得する。データ取得部１００５は、取得した全ての識別名からなる一覧リストを生成し、生成した一覧リストを、送受信部１００８を介して携帯電話機１１００へ送信する。ここで、一覧リストは、各識別名に、異なる番号が割り当てられたリストである。なお、格納先リストの画面イメージは、図９（ｂ）と同様であるため、説明は省略する。
データ取得部１００５は、携帯電話機１１００から送受信部１００８を介して、選択された識別名を示す選択識別名情報を受け取る。
以上により、表示の指示を示す情報を受信する受信部が構成されることになる。
データ取得部１００５は、受け取った選択識別名情報にて示される識別名に対応するブックマーク情報をブックマーク記憶部１００２より取得する。ここで、選択識別名情報は、選択された識別名に割り当てられた番号からなる情報である。
データ取得部１００５は、取得したブックマーク情報に含まれるＢＭ用ＣＨ番号及びＢＭ用番組ＩＤと対応する番組コンテンツを番組コンテンツ記憶部１００１より取得する。このとき、ＢＭ用ＣＨ番号及びＢＭ用番組ＩＤと対応する番組コンテンツを複数取得した場合には、取得した複数の番組コンテンツのうち録画開始時刻がブックマーク情報に含まれるＢＭ用表示時刻にて示される時刻と一致する番組コンテンツを取得する。
次に、データ取得部１００５は、上記にて示す取得方法と同様の方法にて、取得した番組コンテンツより静止画像若しくは動画像を、コピーにより取得する。また、動画像を取得する際には、その音声をもコピーにより取得する。データ取得部１００５は、取得した静止画像若しくは動画像に対して、間引き（ディグレード）を行い、携帯電話機１１００へ送信する画像の画質を落とす。間引きは、例えば、１６ビットのデータを８ビットに変換することにより可能である。これにより、番組コンテンツからブックマークされた静止画像若しくは動画像を取得する部分コンテンツ取得部が構成されることになる。
データ取得部１００５は、画質が落とされた静止画像若しくは動画像を画像データとして送受信部１００８を介して、携帯電話機１１００へ送信する。なお、動画像を送信する際には、動画像に係る音声データをも送信する。これにより、静止画像からなる部分コンテンツ、若しくは動画像と音声とからなる部分コンテンツを送信するコンテンツ送信部が構成されることになる。
データ取得部１００５は、現在位置する地域に係るブックマークされた画像データを要求する画像データ要求情報と、地域コードと、電話機ＩＤとを、携帯電話機１１００から送受信部１００８を介して、受信する。これにより、画像データ要求情報と地域コードを受信する識別子受信部が構成されることになる。
データ取得部１００５は、ブックマーク記憶部１００２より、受信した地域コード及び電話機ＩＤの双方と一致するブックマーク情報を全て取得する。
データ取得部１００５は、取得した全てのブックマーク情報に対して、各ブックマーク情報に含まれる付加情報に対応する静止画像若しくは動画像を、上記と同様の取得方法にて取得する。データ取得部１００５は、上記と同様に、間引きを行い、画質が落とされた各画像を、送受信部１００８を介して携帯電話機１１００へ送信する。なお、動画像を送信する場合には、動画像に係る音声データをも、送受信部１００８を介して携帯電話機１１００へ送信する。これにより、上記と同様にコンテンツ送信部が構成されることになる。
（６）削除部１００６
削除部１００６は、上記にて示す削除部２０６と同様であるため、説明は省略する。
（７）受信部１００７
受信部１００７は、赤外線通信により携帯電話機１１００より受信した情報を登録部１００４へ出力する。
（８）送受信部１００８
送受信部１００８は、インターネットにより携帯電話機１１００より受信した情報をデータ取得部１００５へ出力する。
また、送受信部１００８は、データ取得部１００５より受け取った情報を携帯電話機１１００へ、インターネットにより送信する。
１．６．２  携帯電話機１１００
携帯電話機１１００は、図２４に示すように、地域情報記憶部１１０２、無線部１１０３、ベースバンド信号処理部１１０４、スピーカー１１０５、マイク１１０６、制御部１１０７、入力部１１０８、表示部１１０９、送信部１１１０及び識別子記憶部１１１１から構成されている。
携帯電話機１１００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機１１００は、その機能を達成する。
（１）地域情報記憶部１１０２
地域情報記憶部１１０２は、上記にて示す地域情報記憶部１０２と同様であるため、説明は省略する。
（２）識別子記憶部１１１１
識別子記憶部１１１１は、携帯電話機１１００を識別する電話機ＩＤを記憶している。
（３）無線部１１０３
無線部１１０３は、アンテナ１３００を備えており、無線信号の送受信を行う。
（４）ベースバンド信号処理部１１０４
ベースバンド信号処理部１１０４は、無線部１１０３より受け取った信号をスピーカー１１０５へ出力するための信号処理や、マイク１１０６より受け取った音声を無線部１１０３へ出力するための信号処理を行う。
また、ベースバンド信号処理部１１０４は、インターネット及び公衆無線通信網を介して受信した情報を、無線部１１０３を介して受け取ると、受け取った情報を制御部１１０７へ出力する。
ベースバンド信号処理部１１０４は、制御部１１０７から、表示開始情報、選択フォルダ情報、選択識別名情報及び画像データ要求情報を受け取ると、受け取った表示開始情報、選択フォルダ情報、選択識別名情報及び画像データ要求情報を無線部１１０３、公衆無線通信網及びインターネットを介して、再生装置１０００へ送信する。ベースバンド信号処理部１１０４は、画像データ要求情報を制御部１１０７から受け取ると、さらに、地域コードをも受け取り、受け取った地域コードも画像データ要求情報と併せて、公衆無線通信網及びインターネットを介して再生装置１０００へ送信する。ベースバンド信号処理部１１０４は、制御部１１０７から音声データを受け取ると、受け取った音声データをスピーカー１１０５へ出力するための信号処理をも行う。
（５）スピーカー１１０５
スピーカー１１０５は、上記にて示すスピーカー１０５と同様であるため、説明は省略する。
（６）マイク１１０６
マイク１１０６は、上記にて示すマイク１０６と同様であるため、説明は省略する。
（７）制御部１１０７
制御部１１０７は、位置を測定するＧＰＳ（Ｇｌｏｂａｌ  Ｐｏｓｉｔｉｏｎｉｎｇ  Ｓｙｓｔｅｍ）機能を予め備えており、携帯電話機１１００全体の制御を行っている。
以下、ブックマーク情報の登録、指定表示及び地域表示における制御について、説明する。
＜ブックマーク情報の登録＞
制御部１１０７は、ブックマーク指示情報を入力部１１０８より受け取る。また、制御部１１０７は、入力部１１０８にて、地域コードを示す地域コード情報を利用者より受け付けた場合には、入力部１１０８よりブックマーク指示情報と併せて、地域コード情報も受け取る。
次に、制御部１１０７は、受け取ったブックマーク指示情報と識別子記憶部１１１１にて記憶している電話機ＩＤとを赤外線通信により、再生装置１０００へ送信部１１１０を介して送信する。また、制御部１１０７は、地域コードをも入力部１１０８から受け取っている場合には、地域コードも併せて、再生装置１０００へ送信部１１１０を介して送信する。
さらに、制御部１１０７は、入力部１１０８より識別名を受け取ると、受け取った識別名を赤外線通信により、再生装置１０００へ送信部１１１０を介して送信する。
以上により、ブックマーク対象の種類を示す情報（対応情報）、電話機ＩＤ、地城コード及び識別名を送信する情報送信部が構成されることになる。
＜指定表示＞
制御部１１０７は、表示開始情報を入力部１１０８より受け取ると、電話機ＩＤを取得し、受け取った表示開始情報と取得した電話機ＩＤとを、無線部１１０３を介して再生装置１０００へ、インターネット及び公衆無線通信網を利用して送信する。
制御部１１０７は、格納先リストを、インターネット及び公衆無線通信網を介して再生装置１０００から受信すると、受信した格納先リストを、表示部１１０９へ出力する。
制御部１１０７は、ユーザによるキー操作にて、入力部１１０８から選択フォルダ情報を受け取ると、受け取った選択フォルダ情報をベースバンド信号処理部１１０４へ出力する。
制御部１１０７は、一覧リストを、インターネット及び公衆無線通信網を介して再生装置１０００から受信すると、受信した一覧リストを、表示部１１０９へ出力する。
制御部１１０７は、ユーザによるキー操作にて、入力部１１０８から選択識別名情報を受け取ると、受け取った選択識別名情報をベースバンド信号処理部１１０４へ出力する。
以上により、指示送信部が構成されることになる。
制御部１１０７は、選択した識別名を含むブックマーク情報に対応する静止画像の画像データ若しくは動画像の画像データを、インターネット及び公衆無線通信網を介して再生装置１０００から受信する。また、動画像を受信する際には、動画像に係る音声データをも受信する。これにより、静止画像からなる部分コンテンツ、若しくは動画像及び音声からなる部分コンテンツを受信するコンテンツ受信部が構成されることになる。
制御部１１０７は、受信した静止画像の画像データ若しくは動画像の画像データに基づく静止画像若しくは動画像を、表示部１１０９を介して表示する。また、音声データをも受信した場合には、受信した音声データをベースバンド信号処理部１１０４を介してスピーカー１１０５へ出力する。これにより、制御部１１０７は、受信した動画像の再生を行うことができる。これにより、コンテンツ出力部が構成されることになる。
＜地域表示＞
制御部１１０７は、地域表示情報を入力部１１０８より受け取ると、ＧＰＳ機能を用いて、現在の位置を測定する。制御部１１０７は、測定結果より得られた地域に対応する地域コードを地域情報記憶部１１０２より取得し、さらに、電話機ＩＤを識別子記憶部１１１１より取得する。
制御部１１０７は、取得した地域コード及び電話機ＩＤと、画像データ要求情報とをベースバンド信号処理部１１０４へ出力する。
制御部１１０７は、送信した地域コードに係る各ブックマーク情報に対応する静止画像の画像データ若しくは動画像の画像データを、インターネット及び公衆無線通信網を介して再生装置１０００から受信すると、受信した静止画像の画像データ若しくは動画像の画像データ基づく静止画像若しくは動画像を、表示部１１０９を介して表示する。
また、動画像を受信する際には、動画像に係る音声データをも受信し、受信した音声データを、ベースバンド信号処理部１１０４を介してスピーカー１１０５へ出力する。これにより、制御部１１０７は、受信した動画像の再生を行うことができる。
なお、制御部１１０７は、複数の静止画像若しくは動画像を受信した場合には、入力部１１０８より、前画像情報、又は後画像情報を受け付けることにより、表示部１１０９にて表示する静止画像若しくは動画像を制御する。
（８）入力部１１０８
入力部１１０８は、数字入力キーなどの入力機能を備えたキーボード等により構成されており、使用者から入力指示を受け付ける。
入力部１１０８は、ブックマーク指示情報を受け付け、受け付けたブックマーク指示情報を制御部１１０７へ出力する。また、入力部１１０８は、地域コード情報を受け付け、受け付けた地域コード情報を制御部１１０７へ出力する。なお、地域コード情報は、ブックマーク指示情報の受け付け時に受け付け、地域コード情報を制御部１１０７へ出力する際には、ブックマーク指示情報と併せて、出力する。
さらに、入力部１１０８は、識別名情報を受け付けると、受け付けた識別名情報を制御部１１０７へ出力する。
入力部１１０８は、表示開始情報を受け付けると、受け付けた表示開始情報を制御部１１０７へ出力する。さらに、入力部１１０８は、選択フォルダ情報及び選択識別名情報を受け付け、受け付けた選択フォルダ情報及び選択識別名情報を制御部１１０７へ出力する。
また、入力部１１０８は、地域表示情報を受け付けると、受け付けた地域表示情報を制御部１１０７へ出力する。さらに、入力部１１０８は、前画像情報及び後画面情報を受け付け、受け付けた前画像情報及び後画面情報を制御部１１０７へ出力する。
以上により、受付部が構成されることになる。
（９）表示部１１０９
表示部１１０９は、制御部１１０７より格納先リストを受け取ると、受け取った格納先リストを表示する。
表示部１１０９は、制御部１１０７より一覧リストを受け取ると、受け取った一覧リストを表示する。
さらに、表示部１１０９は、制御部１１０７より受け取った静止画像若しくは動画像を表示する。なお、表示部１１０９にて表示される画像は、再生装置１０００にて行われる間引きにより、画質が落とされた画像であることに注意されたい。
（１０）送信部１１１０
送信部１１１０は、制御部１１０７より受け取った情報を、赤外線通信により再生装置１０００へ送信する。
１．６．３  ブックマーク情報の登録時の動作概要
ここでは、ブックマーク情報の登録時における動作概要について、図２５に示す流れ図を用いて説明する。
携帯電話機１１００は、利用者よりブックマーク指示情報を受け付けると（ステップＳ１０００）、識別子記憶部１１１１から電話機ＩＤを取得する（ステップＳ１００５）。携帯電話機１１００は、ブックマーク指示情報と、電話機ＩＤとを再生装置１０００へ送信する（ステップＳ１０１０）。なお、ステップＳ１０００にて、ブックマーク指示情報加えて、地域コードをも受け付けた場合には、ステップＳ１０１０にて、受け付けた地域コードをも併せて送信する。
再生装置１０００は、携帯電話機１１００より、ブックマーク指示情報及び電話機ＩＤを受信すると（ステップＳ１０１５）、ＣＨ番号と、番組ＩＤと、ブックマークされた画像データの放送時刻を取得する（ステップＳ１０２０）。
携帯電話機１１００は、さらに、識別名を受け付け、受け付けた識別名を再生装置１０００へ送信する（ステップＳ１０２５）。
再生装置１０００は、携帯電話機１１００より識別名を受信し（ステップＳ１０３０）、受信した識別名、対応情報及び電話機ＩＤと、取得した放送時刻、ＣＨ番号及び番組ＩＤとを用いてブックマーク情報を生成し（ステップＳ１０３５）、生成したブックマーク情報を、生成したブックマーク情報に含まれる付加情報に対応するフォルダへ格納するブックマーク情報格納処理を行う（ステップＳ１０４０）。なお、ステップＳ１０１５において、携帯電話機１１００から地域コード情報をも受信した場合には、再生装置１０００は、受信したブックマーク指示情報に含まれる対応情報と、受信した電話機ＩＤ、地域コード及び識別名と、取得した放送時刻と、再生部１００３より取得したＣＨ番号及び番組ＩＤとを用いて、ブックマーク情報を生成し、生成したブックマーク情報を、ブックマーク情報に含まれる対応情報に対応するフォルダへ格納する。
ブックマーク情報格納処理の詳細については、図１７に示す動作と同様であるため、説明は省略する。
１．６．４  指定表示時の動作概要
ここでは、指定表示時の動作概要について、図２６に示す流れ図を用いて、説明する。
携帯電話機１１００は、表示開始情報を受け取ると（ステップＳ１１００）、電話機ＩＤを取得し（ステップＳ１１０５）、受け取った表示開始情報と取得した電話機ＩＤとを、再生装置１０００へ送信する（ステップＳ１１１０）。
再生装置１０００は、携帯電話機１１００より、表示開始情報と電話機ＩＤとを受信すると（ステップＳ１１１５）、格納先リストを生成し、生成した格納先リストを携帯電話機１１００へ送信し、受信した電話機ＩＤをＩＤ記憶領域に記憶する（ステップＳ１１２０）。
携帯電話機１１００は、格納先リストを、インターネット及び公衆無線通信網を介して再生装置１０００から受信すると、受信した格納先リストを表示する（ステップＳ１１２５）。
携帯電話機１１００は、ユーザによるキー操作にて、選択フォルダ情報を受け取ると、受け取った選択フォルダ情報を再生装置１０００へ送信する（ステップＳ１１３０）。
再生装置１０００は、選択フォルダ情報を、携帯電話機１１００から受信する（ステップＳ１１３５）。
再生装置１０００は、さらに、選択フォルダ情報にて示されるフォルダに記録されているブックマーク情報のうち、ＩＤ記憶領域にて記憶している電話機ＩＤを含むブックマーク情報を全て取得し、取得した各ブックマーク情報に含まれる識別名を取得して、一覧リストを生成し、生成した一覧リストを、携帯電話機１１００へ送信する（ステップＳ１１４０）。
携帯電話機１１００は、一覧リストを、インターネット及び公衆無線通信網を介して再生装置１０００から受信すると、受信した一覧リストを表示する（ステップＳ１１４５）。
携帯電話機１１００は、ユーザによるキー操作にて、選択識別名情報を受け取ると、受け取った選択識別名情報を再生装置１０００へ送信する（ステップＳ１１５０）。
再生装置１０００は、携帯電話機１１００から選択識別名情報を受信すると（ステップＳ１１５５）、受け取った選択識別名情報にて示される識別名に対応するブックマーク情報をブックマーク記憶部１００２より取得する（ステップＳ１１６０）。
再生装置１０００は、取得したブックマーク情報に含まれるＢＭ用ＣＨ番号及びＢＭ用番組ＩＤを用いて、ブックマークされた静止画像若しくは動画像を取得する画像データ取得処理を行う（ステップＳ１１６５）。
携帯電話機１１００は、選択した識別名を含むブックマーク情報に対応する静止画像若しくは動画像を、インターネット及び公衆無線通信網を介して再生装置１０００から受信すると、受信した静止画像及び動画像を表示する（ステップＳ１１７０）。
また、携帯電話機１１００は、動画像を受信する際には、動画像に係る音声データをも受信し、受信した音声データをも出力する。
１．６．５  地域表示時の動作概要
ここでは、地域表示時の動作概要について、図２７に示す流れ図を用いて、説明する。
携帯電話機１１００は、地域表示情報を受け取ると、ＧＰＳ機能を用いて、現在の位置を測定し、測定結果より得られた地域に対応する地域コードを地域情報記憶部１１０２より取得し（ステップＳ１２００）、さらに、電話機ＩＤを識別子記憶部１１１１より取得する（ステップＳ１２０５）。
携帯電話機１１００は、取得した地域コード及び電話機ＩＤと、画像データ要求情報とを再生装置１０００へ送信する（ステップＳ１２１０）。
再生装置１０００は、画像データ要求情報と、地域コードと、電話機ＩＤとを、携帯電話機１１００から受信すると（ステップＳ１２１５）、ブックマーク記憶部１００２より、受信した地域コード及び電話機ＩＤの双方と一致するブックマーク情報を全て取得する（ステップＳ１２２０）。
再生装置１０００は、画像データ取得処理を行う（ステップＳ１２２５）。
携帯電話機１１００は、送信した地域コードに係る各ブックマーク情報に対応する静止画像若しくは動画像を、インターネット及び公衆無線通信網を介して再生装置１０００から受信すると、受信した静止画像及び動画像を表示する（ステップＳ１２３０）。
また、携帯電話機１１００は、動画像を受信する際には、動画像に係る音声データをも受信し、受信した音声データを出力する。
なお、ステップＳ１２２０おいて、複数のブックマーク情報が取得された場合には、携帯電話機１１００は、取得された全てのブックマーク情報に係る静止画像若しくは動画像を再生装置１０００から受信する。このとき、前画像情報若しくは後画像情報を受け付けることにより、表示する画像データを制御する。
１．６．６  画像データ取得処理
ここでは、図２６に示すステップＳ１１６５の画像データ取得処理について、図１８に示す画像データ取得処理との変更点のみ説明する。
変更点は、図１８におけるステップＳ３００が削除され、ステップＳ３０５は、図２６にて示すステップＳ１１６０にて取得したブックマーク情報を用いて、実行される。なお、ステップＳ３１５、Ｓ３２０、Ｓ３３５、Ｓ３５０及びＳ３６０にて取得された１以上のフレームは、画質を落とすために間引きされ、ステップＳ３２５、Ｓ３４０、Ｓ３５５及びＳ３６５では、画質が落とされた画像データが送信される。
また、図２７に示すステップＳ１２２５の画像データ取得処理についても上記と同様の変更がなされる。ただし、ステップＳ３０５以降の動作は、図２７にて示すステップＳ１２２０にて取得した全てのブックマーク情報を用いて、実行される。
１．６．７  変形例
上記に説明したブックマーク情報の格納先の変形例は、本発明の実施の一例であり、本発明はこの実施の形態に何ら限定されるものではなく、その旨を逸脱しない範囲において種々なる態様で実施し得るものである。以下のような場合も本発明に含まれる。
（１）データ取得部１００５にて、ブックマーク情報に係る静止画像若しくは動画像を取得した場合に、画質を落とすために、間引きを行ったが、これに限定されない。
取得した静止画像若しくは動画像に、予め定められた文字（例えば、「サンプル」）を付加して、携帯電話機１１００へ送信してもよい。携帯電話機１１００は、文字「サンプル」が付加された静止画像若しくは動画像を表示する。
また、再生装置１０００は、動画像を送信する場合には、さらに、音質を落とすために、音声データの間引きを行ってもよい。または、動画像を送信する場合には、音声データの間引きのみを行ってもよい。
また、再生装置１０００は、送信する静止画像若しくは動画像に有効期限を与えてもよい。このとき、再生装置１０００のデータ取得部１００５は、取得した画像を送信すると、送信した画像に対する有効期限を、送信した画像に対応するブックマーク情報、電話機ＩＤ及び送信した画像を含む番組コンテンツの番組ＩＤと対応付けて、ブックマーク記憶部１００２へ記憶しておく。これにより、有効期限をブックマーク記憶部１００２へ書き込む期限書込部が構成されることになる。
再生装置１０００は、記憶している電話機ＩＤに対応する携帯電話機へ、有効期限内に限り、記憶している同一のブックマーク情報に対する画像を送信する。さらに、再生装置は、記憶している有効期限内において、記憶している番組ＩＤに対応するブックマーク情報に対する画像を、他の携帯電話機へは送信しない。なお、再生装置１０００は、記憶している有効期限内において、記憶している番組ＩＤに対応し、且つ記憶しているブックマーク情報とは異なるブックマーク情報に対する画像を、記憶している電話機ＩＤに対応する携帯電話機へは、送信しないようにしてもよいし、送信するようにしてもよい。
（２）上記の変形例では、システムを再生装置１０００と携帯電話機１１００とからなる構成としたが、これに限定されない。
システムをホームネットワークにて実現してもよい。再生装置１０００をホームサーバとして、携帯電話機１１００の代わりにクライアント装置（例えば、デジタルテレビ、ＤＶＤレコーダ）を用いる。クライアント装置は少なくとも１台以上あり、各クライアント装置には、それぞれを識別する装置識別子が記憶されている。
クライアント装置は、再生装置１０００にて記憶されている番組コンテンツを再生し、再生中に、クライアント装置に備え付けられているリモコンを用いて、ユーザの操作により、ブックマーク指示情報を受け付けると、受け付けたブックマーク指示情報と、装置識別子とを再生装置１０００へ送信する。ブックマーク情報の登録は、上記の変形例と同様であるため、説明は省略する。
クライアント装置は、ユーザの操作により、表示開始情報を受け付けると、受け付けた表示開始情報と、装置識別子とを再生装置１０００へ送信する。以降の動作は、上記の変形例と同様であるため、説明は省略する。なお、上記の変形例と異なる点は、インターネット及び公衆無線通信網を利用する代わりに、ホームネットワークを利用する点である。
（３）上記の変形例にて用いた電話機ＩＤの代わりに、ユーザ毎に割り当てられたユーザＩＤを用いてもよい。携帯電話機１１００は、ブックマーク指示情報を再生装置１０００へ送信する際に、ユーザＩＤをも送信する。ブックマーク情報の登録は、上記の変形例と同様であるため、説明は省略する。
携帯電話機１１００は、表示開始情報を再生装置１０００へ送信する際に、ユーザＩＤをも送信する。以降の動作は、上記の変形例と同様であるため、説明は省略する。
（４）上記実施の形態及び上記変形例をそれぞれ組み合わせるとしてもよい。
１．６．８  まとめ
以上、説明したように、本変形例によると、ＢＭ情報を再生装置１０００にて一括に管理できる。さらに、再生装置１０００は、ブックマーク情報に電話機ＩＤを付加することにより、複数の携帯電話機からのブックマーク指示に対応することができる。
また、再生装置１０００は、ブックマーク情報に係る画像を間引きして、画質を落とすことにより、著作権保護上の制限を行うことができる。
１．７  その他の変形例
本発明を上記の実施の形態に基づいて説朋してきたが、本発明は、上記の実施の形態に限定されないのはもちろんである。以下の場合も本発明に含まれる。
（１）上記実施の形態では、ブックマークした画像データを再生装置２００より受信し、受信した画像データの表示を行ったがこれに限定されない。受信した画像データを記憶する記憶部を携帯電話機１００に備え、当該記憶部に保存してもよい。ここで、記憶部は、携帯電話機１００内のメモリや、携帯電話機に着脱可能な記録媒体（例えば、ＳＤカード）である。
（２）上記の実施の形態では、携帯型の通信端末機を携帯電話機としたが、これに限定されない。他の携帯型の通信端末機であってもよい。
例えば、ＰＤＡ（Ｐｅｒｓｏｎａｌ  Ｄｉｇｉｔａｌ  Ａｓｓｉｓｔａｎｔ）やブックマークシステムのみに用いられる専用端末機である。
（３）複数の携帯電話機間にて、ブックマーク情報の送受信を行ってもよい。この場合、ブックマーク情報の送受信は、例えば、赤外線通信によって行う。この場合、制御部１０７内に構成されている情報送信部が、ブックマーク記憶部１０１にて記憶しているブックマーク情報を、送受信部１１０を介して他の携帯電話機へ送信する。また、他の携帯電話機よりブックマーク情報を受信する場合には、制御部１０７内に構成されている時刻受信部が、送受信部１１０を介して他の携帯電話機より、ブックマーク情報を受信する。また、他の携帯電話機より受信したブックマーク情報を、制御部１０７内に構成されている情報書込部が、ブックマーク記憶部１０１へ書き込む。
このときの再生装置２００における動作について、携帯電話機１００を用いて、以下に説明する。再生装置２００は、携帯電話機１００よりブックマーク情報を受信すると、受信したブックマーク情報に含まれるＢＭ用番組ＩＤと一致する番組コンテンツが番組コンテンツ記憶部２０１に存在するか否かを判断する。存在すると判断する場合には、受信したブックマーク情報に対応する画像データを取得し、取得した画像データを携帯電話機１００へ送信する。なお、動画像を送信する場合には、音声データをも送信する。
番組コンテンツが存在しないと判断する場合には、受信したブックマーク情報に対応する画像データが存在しない旨のメッセージを携帯電話機１００へ送信する。
（４）ブックマークの登録を行う場合に、対応情報にて、ブックマークの対象を指定したが、これに限定されない。ブックマークの対象を指定しなくてもよい。
この場合、対応情報は空白となり、携帯電話機１００にて生成されるブックマーク情報に含まれる付加情報も空白となる。再生装置２００は、付加情報が空白であるブックマーク情報を受信すると、ブックマーク情報に対応する画像データを含むコーナーの検出を行い。検出したコーナーをコピーにより取得する。または、コーナーの検出ではなく、番組コンテンツの開始位置の検索を行ってもよい。
ここで、コーナーとは、特定の内容を持つ映像区間のことである。例えば、ＣＭから番組への切り替わり時から番組からＣＭへの切り替わり時までの区間である。このとき、商業放送の場合には、１つの番組内において、コーナーに相当する区間が、複数存在し、非商業放送の場合には、１つの番組内において、コーナーに相当する区間が、１つ存在する。また、商業放送及び非商業放送において、通常、コーナーの開始直前及び終了直後には、特定のフレーム（例えば、無音フレーム）が放送されている。これにより、番組コンテンツには、少なくとも１つ以上のコーナーが存在し、各コーナーの開始直前及び終了直後には、特定のフレームが存在することになる。
（５）再生装置２００は、ブックマーク情報を受信した後に、受信したブックマーク情報に含まれる付加情報に対応する認識処理を実行し、先頭フレームを取得したが、これに限定されない。ブックマーク指示情報の受信後、ブックマーク指示情報に含まれる対応情報に対応する認識処理を実行し、先頭フレームの放送時刻を取得し、取得した放送時刻とブックマーク指示情報とを用いて、検索情報を生成し、生成した検索情報を記憶してもよい。
ここで、対応情報が「音楽」である場合には、音楽認識処理が対応し、「人物」である場合には、人物認識処理が対応し、「文字」である場合には、文字認識処理が対応し、「キャプチャ」である場合には、キャプチャ認識処理が対応している。
（６）ブックマークの登録を録画した番組コンテンツの再生中に行ったが、これに限定されない。番組コンテンツの録画中にブックマークの登録を行ってもよい。
（７）番組ＩＤは、番組コンテンツの録画時に再生装置２００にて付与したが、これに限定されない。再生装置２００は、放送局より番組のジャンル名、番組名、放送時間等の情報を含む電子番組ガイド（以下、ＥＰＧ）等のデータ放送を受信し、受信したＥＰＧにおける番組の識別子を番組ＩＤとしてもよい。
（８）ブックマーク登録時に携帯電話機１００と再生装置２００との通信を赤外線通信としたが、これに限定されない。無線にて通信を行う方法であればよい。
例えば、Ｂｌｕｅｔｏｏｔｈである。
（９）再生装置２００は、画像データ取得時に、受信したブックマーク情報に含まれるＢＭ用表示時刻を用いて、ブックマーク情報に含まれる付加情報に応じた画像データの先頭フレームを取得したが、これに限定されない。ＢＭ用表示時刻に対応するフレームを先頭フレームとしてもよい。
また、番組コンテンツの削除を行う場合も同様に、削除情報に含まれる検索用表示時刻に対応するフレームを先頭フレームとしてもよい。
（１０）携帯電話機１００にてブックマークした箇所を表示する場合には、静止画像若しくは動画像を表示したが、これに限定されない。文字データからなる情報を表示してもよい。例えば、文字データからなる情報とは、画像データに含まれるテロップからなる情報であり、再生装置２００は、当該テロップにて示される文字データを携帯電話機１００へ送信し、携帯電話機１００は、受信した文字データを表示する。
または、再生装置２００は、ブックマークした箇所に係る情報として、動画像に係る音声データのみを取得し、取得した音声データを携帯電話機１００へ送信し、携帯電話機１００は、受信した音声データをスピーカー１０５にて出力してもよい。
（１１）検索情報とブックマーク情報とを、ブックマークされた画像データの放送時刻のみで対応付けしてもよい。
このとき、ブックマーク情報は、識別名、ＢＭ用表示時刻、地域コード及び付加情報からなり、検索情報は、検索用表示時刻、検索用ＣＨ番号、検索用番組ＩＤ及び検索用付加情報とからなる。
このとき、再生装置２００は、携帯電話機１００よりブックマーク情報を受信すると、受信したブックマーク情報に含まれるＢＭ用表示時刻と一致する検索用表示時刻を含む検索情報を取得し、取得した検索情報を用いて、画像データを取得する。
（１２）ブックマークの対象を示す情報の種類として、音楽、人物、文字及びキャプチャを用いたが、これに限定されない。上記以外の情報をブックマークの対象を示す情報として用いてもよい。例えば、ＣＭ（コマーシャルメッセージ）番組を示す情報である。このとき、携帯電話機１００は、ＣＭ番組を示す情報と対応するフォルダをブックマーク記憶部１０１に備えており、ブックマーク登録時に受け付けたブックマーク指示情報に含まれる対応情報が、ＣＭ番組を示す情報である場合には、その情報に対応するフォルダへブックマーク情報を記憶する。再生装置２００では、ＣＭ番組認識処理を行うプログラムをあらかじめ記憶しており、携帯電話機１００より受信ブックマーク情報に含まれる付加情報がＣＭ番組を示す情報である場合には、ブックマーク情報に含まれるＢＭ用表示時刻と番組コンテンツ記憶部２０１より取得した番組コンテンツとを用いて、ＣＭ番組認識処理行いプログラムを実行することにより、番組コンテンツにおいて、ＢＭ用表示時刻より前に位置する直近のＣＭ先頭フレームを取得し、さらに、取得したＣＭ先頭フレームからそのＣＭ番組の切れ目を取得、つまり、１つのＣＭ番組の画像データを取得する。さらに、取得した画像データに係る音声データをも取得する。ここで、ＣＭ番組認識処理とは、無音区間が所定の時間（例えば１５秒）間隔で繰り返される区間の先頭に位置するＣＭ先頭フレームを、所定のアルゴリズムにより検索する処理である。
また、番組コンテンツの削除時には、検索情報に含まれる検索用付加情報がＣＭ番組を示す情報である場合には、ＣＭ番組認識処理を行うプログラムを実行して、ＣＭ先頭フレームを取得し、取得したＣＭ先頭フレームから予め設定された時間分（例えば、３分）の連続する画像データ及び音声データを取得する。
（１３）ブックマークの対象を示す情報をさらに詳細に分類してもよい。例えば、キャプチャを、さらに、レストラン及び行楽地と分類する。このとき、携帯電話機１００は、レストラン及び行楽地のそれぞれに対応するフォルダをブックマーク記憶部１０１に備えており、ブックマーク登録時に受け付けたブックマーク指示情報に含まれる対応情報が、レストランである場合には、レストランに対応するフォルダへブックマーク情報を記憶し、対応情報が、行楽地である場合には、行楽地に対応するフォルダへブックマーク情報を記憶する。なお、再生装置２００では、受信したブックマーク情報に含まれる付加情報がレストラン若しくは行楽地である場合には、付加情報がキャプチャである場合と同様の動作となるため、説明は省略する。
また、番組コンテンツの削除時には、検索情報に含まれる検索用付加情報がレストラン若しくは行楽地である場合には、検索用付加情報がキャプチャである場合と同様の動作となるため、説明は省略する。
（１４）ブックマークされた画像データを表示する際、付加情報が音楽の場合のみ動画像を表示したが、これに限定されない。他の付加情報の場合でも、動画像を表示してもよいし、逆に、付加情報が音楽の場合には、静止画を表示してもよい。
または、携帯電話機１００は、表示開始情報を受け付ける際に、表示する画像データを静止画とするか、又は動画像とするかの選択を受け付けてもよい。さらに、地域表示情報を受け付ける際も同様に、表示する画像データを静止画とするか、又は動画像とするかの選択を受け付けてもよい。
（１５）携帯電話機１００は、地域表示情報を受け付ける際に、検索するフォルダの指定を受け付けてもよい。このとき、携帯電話機１００は、指定されたフォルダから、ＧＰＳ機能にて測定された地域と対応する地域コードを含むブックマーク情報を取得する。
（１６）音楽認識処理、人物認識処理、文字認識処理及びキャプチャ認識処理を、データ取得部２０５及び削除部２０６の双方に記憶したが、これに限定されない。
音楽認識処理、人物認識処理、文字認識処理及びキャプチャ認識処理をデータ取得部２０５のみに記憶し、削除部２０６は、データ取得部２０５に記憶されている各認識処理を利用してもよい。
または、再生装置２００に音楽認識処理、人物認識処理、文字認識処理及びキャプチャ認識処理を記憶している認識処理記憶部を備え、データ取得部２０５及び削除部２０６は、認識処理記憶部に記憶されている各認識処理を利用してもよい。
（１７）音楽認識処理、人物認識処理、文字認識処理及びキャプチャ認識処理をそれぞれプログラムとしたが、これに限定されない。プログラムではなくそれぞれの認識処理を行う回路としてもよい。
（１８）番組コンテンツをＣＨ番号、番組ＩＤ及び録画開始時刻と対応付けたが、これに限定されない。番組コンテンツを番組ＩＤ及び録画開始時刻と対応付けてもよい。
このとき、番組情報は、ＢＭ用番組ＩＤとＢＭ用表示時刻とからなり、ブックマーク情報は、識別名、ＢＭ用表示時刻、ＢＭ用番組ＩＤ、地域コード及び付加情報とからなり、検索情報は、検索用表示時刻、検索用番組ＩＤ及び検索用付加情報とからなる。再生部２０３は、番組コンテンツの再生を行う際、再生する番組コンテンツに対応する番組ＩＤ及び録画開始時刻を記憶し、番組コンテンツの再生終了時に記憶している番組ＩＤ及び録画開始時刻を消去する。
また、登録部２０４は、ブックマーク指示情報を携帯電話機１００より受信すると、再生部２０３より再生中の番組コンテンツに対応する番組ＩＤ及び録画開始時刻を取得し、さらに、ブックマーク指示情報を受信した時点で再生された画像データの放送時刻を取得し、取得した放送時刻及び番組ＩＤを用いて番組情報を生成し、携帯電話機１００へ送信する。
また、データ取得部２０５は、ブックマーク情報を受信すると、受信したブックマーク情報に含まれるＢＭ用番組ＩＤに対応する番組コンテンツを番組コンテンツ記憶部２０１より取得し、取得した番組コンテンツより、受信したブックマーク情報に対応する画像データを取得し、取得した画像データを携帯電話機１００へ送信する。なお、番組ＩＤに対応する番組コンテンツが複数存在する場合には、さらに、複数存在する番組コンテンツのうちで、受信したブックマーク情報に含まれるＢＭ用表示時刻と一致する録画開始時刻を含む番組コンテンツを取得する。
（１９）再生装置において、ブックマークされた箇所に係る画像データをあらかじめ記憶しておいてもよい。
この場合の再生装置２００Ａについて、以下に説明する。
再生装置２００Ａは、図２８に示すように、番組コンテンツ記憶部２０１Ａ、検索情報記憶部２０２Ａ、再生部２０３Ａ、登録部２０４Ａ、データ読出部２０５Ａ、削除部２０６Ａ、第１送受信部２０７Ａ及び第２送受信部２０８Ａから構成されている。
再生装置２００Ａは、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置２００Ａは、その機能を達成する。
なお、番組コンテンツ記憶部２０１Ａ、再生部２０３Ａ、第１送受信部２０７Ａ及び第２送受信部２０８Ａについては、再生装置２００の番組コンテンツ記憶部２０１、再生部２０３、第１送受信部２０７及び第２送受信部２０８と同様であるため、説明は省略する。
検索情報記憶部２０２Ａは、ブックマークされた箇所に係る画像データを、検索情報と対応付けて記憶する領域を備えている。これにより、ブックマークされた画像データを記憶するブックマーク記憶部が構成されることになる。
登録部２０４Ａは、音楽認識処理、人物認識処理、文字認識処理及びキャプチャ認識処理を、あらかじめ記憶している。
登録部２０４Ａは、再生部２０３Ａにて番組コンテンツが再生されると、再生開始からの再生されたフレームの枚数をカウントしている。
登録部２０４Ａは、番組コンテンツの再生中に、携帯電話機１００よりブックマーク指示情報を受信すると、上記の登録部２０４と同様の方法により、番組コンテンツの先頭に位置する画像データからブックマーク指示情報を受信した時点に再生部２０３Ａにて再生されている画像データまでの区間における経過時刻を算出する。登録部２０４Ａは、再生部２０３Ａに記憶している録画開始時刻を取得し、取得した録画開始時刻に算出した経過時刻をすることにより、ブックマークされた画像データの放送時刻を取得する。さらに、登録部２０４Ａは、再生部２０３Ａより再生中の番組コンテンツに対応するＣＨ番号及び番組ＩＤを取得する。
登録部２０４Ａは、取得した放送時刻、ＣＨ番号及び番組ＩＤとを用いて、番組情報を生成し、生成した番組情報を携帯電話機１００へ送信する。また、取得した放送時刻、ＣＨ番号及び番組ＩＤと、受信したブックマーク指示情報に含まれる対応情報を用いて、検索情報を生成する。
登録部２０４Ａは、受信したブックマーク指示情報に含まれる対応情報と、取得した放送時刻とを用いて、対応情報に対応する認識処理を実行し、対応情報に対応する先頭フレームを検出する。
さらに、登録部２０４Ａは、対応情報が、音楽である場合には、検出した音楽先頭フレームから連続するフレームを予め設定された数分コピーにより取得し、さらに音声データをも、コピーにより取得し、取得した複数のフレーム及び音声データを画像データとして、生成した検索情報と対応付けて検索情報記憶部２０２Ａへ記憶する。対応情報が、人物である場合には、検出した人物先頭フレームをコピーにより取得し、取得した人物先頭フレームを画像データとして、生成した検索情報と対応付けて検索情報記憶部２０２Ａへ記憶する。対応情報が、文字である場合には、検出した文字先頭フレームをコピーにより取得し、取得した文字先頭フレームを画像データとして、生成した検索情報と対応付けて検索情報記憶部２０２Ａへ記憶する。対応情報が、キャプチャである場合には、検出したキャプチャ先頭フレームをコピーにより取得し、取得したキャプチャ先頭フレームを画像データとして、生成した検索情報と対応付けて検索情報記憶部２０２Ａへ記憶する。これにより、ブックマークされた画像を書き込む書込部が構成されることになる。
データ読出部２０５Ａは、携帯電話機１００よりブックマーク情報を受信すると、受信したブックマーク情報に対応する検索情報を取得し、取得した検索情報と対応する画像データを読み出し、読み出した画像データを携帯電話機１００へ送信する。
削除部２０６Ａは、利用者より番組コンテンツ記憶部２０１Ａに記録されている番組コンテンツの削除を行う旨の削除指示情報を受け付ける。ここで、削除指示情報は、番組ＩＤを含む情報である。削除部２０６Ａは、番組コンテンツ記憶部２０１Ａより、受け付けた削除指示情報に含まれる番組ＩＤに対応する番組コンテンツを削除する。
ここで、ブックマーク指示情報の受信時に、登録部２０４Ａにて行われる画像データ取得処理の動作について、図２９及び図３０に示す流れ図を用いて説明する。
登録部２０４Ａは、ブックマーク指示情報を携帯電話機１００より受信すると（ステップＳ６００）、再生部２０３Ａより再生中の番組コンテンツに対応するＣＨ番号と、番組ＩＤと、録画開始時刻とを取得し、取得した録画開始時刻を用いて、ブックマークされた画像データの放送時刻を取得し（ステップＳ６０５）、取得した放送時刻とＣＨ番号と番組ＩＤとを用いて番組情報を生成し、生成した番組情報を携帯電話機１００へ送信する（ステップＳ６１０）。次に、ステップＳ６００にて受信したブックマーク指示情報と、ステップＳ６０５取得した放送時刻、ＣＨ番号及び番組ＩＤと用いて、検索情報を生成する（ステップＳ６１５）。
次に、ＣＨ番号及び番組ＩＤとに対応する番組コンテンツを番組コンテンツ記憶部２０１Ａより取得する（ステップＳ６２０）。
次に、受信したブックマーク指示情報に含まれる対応情報が「音楽」であるか否かを判断する（ステップＳ６２５）。
「音楽」であると判断する場合には、登録部２０４Ａは、音楽認識処理を実行して、取得した番組コンテンツから音楽先頭フレームを検出して取得し（ステップＳ６３０）、さらに、取得した音楽先頭フレームから連続するフレームを予め設定された数分コピーにより取得し、さらに音声データをもコピーにより取得する（ステップＳ６３５）。登録部２０４Ａは、取得した音楽先頭フレームより連続するフレーム、つまり、音楽先頭フレームからの動画像を画像データとして、動画像に係る音声データとともに、ステップＳ６１５にて生成した検索情報と対応付けて検索情報記憶部２０２Ａへ記憶する（ステップＳ６４０）。なお、ステップＳ６３０においては、取得した音楽先頭フレームに対応する音声データをも、コピーにより取得する。
ステップＳ６２５にて、「音楽」でないと判断する場合には、対応情報が「人物」であるか否かを判断する（ステップＳ６４５）。
「人物」であると判断する場合には、登録部２０４Ａは、人物認識処理を実行して、取得した番組コンテンツから人物先頭フレームを検出して取得し（ステップＳ６５０）、取得した人物先頭フレームからなる静止画像を画像データとして、ステップＳ６１５にて生成した検索情報と対応付けて検索情報記憶部２０２Ａへ記憶する（ステップＳ６５５）。
ステップＳ６４５にて、「人物」でないと判断する場合には、対応情報が「文字」であるか否かを判断する（ステップＳ６６０）。
「文字」であると判断する場合には、登録部２０４Ａは、文字認識処理を実行して、取得した番組コンテンツから文字先頭フレームを検出して取得し（ステップＳ６６５）、取得した文字先頭フレームからなる静止画像を画像データとして、ステップＳ６１５にて生成した検索情報と対応付けて検索情報記憶部２０２Ａへ記憶する（ステップＳ６７０）。
ステップＳ６６０にて、「文字」でないと判断する場合、つまり、対応情報は「キャプチャ」であると判断する場合には、登録部２０４Ａは、キャプチャ認識処理を実行して、取得した番組コンテンツからキャプチャ先頭フレームを検出して取得し（ステップＳ６７５）、取得したキャプチャ先頭フレームからなる静止画像を画像データとして、ステップＳ６１５にて生成した検索情報と対応付けて検索情報記憶部２０２Ａへ記憶する（ステップＳ６８０）。
これにより、再生装置２００Ａは、携帯電話機１００よりブックマーク情報を受信すると、番組コンテンツより画像データを検索する必要がないため、ブックマーク情報の受信から画像データ送信までにかかる時間を短くすることができる。
また、画像データをコピーにより取得し、取得した画像データを検索情報と対応付けて検索情報記憶部２０２Ａへ記憶する動作は、番組コンテンツの再生終了後に行ってもよい。このとき、生成した検索情報は、番組コンテンツの再生が終了するまで、登録部２０４Ａにて一時的に記憶しておく。
また、フレームを検出して取得とは、フレームを検出し、検出したフレームをコピーにより取得することをいう。
（２０）指定表示を行う際に、携帯電話機１００よりブックマーク情報を再生装置２００へ送信したが、これに限定されない。番組コンテンツを管理している他の装置（例えば、放送局にて、番組コンテンツを管理しているサーバ装置）へブックマーク情報を送信し、番組コンテンツを管理している他の装置にて、画像データを取得し、取得した画像データを携帯電話機１００へ送信してもよい。
（２１）携帯電話機１００において、ブックマーク指示情報を受け付けた受付時刻のみを記憶し、ブックマーク指示情報と受付時刻とを再生装置２００へ送信してもよい。
このとき、再生装置２００は、ブックマーク指示情報と受付時刻とを受信すると、検索情報を生成し、生成した検索情報を受信した受付時刻と対応付けて検索情報記憶部２０２へ記憶する。
携帯電話機１００は、記憶している受付時刻を再生装置２００へ送信し、再生装置２００は、受信した受付時刻と対応する検索情報を用いて、画像データを取得し、取得した画像データを携帯電話機１００へ送信する。
また、ブックマーク指示情報の受け付け時に、地域コード情報を受け付けた場合には、受け付けた地域コード情報をブックマーク指示情報と受付時刻とともに送信する。再生装置２００は、検索情報を生成し、生成した検索情報を受信した受付時刻及び地域コード情報とを対応付けて検索情報記憶部２０２へ記憶する。地域表示時には、携帯電話機１００は、記憶している受付時刻と、ＧＰＳ機能にて測定した地域に対応する地域コードを示す地域コード情報とを再生装置２００へ送信する。再生装置２００は、受信した受付時刻及び地域コード情報の双方と対応する検索情報を用いて、画像データを取得し、取得した画像データを携帯電話機１００へ送信する。
（２２）携帯電話機１００は、再生装置２００にて記憶する検索情報を識別する検索情報識別子のみを記憶してもよい。
このとき、携帯電話機１００は、ブックマーク指示情報を再生装置２００へ送信する。再生装置２００は、ブックマーク指示情報を受信すると、検索情報を生成し、さらに、生成した検索情報を識別する検索情報識別子を取得する。生成した検索情報を取得した検索情報識別子と対応付けて検索情報記憶部２０２へ記憶し、取得した検索情報識別子を携帯電話機１００へ送信する。携帯電話機１００は受信した検索情報識別子を記憶する。
携帯電話機１００は、記憶している検索情報識別子を再生装置２００へ送信し、再生装置２００は、受信した検索情報識別子と対応する検索情報を用いて、画像データを取得し、取得した画像データを携帯電話機１００へ送信する。
また、ブックマーク指示情報の受け付け時に、地域コード情報を受け付けた場合には、受け付けた地域コード情報をブックマーク指示情報とともに送信する。再生装置２００は、検索情報を生成し、さらに、生成した検索情報を識別する検索情報識別子を取得する。生成した検索情報を、取得した検索情報識別子及び受信した地域コード情報と対応付けて検索情報記憶部２０２へ記憶し、取得した検索情報識別子を携帯電話機１００へ送信する。携帯電話機１００は受信した検索情報識別子を記憶する。
地域表示時には、携帯電話機１００は、記憶している検索情報識別子と、ＧＰＳ機能にて測定した地域に対応する地域コードを示す地域コード情報とを再生装置２００へ送信する。再生装置２００は、受信した検索情報識別子及び地域コード情報の双方と対応する検索情報を用いて、画像データを取得し、取得した画像データを携帯電話機１００へ送信する。
（２３）上記実施の形態及び上記変形例をそれぞれ組み合わせるとしてもよい。
２．第２の実施の形態
上記の実施の形態では、ブックマーク情報は携帯電話機にて記憶されている。ここでは、再生装置のみで、ブックマークの指示及びブックマーク情報の記憶を行う方法について説明する。
２．１  ブックマークシステム２の構成
図３１は、ブックマークシステム２の使用形態を示す図であり、ブックマークシステム２は、モニタ１１と接続された再生装置２０００と、携帯電話機２１００とから構成される。
再生装置２０００は、放送局から放送される番組コンテンツを録画し、録画した番組コンテツの再生を行う。このとき、録画された番組コンテンツは、番組コンテンツが放送されたチャンネル番号（以下、「ＣＨ番号」という。）と、番組コンテンツを識別する番組ＩＤと、番組コンテンツの録画が開始された録画開始時刻と対応付けられている。
携帯電話機２１００と再生装置２０００とは、インターネット及び公衆無線通信網による通信が可能である。
再生装置２０００には、リモコン２３００が備えられており、リモコン２３００を用いることにより、再生装置２０００にて録画した番組コンテンツをモニタ１１にて再生中に、後で参照したい画像データに係る情報の登録を行う旨の情報を送信し、再生装置２０００よりその画像データに係る情報を受信し、記憶する。ここで、後で参照する画像データを指定することをブックマーク（ＢｏｏｋＭａｒｋ）と呼ぶ。
さらに、リモコン２３００を用いて、ブックマークされた画像の表示を要求することにより、再生装置２０００は、モニタ１１を介して、ブックマークされた画像データに係る静止画像若しくは動画像を表示する。
また、携帯電話機２１００を用いて、公衆無線通信網及びインターネットを介して、ブックマークされた画像の表示を要求することにより、再生装置２０００は、ブックマークされた画像データに係る静止画像若しくは動画像を、インターネット及び公衆無線通信網を介して携帯電話機２１００へ送信し、携帯電話機２１００は受信した静止画像若しくは動画像を表示する。
２．２  再生装置２０００及びリモコン２３００の構成
ここでは、再生装置２０００及びリモコン２３００の構成について説明する。
２．２．１  再生装置２０００
再生装置２０００は、図３２に示すように、番組コンテンツ記憶部２００１、ブックマーク記憶部２００２、再生部２００３、登録部２００４、データ読出部２００５、削除部２００６、出力部２００７、受信部２００８及び送受信部２００９から構成されている。
再生装置２０００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置２０００は、その機能を達成する。
（１）番組コンテンツ記憶部２００１
番組コンテンツ記憶部２００１は、図３３に一例として示すように、録画した番組コンテンツをＣＨ番号、番組ＩＤ及び録画開始時刻と対応付けて、１以上記憶するための領域を有している。
番組コンテンツ記憶部２００１に記録されている番組コンテンツは、時間軸に沿って連続した複数のフレーム（静止画像）からなる画像データと、各フレームでの音声を示す音声データとからなる。また、番組ＩＤは、番組コンテンツの録画時に再生装置２００にて付与するものとする。
以上により、番組コンテンツを予め記録しているコンテンツ記憶部が構成されることになる。
（２）ブックマーク記憶部２００２
ブックマーク記憶部２００２は、図３４に示すように、音楽フォルダ２０２０、人物フォルダ２０２１、文字フォルダ２０２２及びキャプチャフォルダ２０２３を有している。各フォルダは、ブックマークされた静止画像若しくは動画像を記憶する領域を有している。なお、動画像が記憶される場合には、動画像に対応する音声データをも記憶される。
＜音楽フォルダ２０２０＞
音楽フォルダ２０２０は、図３５に一例として示すように、音楽情報テーブルＴ２０００を有している。
音楽情報テーブルＴ２０００は、識別名、ＢＭ表示時刻、ＣＨ番号、番組ＩＤ、地域コード及び付加情報からなる組を１以上記憶するための領域を備えている。ここで、識別名、ＢＭ用表示時刻、ＢＭ用ＣＨ番号、ＢＭ用番組ＩＤ、地域コード及び付加情報からなる情報をブックマーク情報という。
識別名は、記憶しているブックマーク情報を識別する名称である。ＢＭ表示時刻は、ブックマークされた画像データが放送された放送時刻であり、日付と時刻で示される。ＣＨ番号は、ブックマークを行った番組コンテンツが放送されたチャンネルの番号であり、番組ＩＤは、ブックマークを行った番組コンテンツを識別する識別子である。地域コードは、地域を識別する情報であり、その地域の電話番号の市外局番と対応している。付加情報は、ブックマークの対象を示す情報である。
ここで、地域コードは、必ず記録される情報ではなく、必要に応じて記録される。
なお、音楽情報テーブルＴ２０００における付加情報は、常に「音楽」となる。
＜人物フォルダ２０２１＞
人物フォルダ２０２１は、図３６に一例として示すように、人物情報テーブルＴ２００１を有している。
人物情報テーブルＴ２００１のデータ構造については、音楽情報テーブルＴ２０００と同様であるため、説明は省略する。
なお、人物情報テーブルＴ２００１における付加情報は、常に「人物」となる。
＜文字フォルダ２０２２＞
文字フォルダ２０２２は、図３７に一例として示すように、文字情報テーブルＴ２００２を有している。
文字情報テーブルＴ２００２のデータ構造については、音楽情報テーブルＴ２０００と同様であるため、説明は省略する。
なお、文字情報テーブルＴ２００２における付加情報は、常に「文字」となる。
＜キャプチャフォルダ２０２３＞
キャプチャフォルダ２０２３は、図３８に一例として示すように、キャプチャ情報テーブルＴ２００３を有している。
キャプチャ情報テーブルＴ２００３のデータ構造については、音楽情報テーブルＴ２０００と同様であるため、説明は省略する。
なお、キャプチャ情報テーブルＴ２００３における付加情報は、常に「キャプチャ」となる。
（３）再生部２００３
再生部２００３は、再生する番組コンテンツに対応するＣＨ番号、番組ＩＤ及び録画開始時刻を記憶する再生情報記憶領域を有している。
再生部２００３は、番組コンテンツ記憶部２００１にて記憶している番組コンテンツの再生を行う。再生部２００３は、番組コンテンツを、出力部２００７を介してモニタ１１へ出力することにより、再生を行う。
また、再生部２００３は、データ読出部２００５よりブックマーク情報に対応する静止画像若しくは動画像を受け取ると、受け取った静止画像若しくは動画像を、出力部２００７を介してモニタ１１へ出力する。動画像を出力する際には、対応する音声データをも出力する。これにより、ブックマーク情報に対応する静止画像若しくは動画像の再生が可能となる。
再生部２００３は、番組コンテンツの再生中に、登録部２００４よりブックマークを指定ためのＢＭ画面データを受け取ると、受け取ったＢＭ画面データと再生する番組コンテンツとを併せて、出力部２００７を介してモニタ１１へ出力し、表示する。
ここで、ＢＭ画面データと再生中の番組コンテンツとを表示している画面の一例を図３９に示す。図３９に示されているＢＭ画像Ｍ２０００は、ＢＭ画面データに基づいて表示される画像であり、音楽、人物、文字、キャプチャの４つの項目からなる。また、各項目のうち太枠で囲まれている項目は、ブックマークの対象を示している。なお、ＢＭ画像の表示直後は、音楽項目が太枠で囲まれており、ユーザによるリモコン２３００の操作にて、ブックマークの対象は変更される。
再生部２００３は、番組コンテンツの再生を行う際、再生する番組コンテンツに対応するＣＨ番号、番組ＩＤ及び録画開始時刻を、再生情報記憶領域へ記憶し、番組コンテンツの再生終了時に記憶しているＣＨ番号、番組ＩＤ及び録画開始時刻を消去する。
（４）登録部２００４
登録部２００４は、情報生成部２０３０、データ取得部２０３１及び書込部２０３２とから構成されている。以下において、情報生成部２０３０、データ取得部２０３１及び書込部２０３２について説明する。
（ａ）情報生成部２０３０
情報生成部２０３０は、ＢＭ画面データを予め記憶しており、ブックマークの対象の情報を記憶するための対象記憶領域を有している。
情報生成部２０３０は、再生部２００３にて番組コンテンツが再生されると、再生開始からの再生されたフレームの枚数をカウントしている。
情報生成部２０３０は、番組コンテンツの再生中に、受信部２００８を介してリモコン２３００から、ブックマークを開始する旨を示すＢＭ開始情報を受信すると、予め記憶しているＢＭ画面データを再生部２００３へ出力し、対象記憶領域へ初期状態として、「音楽」を示す情報を記憶する。
情報生成部２０３０は、受信部２００８を介してリモコン２３００から、右移動情報及び左移動情報を受信すると、受信した情報に応じて、太枠で囲まれる項目を変更し、対象記憶領域に記憶されている情報を、変更された項目に対応する情報へと更新する。例えば、太枠で囲まれている項目が「音楽」である場合に（このとき、対象記憶領域には、「音楽」を示す情報が記憶されている。）、右移動情報を受信すると、太枠で囲まれる項目を「人物」へと変更し、対象記憶領域に記憶する情報を、「人物」を示す情報に更新する。
情報生成部２０３０は、ＢＭ画像Ｍ２０００を表示中に、受信部２００８を介してリモコン２３００から、第１登録指示命令を含むブックマーク指示情報、第２登録指示命令を含むブックマーク情報、第２登録指示情報と地域コードとを含むブックマーク指示情報及び第１登録指示情報と地域コードとを含むブックマーク指示情報のうち何れかを受信する。これにより、ブックマーク対象の種類を示す情報（対応情報）及び地域コードを受け取る情報受取部が構成されることになる。
情報生成部２０３０は、ブックマーク指示情報を受信した時点までにカウントしたフレームの数を用いて、番組コンテンツの先頭に位置する画像データからブックマーク指示情報を受信した時点に再生部２００３にて再生されている画像データまでの区間における経過時刻を算出する。情報生成部２０３０は、再生部２００３に記憶している録画開始時刻を取得し、取得した録画開始時刻に算出した経過時刻を加算することにより、ブックマークされた画像データのＢＭ表示時刻を取得する。さらに、情報生成部２０３０は、再生部２００３より再生中の番組コンテンツに対応するＣＨ番号及び番組ＩＤを取得する。これにより、取得した放送時刻と、１秒あたりに再生されるフレームの数との関係より、取得した放送時刻から、ブックマーク指示情報を受け取った時点のフレームを特定することができる。以上により、ブックマーク情報を受け取った時点の番組コンテンツ内の位置を特定する情報（ここでは、放送時刻）を取得する位置取得部が構成されることになる。
さらに、情報生成部２０３０は、受信部２００８を介してリモコン２３００から、識別名を受信する。
情報生成部２０３０は、第１登録指示命令を含むブックマーク指示情報を受信した場合、及び第２登録指示情報を含むブックマーク指示情報を受信した場合には、受信した識別名と、取得したＢＭ表示時刻、ＣＨ番号及び番組ＩＤと、対象記憶領域にて記憶している情報とを用いて、ブックマーク情報を生成する。このとき、地域コードには何も記録されていない。
情報生成部２０３０は、第１登録指示命令と地域コードとを含むブックマーク指示情報を受信した場合及び第２登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報とを用いて、ブックマーク情報を生成する。
（ｂ）データ取得部２０３１
データ取得部２０３１は、動画像を生成する静止画像の数（例えば、３００である。）、音楽認識処理を行うプログラム（以下、「音楽認識処理」という。）、人物認識処理を行うプログラム（以下、「人物認識処理」という。）、文字認識処理を行うプログラム（以下、「文字認識処理」という。）、キャプチャ認識処理を行うプログラム（以下、「キャプチャ認識処理」という。）及びコーナー認識処理を行うプログラム（以下、「コーナー認識処理」という。）を予め記憶している。
ここで、音楽認識処理とは、番組コンテンツにおける音声データにおいて、特徴音が周期的に繰り返す区間である音楽区間の先頭に位置する音楽先頭フレームを、所定のアルゴリズムにより検索する処理である。また、人物認識処理とは、番組コンテンツにおける画像データにおいて、ブックマーク情報に含まれるＢＭ表示時刻に対応する画像データに示される人物が出現する人物先頭フレームを、所定のアルゴリズムにより検索する処理である。また、文字認識処理とは、番組コンテンツにおける画像データにおいて、テロップが出現する文字先頭フレームを、所定のアルゴリズムにより検索する処理である。また、キャプチャ認識処理とは、番組コンテンツにおける画像データにおいて、時間的に連続して撮影されたフレームの固まりであるシーンが、他のシーンより切り替わった先頭フレームであるキャプチャ先頭フレームを、所定のアルゴリズムにより検索する処理である。また、コーナー認識処理とは、特定の内容を持つ映像区間を、所定のアルゴリズムにより検索する処理である。例えば、コーナーは、ＣＭから番組への切り替わり時から番組からＣＭへの切り替わり時までの区間であり、上述したように、番組コンテンツ内においては、少なくとも１以上のコーナーが存在し、コーナーの開始直前及び終了直後には、特定のフレーム（例えば、無音フレーム）が存在している。コーナー認識処理は、特定のフレームを検出することで、コーナーを特定することができる。コーナー認識処理は、先ず、ＢＭ表示情報に対応する番組コンテンツ内の位置を特定し、特定された位置の前後において、特定のフレームを検出することで、コーナーを検出することができる。
データ取得部２０３１は、情報生成部２０３０にて生成されたブックマーク情報に含まれるＣＨ番号及び番組ＩＤと対応する番組コンテンツを番組コンテンツ記憶部２００１より取得する。
データ取得部２０３１は、情報生成部２０３０にて第１登録指示命令を受信された場合には、取得した番組コンテンツから、ＢＭ表示時刻と、付加情報にて示される情報に応じた認識処理とを用いて、静止画像若しくは動画像を取得する。なお、取得方法については、後述する。また、以下において、ブックマーク情報に含まれるＣＨ番号及び番組ＩＤと対応する番組コンテンツをＢＭ対象コンテンツという。
データ取得部２０３１は、情報生成部２０３０にて第２登録指示命令が受信された場合には、取得したＢＭ対象コンテンツから、ＢＭ表示時刻と、コーナー認識処理とを用いて、情報生成部２０３０の対象記憶領域に記憶されている情報に対応する画像データを含むコーナーを検出し、検出したコーナーに含まれる画像データ全てをコピーにより取得、つまり動画像を取得する。これにより、番組コンテンツからブックマークされた静止画像若しくは動画像を取得する部分コンテンツ取得部が構成されることになる。
＜取得方法＞
データ取得部２０３１は、情報生成部２０３０にて生成されたブックマーク情報に含まれる付加情報が、「音楽」であるか否かを判断する。「音楽」であると判断する場合には、ブックマーク情報に含まれるＢＭ表示時刻とＢＭ対象コンテンツとを用いて、音楽認識処理を実行することにより、ＢＭ対象コンテンツにおいて、ＢＭ表示時刻にて示されるフレームより前に位置する直近の音楽先頭フレームを検出し、さらに、検出した音楽先頭フレームから連続するフレームを３００枚、コピーにより取得し、取得した各フレームに対応する音声データをも、コピーにより取得する。つまり、データ取得部２０３１は、音楽先頭フレームを含め、合計３００枚のフレーム及び音声データをコピーにより取得することができる。これにより、データ取得部２０３１は、動画像と、その音声とをコピーにより取得することになる。
ブックマーク情報に含まれる付加情報が、「音楽」でないと判断する場合には、「人物」であるか否かを判断し、「人物」であると判断する場合には、ブックマーク情報に含まれるＢＭ表示時刻とＢＭ対象コンテンツとを用いて、人物認識処理を実行することにより、ＢＭ対象コンテンツにおいて、ＢＭ表示時刻にて示されるフレームより前に位置する直近の人物先頭フレームを検出し、検出した人物先頭フレームをコピーにより取得する。
ブックマーク情報に含まれる付加情報が、「人物」でないと判断する場合には、「文字」であるか否かを判断し、「文字」であると判断する場合には、ブックマーク情報に含まれるＢＭ表示時刻とＢＭ対象コンテンツとを用いて、文字認識処理を実行することにより、ＢＭ対象コンテンツにおいて、ＢＭ表示時刻にて示されるフレームより前に位置する直近の文字先頭フレームを検出し、検出した文字先頭フレームをコピーにより取得する。
ブックマーク情報に含まれる付加情報が、「文字」でないと判断する場合、つまり、「キャプチャ」であると判断する場合には、ブックマーク情報に含まれるＢＭ表示時刻とＢＭ対象コンテンツとを用いて、キャプチャ認識処理を実行することにより、ＢＭ対象コンテンツにおいて、ＢＭ表示時刻にて示されるフレームより前に位置する直近のキャプチャ先頭フレームを検出し、検出したキャプチャ先頭フレームをコピーにより取得する。
ここで、フレームより前に位置するとは、番組コンテンツの開始位置からＢＭ表示時刻にて示される位置の間に位置することをいう。
（ｃ）書込部２０３２
書込部２０３２は、情報生成部２０３０にて生成されたブックマーク情報に含まれる付加情報に応じて、音楽情報テーブルＴ２０００、人物情報テーブルＴ２００１、文字情報テーブルＴ２００２及びキャプチャ情報テーブルＴ２００３のうちの何れかに、ブックマーク情報と、データ取得部２０３１にて取得された静止画像若しくは動画像とを対応付けて記録する。なお、動画像を記憶する場合には、動画像に係る音声データをも記憶する。
ブックマーク情報と、静止画像との対応付けは、例えば、ブックマーク情報と、静止画像の格納先のアドレスとを対応付け、ブックマーク情報と動画像との対応付けは、例えば、ブックマーク情報と、動画像の先頭に位置する画像の格納先のアドレスとを対応付ける。
これにより、ブックマークされた画像を書き込む書込部が構成されることになる。
（５）データ読出部２００５
データ読出部２００５は、リモコン２３００から受信部２００８を介して、ブックマークされた画像データの表示開始を行うことを示す表示開始情報を受け取ると、ブックマーク情報の格納先の選択を促すために、図４０（ａ）に一例として示すように、ブックマーク記憶部２００２が有する各フォルダのフォルダ名に、それぞれ異なる番号を割り当て、割り当てた番号とフォルダ名とを組にした格納先リストを生成し、生成した格納先リストを出力部２００７を介してモニタ１１にて表示する。データ読出部２００５は、選択された格納先を示す選択フォルダ情報を、リモコン２３００から受信部２００８を介して、受け取る。ここで、選択フォルダ情報は、選択されたフォルダに割り当てられた番号からなる情報である。
さらに、データ読出部２００５は、選択フォルダ情報にて示されるフォルダに記録されているブックマーク情報に含まれる識別名を取得する。例えば、選択フォルダ情報が、人物フォルダを示す場合には、データ読出部２００５は、ブックマーク記憶部２００２の人物フォルダ２０２１に記録されている全てのブックマーク情報より、識別名「人物Ａ」及び「人物Ｂ」を取得する。
データ読出部２００５は、取得した全ての識別名からなる一覧リストを生成し、生成した一覧リストを、出力部２００７を介してモニタ１１にて表示する。ここで、一覧リストの一例を図４０（ｂ）にて示す。一覧リストは、各識別名に、異なる番号が割り当てられたリストである。
データ読出部２００５は、リモコン２３００から受信部２００８を介して、選択された識別名を示す選択識別名情報を受け取る。
以上により、ブックマークされた画像の出力要求を受け取る要求受取部が構成されることになる。
データ読出部２００５は、受け取った選択識別名情報にて示される識別名に対応するブックマーク情報をブックマーク記憶部２００２より取得する。ここで、選択識別名情報は、選択された識別名に割り当てられた番号からなる情報である。
データ読出部２００５は、取得したブックマーク情報と対応する静止画像若しくは動画像をブックマーク記憶部２００２から読み出す。これにより、ブックマーク記憶部２００２に記憶されている静止画像、若しくは動画像と音声を読み出す読出部が構成されることになる。
データ読出部２００５は、読み出した静止画像若しくは動画像を、再生部２００３及び出力部２００７を介してモニタ１１にて表示する。また、動画像を表示する場合には、動画像に係る音声データをもブックマーク記憶部２００２から取得し、取得した音声データを再生部２００３及び出力部２００７を介してモニタ１１から出力する。なお、モニタ１１では、音声データを受け取ると、音声データに基づく音声が出力される。これにより、ブックマーク記憶部２００２から読み出された静止画像からなる部分コンテンツ、若しくは動画像と音声とからなる部分コンテンツを出力する出力部が構成されることになる。
また、データ読出部２００５は、携帯電話機２１００から送受信部２００９を介して、表示開始情報を受け取ると、格納先リストを生成して、生成した格納先リストを、送受信部２００９を介して携帯電話機２１００へ送信する。データ読出部２００５は、選択フォルダ情報を、携帯電話機２１００から送受信部２００９を介して、受け取ると、選択フォルダ情報にて示されるフォルダに記録されているブックマーク情報に含まれる識別名を取得する。
データ読出部２００５は、取得した全ての識別名からなる一覧リストを生成し、生成した一覧リストを、送受信部２００９を介して携帯電話機２１００へ送信する。
データ読出部２００５は、携帯電話機２１００から送受信部２００９を介して、選択識別名情報を受け取る。
以上により、表示の指示を示す情報を受信する受信部が構成されることになる。
データ読出部２００５は、受け取った選択識別名情報にて示される識別名に対応するブックマーク情報をブックマーク記憶部２００２より取得する。
データ読出部２００５は、取得したブックマーク情報と対応する静止画像若しくは動画像をブックマーク記憶部２００２から読み出す。これにより、上記に示す読出部と同様の読出部が構成されることになる。
データ読出部２００５は、読み出した静止画像若しくは動画像を、送受信部２００９を介して携帯電話機２１００へ送信する。また、動画像を送信する場合には、動画像に係る音声データをも、送受信部２００９を介して携帯電話機２１００へ送信する。これにより、ブックマーク記憶部２００２から読み出された静止画像からなる部分コンテンツ、若しくは動画像と音声とからなる部分コンテンツを送信するコンテンツ送信部が構成されることになる。
データ読出部２００５は、現在位置する地域に係るブックマークされた画像データを要求する画像データ要求情報と、地域コードとを、携帯電話機２１００から送受信部２００９を介して、受信すると、ブックマーク記憶部２００２より、受信した地域コードと一致する地域コードを含むブックマーク情報を全て取得する。例えば、現在位置が大阪市である場合には、地域コード「０６」を含むブックマーク情報を全て取得する。この場合、文字フォルダ２０２２より識別名が「文字Ａ」、「文字Ｂ」及び「文字Ｄ」であるそれぞれのブックマーク情報と、キャプチャフォルダ２０２３より識別名が「キャプチャＢ」であるブックマーク情報とを取得する。
データ読出部２００５は、取得した全てのブックマーク情報を用いて、各ブックマーク情報に対応する静止画像若しくは動画像を読み出す。データ読出部２００５は、読み出した各画像を、送受信部２００９を介して携帯電話機２１００へ送信する。なお、動画像を送信する場合には、動画像に係る音声データをも、送受信部２００９を介して携帯電話機２１００へ送信する。
（６）削除部２００６
削除部２００６は、リモコン２３００より受信部２００８を介して、番組コンテンツ記憶部２００１に記録されている番組コンテンツの削除を行う旨の削除指示情報を受け付ける。ここで、削除指示情報は、番組ＩＤを含む情報である。これにより、削除指示を受け取る削除受取部が構成されることになる。
削除部２００６は、番組コンテンツ記憶部２００１より、受け付けた削除指示情報に含まれる番組ＩＤに対応する番組コンテンツを削除する。従って、削除部２００６は、ブックマーク記憶部２００２にて記憶している画像を残し、番組コンテンツ記憶部２００１に記憶している番組コンテンツを削除することができる。これにより、番組コンテンツを削除する削除部が構成されることになる。
（７）出力部２００７
出力部２００７は、再生部２００３より再生される番組コンテンツのデータを受け取り、受け取ったデータをモニタ１１へ出力する。これにより、モニタ１１では、再生された番組コンテンツが表示されている。
出力部２００７は、データ読出部２００５から再生部２００３を介して、受け取ったデータをモニタ１１へ出力する。これにより、ブックマーク情報に対応する静止画像若しくは動画像を表示することができる。
（８）受信部２００８
受信部２００８は、リモコン２３００から、ＢＭ開始情報、右移動情報、左移動情報、ブックマーク指示情報及び識別名を受信すると、受信したＢＭ開始情報、右移動情報、左移動情報、ブックマーク指示情報及び識別名を登録部２００４へ出力する。
受信部２００８は、リモコン２３００から、表示開始情報、選択フォルダ情報及び選択識別名情報を受信すると、受信した表示開始情報、選択フォルダ情報及び選択識別名情報をデータ読出部２００５へ出力する。
受信部２００８は、リモコン２３００から、削除指示情報を受信すると、受信した削除指示情報を削除部２００６へ出力する。
（９）送受信部２００９
送受信部２００９は、インターネットを介して携帯電話機２１００より受信した情報をデータ読出部２００５へ出力する。
また、送受信部２００９は、データ読出部２００５より受け取った情報を、インターネットを介して携帯電話機２１００へ送信する。
２．２．２  リモコン２３００
図４１は、リモコン２３００の外観を示す図であり、リモコン２３００は、ブックマークの操作を行うボタン群からなるＢＭ操作部２３０１と、数字、英字、日本語文字の入力及びその他操作を行うボタン群からなる文字操作部２３０２と、再生装置２０００へ赤外線通信により、信号を送信するための照射部２３０３から構成されている。
リモコン２３００は、開始ボタン２３１０が押下されると、ＢＭ開始情報を、照射部２３０３を介して再生装置２０００へ送信する。
リモコン２３００は、左ボタン２３１３が押下されると左移動情報を、右ボタン２３１４が押下されると右移動情報を、照射部２３０３を介して再生装置２０００へ送信する。
リモコン２３００は、ＢＭボタン２３１１が押下されると、第１登録指示情報を含むブックマーク指示情報を、照射部２３０３を介して再生装置２０００へ送信する。リモコン２３００は、ＢＭボタン２３１１が押下され、且つ文字操作部２３０２の操作により地域コードが入力されると、第１登録指示情報と地域コードとからなるブックマーク指示情報を、照射部２３０３を介して再生装置２０００へ送信する。
リモコン２３００は、コーナーボタン２３１２が押下されると、第２登録指示情報を含むブックマーク指示情報を、照射部２３０３を介して再生装置２０００へ送信する。リモコン２３００は、コーナーボタン２３１２が押下され、且つ文字操作部２３０２の操作により地域コードが入力されると、第２登録指示情報と地域コードとからなるブックマーク指示情報を、照射部２３０３を介して再生装置２０００へ送信する。
リモコン２３００は、入力ボタン２３２１が押下された後、文字操作部２３０２のボタンが押下されることにより、識別名を受け付け、決定ボタン２３２２が押下されると、受け付けた識別名を、照射部２３０３を介して再生装置２０００へ送信する。
リモコン２３００は、要求ボタン２３１５が押下されると、表示開始情報を、照射部２３０３を介して再生装置２０００へ送信する。
ユーザはブックマーク情報の格納先を選択する場合に、選択するフォルダに割り当てられた番号のボタンを押下すると、リモコン２３００は、押下されたボタンの番号を選択フォルダ情報として、照射部２３０３を介して再生装置２０００へ送信する。
ユーザはブックマーク情報に含まれる識別名を選択する場合に、選択する識別名に割り当てられた番号のボタンを押下すると、リモコン２３００は、押下されたボタンの番号を選択識別名情報として、照射部２３０３を介して再生装置２０００へ送信する。
リモコン２３００は、削除ボタン２３２０が押下されると、削除指示情報を、照射部２３０３を介して再生装置２０００へ送信する。
２．３  携帯電話機２１００の構成
ここでは、携帯電話機２１００の構成について説明する。
携帯電話機２１００は、携帯型の通信端末装置であって、図４２に示すように、地域情報記憶部２１０２、無線部２１０３、ベースバンド信号処理部２１０４、スピーカー２１０５、マイク２１０６、制御部２１０７、入力部２１０８及び表示部２１０９から構成されている。
携帯電話機２１００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機２１００は、その機能を達成する。
（１）地域情報記憶部２１０２
地域情報記憶部２１０２は、図４３に一例として示すように、地域情報テーブルＴ２１００を有している。
地域情報テーブルＴ２１００は、位置及び地域コードからなる組を１以上記憶するための領域を備えている。
位置は、地域名を示す情報であり、例えば、大阪市、神戸市などである。地域コードは、音楽情報テーブルＴ２０００の地域コードと同様であるため、説明は省略する。
（２）無線部２１０３
無線部２１０３は、アンテナ２４００を備えており、無線信号の送受信を行う。
（３）ベースバンド信号処理部２１０４
ベースバンド信号処理部２１０４は、無線部２１０３より受け取った信号をスピーカー２１０５へ出力するための信号処理や、マイク２１０６より受け取った音声を無線部２１０３へ出力するための信号処理を行う。
また、ベースバンド信号処理部２１０４は、インターネット及び公衆無線通信網を介して受信した情報を、無線部２１０３から受け取ると、受け取った情報を制御部２１０７へ出力する。
ベースバンド信号処理部２１０４は、制御部２１０７から、表示開始情報、選択フォルダ情報、選択識別名情報及び画像データ要求情報を受け取ると、受け取った表示開始情報、選択フォルダ情報、選択識別名情報及び画像データ要求情報を無線部２１０３、公衆無線通信網及びインターネットを介して、再生装置２０００へ送信する。ベースバンド信号処理部２１０４は、画像データ要求情報を制御部２１０７から受け取ると、さらに、地域コードをも受け取り、受け取った地域コードも画像データ要求情報と併せて、公衆無線通信網及びインターネットを介して再生装置２０００へ送信する。ベースバンド信号処理部２１０４は、制御部２１０７から音声データを受け取ると、受け取った音声データをスピーカー２１０５へ出力するための信号処理をも行う。
（４）スピーカー２１０５
スピーカー２１０５は、ベースバンド信号処理部２１０４にて処理された信号を音声として出力する。
（５）マイク２１０６
マイク２１０６は、使用者の音声を受け付け、受け付けた音声をベースバンド信号処理部２１０４へ出力する。
（６）制御部２１０７
制御部２１０７は、位置を測定するＧＰＳ（Ｇｌｏｂａｌ  Ｐｏｓｉｔｉｏｎｉｎｇ  Ｓｙｓｔｅｍ）機能を予め備えており、携帯電話機２１００全体の制御を行っている。
以下、利用者指定によるブックマークされた画像データの表示（以下、「指定表示」という。）、及び現在位置する地域に係るブックマークされた画像データの表示（以下、「地域表示」という。）における制御について、説明する。
＜指定表示＞
制御部２１０７は、表示開始情報を入力部２１０８より受け取ると、受け取った表示開始情報をベースバンド信号処理部２１０４へ出力する。
制御部２１０７は、格納先リストを、インターネット及び公衆無線通信網を介して再生装置２０００から受信すると、受信した格納先リストを、表示部２１０９へ出力する。
制御部２１０７は、ユーザによるキー操作にて、入力部２１０８から選択フォルダ情報を受け取ると、受け取った選択フォルダ情報をベースバンド信号処理部２１０４へ出力する。
制御部２１０７は、一覧リストを、インターネット及び公衆無線通信網を介して再生装置２０００から受信すると、受信した一覧リストを、表示部２１０９へ出力する。
制御部２１０７は、ユーザによるキー操作にて、入力部２１０８から選択識別名情報を受け取ると、受け取った選択識別名情報をベースバンド信号処理部２１０４へ出力する。
制御部２１０７は、選択した識別名を含むブックマーク情報に対応する静止画像若しくは動画像を、インターネット及び公衆無線通信網を介して再生装置２０００から受信すると、受信した静止画像及び動画像を表示部２１０９へ出力する。
また、動画像を受信する際には、動画像に係る音声データをも受信し、受信した音声データをベースバンド信号処理部２１０４を介してスピーカー２１０５へ出力する。これにより、制御部２１０７は、受信した動画像の再生を行うことができる。
＜地域表示＞
制御部２１０７は、現在位置する地域に係るブックマークされた画像データの表示を示す地域表示情報を入力部２１０８より受け取ると、ＧＰＳ機能を用いて、現在の位置を測定する。制御部２１０７は、測定結果より得られた地域に対応する地域コードを地域情報記憶部２１０２より取得する。
制御部２１０７は、取得した地域コードと、画像データ要求情報とをベースバンド信号処理部２１０４へ出力する。
制御部２１０７は、送信した地域コードに係る各ブックマーク情報に対応する静止画像若しくは動画像を、インターネット及び公衆無線通信網を介して再生装置２０００から受信すると、受信した静止画像及び動画像を表示部２１０９へ出力する。
また、動画像を受信する際には、動画像に係る音声データをも受信し、受信した音声データをベースバンド信号処理部２１０４を介してスピーカー２１０５へ出力する。これにより、制御部２１０７は、受信した動画像の再生を行うことができる。
なお、制御部２１０７は、複数の静止画像若しくは動画像を受信した場合には、入力部２１０８より、前の静止画像若しくは前の動画像へ切り替えを行う前画像情報、又は後の静止画像若しくは後の動画像へ切り替えを行う後画像情報を受け付けることにより、表示部２１０９へ出力する静止画像若しくは動画像を制御する。
（７）入力部２１０８
入力部２１０８は、数字入力キーなどの入力機能を備えたキーボード等により構成されており、使用者から入力指示を受け付ける。
入力部２１０８は、表示開始情報、選択フォルダ情報、選択識別名情報及び画像データ要求情報を受け付けると、受け付けた表示開始情報、選択フォルダ情報、選択識別名情報及び画像データ要求情報を制御部２１０７へ出力する。入力部２１０８は、画像データ要求情報を受け付けると、さらに、地域コードをも受け付け、受け付けた地域コードも画像データ要求情報と併せて、制御部２１０７へ出力する。
さらに、入力部２１０８は、前画像情報を受け付け、受け付けた前画像情報を制御部２１０７へ出力する。また、入力部２１０８は、後画像情報を受け付け、受け付けた後画像情報を制御部２１０７へ出力する。
（８）表示部２１０９
表示部２１０９は、制御部２１０７より格納先リストを受け取ると、受け取った格納先リストを表示する。
表示部２１０９は、制御部２１０７より一覧リストを受け取ると、受け取った一覧リストを表示する。
さらに、表示部２１０９は、制御部２１０７より受け取った静止画像若しくは動画像を表示する。
２．４  ブックマークシステム２の動作
ここでは、ブックマークシステム２の動作について説明する。
２．４．１  ＢＭ登録処理の動作
ここでは、ブックマーク情報の登録を行うＢＭ登録処理の動作について、図４４に示す流れ図を用いて説明する。
再生装置２０００の情報生成部２０３０は、利用者よりリモコン２３００を介して、ＢＭ開始情報を受け付けると、予め記憶しているＢＭ画面データを再生部２００３へ出力し、対象記憶領域へ初期状態として、「音楽」を示す情報を記憶する（ステップＳ２０００）。再生部２００３は、情報生成部２０３０から受け取ったＢＭ画面データに基づいてＢＭ画像を、出力部２００７を介してモニタ１１にて表示する（ステップＳ２００５）。
情報生成部２０３０は、ユーザよりリモコン２３００を介して受信した情報が、ブックマーク指示情報であるか否かを判断する（ステップＳ２０１０）。
ブックマーク指示情報であると判断する場合には（ステップＳ２０１０における「ＹＥＳ」）、番組コンテンツの先頭に位置する画像データからブックマーク指示情報を受信した時点に再生部２００３にて再生されている画像データまでの区間における経過時刻を算出する（ステップＳ２０１５）。
情報生成部２０３０は、再生部２００３に記憶している録画開始時刻を取得し、取得した録画開始時刻に算出した経過時刻を加算することにより、ブックマークされた画像データのＢＭ表示時刻を取得する（ステップＳ２０２０）。さらに、情報生成部２０３０は、再生部２００３より再生中の番組コンテンツに対応するＣＨ番号及び番組ＩＤを取得する（ステップＳ２０２５）。
さらに、情報生成部２０３０は、受信部２００８を介してリモコン２３００から、識別名を受信する（ステップＳ２０３０）。
情報生成部２０３０は、第１登録指示命令を含むブックマーク指示情報を受信した場合、及び第２登録指示情報を含むブックマーク指示情報を受信した場合には、受信した識別名と、取得したＢＭ表示時刻、ＣＨ番号及び番組ＩＤと、対象記憶領域にて記憶している情報とを用いて、ブックマーク情報を生成する（ステップＳ２０３５）。このとき、地域コードには何も記録されていない。なお、第１登録指示命令と地域コードとを含むブックマーク指示情報を受信した場合及び第２登録指示命令と地域コードとを含むブックマーク指示情報を受信した場合には、ステップＳ２０３５では、受信した識別名と、取得したＢＭ表示時刻、ＣＨ番号及び番組ＩＤと、受信した地域コードと、対象記憶領域にて記憶している情報とを用いて、ブックマーク情報を生成する。
ブックマーク情報の生成後、再生装置２０００は、生成したブックマーク情報に対応する静止画像若しくは動画像を取得し、記録する画像データ取得処理を行う（ステップＳ２０４０）。
情報生成部２０３０は、受信した情報がブックマーク指示情報でないと判断する場合には（ステップＳ２０１０における「ＮＯ」）、受信した情報が右移動情報であるか否かを判断する（ステップＳ２０４５）。
右移動情報であると判断する場合には（ステップＳ２０４５における「ＹＥＳ」）、現在表示中のＢＭ画像において、ブックマークの対象の項目を、現在の対象項目から右の項目へと変更し（ステップＳ２０５０）、右移動情報でないと判断する場合には（ステップＳ２０４５における「ＮＯ」）、現在表示中のＢＭ画像において、ブックマークの対象の項目を、現在の対象項目から左の項目へと変更する（ステップＳ２０５５）。次に、情報生成部２０３０は、対象記憶領域に記憶されている情報を、変更された項目に対応する情報へと更新し（ステップＳ２０６０）、ステップＳ２００５へ戻る。
２．４．２  画像データ取得処理
ここでは、再生装置２０００にて行われる画像データ取得処理について、図４５に示す流れ図を用いて説明する。
再生装置２０００のデータ取得部２０３１は、情報生成部２０３０にて生成されたブックマーク情報に含まれるＣＨ番号及び番組ＩＤと対応するＢＭ対象コンテンツを番組コンテンツ記憶部２００１より取得する（ステップＳ２１００）。
データ取得部２０３１は、情報生成部２０３０にて受信したブックマーク指示情報に含まれる命令が第１登録指示命令であるか否かを判断する（ステップＳ２１０５）。
第１登録指示命令であると判断する場合には（ステップＳ２１０５の「ＹＥＳ」）、情報生成部２０３０にて生成されたブックマーク情報に含まれる付加情報が、「音楽」であるか否かを判断する（ステップＳ２１１０）。「音楽」であると判断する場合には（ステップＳ２１１０の「ＹＥＳ」）、ブックマーク情報に含まれるＢＭ表示時刻とＢＭ対象コンテンツとを用いて、音楽認識処理を実行して、取得した番組コンテンツから音楽先頭フレームを検出して取得し（ステップＳ２１１５）、さらに、取得した音楽先頭フレームから連続するフレームを予め設定された数分コピーにより取得し、さらに音声データをもコピーにより取得する（ステップＳ２１２０）。なお、ステップＳ２１１５においては、取得した音楽先頭フレームに対応する音声データをも、コピーにより取得する。
次に、再生装置２０００の書込部２０３２は、取得した音楽先頭フレームより連続するフレーム、つまり、音楽先頭フレームからの動画像を、情報生成部２０３０にて生成されたブックマーク情報と対応付けて、ブックマーク情報に含まれる付加情報に応じて、音楽情報テーブルＴ２０００、人物情報テーブルＴ２００１、文字情報テーブルＴ２００２及びキャプチャ情報テーブルＴ２００３のうちの何れかに記録する情報格納先処理を行う（ステップＳ２１２５）。なお、動画像を記憶する場合には、動画像に係る音声データをも記憶する。
ブックマーク情報に含まれる付加情報が、「音楽」でないと判断する場合には（ステップＳ２１１０の「ＮＯ」）、「人物」であるか否かを判断する（ステップＳ２１３０）。
「人物」であると判断する場合には（ステップＳ２１３０の「ＹＥＳ」）、ブックマーク情報に含まれるＢＭ表示時刻とＢＭ対象コンテンツとを用いて、人物認識処理を実行して、取得した番組コンテンツから人物先頭フレームを検出して取得し（ステップＳ２１３５）、ステップＳ２１２５を行う。
「人物」でないと判断する場合には（ステップＳ２１３０の「ＮＯ」）、「文字」であるか否かを判断する（ステップＳ２１４０）。
「文字」であると判断する場合には（ステップＳ２１４０における「ＹＥＳ」）、ブックマーク情報に含まれるＢＭ表示時刻とＢＭ対象コンテンツとを用いて、文字認識処理を実行して、取得した番組コンテンツから文字先頭フレームを検出して取得し（ステップＳ２１４５）、ステップＳ２１２５を行う。
「文字」でないと判断する場合（ステップＳ２１４０における「ＮＯ」）、つまり、「キャプチャ」であると判断する場合には、キャプチャ認識処理を実行して、取得した番組コンテンツからキャプチャ先頭フレームを検出して取得し（ステップＳ２１５０）、ステップＳ２１２５を行う。
データ取得部２０３１は、第１登録指示命令でないと判断する場合には（ステップＳ２１０５における「ＮＯ」）、取得したＢＭ対象コンテンツから、ＢＭ表示時刻と、コーナー認識処理とを用いて、情報生成部２０３０の対象記憶領域に記憶されている情報に対応する画像データを含むコーナーを検出し、検出したコーナーに含まれる画像データ全てを取得、つまり動画像を取得し（ステップＳ２１５５）、ステップＳ２１２５を行う。
なお、フレームを検出して取得とは、フレームを検出し、検出したフレームをコピーにより取得することをいう。
２．４．３  ブックマーク情報格納処理の動作
ここでは、再生装置２０００にて行われる情報格納処理の動作について、図４６に示す流れ図を用いて説明する。
書込部２０３２は、情報生成部２０３０にて生成されたブックマーク情報に含まれる付加情報が「音楽」であるか否かを判断する（ステップＳ２３００）。
「音楽」であると判断する場合には（ステップＳ２３００における「ＹＥＳ」）、ブックマーク情報及びデータ取得部２０３１にて取得した静止画像若しくは動画像を音楽フォルダ２０２０へ書き込み（ステップＳ２３０５）、「音楽」でないと判断する場合には（ステップＳ２３００における「ＮＯ」）、付加情報が「人物」であるか否かを判断する（ステップＳ２３１０）。
「人物」であると判断する場合には（ステップＳ２３１０における「ＹＥＳ」）、ブックマーク情報及びデータ取得部２０３１にて取得した静止画像若しくは動画像を人物フォルダ２０２１へ書き込み（ステップＳ２３１５）、「人物」でないと判断する場合には（ステップＳ２３１０における「ＮＯ」）、付加情報が「文字」であるか否かを判断する（ステップＳ２３２０）。
「文字」であると判断する場合には（ステップＳ２３２０における「ＹＥＳ」）、ブックマーク情報及びデータ取得部２０３１にて取得した静止画像若しくは動画像を文字フォルダ２０２２へ書き込み（ステップＳ２３２５）、「文字」でないと判断する場合（ステップＳ２３２０における「ＮＯ」）、つまり、付加情報は「キャプチャ」であると判断する場合には、ブックマーク情報及びデータ取得部２０３１にて取得した静止画像若しくは動画像をキャプチャフォルダ２０２３へ書き込む（ステップＳ２３３０）。
なお、書込部２０３２は、動画像を対応するフォルダに書き込む場合には、音声データをも書き込む。
２．４．４  第１表示処理の動作
ここでは、再生装置２０００が、リモコン２３００より表示開始情報を受け取った際に行われる第１表示処理の動作について、図４７に示す流れ図を用いて説明する。
データ読出部２００５は、リモコン２３００から受信部２００８を介して、表示開始情報を受け取ると（ステップＳ２４００）、ブックマーク情報の格納先の選択を促すために格納先リスト生成し、生成した格納先リストを出力部２００７を介してモニタ１１にて表示する（ステップＳ２４０５）。
データ読出部２００５は、選択フォルダ情報を、リモコン２３００から受信部２００８を介して、受け取る（ステップＳ２４１０）。
さらに、データ読出部２００５は、選択フォルダ情報にて示されるフォルダに記録されているブックマーク情報に含まれる識別名を全て取得し、取得した全ての識別名からなる一覧リストを生成し、生成した一覧リストを、出力部２００７を介してモニタ１１にて表示する（ステップＳ２４１５）。
データ読出部２００５は、リモコン２３００から受信部２００８を介して、選択識別名情報を受け取ると（ステップＳ２４２０）、受け取った選択識別名情報にて示される識別名に対応するブックマーク情報をブックマーク記憶部２００２より取得する（ステップＳ２４２５）。
データ読出部２００５は、取得したブックマーク情報と対応する静止画像若しくは動画像をブックマーク記憶部２００２から読み出し（ステップＳ２４３０）、読み出した静止画像若しくは動画像を、再生部２００３及び出力部２００７を介してモニタ１１にて表示する（ステップＳ２４３５）。また、動画像を表示する場合には、動画像に係る音声データを、出力部２００７を介してモニタ１１から出力する。
なお、上記に示す表示処理は、再生装置２０００とリモコン２３００との間における動作について説明したが、再生装置２０００と携帯電話機２１００との間における動作についても、上記に示す動作と同様であり、各種情報の経路が異なるだけである。データ読出部２００５がリモコン２３００より受け取っている各種情報は、携帯電話機２１００から公衆無線通信網、インターネット及び送受信部２００９を介して、データ読出部２００５により受信され、データ読出部２００５が、再生部２００３及び出力部２００７を介してモニタ１１へ表示している情報は、インターネット、公衆無線通信網及び送受信部２００９を介して携帯電話機２１００へ送信される。
２．４．５  第２表示処理の動作
ここでは、再生装置２０００が、携帯電話機２１００より画像データ要求情報と地域コードとを受け取った際に行われる第２表示処理の動作について、図４８に示す流れ図を用いて説明する。
データ読出部２００５は、画像データ要求情報と、地域コードとを、携帯電話機２１００から送受信部２００９を介して、受信すると（ステップＳ２５００）、ブックマーク記憶部２００２より、受信した地域コードと一致する地域コードを含むブックマーク情報を全て取得する（ステップＳ２５０５）。
データ読出部２００５は、取得した全てのブックマーク情報を用いて、各ブックマーク情報に対応する静止画像若しくは動画像を読み出す（ステップＳ２５１０）。データ読出部２００５は、読み出した各画像を、送受信部２００９を介して携帯電話機２１００へ送信する。なお、動画像を送信する場合には、動画像に係る音声データをも、送受信部２００９を介して携帯電話機２１００へ送信する（ステップＳ２５１５）。
２．５  まとめ
以上、説明したように本発明によれば、再生装置は、コンテンツの再生中にリモコンによりブックマークの指示を受け付けると、ブックマーク情報を生成、及び生成したブックマーク情報に対応する静止画像若しくは動画像を取得し、生成したブックマーク情報と、取得した静止画像若しくは動画像とを対応付けて記憶することで、後日、リモコン若しくは携帯電話機から指示を受け付けることにより、再生装置は、記憶しているブックマーク情報に対応する静止画像若しくは動画像を表示することができる。
また、ブックマークの登録時に利用者がブックマークしたい画像データと実際にブックマークされた画像データとが、ブックマーク指示情報の送信から受信までに要する時間の影響により異なる場合が考えられるが、上記に示した再生装置は、画像データ取得時に、音楽認識処理、人物認識処理、文字認識処理及びキャプチャ認識処理のうちで、付加情報に示される情報に対応する認識処理を実行することにより、利用者が希望する画像データを正確に取得し、取得した画像データを記憶することができる。
また、再生装置は、生成したブックマーク情報を内容に応じて、フォルダへ自動に振分けるため、ブックマーク情報の整理が簡単にできる。
２．６  画像取得の変形例
上記実施の形態では、ブックマーク情報を作成した際に、対応する静止画像若しくは動画像を取得し、ブックマーク情報と対応付けて記憶したが、ここでは、表示の要求があった際にブックマーク情報に対する画像の取得を行う場合の変形例について説明する。
本変形例における再生装置３０００について、以下に説明する。
なお、リモコン及び携帯電話機は、上記にて示すリモコン２３００及び携帯電話機２１００と同様であるため、ここでの説明は省略する。また、以降では、モニタ１１、リモコン２３００及び携帯電話機２１００を用いて説明を行う。
２．６．１  再生装置３０００
再生装置３０００は、図４９に示すように、番組コンテンツ記憶部３００１、ブックマーク記憶部３００２、再生部３００３、登録部３００４、取得部３００５、削除部３００６、出力部３００７、受信部３００８及び送受信部３００９から構成されている。
再生装置３０００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置３０００は、その機能を達成する。
（１）番組コンテンツ記憶部３００１
番組コンテンツ記憶部３００１は、上記にて示す番組コンテンツ記憶部２００１と同様であるため、説明は省略する。
（２）ブックマーク記憶部３００２
ブックマーク記憶部３００２は、上記にて示すブックマーク記憶部２００２と同様のフォルダ構成を有している。上記第２実施の形態と異なる点は、ブックマーク情報には、上記第２実施の形態にて示すデータに、さらに、コーナー検出の行うか否かを示すフラグを含む点である。
ここで、図５０に音楽フォルダにて記憶されている音楽情報テーブルＴ３０００の一例を示す。
音楽情報テーブルＴ３０００は、識別名、ＢＭ表示時刻、ＣＨ番号、番組ＩＤ、地域コード、コーナー検出及び付加情報である。
コーナー検出は、コーナー検出を行うか否かを示すフラグであり、値「１」はコーナー検出を行う旨を示し、値「０」はコーナー検出を行わないで、付加情報に対応する加増の取得を行う旨を示す。残りの項目については、上記第２実施の形態と同様であるため、説明は省略する。
また、他のフォルダにて記憶されている各テーブルの構成は、音楽情報テーブルＴ３０００の構成と同様であるため、説明は省略する。
（３）再生部３００３
再生部３００３は、上記にて示す再生部２００３と同様であるため、説明は省略する。なお、以降において、ＢＭ画像Ｍ２０００を用いて、説明を行う。
（４）登録部３００４
登録部３００４は、情報生成部３０３０及び書込部３０３２から構成されている。以下において、情報生成部３０３０及び書込部３０３２について説明する。
（ａ）情報生成部３０３０
情報生成部３０３０は、ＢＭ画面データを予め記憶しており、ブックマークの対象の情報を記憶するための対象記憶領域を有している。
情報生成部３０３０は、再生部３００３にて番組コンテンツが再生されると、再生開始からの再生されたフレームの枚数をカウントしている。
情報生成部３０３０は、番組コンテンツの再生中に、受信部３００８を介してリモコン２３００から、ＢＭ開始情報を受信すると、予め記憶しているＢＭ画面データを再生部３００３へ出力し、対象記憶領域へ初期状態として、「音楽」を示す情報を記憶する。
情報生成部３０３０は、受信部３００８を介してリモコン２３００から、右移動情報及び左移動情報を受信すると、受信した情報に応じて、太枠で囲まれる項目を変更し、対象記憶領域に記憶されている情報を、変更された項目に対応する情報へと更新する。
情報生成部３０３０は、ＢＭ画像Ｍ２０００を表示中に、受信部３００８を介してリモコン２３００から、第１登録指示命令を含むブックマーク指示情報、第２登録指示命令を含むブックマーク情報、第２登録指示情報と地域コードとを含むブックマーク指示情報及び第１登録指示情報と地域コードとを含むブックマーク指示情報のうち何れかを受信する。これにより、ブックマーク対象の種類を示す情報（対応情報）及び地域コードを受け取る情報受取部が構成されることになる。
情報生成部３０３０は、ブックマーク指示情報を受信した時点までにカウントしたフレームの数を用いて、番組コンテンツの先頭に位置する画像データからブックマーク指示情報を受信した時点に再生部３００３にて再生されている画像データまでの区間における経過時刻を算出する。情報生成部３０３０は、再生部３００３に記憶している録画開始時刻を取得し、取得した録画開始時刻に算出した経過時刻を加算することにより、ブックマークされた画像データのＢＭ表示時刻を取得する。さらに、情報生成部３０３０は、再生部３００３より再生中の番組コンテンツに対応するＣＨ番号及び番組ＩＤを取得する。取得した放送時刻と、１秒あたりに再生されるフレームの数との関係より、取得した放送時刻から、ブックマーク指示情報を受け取った時点のフレームを特定することができる。以上により、ブックマーク情報を受け取った時点の番組コンテンツ内の位置を特定する情報（ここでは、放送時刻）を取得する位置取得部が構成されることになる。
さらに、情報生成部３０３０は、受信部３００８を介してリモコン２３００から、識別名を受信する。
情報生成部３０３０は、第１登録指示命令を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「０」とを用いて、ブックマーク情報を生成する。このとき、地域コードには何も記録されていない。
情報生成部３０３０は、第２登録指示情報を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「１」とを用いて、ブックマーク情報を生成する。このとき、地域コードには何も記録されていない。
情報生成部３０３０は、第１登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「０」とを用いて、ブックマーク情報を生成する。
情報生成部３０３０は、第１登録指示命令と地域コードとを含むブックマーク指示情報を受信した場合及び第２登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「１」とを用いて、ブックマーク情報を生成する。
（ｂ）書込部３０３２
書込部３０３２は、情報生成部３０３０にて生成されたブックマーク情報に含まれる付加情報に応じたブックマーク記憶部３００２内のフォルダへ書き込む。
（５）取得部３００５
取得部３００５は、情報取得部３０４０及びデータ取得部３０４１から構成されている。以下において、情報取得部３０４０及びデータ取得部３０４１について説明する。
（ａ）情報取得部３０４０
情報取得部３０４０は、リモコン２３００から受信部３００８を介して、表示開始情報を受け取ると、ブックマーク情報の格納先の選択を促すために、格納先リストを生成し、生成した格納先リストを出力部３００７を介してモニタ１１にて表示する。情報取得部３０４０は、選択フォルダ情報を、リモコン２３００から受信部３００８を介して、受け取る。
さらに、情報取得部３０４０は、選択フォルダ情報にて示されるフォルダに記録されているブックマーク情報に含まれる識別名を取得する。
情報取得部３０４０は、取得した全ての識別名からなる一覧リストを生成し、生成した一覧リストを、出力部３００７を介してモニタ１１にて表示する。
情報取得部３０４０は、リモコン２３００から受信部３００８を介して、選択された識別名を示す選択識別名情報を受け取る。
以上により、ブックマークされた画像の出力要求を受け取る要求受取部が構成されることになる。
情報取得部３０４０は、受け取った選択識別名情報にて示される識別名に対応するブックマーク情報をブックマーク記憶部３００２より取得する。
また、情報取得部３０４０は、携帯電話機２１００から送受信部３００９を介して、表示開始情報を受け取ると、格納先リストを生成して、生成した格納先リストを、送受信部３００９を介して携帯電話機２１００へ送信する。情報取得部３０４０は、選択フォルダ情報を、携帯電話機２１００から送受信部３００９を介して、受け取ると、選択フォルダ情報にて示されるフォルダに記録されているブックマーク情報に含まれる識別名を取得する。
情報取得部３０４０は、取得した全ての識別名からなる一覧リストを生成し、生成した一覧リストを、送受信部３００９を介して携帯電話機２１００へ送信する。
情報取得部３０４０は、携帯電話機２１００から送受信部３００９を介して、選択識別名情報を受け取ると、受け取った選択識別名情報にて示される識別名に対応するブックマーク情報をブックマーク記憶部２００２より取得する。
情報取得部３０４０は、画像データ要求情報と、地域コードとを、携帯電話機２１００から送受信部３００９を介して、受信すると、ブックマーク記憶部２００２より、受信した地域コードと一致する地域コードを含むブックマーク情報を全て取得する。
（ｂ）データ取得部３０４１
データ取得部３０４１は、動画像を生成する静止画像の数（例えば、３００である。）を記憶しており、さらに、「音楽認識処理」、「人物認識処理」、「文字認識処理」、「キャプチャ認識処理」及び「コーナー認識処理」のそれぞれに対応するプログラムを予め記憶している。
データ取得部３０４１は、情報取得部３０４０にて取得されたブックマーク情報に含まれるＣＨ番号及び番組ＩＤと対応する番組コンテンツを番組コンテンツ記憶部３００１より取得する。このとき、後述する番組コンテンツの削除により、ＣＨ番号及び番組ＩＤと対応する番組コンテンツが複数存在する場合があるため、ＣＨ番号及び番組ＩＤと対応する番組コンテンツが複数存在する場合には、複数の番組コンテンツのうち録画開始時刻がブックマーク情報に含まれる表示時刻にて示される時刻と一致する番組コンテンツを取得する。
データ取得部３０４１は、取得したブックマーク情報に含まれるコーナー検出のフラグの値が「０」であるか否かを判断する。
値が「０」であると判断する場合には、取得した番組コンテンツから、ＢＭ表示時刻と、付加情報にて示される情報に応じた認識処理とを用いて、静止画像若しくは動画像をコピーにより取得する。動画像を取得する際には、その音声をも、コピーにより取得する。なお、取得方法については、上記第２の実施形態と同様であるため、説明は省略する。
値が「０」でない、つまり値が「１」であると判断する場合には、取得した番組コンテンツから、ＢＭ表示時刻と、コーナー認識処理とを用いて、付加情報にて示される情報に対応する画像データを含むコーナーを検出し、検出されたコーナーに含まれる画像データ全てをコピーにより取得、つまり動画像を取得する。
なお、情報取得部３０４０にて取得したブックマーク情報が複数ある場合には、上記動作を取得した数分繰り返す。
データ取得部３０４１は、表示開始情報をリモコン２３００より受け取った場合には、取得した画像を、再生部３００３及び出力部３００７を介してモニタ１１にて表示する。また、動画像を表示する場合には、動画像に係る音声データを、再生部３００３及び出力部３００７を介してモニタ１１から出力する。これにより、静止画像からなる部分コンテンツ、若しくは動画像と音声とからなる部分コンテンツを出力する出力部が構成されることになる。
データ取得部３０４１は、表示開始情報を携帯電話機２１００より受け取った場合には、取得した画像を、送受信部３００９を介して携帯電話機２１００へ送信する。また、動画像を送信する場合には、動画像に係る音声データをも、送受信部３００９を介して携帯電話機２１００へ送信する。これにより、ブックマーク記憶部３００２から読み出された静止画像からなる部分コンテンツ、若しくは動画像と音声とからなる部分コンテンツを送信するコンテンツ送信部が構成されることになる。
データ取得部３０４１は、画像データ要求情報を携帯電話機２１００より受け取った場合には、取得した各画像を、送受信部３００９を介して携帯電話機２１００へ送信する。なお、動画像を送信する場合には、動画像に係る音声データをも、送受信部３００９を介して携帯電話機２１００へ送信する。
（６）削除部３００６
削除部３００６は、データ取得部３０４１と同様に、音楽認識処理、人物認識処理、文字認識処理及びキャプチャ認識処理のそれぞれに対応するプログラムを予め記憶している。
削除部３００６は、リモコン２３００より受信部３００８を介して、番組コンテンツ記憶部３００１に記録されている番組コンテンツの削除を行う旨の削除指示情報を受け付ける。ここで、削除指示情報は、番組ＩＤを含む情報である。
削除部３００６は、番組コンテンツ記憶部３００１より、受け付けた削除指示情報に含まれる番組ＩＤに対応する番組コンテンツを取得し、さらに、ブックマーク記憶部３００２より、番組ＩＤと一致する番組ＩＤを含むブックマーク情報を全て取得する。
削除部３００６は、取得した番組コンテンツ及びブックマーク情報とを用いて、以下に記述する削除方法を取得したブックマーク情報の数分繰り返す。
＜削除方法＞
削除部３００６は、ブックマーク情報に含まれる付加情報が、「音楽」であるか否かを判断する。「音楽」であると判断する場合には、ブックマーク情報に含まれるＢＭ表示時刻と取得した番組コンテンツとを用いて、音楽認識処理を実行し、ＢＭ表示時刻より前に位置する直近の音楽先頭フレームを取得し、さらに、取得した音楽先頭フレームから予め設定された時間分（例えば、３分）の連続するフレーム及び音声データからなる音楽用音声画像データを取得し、取得した音楽用音声画像データを番組ＩＤ、ＣＨ番号及びＢＭ表示時刻と対応付けて一時的に記憶する。
ブックマーク情報に含まれる付加情報が、「音楽」でないと判断する場合には、「人物」であるか否かを判断し、「人物」であると判断する場合には、ブックマーク情報に含まれるＢＭ表示時刻と番組コンテンツ記憶部３００１より取得した番組コンテンツとを用いて、人物認識処理を実行し、ＢＭ表示時刻より前に位置する直近の人物先頭フレームを検出し、さらに、検出した人物先頭フレームから予め設定された時間分（例えば、３分）の連続するフレーム及び音声データからなる人物用音声画像データをコピーにより取得し、取得した人物用音声画像データを番組ＩＤ、ＣＨ番号及びＢＭ表示時刻と対応付けて一時的に記憶する。
ブックマーク情報に含まれる付加情報が、「人物」でないと判断する場合には、「文字」であるか否かを判断し、「文字」であると判断する場合には、ブックマーク情報に含まれるブックマーク表示時刻と番組コンテンツ記憶部３００１より取得した番組コンテンツとを用いて、文字認識処理を実行し、ＢＭ表示時刻より前に位置する直近の文字先頭フレームを検出し、さらに、検出した文字先頭フレームから予め設定された時間分（例えば、３分）の連続するフレーム及び音声データからなる文字用音声画像データをコピーにより取得し、取得した文字用音声画像データを番組ＩＤ、ＣＨ番号及びＢＭ表示時刻と対応付けて一時的に記憶する。
ブックマーク情報に含まれる付加情報が、「文字」でないと判断する場合、つまり、「キャプチャ」であると判断する場合には、ブックマーク情報に含まれるブックマーク表示時刻と番組コンテンツ記憶部３００１より取得した番組コンテンツとを用いて、キャプチャ認識処理を実行し、ＢＭ表示時刻より前に位置する直近のキャプチャ先頭フレームを検出し、さらに、検出したキャプチャ先頭フレームから予め設定された時間分（例えば、３分）の連続するフレーム及び音声データからなるキャプチャ用音声画像データをコピーにより取得し、取得したキャプチャ用音声画像データを番組ＩＤ、ＣＨ番号及びＢＭ表示時刻と対応付けて一時的に記憶する。
ここで、以降において、音楽用音声画像データ、人物用音声画像データ、文字用音声画像データ及びキャプチャ用音声画像データを、説明上区別する必要がない場合には、総称して音声画像データと呼ぶ。
削除部３００６は、上記の動作を、ブックマーク記憶部３００２より取得した全てのブックマーク情報に対して行った後、番組コンテンツを消去する。
削除部３００６は、一時的に記憶している音声画像データを、番組コンテンツ記憶部３００１に記憶する。このとき、録画開始時刻は、ＢＭ表示時刻にて示される日付及び時刻となる。
これにより、番組コンテンツが削除された後も、ブックマークされた画像データが存在する付近の画像データ及び音声データが保存されているため、参照が可能となる。
なお、上述したブックマーク記憶部３００２、書込部３０３２、データ取得部３０４１及び削除部３００６から、ブックマークされた静止画像若しくは動画像を取得する部分コンテンツ取得部が構成されることになる。書込部３０３２がブックマーク情報を書き込む書込部を構成する。削除部３００６における削除指示情報を受け付ける動作が削除受取部を構成し、削除指示情報を受け取った後、音声画像データを取得する動作が第１取得部を構成し、音声画像データを番組コンテンツ記憶部３００１に記憶する動作が記録部を構成し、ブックマーク記憶部３００２より取得した全てのブックマーク情報に対して音声画像データの取得を行った後、番組コンテンツを番組コンテンツ記憶部３００１より削除する動作が削除部を構成する。さらに、データ取得部３０４１における静止画像の取得、若しくは動画像及び音声の取得を行う動作が第２取得部を構成する。
（７）出力部３００７
出力部３００７は、上記にて示す出力部２００７と同様であるため、説明は省略する。
（８）受信部３００８
受信部３００８は、上記にて示す受信部２００８と同様であるため、説明は省略する。
（９）送受信部３００９
送受信部３００９は、上記にて示す送受信部３００９と同様であるため、説明は省略する。
２．６．２  ＢＭ登録処理の動作
ここでは、再生装置３０００にて行われるＢＭ登録処理について、図４４にて示すＢＭ登録処理との変更点のみ、説明する。
変更箇所はステップＳ２０４０であり、画像データ取得処理から、図４７にて示す情報格納処理へと変更する。ただし、各フォルダへ格納するのは、生成したブックマーク情報のみである。
また、ステップＳ２０３５では、以下の動作にてブックマーク情報を生成する。
情報生成部３０３０は、第１登録指示命令を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「０」とを用いて、ブックマーク情報を生成する。このとき、地域コードには何も記録されていない。
情報生成部３０３０は、第２登録指示情報を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「１」とを用いて、ブックマーク情報を生成する。このとき、地域コードには何も記録されていない。
情報生成部３０３０は、第１登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「０」とを用いて、ブックマーク情報を生成する。
情報生成部２０３０は、第１登録指示命令と地城コードとを含むブックマーク指示情報を受信した場合及び第２登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「１」とを用いて、ブックマーク情報を生成する。
２．６．３  第１表示処理の動作
ここでは、再生装置３０００が、リモコン２３００より表示開始情報を受け取った際に行われる第１表示処理の動作について、図４８に示す第１表示処理との変更点のみ、説明する。
変更点はステップＳ２４３０であり、後述する画像データ処理へと変更する。
２．６．４  第２表示処理の動作
ここでは、再生装置３０００が、携帯電話機２１００より画像データ要求情報と地域コードとを受け取った際に行われる第２表示処理の動作について、図４９に示す第２表示処理との変更点のみ、説明する。
変更点はステップＳ２５１０であり、後述する画像データ処理へと変更する。
なお、第２表示処理においては、ステップＳ２５０５にて取得したブックマーク情報が複数ある場合には、画像データ取得処理を取得したブックマーク情報の数分繰り返す。
２．６．５  画像データ取得処理
ここでは、第１及び第２表示処理にて行われる画像データ取得処理について、図５１に示す流れ図を用いて説明する。
再生装置３０００のデータ取得部３０４１は、情報取得部３０４０にて生成されたブックマーク情報に含まれるＣＨ番号及び番組ＩＤと対応するＢＭ対象コンテンツを番組コンテンツ記憶部３００１より取得する番組コンテンツ取得処理を行う（ステップＳ３０００）。
データ取得部３０４１は、情報取得部３０４０にて取得したブックマーク情報に含まれるコーナー検出のフラグが「０」であるか否かを判断する（ステップＳ３００５）。
「０」であると判断する場合には（ステップＳ３００５の「ＹＥＳ」）、情報取得部３０４０にて取得されたブックマーク情報に含まれる付加情報が、「音楽」であるか否かを判断する（ステップＳ３０１０）。「音楽」であると判断する場合には（ステップＳ３０１０における「ＹＥＳ」）、ブックマーク情報に含まれるＢＭ表示時刻とＢＭ対象コンテンツとを用いて、音楽認識処理を実行して、取得した番組コンテンツから音楽先頭フレームを検出して取得し（ステップＳ３０１５）、さらに、取得した音楽先頭フレームから連続するフレームを予め設定された数分コピーにより取得し、さらに音声データをもコピーにより取得する（ステップＳ３０２０）。なお、ステップＳ３０１５においては、取得した音楽先頭フレームに対応する音声データをもコピーにより取得する。
ブックマーク情報に含まれる付加情報が、「音楽」でないと判断する場合には（ステップＳ３０１０における「ＮＯ」）、「人物」であるか否かを判断する（ステップＳ３０２５）。
「人物」であると判断する場合には（ステップＳ３０２５の「ＹＥＳ」）、ブックマーク情報に含まれるＢＭ表示時刻とＢＭ対象コンテンツとを用いて、人物認識処理を実行して、取得した番組コンテンツから人物先頭フレームを検出して取得する（ステップＳ３０３０）。
「人物」でないと判断する場合には（ステップＳ３０２５における「ＮＯ」）、「文字」であるか否かを判断する（ステップＳ３０３５）。
「文字」であると判断する場合には（ステップＳ３０３５における「ＹＥＳ」）、ブックマーク情報に含まれるＢＭ表示時刻とＢＭ対象コンテンツとを用いて、文字認識処理を実行して、取得した番組コンテンツから文字先頭フレームを検出して取得する（ステップＳ３０４０）。
「文字」でないと判断する場合（ステップＳ３０３５における「ＮＯ」）、つまり、「キャプチャ」であると判断する場合には、キャプチャ認識処理を実行して、取得した番組コンテンツからキャプチャ先頭フレームを検出して取得する（ステップＳ３０４５）。
データ取得部３０４１は、フラグが「０」でない、つまり「１」であると判断する場合には（ステップＳ３００５における「ＮＯ」）、取得したＢＭ対象コンテンツから、ＢＭ表示時刻と、コーナー認識処理とを用いて、情報取得部３０４０にて取得されたブックマーク情報に含まれる付加情報にて示される情報に対応する画像データを含むコーナーを検出し、検出したコーナーに含まれる画像データ全てをコピーにより取得、つまり動画像を取得する（ステップＳ３０５０）。
なお、フレームを検出して取得とは、フレームを検出し、検出したフレームをコピーにより取得することをいう。
２．６．６  番組コンテンツ取得処理
ここでは、図５１に示す画像データ取得処理のステップＳ３０００にて行われる番組コンテンツ取得処理について、図５２に示す流れ図を用いて説明する。
データ取得部３０４１は、情報取得部３０４０にて取得したブックマーク情報のＣＨ番号及び番組ＩＤと対応する番組コンテンツを番組コンテンツ記憶部２００１より、少なくとも１つ以上取得する（ステップＳ３１００）。次に、取得した番組コンテンツが１つであるか否かを判断する（ステップＳ３１０５）。
取得した番組コンテンツが１つであると判断する場合には（ステップＳ３１０５における「ＹＥＳ」）、処理を終了し、取得した番組コンテンツが１つでないと判断する場合には（ステップＳ３１０５における「ＮＯ」）、取得した複数の番組コンテンツのうち録画開始時刻がブックマーク情報に含まれるＢＭ表示時刻にて示される時刻と一致する番組コンテンツを取得する（ステップＳ３１１０）。
２．６．７  削除処理
ここでは、再生装置３０００にて行われる番組コンテンツの削除処理について、図５３及び図５４に示す流れ図を用いて説明する。
削除部３００６は、削除指示情報を受け取ると（ステップＳ３２００）、受け取った削除指示情報に含まれる番組ＩＤと対応する番組コンテンツを番組コンテンツ記憶部３００１より取得し、さらに、番組ＩＤと対応するブックマーク情報を全てブックマーク記憶部３００２より取得する（ステップＳ３２０５）。
取得した全てのブックマーク情報のうち１つのブックマーク情報に対して、ブックマーク情報に含まれる付加情報が音楽であるか否かの判断を行う（ステップＳ３２１０）。
「音楽」であると判断する場合には（ステップＳ３２１０における「ＹＥＳ」）、削除部３００６は、音楽認識処理を実行して、音楽先頭フレームを検出し（ステップＳ３２１５）、さらに、検出した音楽先頭フレームを用いて音楽用音声画像データをコピーにより取得し、取得した音楽用音声画像データを番組ＩＤ、ＣＨ番号及びＢＭ表示時刻と対応付けて一時的に記憶する（ステップＳ３２２０）。
「音楽」でないと判断する場合には（ステップＳ３２１０における「ＮＯ」）、付加情報が「人物」であるか否かを判断する（ステップＳ３２２５）。
「人物」であると判断する場合には（ステップＳ３２２５における「ＹＥＳ」）、削除部３００６は、人物認識処理を実行して、人物先頭フレームを検出し（ステップＳ３２３０）、検出した人物先頭フレームを用いて、人物用音声画像データをコピーにより取得し、取得した人物用音声画像データを番組ＩＤ、ＣＨ番号及びＢＭ表示時刻と対応付けて一時的に記憶する（ステップＳ３２３５）。
「人物」でないと判断する場合には（ステップＳ３２２５における「ＮＯ」）、付加情報が「文字」であるか否かを判断する（ステップＳ３２４０）。
「文字」であると判断する場合には（ステップＳ３２４０における「ＹＥＳ」）、削除部３００６は、文字認識処理を実行して、文字先頭フレームを検出し（ステップＳ３２４５）、検出した文字先頭フレームを用いて、文字用音声画像データをコピーにより取得し、取得した文字用音声画像データを番組ＩＤ、ＣＨ番号及びＢＭ表示時刻と対応付けて一時的に記憶する（ステップＳ３２５０）。
「文字」でないと判断する場合（ステップＳ３２４０における「ＮＯ」）、つまり、付加情報が「キャプチャ」であると判断する場合には、削除部３００６は、キャプチャ認識処理を実行して、キャプチャ先頭フレームを検出し（ステップＳ３２５５）、検出したキャプチャ先頭フレームを用いて、キャプチャ用音声画像データをコピーにより取得し、取得したキャプチャ用音声画像データを番組ＩＤ、ＣＨ番号及びＢＭ表示時刻と対応付けて一時的に記憶する（ステップＳ３２７０）。
削除部３００６は、ステップＳ３２０５にて取得したブックマーク情報のうちで、ステップＳ３２１０からステップＳ３２６０までの処理がされていないブックマーク情報が存在するか否かを判断する（ステップＳ３２６５）。
ブックマーク情報が存在すると判断する場合には（ステップＳ３２６５における「ＹＥＳ」）、処理がされていないブックマーク情報を取得し（ステップＳ３２７０）、ステップＳ３２１０に戻り、取得したブックマーク情報に対して、ステップＳ３２１０以降の動作を行う。
削除部３００６は、ステップＳ３２１０からステップＳ３２６０までの処理がされていないブックマーク情報が存在しない、つまり、ステップＳ３２０５にて取得した全てのブックマーク情報に対してステップＳ３２１０からステップＳ３２６０までの処理がされていると判断する場合には（ステップＳ３２６５における「ＮＯ」）、番組コンテンツを消去し（ステップＳ３２７５）、一時的に記憶している音声画像データを番組ＩＤ、ＣＨ番号、ＢＭ表示時刻と対応付けて番組コンテンツ記憶部３００１へ記憶する（ステップＳ３２８０）。
２．７  その他の変形例
本発明を上記の実施の形態に基づいて説明してきたが、本発明は、上記の実施の形態に限定されないのはもちろんである。以下の場合も本発明に含まれる。
（１）上記実施の形態では、再生装置２０００は、ブックマークの指示を番組コンテンツの再生中に受け取ったが、これに限定されない。再生装置２０００は、ブックマーク情報に対応する動画像の再生中に、ブックマークの指示を受け取ってもよい。例えば、第２登録指示命令を含むブックマーク指示により、検出された動画像、つまり、１コーナー分の動画像を再生中に、ブックマークの指示を受け付けてもよい。
このとき、再生装置２０００は、ＢＭ表示時刻として、認識処理（例えば、コーナー認識処理）にて取得した先頭フレームに対する放送時刻を記録する。再生装置２０００は、動画像の再生中に、ブックマーク指示情報を受け付けると、再生中の動画像に対応するＢＭ表示時刻から、ブックマークされた放送時刻を算出し、さらに、再生中の動画像に対応するブックマーク情報からＣＨ番号、番組ＩＤを取得する。また、再生装置２０００は識別名を受け取り、算出された放送時刻、取得したＣＨ番号及び番組ＩＤと、受け取った識別名と、対象記憶領域にて記憶している情報とを用いてブックマーク情報を生成する。さらに、再生装置２０００は、算出された放送時刻と、対象記憶領域にて記憶している情報に対応する認識処理とを用いて、ブックマーク情報に対応する静止画像若しくは動画像を取得する。再生装置２０００は、取得した静止画像若しくは動画像と、生成したブックマーク情報とを対応付けて記憶する。なお、ブックマーク指示情報に地域コードが含まれている場合には、再生装置２０００は、算出された放送時刻と、取得したＣＨ番号及び番組ＩＤと、受け取った識別名と、ブックマーク情報に含まれる地域コードと、対象記憶領域にて記憶している情報とを用いてブックマーク情報を生成する。
これにより、再生装置２０００は、動画像の再生中にブックマークを行うことが可能となる。
（２）上記（１）における動作を、再生装置３０００に適用してもよい。
このとき、再生装置３０００は、表示要求により、ブックマーク情報に対応する動画像を再生する場合には、認識処理にて取得した先頭フレームの放送時刻を算出し、一時的に記憶しておく。再生装置３０００は、ブックマーク指示情報を受け取ると、記憶している放送時刻を用いて、ブックマーク指示情報を受け取った時点での放送時刻を算出し、さらに、再生中の動画像に対応するブックマーク情報からＣＨ番号、番組ＩＤを取得する。また、再生装置２０００は識別名を受け取り、算出された放送時刻、取得したＣＨ番号及び番組ＩＤと、受け取った識別名と、対象記憶領域にて記憶している情報とを用いてブックマーク情報を生成し、記憶する。なお、ブックマーク指示情報に地域コードが含まれている場合には、再生装置３０００は、算出された放送時刻と、取得したＣＨ番号及び番組ＩＤと、受け取った識別名と、ブックマーク情報に含まれる地域コードと、対象記憶領域にて記憶している情報とを用いてブックマーク情報を生成する。
（３）上記に示すリモコン２３００において、左ボタン２３１３及び右ボタン２３１４を用いて、ブックマークの対象を変更したが、これに限定されない。リモコン２３００は、左ボタン２３１３及び右ボタン２３１４の代わりに、ブックマークの対象を示すボタン、例えば、音楽ボタン、人物ボタン、文字ボタン及びキャプチャボタンを備えてもよい。
このとき、リモコン２３００は、音楽ボタン、人物ボタン、文字ボタン及びキャプチャボタンのうち何れかが押下されると、第１登録指示情報と、対応情報とを含むブックマーク指示情報を、照射部２３０３を介して再生装置２０００へ送信する。なお、対応情報は、第１の実施の形態にて示す対応情報と同様であるため、説明は省略する。
リモコン２３００は、音楽ボタン、人物ボタン、文字ボタン及びキャプチャボタンのうち何れかが押下され、且つ文字操作部２３０２の操作により地域コードが入力されると、第１登録指示情報と、対応情報と、地域コードとからなるブックマーク指示情報を、照射部２３０３を介して再生装置２０００へ送信する。
再生装置２０００の情報生成部２０３０は、ブックマーク指示情報を受け取ると、受け取ったブックマーク指示情報に含まれる対応情報を用いて、ブックマーク情報を生成する。なお、ブックマーク情報に含まれる他の要素は、上記実施の形態にて示す動作にて取得する。
以降における動作は、上記実施の形態にて示す動作と同様であるため、説明は省略する。
（４）上記実施の形態において、ブックマークシステムは、再生装置２０００と携帯電話機２１００とから構成されるとしたが、これに限定されない。ブックマークシステムは、再生装置からのみなるとしてもよい。この場合、再生装置は、第１登録指示命令を含むブックマーク指示情報及び第２登録指示命令を含むブックマーク情報のうち何れかをリモコンから受け取り、ブックマーク情報に係る画像を表示する場合には、表示開始情報をリモコンからのみ受け取る。
（５）再生装置２０００は、ブックマークされた静止画像若しくは動画像を取得する際に、認識処理を施して、ＢＭ表示時刻より前に位置する先頭フレームを検出したが、これに限定されない。ＢＭ表示時刻に対応するフレームを先頭フレームとしてもよい。
（６）上記実施の形態及び上記変形例をそれぞれ組み合わせるとしてもよい。
３．変形例
本発明を上記の実施の形態に基づいて説明してきたが、本発明は、上記の実施の形態に限定されないのはもちろんである。以下の場合も本発明に含まれる。
（１）上記実施の形態では、再生する番組コンテンツは再生装置にて記憶されていたが、これに限定されない。再生する番組コンテンツは、サーバ型放送により配信されてもよい。このとき、番組コンテンツを配信するサーバと再生装置との間で、ブックマークの登録及びブックマーク情報に係る画像の送受信を行ってもよい。
（２）上記実施の形態では、ブックマーク情報の生成時に、生成したブックマーク情報に対応する画像を取得する際に、コーナー認識処理若しくは付加情報に対応する認識処理を施して画像を取得したが、これに限定されない。
再生装置は、再生した画像を、所定容量からなるバッファに格納する機能を備え、ブックマークの指示があった場合には、バッファにて記憶されている１以上の画像を、ブックマーク情報に対応する静止画像若しくは動画像として、ブックマーク情報と対応付けて記憶するようにしてもよい。
（３）上記実施の形態において、ブックマーク情報に対応する画像を携帯電話機に送信した場合に、携帯電話機は、当該携帯電話機内のメモリや着脱可能な記録媒体（例えば、ＳＤカード）に、受信した画像を記録してもよい。
（４）本発明において、図２、図１０、図２２、図２４、図２８、図３２、図４２及び図４９に示す破線で囲んだ機能ブロックの一部、又は全てを、集積回路であるＬＳＩにて実現してもよい。これらの機能ブロックは、個別に１チップ化されてもよいし、一部又は全てを含むように１チップ化されてもよい。
ここでは、録画再生装置の制御を行う集積回路として、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍ  ｍａｂｌｅ  Ｇａｔｅ  Ａｒｒａｙ）や、ＬＳＩ内部の回路セルの接続や設定を再構成可能なリコンフィギュラブル・プロセッサを利用してもよい。
さらには、半導体技術の進歩又は派生する別技術によりＬＳＩに置き換わる集積回路化の技術が登場すれば、当然、その技術を用いて機能ブロックの集積化を行ってもよい。このような技術には、バイオ技術の適応等が可能性としてありえる。
（５）本発明において、ブックマーク情報に対応する情報として、静止画像若しくは動画像を取得したが、これに限定されない。ブックマーク情報に対応する情報として音声データのみを取得するようにしてもよい。この場合、例えば、上記の実施の形態では、ブックマーク情報に含まれる付加情報が、「音楽」である場合には、取得する情報として、音声のみを取得することになる。
（６）本発明において、ブックマークの指示がなされた時点までの経過時間を算出するために、番組コンテンツの再生開始からのフレームの数をカウントしたが、これに限定されない。タイマーを用いて、番組コンテンツの再生開始からの経過時刻を計時してもよい。
この場合、再生装置は、ブックマーク指示情報を受け取ると、受け取った時点において、計時されている時刻を経過時刻として取得する。
（７）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（８）上記実施の形態及び上記変形例をそれぞれ組み合わせるとしてもよい。
産業上の利用の可能性
上記にて示したブックマークシステムは、再生装置及び携帯端末機を製造及び販売する産業において、経営的、つまり反復的かつ継続的に利用されうる。
【図１】
2005032829.tif 000003
【図２】
2005032829.tif 000004
【図３】
2005032829.tif 000005
【図４】
2005032829.tif 000006
【図５】
2005032829.tif 000007
【図６】
2005032829.tif 000008
【図７】
2005032829.tif 000009
【図８】
2005032829.tif 000010
【図９】
2005032829.tif 000011
【図１０】
2005032829.tif 000012
【図１１】
2005032829.tif 000013
【図１２】
2005032829.tif 000014
【図１３】
2005032829.tif 000015
【図１４】
2005032829.tif 000016
【図１５】
2005032829.tif 000017
【図１６】
2005032829.tif 000018
【図１７】
2005032829.tif 000019
【図１８】
2005032829.tif 000020
【図１９】
2005032829.tif 000021
【図２０】
2005032829.tif 000022
【図２１】
2005032829.tif 000023
【図２２】
2005032829.tif 000024
【図２３】
2005032829.tif 000025
【図２４】
2005032829.tif 000026
【図２５】
2005032829.tif 000027
【図２６】
2005032829.tif 000028
【図２７】
2005032829.tif 000029
【図２８】
2005032829.tif 000030
【図２９】
2005032829.tif 000031
【図３０】
2005032829.tif 000032
【図３１】
2005032829.tif 000033
【図３２】
2005032829.tif 000034
【図３３】
2005032829.tif 000035
【図３４】
2005032829.tif 000036
【図３５】
2005032829.tif 000037
【図３６】
2005032829.tif 000038
【図３７】
2005032829.tif 000039
【図３８】
2005032829.tif 000040
【図３９】
2005032829.tif 000041
【図４０】
2005032829.tif 000042
【図４１】
2005032829.tif 000043
【図４２】
2005032829.tif 000044
【図４３】
2005032829.tif 000045
【図４４】
2005032829.tif 000046
【図４５】
2005032829.tif 000047
【図４６】
2005032829.tif 000048
【図４７】
2005032829.tif 000049
【図４８】
2005032829.tif 000050
【図４９】
2005032829.tif 000051
【図５０】
2005032829.tif 000052
【図５１】
2005032829.tif 000053
【図５２】
2005032829.tif 000054
【図５３】
2005032829.tif 000055
【図５４】
2005032829.tif 000056
【手続補正書】
【提出日】平成17年8月25日(2005.8.25)
【手続補正１】
【補正対象書類名】特許請求の範囲
【補正対象項目名】全文
【補正方法】変更
【補正の内容】
【特許請求の範囲】
【請求項１】
再生装置であって、
オブジェクトの種類を示す種類情報を受け取る情報受取手段と、
前記種類情報を受け取った時点における再生中のコンテンツの再生位置を示す位置情報を取得する位置取得手段と、
前記種類情報にて示される種類に対応するオブジェクトを含み、前記位置情報にて示される再生位置又は再生位置の近傍から開始される部分コンテンツを、前記コンテンツから取得する部分コンテンツ取得手段と
を備えることを特徴とする再生装置。
【請求項２】
前記部分コンテンツ取得手段は、前記位置取得手段が前記位置情報を取得した時点で、前記部分コンテンツを取得し、
前記再生装置は、さらに、
ブックマーク記憶手段と、
前記部分コンテンツを、前記ブックマーク記憶手段に書き込む書込手段と
を備えることを特徴とする請求項１に記載の再生装置。
【請求項３】
前記コンテンツは、複数の静止画像からなる動画像を含み、
前記部分コンテンツは、前記コンテンツに含まれる静止画像から構成され、
前記部分コンテンツ取得手段は、前記位置情報にて示される再生位置から前方方向において、前記種類情報にて示される種類に対応するオブジェクトが出現する静止画像を検出し、検出した静止画像を前記部分コンテンツとして取得する
ことを特徴とする請求項２に記載の再生装置。
【請求項４】
前記部分コンテンツ取得手段は、前記種類情報が、画像に関連するオブジェクトが属する種類を示す場合には、静止画像を前記部分コンテンツとして取得する
ことを特徴とする請求項３に記載の再生装置。
【請求項５】
前記種類情報は、オブジェクトの種類が１画像の一部を構成する人物画像又は文字であること示す、又は１画像全体を構成するキャプチャであることを示し、
前記部分コンテンツ取得手段は、前記種類情報にて示される種類が、人物画像、文字又はキャプチャであることを示す場合には、静止画像を前記部分コンテンツとして取得する
ことを特徴とする請求項４に記載の再生装置。
【請求項６】
前記コンテンツは、複数の静止画像からなる動画像と、動画像に対応する音声とを含み、
前記部分コンテンツは、前記コンテンツに含まれる部分動画像及び前記部分動画像に対応する部分音声から構成され、
前記部分コンテンツ取得手段は、前記位置情報にて示される再生位置から前方方向において、前記種類情報にて示される種類に対応するオブジェクトが出現する静止画像を検出し、検出した静止画像から開始される部分動画像と前記部分動画像に対応する部分音声とを前記部分コンテンツとして取得する
ことを特徴とする請求項２に記載の再生装置。
【請求項７】
前記部分コンテンツ取得手段は、前記種類情報が、音に関連するオブジェクトが属する種類を示す場合には、部分動画像及び前記部分動画像に対応する部分音声を前記部分コンテンツとして取得する
ことを特徴とする請求項６に記載の再生装置。
【請求項８】
前記種類情報は、オブジェクトの種類が音楽であることを示し、
前記部分コンテンツ取得手段は、前記種類情報にて示される種類が、音楽である場合には、部分動画像及び前記部分動画像に対応する部分音声を、前記部分コンテンツとして取得する
ことを特徴とする請求項７に記載の再生装置。
【請求項９】
前記コンテンツは、１以上のコーナーコンテンツを含み、
各コーナーコンテンツは、１以上の画像を含み、
各コーナーコンテンツの前後には、コーナーコンテンツの境界を示す特定画像が存在し、
前記部分コンテンツ取得手段は、前記位置情報にて示される再生位置から前方方向において、前記再生位置に最も近い特定画像を検出し、検出した特定画像の直後から開始されるコーナーコンテンツを、前記部分コンテンツとして取得する
ことを特徴とする請求項２に記載の再生装置。
【請求項１０】
前記再生装置は、さらに、
前記部分コンテンツの出力要求を受け取る要求受取手段と、
前記要求受取手段が前記出力要求を受け取ると、前記部分コンテンツを、前記ブックマーク記憶手段より読み出す読出手段と、
読み出された前記部分コンテンツを出力する出力手段と
を備えることを特徴とする請求項２に記載の再生装置。
【請求項１１】
前記再生装置は、さらに、
前記部分コンテンツの出力要求を、外部端末よりネットワークを介して受信する受信手段と、
前記受信手段が、前記出力要求を受け取ると、前記部分コンテンツを、前記ブックマーク記憶手段より読み出す読出手段と、
読み出された前記部分コンテンツを、前記外部端末へネットワークを介して送信するコンテンツ送信手段と
を備えることを特徴とする請求項２に記載の再生装置。
【請求項１２】
前記再生装置は、さらに、
前記部分コンテンツ取得手段にて取得される部分コンテンツの出力要求を受け取る要求受取手段と、
取得された前記部分コンテンツを出力する出力手段とを備え、
前記部分コンテンツ取得手段は、前記要求受取手段が前記出力要求を受け取った時点で、前記位置情報及び前記種類情報を用いて、部分コンテンツを取得する
ことを特徴とする請求項１に記載の再生装置。
【請求項１３】
前記部分コンテンツ取得手段は、
前記コンテンツの削除を示す削除情報を受け取ると、前記コンテンツから、前記部分コンテンツを含む特定部分コンテンツを除く他の部分を削除する
ことを特徴とする請求項１に記載の再生装置。
【請求項１４】
前記コンテンツは、複数の静止画像からなる動画像と、動画像に対応する音声とを含み、
前記再生装置は、さらに、
前記コンテンツを予め記録しているコンテンツ記憶手段を備え、
前記部分コンテンツ取得手段は、
ブックマーク記憶部と、
前記位置情報と、前記種類情報とを対応付けて、前記ブックマーク記憶部に書き込む書込部と、
前記コンテンツの削除を示す削除情報を受け取る削除受取部と、
前記削除受取部が削除情報を受け取ると、前記位置情報にて示される再生位置から前方方向において、前記種類情報にて示される種類に対応するオブジェクトが出現する静止画像を前記コンテンツから検出し、検出した静止画像から開始される特定部分動画像と、前記特定部分動画像に対応する特定部分音声とを含み、前記コンテンツの一部である特定部分コンテンツを取得する第１取得部と、
前記第１取得部にて取得された特定部分コンテンツを前記コンテンツ記憶手段へ記録する記録部と、
前記コンテンツを前記コンテンツ記憶手段より削除する削除部と、
前記コンテンツ記憶手段にて記録されている前記特定部分コンテンツから、前記種類情報及び前記位置情報を用いて、前記部分コンテンツを取得する第２取得部と
を備えることを特徴とする請求項１３に記載の再生装置。
【請求項１５】
前記再生装置は、さらに、
前記部分コンテンツの出力要求を受け取る要求受取手段と、
取得された前記部分コンテンツを出力する出力手段とを備え、
前記第２取得部は、前記要求受取手段が前記出力要求を受け取った時点で、前記位置情報及び前記種類情報を用いて、部分コンテンツを取得する
ことを特徴とする請求項１４に記載の再生装置。
【請求項１６】
前記部分コンテンツ取得手段は、前記位置取得手段が前記位置情報を取得した時点で、前記部分コンテンツを取得し、
前記再生装置は、さらに、
前記コンテンツを予め記録しているコンテンツ記憶手段と、
ブックマーク記憶手段と、
前記部分コンテンツを、前記ブックマーク記憶手段に書き込む書込手段と、
前記コンテンツの削除を示す削除情報を受け取る削除受取手段と、
前記削除受取手段が削除情報を受け取ると、前記ブックマーク記憶手段に記憶されている前記部分コンテンツを残し、前記コンテンツを前記コンテンツ記憶手段より削除する削除手段と
を備えることを特徴とする請求項１に記載の再生装置。
【請求項１７】
前記情報受取手段は、前記種類情報を外部端末から受け取り、さらに、前記外部端末を識別する端末識別子を前記外部端末から受け取り、
前記再生装置は、さらに、
ブックマーク記憶手段と、
前記端末識別子を、前記位置情報及び前記種類情報と対応付けて、ブックマーク記憶手段に書き込む書込手段と
を備えることを特徴とする請求項１に記載の再生装置。
【請求項１８】
前記再生装置は、さらに、
外部端末から、前記部分コンテンツ取得手段にて取得される部分コンテンツの出力要求と、端末識別子とを受信する受信手段と、
前記部分コンテンツを、前記出力要求を送信した外部端末へ送信するコンテンツ送信手段とを備え、
前記部分コンテンツ取得手段は、受信した端末識別子と、ブックマーク記憶手段に記憶されている端末識別子とを比較し、一致した端末識別子に対応する位置情報及び種類情報を、前記ブックマーク記憶手段から読み出し、読み出した位置情報及び種類情報とを用いて、前記部分コンテンツを取得する
ことを特徴とする請求項１７に記載の再生装置。
【請求項１９】
前記コンテンツは、複数の画像からなる画像群を含み、
前記部分コンテンツは、前記画像群に含まれる少なくとも１以上の画像を含み、
前記部分コンテンツ取得手段は、前記部分コンテンツに含まれる各画像の画質を、前記コンテンツに含まれる画像群を形成する画像の画質よりも低くなるように間引きする
ことを特徴とする請求項１８に記載の再生装置。
【請求項２０】
前記コンテンツは、音声を含み、
前記部分コンテンツは、前記音声の一部である部分音声を含み、
前記部分コンテンツ取得手段は、前記部分コンテンツに含まれる前記部分音声の音質を、前記コンテンツに含まれる音声の音質より低くなるように間引きする
ことを特徴とする請求項１８に記載の再生装置。
【請求項２１】
前記コンテンツは、複数の画像からなる画像群を含み、
前記部分コンテンツは、前記画像群に含まれる少なくとも１以上の画像に、予め定めされた文字が付加されており、
前記部分コンテンツ取得手段は、前記画像群から取得された画像に、予め定められた文字を付加する
ことを特徴とする請求項１８に記載の再生装置。
【請求項２２】
前記ブックマーク記憶手段は、さらに、前記位置情報及び前記種類情報とは異なる別の位置情報及び別の種類情報が、前記外部端末とは異なる別の外部端末を識別する別の端末識別子と、対応付けられて格納されており、前記別の位置情報及び前記別の種類情報は、前記コンテンツに対応しており、
前記再生装置は、さらに、
前記送信手段にて送信された前記部分コンテンツの有効期限を、前記位置情報と対応付けて、前記ブックマーク記憶手段へ書き込む期限書込手段を備え、
前記部分コンテンツ取得手段は、前記有効期限内において、前記受信手段が前記外部端末から前記出力要求及び前記端末識別子を受信した場合には、前記部分コンテンツを取得し、前記受信手段が、前記別の外部端末から、前記別の位置情報と前記別の種類情報とに対する部分コンテンツの出力要求、及び前記別の端末識別子を受信した場合には、前記別の位置情報と前記別の種類情報とに対する部分コンテンツの取得を抑止する
ことを特徴とする請求項１８に記載の再生装置。
【請求項２３】
前記情報受取手段は、さらに、オブジェクトに関連する地域を示す地域識別子を受け取り、
前記再生装置は、さらに、
ブックマーク記憶手段と、
前記地域識別子を、前記位置情報及び前記種類情報と対応付けて、前記ブックマーク記憶手段に書き込む書込手段と
を備えることを特徴とする請求項１に記載の再生装置。
【請求項２４】
前記再生装置は、さらに、
外部端末から、前記部分コンテンツ取得手段にて取得される部分コンテンツの出力要求と、前記外部端末が位置する地域を示す端末地域識別子とを、受信する識別子受信手段と、
前記部分コンテンツを、前記外部端末へ送信するコンテンツ送信手段とを備え、
前記部分コンテンツ取得手段は、前記端末地域識別子と一致する地域識別子に対応する位置情報及び種類情報を、前記ブックマーク記憶手段から読み出し、読み出した位置情報及び種類情報とを用いて、前記部分コンテンツを取得する
ことを特徴とする請求項２３に記載の再生装置。
【請求項２５】
前記位置取得手段は、前記位置情報として、前記コンテンツの再生開始から前記種類情報を受け取った時点までの経過時刻を取得し、
前記部分コンテンツ取得手段は、前記経過時刻内より開始される前記部分コンテンツを取得する
ことを特徴とする請求項１に記載の再生装置。
【請求項２６】
再生装置と、前記再生装置に、再生中のコンテンツにブックマークを付す指示を送る端末装置とからなるブックマークシステムであって、
前記端末装置は、
オブジェクトに対するブックマークの指示を利用者から受け付ける受付手段と、
前記ブックマークの指示が受け付けられると、前記オブジェクトの種類を示す種類情報を前記再生装置へ送信する情報送信手段とを備え、
前記再生装置は、
前記端末装置から、前記種類情報を受け取る情報受取手段と、
前記種類情報を受け取った時点における再生中のコンテンツの再生位置を示す位置情報を取得する位置取得手段と、
前記種類情報にて示される種類に対応するオブジェクトを含み、前記位置情報にて示される再生位置又は再生位置の近傍から開始される部分コンテンツを、前記コンテンツから取得する部分コンテンツ取得手段と
を備えることを特徴とするブックマークシステム。
【請求項２７】
前記部分コンテンツ取得手段は、前記情報受取手段が種類情報を受け取った時点で、前記部分コンテンツを取得し、
前記再生装置は、さらに、
ブックマーク記憶手段と、
前記部分コンテンツを、前記ブックマーク記憶手段に書き込む書込手段と
を備えることを特徴とする請求項２６に記載のブックマークシステム。
【請求項２８】
前記端末装置は、さらに、
当該端末装置を識別する端末識別子を予め記憶している識別子記憶手段を備え、
前記情報送信手段は、さらに、前記端末識別子を、前記種類情報と対応付けて送信し、
前記情報受取手段は、さらに、前記端末識別子を受け取り、
前記書込手段は、さらに、受け取った前記端末識別子を、前記部分コンテンツと対応付けて、前記ブックマーク記憶手段に書き込む
ことを特徴とする請求項２７に記載のブックマークシステム。
【請求項２９】
前記受付手段は、さらに、前記ブックマーク記憶手段に記憶されている部分コンテンツの出力要求を受け付け、
前記再生装置は、さらに、
前記出力要求と、前記出力要求を行った端末装置を識別する端末識別子とを、前記端末装置から受信する受信手段と、
前記受信手段が前記出力要求と前記端末識別子とを受信すると、受信した端末識別子と、ブックマーク記憶手段に記憶されている端末識別子とを比較し、一致した端末識別子に対応する部分コンテンツを、前記ブックマーク記憶手段より読み出す読出手段と、
読み出された部分コンテンツを、前記端末装置へ送信するコンテンツ送信手段とを備え、
前記端末装置は、さらに、
前記受付手段が、前記出力要求を受け付けると、受け付けられた前記出力要求と前記端末識別子とを前記再生装置へ送信する要求送信手段と、
前記読出手段にて読み出された部分コンテンツを、前記再生装置から受信するコンテンツ受信手段と、
受信した部分コンテンツを出力するコンテンツ出力手段と
を備えることを特徴とする請求項２８に記載のブックマークシステム。
【請求項３０】
前記再生装置と、前記端末装置とは、ホームネットワークにより接続されており、
前記再生装置は、前記ホームネットワークにおけるサーバ装置であり、
前記端末装置は、前記ホームネットワークにおけるクライアント装置である
ことを特徴とする請求項２９に記載のブックマークシステム。
【請求項３１】
前記端末装置は、携帯型の端末装置である
ことを特徴とする請求項２９に記載のブックマークシステム。
【請求項３２】
前記再生装置は、さらに、
前記位置情報を、前記端末措置へ送信する位置送信手段を備え、
前記端末装置は、さらに、
前記位置情報を、受信する位置受信手段と、
ブックマーク記憶手段と、
受信した前記位置情報と、前記再生装置へ送信した前記種類情報とを対応付けて、前記ブックマーク記憶手段へ書き込む情報書込手段と
を備えることを特徴とする請求項２６に記載のブックマークシステム。
【請求項３３】
前記受付手段は、さらに、前記位置情報及び前記種類情報に対する部分コンテンツの出力要求を受け付け、
前記端末装置は、さらに、
前記受付手段が前記出力要求を受け付けると、受け付けられた前記出力要求と、前記ブックマーク記憶手段にて記憶されている前記位置情報及び前記種類情報とを、前記再生装置へ送信する要求送信手段と、
送信した前記位置情報及び前記種類情報により取得された部分コンテンツを、前記再生装置から受信するコンテンツ受信手段と、
受信した前記部分コンテンツを出力するコンテンツ出力手段とを備え、
前記再生装置は、さらに、
前記位置情報及び前記種類情報と、前記出力要求とを、前記端末装置から受信する受信手段と、
前記部分コンテンツ取得手段にて取得される部分コンテンツを、前記端末装置へ送信するコンテンツ送信手段とを備え、
前記部分コンテンツ取得手段は、受信手段が前記位置情報及び前記種類情報と、前記出力要求とを受信した時点で、受信した前記位置情報及び前記種類情報とを用いて、部分コンテンツを取得する
ことを特徴とする請求項３２に記載のブックマークシステム。
【請求項３４】
再生装置に、再生中のコンテンツにブックマークを付す指示を送る端末装置であって、
オブジェクトに対するブックマークの指示を利用者から受け付ける受付手段と、
前記ブックマークの指示が受け付けられると、前記オブジェクトの種類を示す種類情報を前記再生装置へ送信する情報送信手段と、
前記種類情報を送信した時点における再生中のコンテンツの再生位置を示す位置情報を、前記再生装置から受信する位置受信手段と、
ブックマーク記憶手段と、
受信した前記位置情報と、前記再生装置へ送信した前記種類情報とを対応付けて、前記ブックマーク記憶手段へ書き込む情報書込手段と
を備えることを特徴とする端末装置。
【請求項３５】
前記ブックマーク記憶手段は、前記種類情報にて示される種類に対応する領域を有し、
前記情報書込手段は、前記種類情報及び前記位置情報を、対応する領域へ格納する
ことを特徴とする請求項３４に記載の端末装置。
【請求項３６】
前記受付手段は、さらに、前記位置情報及び前記種類情報に対応し、且つ前記再生装置にて前記コンテンツから取得される部分コンテンツの出力要求を受け付け、
前記端末装置は、さらに、
前記出力要求と、前記ブックマーク記憶手段にて記憶されている前記位置情報及び前記種類情報とを、前記再生装置へ送信する要求送信手段と、
前記位置情報及び前記種類情報に対する部分コンテンツを、前記再生装置から受信するコンテンツ受信手段と、
受信した前記部分コンテンツを出力するコンテンツ出力手段と
を備えることを特徴とする請求項３４に記載の端末装置。
【請求項３７】
前記端末装置は、他の端末装置と通信を行う携帯型の端末装置であり、
前記情報送信手段は、さらに、前記ブックマーク記憶手段にて記憶されている前記位置情報と前記種類情報とを、前記他の端末装置へ送信する
ことを特徴とする請求項３６に記載の端末装置。
【請求項３８】
前記位置受信手段は、さらに、前記他の端末装置から、前記他の端末装置に格納されている位置情報と種類情報とを受信し、
前記情報書込手段は、さらに、前記他の端末装置から受信した位置情報と種類情報とを前記ブックマーク記憶手段へ書き込む
ことを特徴とする請求項３７に記載の端末装置。
【請求項３９】
前記端末装置は、前記再生装置をサーバ装置とするホームネットワークによってネットワーク接続されたクライアント装置である
ことを特徴とする請求項３６に記載の端末装置。
【請求項４０】
前記受付手段は、さらに、オブジェクトに関連する地域を示す地域識別子を受け付け、
前記情報書込手段は、さらに、前記地域識別子を、前記位置情報と対応付けて、前記ブックマーク記憶手段へ書き込む
ことを特徴とする請求項３４に記載の端末装置。
【請求項４１】
前記受付手段は、さらに、地域識別子に対応する前記位置情報及び前記種類情報に対応し、且つ前記再生装置にて前記コンテンツから取得される部分コンテンツの出力要求を受け付け、
前記端末装置は、さらに、
前記出力要求を受け付けると、当該端末装置が現在位置する地域を識別する端末地域識別子を取得する識別子取得手段と、
取得された前記端末地域識別子と一致する端末識別子に対応する前記位置情報及び種類情報を、前記ブックマーク記憶手段から取得する情報取得手段と、
取得した前記位置情報及び種類情報と、前記出力要求とを、前記再生装置へ送信する要求送信手段と、
送信した前記位置情報及び前記種類情報により取得される部分コンテンツを、前記再生装置から受信するコンテンツ受信手段と、
受信した部分コンテンツを出力するコンテンツ出力手段と
を備えることを特徴とする請求項４０に記載の端末装置。
【請求項４２】
再生装置の集積回路であって、
オブジェクトの種類を示す種類情報を受け取る情報受取手段と、
前記種類情報を受け取った時点における再生中のコンテンツの再生位置を示す位置情報を取得する位置取得手段と、
前記種類情報にて示される種類に対応するオブジェクトを含み、前記位置情報にて示される再生位置又は再生位置の近傍から開始される部分コンテンツを、前記コンテンツから取得する部分コンテンツ取得手段と
を備えることを特徴とする集積回路。
【請求項４３】
再生装置に、再生中のコンテンツにブックマークを付す指示を送る端末装置の集積回路であって、
オブジェクトのブックマークの指示を利用者から受け付ける受付手段と、
前記ブックマークの指示が受け付けられると、前記オブジェクトの種類を示す種類情報を前記再生装置へ送信する情報送信手段と、
前記種類情報を送信した時点における再生中のコンテンツの再生位置を示す位置情報を、前記再生装置から受信する位置受信手段と、
ブックマーク記憶手段と、
受信した前記位置情報と、前記再生装置へ送信した前記種類情報とを対応付けて、前記ブックマーク記憶手段へ書き込む情報書込手段と
を備えることを特徴とする集積回路。
【請求項４４】
再生装置に用いられる取得方法であって、
オブジェクトの種類を示す種類情報を受け取る情報受取ステップと、
前記種類情報を受け取った時点における再生中のコンテンツの再生位置を示す位置情報を取得する位置取得ステップと、
前記種類情報にて示される種類に対応するオブジェクトを含み、前記位置情報にて示される再生位置又は再生位置又は再生位置の近傍から開始される部分コンテンツを、前記コンテンツから取得する部分コンテンツ取得ステップと
を含むことを特徴とする取得方法。
【請求項４５】
再生装置に、
オブジェクトの種類を示す種類情報を受け取る情報受取ステップと、
前記種類情報を受け取った時点における再生中のコンテンツの再生位置を示す位置情報を取得する位置取得ステップと、
前記種類情報にて示される種類に対応するオブジェクトを含み、前記位置情報にて示される再生位置又は再生位置の近傍から開始される部分コンテンツを、前記コンテンツから取得する部分コンテンツ取得ステップと
を実行させるための取得プログラム。
【請求項４６】
再生装置に、
オブジェクトの種類を示す種類情報を受け取る情報受取ステップと、
前記種類情報を受け取った時点における再生中のコンテンツの再生位置を示す位置情報を取得する位置取得ステップと、
前記種類情報にて示される種類に対応するオブジェクトを含み、前記位置情報にて示される再生位置又は再生位置の近傍から開始される部分コンテンツを、前記コンテンツから取得する部分コンテンツ取得ステップと
を実行させるための取得プログラムを記録したコンピュータ読み取り可能な取得プログラム記録媒体。
【請求項４７】
再生装置に、再生中のコンテンツにブックマークを付す指示を送り、且つブックマーク記憶手段を備える端末装置に用いられるブックマーク方法であって、
オブジェクトのブックマークの指示を利用者から受け付ける受付ステップと、
前記ブックマークの指示が受け付けられると、前記オブジェクトの種類を示す種類情報を前記再生装置へ送信する情報送信ステップと、
前記種類情報を送信した時点における再生中のコンテンツの再生位置を示す位置情報を、前記再生装置から受信する位置受信ステップと、
受信した前記位置情報と、前記再生装置へ送信した前記種類情報とを対応付けて、前記ブックマーク記憶手段へ書き込む情報書込ステップと
を含むことを特徴とするブックマーク方法。
【請求項４８】
再生装置に、再生中のコンテンツにブックマークを付す指示を送り、且つブックマーク記憶手段を備える端末装置に、
オブジェクトのブックマークの指示を利用者から受け付ける受付ステップと、
前記ブックマークの指示が受け付けられると、前記オブジェクトの種類を示す種類情報を前記再生装置へ送信する情報送信ステップと、
前記種類情報を送信した時点における再生中のコンテンツの再生位置を示す位置情報を、前記再生装置から受信する位置受信ステップと、
受信した前記位置情報と、前記再生装置へ送信した前記種類情報とを対応付けて、前記ブックマーク記憶手段へ書き込む情報書込ステップと
を実行させるためのブックマークプログラム。
【請求項４９】
再生装置に、再生中のコンテンツにブックマークを付す指示を送り、且つブックマーク記憶手段を備える端末装置に、
オブジェクトのブックマークの指示を利用者から受け付ける受付ステップと、
前記ブックマークの指示が受け付けられると、前記オブジェクトの種類を示す種類情報を前記再生装置へ送信する情報送信ステップと、
前記種類情報を送信した時点における再生中のコンテンツの再生位置を示す位置情報を、前記再生装置から受信する位置受信ステップと、
受信した前記位置情報と、前記再生装置へ送信した前記種類情報とを対応付けて、前記ブックマーク記憶手段へ書き込む情報書込ステップと
を実行させるためのブックマークプログラムを記録したコンピュータ読み取り可能なブックマークプログラム記録媒体。
【手続補正２】
【補正対象書類名】明細書
【補正対象項目名】全文
【補正方法】変更
【補正の内容】
【発明の詳細な説明】
【技術分野】
【０００１】
本発明は、コンテンツから、利用者の所望する部分コンテンツを取得する技術に関する。
【背景技術】
【０００２】
利用者がコンテンツを視聴している際に、視聴しているコンテンツの情報を、後日参照したい場合に、参照したいコンテンツとして指定しておくことで、後日指定したコンテンツの情報を参照する技術がある。
例えば、放送されたコンテンツの情報を検索する際に、的確なキーワードが分からなくても必要な検索ができる検索システムが開示されている。この検索システムは、参照したい番組コンテンツの指定を行うブックマーカーと、検索エンジンと、検索エンジンと通信を行うゲートウェイデバイスとから構成され、検索エンジンは、各放送局にて放送されたコンテンツのコンテンツ名とそのコンテンツの放送時刻とが関連付けられたプレイリストが蓄積されているデータベースと、放送されたコンテンツのコンテンツ名とそのコンテンツの関連情報とが関連付けられ蓄積されたデータベースとを有している。
【０００３】
この検索システムによると、利用者は、たまたまラジオ番組にて放送された音楽コンテンツが気に入った場合には、ブックマーカーによって、その時刻を示す時刻情報を取得し、ブックマーカーに記憶する。ブックマーカーは、ゲートウェイデバイスに接続され、利用者の所定の操作により、記憶している時刻情報を検索エンジンに送信する。検索エンジンは、受信した時刻情報に示される時刻に放送された音楽コンテンツの名称（曲名）をプレイリストから取得し、取得した曲名と関連付けられた関連情報（例えば、アーティスト名）を取得し、取得した曲名及び関連情報をゲートウェイデバイスへ送信する。ゲートウェイデバイスは、曲名及び関連情報を受信し、表示する。これにより、利用者は、放送されたコンテンツの曲名及び関連情報を、後日、簡単に参照することができる。
【特許文献１】特開２０００−３３９３４５号公報
【特許文献２】特開２００３−６２０２号公報
【発明の開示】
【発明が解決しようとする課題】
【０００４】
しかしながら、上記の検索システムは、検索エンジンを用いて、放送されたコンテンツのコンテンツ名と、関連情報を取得し、取得したコンテンツ名及び関連情報を、ゲートウェイデバイスを用いて、表示するのみであり、ある番組内において放送されたコンテンツの内容を、再度知りたいという利用者にとっては、上記の検索システムは、満足できるシステムとは言い難い。
【０００５】
そこで、本発明は、コンテンツから利用者が所望する部分コンテンツを取得することのできる再生装置、ブックマークシステム、端末装置、取得方法、取得プログラム、取得プログラム記録媒体、ブックマーク方法及びブックマークプログラム及びブックマークプログラム記録媒体を提供することを目的とする。
【課題を解決するための手段】
【０００６】
上記目的を達成するために、本発明は、再生装置であって、オブジェクトの種類を示す種類情報を受け取る情報受取手段と、前記種類情報を受け取った時点における再生中のコンテンツの再生位置を示す位置情報を取得する位置取得手段と、前記種類情報にて示される種類に対応するオブジェクトを含み、前記位置情報にて示される再生位置又は再生位置の近傍から開始される部分コンテンツを、前記コンテンツから取得する部分コンテンツ取得手段とを備えることを特徴とする。
【発明の効果】
【０００７】
この構成によると、再生装置は、種類情報にて示される種類の対応するオブジェクトを含み、位置情報にて示される再生位置又は再生位置の近傍から開始される部分コンテンツを取得することができる。これにより、再生装置は、ユーザが気に入ったオブジェクトを含む部分コンテンツを取得することができるので、ユーザは、取得された部分コンテンツから自身が気に入ったオブジェクトを、再度視聴することができる。
【０００８】
ここで、前記部分コンテンツ取得手段は、前記位置取得手段が前記位置情報を取得した時点で、前記部分コンテンツを取得し、前記再生装置は、さらに、ブックマーク記憶手段と、前記部分コンテンツを、前記ブックマーク記憶手段に書き込む書込手段とを備えるとしてもよい。
この構成によると、再生装置は、種類情報を受け取った時点で、部分コンテンツを取得し、取得した部分コンテンツを書き込むことが可能となる。これにより、再生装置は、取得した部分コンテンツを、ブックマーク記憶手段にて管理することができる。
【０００９】
ここで、前記コンテンツは、複数の静止画像からなる動画像を含み、前記部分コンテンツは、前記コンテンツに含まれる静止画像から構成され、前記部分コンテンツ取得手段は、前記位置情報にて示される再生位置から前方方向において、前記種類情報にて示される種類に対応するオブジェクトが出現する静止画像を検出し、検出した静止画像を前記部分コンテンツとして取得するとしてもよい。
【００１０】
この構成によると、再生装置は、オブジェクトが出現する静止画像を検出し、検出した静止画像を、部分コンテンツとして取得することができる。
ここで、前記部分コンテンツ取得手段は、前記種類情報が、画像に関連するオブジェクトが属する種類を示す場合には、静止画像を前記部分コンテンツとして取得するとしてもよい。
【００１１】
この構成によると、種類情報が画像に関連するオブジェクトが属する種類を示す場合には、再生装置は、静止画像を取得することができる。
ここで、前記種類情報は、オブジェクトの種類が１画像の一部を構成する人物画像又は文字であること示す、又は１画像全体を構成するキャプチャであることを示し、前記部分コンテンツ取得手段は、前記種類情報にて示される種類が、人物画像、文字又はキャプチャであることを示す場合には、静止画像を前記部分コンテンツとして取得するとしてもよい。
【００１２】
この構成によると、画像に関連するオブジェクトの種類を、人物画像、文字、又はキャプチャとすることができる。
ここで、前記コンテンツは、複数の静止画像からなる動画像と、動画像に対応する音声とを含み、前記部分コンテンツは、前記コンテンツに含まれる部分動画像及び前記部分動画像に対応する部分音声から構成され、前記部分コンテンツ取得手段は、前記位置情報にて示される再生位置から前方方向において、前記種類情報にて示される種類に対応するオブジェクトが出現する静止画像を検出し、検出した静止画像から開始される部分動画像と前記部分動画像に対応する部分音声とを前記部分コンテンツとして取得するとしてもよい。
【００１３】
この構成によると、再生装置は、オブジェクトが出現する静止画像を検出し、検出した静止画像から開始される部分動画像及び部分音声を、部分コンテンツとして取得することができる。
ここで、前記部分コンテンツ取得手段は、前記種類情報が、音に関連するオブジェクトが属する種類を示す場合には、部分動画像及び前記部分動画像に対応する部分音声を前記部分コンテンツとして取得するとしてもよい。
【００１４】
この構成によると、種類情報が音に関連するオブジェクトが属する種類を示す場合には、再生装置は、部分動画像及び部分音声を取得することができる。
ここで、前記種類情報は、オブジェクトの種類が音楽であることを示し、前記部分コンテンツ取得手段は、前記種類情報にて示される種類が、音楽である場合には、部分動画像及び前記部分動画像に対応する部分音声を、前記部分コンテンツとして取得するとしてもよい。
【００１５】
この構成によると、音に関連するオブジェクトの種類は、音楽とすることができる。
ここで、前記コンテンツは、１以上のコーナーコンテンツを含み、各コーナーコンテンツは、１以上の画像を含み、各コーナーコンテンツの前後には、コーナーコンテンツの境界を示す特定画像が存在し、前記部分コンテンツ取得手段は、前記位置情報にて示される再生位置から前方方向において、前記再生位置に最も近い特定画像を検出し、検出した特定画像の直後から開始されるコーナーコンテンツを、前記部分コンテンツとして取得するとしてもよい。
【００１６】
この構成によると、再生装置は、種類情報にて示される種類に対応するオブジェクトを含むコーナーコンテンツを、部分コンテンツとして取得することができる。
ここで、前記再生装置は、さらに、前記部分コンテンツの出力要求を受け取る要求受取手段と、前記要求受取手段が前記出力要求を受け取ると、前記部分コンテンツを、前記ブックマーク記憶手段より読み出す読出手段と、読み出された前記部分コンテンツを出力する出力手段とを備えるとしてもよい。
【００１７】
この構成によると、再生装置は、出力要求を受け取ると、ブックマーク記憶手段より部分コンテンツを読み出し、出力することが可能となる。これにより、再生装置は、部分コンテンツを出力する場合に、部分コンテンツをコンテンツから取得する必要がないため、ユーザの要求から出力までにかかる時間を短くすることができる。
ここで、前記再生装置は、さらに、前記部分コンテンツの出力要求を、外部端末よりネットワークを介して受信する受信手段と、前記受信手段が、前記出力要求を受け取ると、前記部分コンテンツを、前記ブックマーク記憶手段より読み出す読出手段と、読み出された前記部分コンテンツを、前記外部端末へネットワークを介して送信するコンテンツ送信手段とを備えるとしてもよい。
【００１８】
この構成によると、再生装置は、外部端末よりネットワークを介して、出力要求を受け取り、読み出した部分コンテンツを、ネットワークを介して外部端末へ送信することができる。
ここで、前記再生装置は、さらに、前記部分コンテンツ取得手段にて取得される部分コンテンツの出力要求を受け取る要求受取手段と、取得された前記部分コンテンツを出力する出力手段とを備え、前記部分コンテンツ取得手段は、前記要求受取手段が前記出力要求を受け取った時点で、前記位置情報及び前記種類情報を用いて、部分コンテンツを取得するとしてもよい。
【００１９】
この構成によると、再生装置は、出力要求を受け取ると、位置情報と種類情報とを用いて、部分コンテンツを取得し、取得した部分コンテンツを出力することができる。
ここで、前記部分コンテンツ取得手段は、前記コンテンツの削除を示す削除情報を受け取ると、前記コンテンツから、前記部分コンテンツを含む特定部分コンテンツを除く他の部分を削除するとしてもよい。
【００２０】
この構成によると、再生装置は、コンテンツを削除する場合に、部分コンテンツを含む特定部分コンテンツを残すことができる。
ここで、前記コンテンツは、複数の静止画像からなる動画像と、動画像に対応する音声とを含み、前記再生装置は、さらに、前記コンテンツを予め記録しているコンテンツ記憶手段を備え、前記部分コンテンツ取得手段は、ブックマーク記憶部と、前記位置情報と、前記種類情報とを対応付けて、前記ブックマーク記憶部に書き込む書込部と、前記コンテンツの削除を示す削除情報を受け取る削除受取部と、前記削除受取部が削除情報を受け取ると、前記位置情報にて示される再生位置から前方方向において、前記種類情報にて示される種類に対応するオブジェクトが出現する静止画像を前記コンテンツから検出し、検出した静止画像から開始される特定部分動画像と、前記特定部分動画像に対応する特定部分音声とを含み、前記コンテンツの一部である特定部分コンテンツを取得する第１取得部と、前記第１取得部にて取得された特定部分コンテンツを前記コンテンツ記憶手段へ記録する記録部と、前記コンテンツを前記コンテンツ記憶手段より削除する削除部と、前記コンテンツ記憶手段にて記録されている前記特定部分コンテンツから、前記種類情報及び前記位置情報を用いて、前記部分コンテンツを取得する第２取得部とを備えるとしてもよい。
【００２１】
この構成によると、再生装置は、コンテンツを削除する場合には、位置情報及び種類情報を用いて、種類情報にて示される種類に対応するオブジェクトが含まれる特定部分コンテンツを取得し、取得した特定部分コンテンツをコンテンツ記憶手段に記録し、特定部分コンテンツから、部分コンテンツを取得することができる。これにより、再生装置は、コンテンツを削除しても、コンテンツ記憶手段に特定部分コンテンツを記録しておくことにより、記録している特定部分コンテンツから部分コンテンツを取得することができる。
【００２２】
ここで、前記再生装置は、さらに、前記部分コンテンツの出力要求を受け取る要求受取手段と、取得された前記部分コンテンツを出力する出力手段とを備え、前記第２取得部は、前記要求受取手段が前記出力要求を受け取った時点で、前記位置情報及び前記種類情報を用いて、部分コンテンツを取得するとしてもよい。
この構成によると、再生装置は、出力要求を受け取った時点で、特定部分コンテンツから部分コンテンツを取得することができる。
【００２３】
ここで、前記部分コンテンツ取得手段は、前記位置取得手段が前記位置情報を取得した時点で、前記部分コンテンツを取得し、前記再生装置は、さらに、前記コンテンツを予め記録しているコンテンツ記憶手段と、ブックマーク記憶手段と、前記部分コンテンツを、前記ブックマーク記憶手段に書き込む書込手段と、前記コンテンツの削除を示す削除情報を受け取る削除受取手段と、前記削除受取手段が削除情報を受け取ると、前記ブックマーク記憶手段に記憶されている前記部分コンテンツを残し、前記コンテンツを前記コンテンツ記憶手段より削除する削除手段とを備えるとしてもよい。
【００２４】
この構成によると、再生装置は、コンテンツを削除しても、ブックマーク記憶手段にて、部分コンテンツを記憶している。そのため、ユーザは、コンテンツを削除した後でも、部分コンテンツから自身が気に入ったオブジェクトを、再度視聴することができる。
ここで、前記情報受取手段は、前記種類情報を外部端末から受け取り、さらに、前記外部端末を識別する端末識別子を前記外部端末から受け取り、前記再生装置は、さらに、ブックマーク記憶手段と、前記端末識別子を、前記位置情報及び前記種類情報と対応付けて、ブックマーク記憶手段に書き込む書込手段とを備えるとしてもよい。
【００２５】
この構成によると、再生装置は、端末識別子を位置情報と対応付けて、ブックマーク記憶手段へ書き込むことができる。これにより、再生装置は、外部端末ごとに、位置情報を管理することができる。
ここで、前記再生装置は、さらに、外部端末から、前記部分コンテンツ取得手段にて取得される部分コンテンツの出力要求と、端末識別子とを受信する受信手段と、前記部分コンテンツを、前記出力要求を送信した外部端末へ送信するコンテンツ送信手段とを備え、前記部分コンテンツ取得手段は、受信した端末識別子と、ブックマーク記憶手段に記憶されている端末識別子とを比較し、一致した端末識別子に対応する位置情報及び種類情報を、前記ブックマーク記憶手段から読み出し、読み出した位置情報及び種類情報とを用いて、前記部分コンテンツを取得するとしてもよい。
【００２６】
この構成によると、再生装置は、外部端末から、出力要求と端末識別子とを受け取ると、受信した端末識別子と、ブックマーク記憶手段に記憶されている端末識別子とを比較し、一致した端末識別子に対応する位置情報及び種類情報を用いて取得された部分コンテンツを、外部端末へ出力することができる。
ここで、前記コンテンツは、複数の画像からなる画像群を含み、前記部分コンテンツは、前記画像群に含まれる少なくとも１以上の画像を含み、前記部分コンテンツ取得手段は、前記部分コンテンツに含まれる各画像の画質を、前記コンテンツに含まれる画像群を形成する画像の画質よりも低くなるように間引きするとしてもよい。
【００２７】
この構成によると、再生装置は、取得する１以上の画像の画質を、コンテンツに含まれる画像群を形成する画像の画質よりも落とすことができる。
ここで、前記コンテンツは、音声を含み、前記部分コンテンツは、前記音声の一部である部分音声を含み、前記部分コンテンツ取得手段は、前記部分コンテンツに含まれる前記部分音声の音質を、前記コンテンツに含まれる音声の音質より低くなるように間引きするとしてもよい。
【００２８】
この構成によると、再生装置は、取得する部分音声の音質を、コンテンツに含まれる音質よりも落とすことができる。
ここで、前記コンテンツは、複数の画像からなる画像群を含み、前記部分コンテンツは、前記画像群に含まれる少なくとも１以上の画像に、予め定めされた文字が付加されており、前記部分コンテンツ取得手段は、前記画像群から取得された画像に、予め定められた文字を付加するとしてもよい。
【００２９】
この構成によると、再生装置にて取得される画像は、画像群から取得された画像に、予め定められた文字が付加された画像とすることができる。
ここで、前記ブックマーク記憶手段は、さらに、前記位置情報及び前記種類情報とは異なる別の位置情報及び別の種類情報が、前記外部端末とは異なる別の外部端末を識別する別の端末識別子と、対応付けられて格納されており、前記別の位置情報及び前記別の種類情報は、前記コンテンツに対応しており、前記再生装置は、さらに、前記送信手段にて送信された前記部分コンテンツの有効期限を、前記位置情報と対応付けて、前記ブックマーク記憶手段へ書き込む期限書込手段を備え、前記部分コンテンツ取得手段は、前記有効期限内において、前記受信手段が前記外部端末から前記出力要求及び前記端末識別子を受信した場合には、前記部分コンテンツを取得し、前記受信手段が、前記別の外部端末から、前記別の位置情報と前記別の種類情報とに対する部分コンテンツの出力要求、及び前記別の端末識別子を受信した場合には、前記別の位置情報と前記別の種類情報とに対する部分コンテンツの取得を抑止するとしてもよい。
【００３０】
この構成によると、再生装置にて取得される部分コンテンツに、有効期限を付加することにより、有効期限内において、他の端末から、同一のコンテンツに対応する別の位置情報及び別の種類情報による部分コンテンツの取得を抑止することができる。
ここで、前記情報受取手段は、さらに、オブジェクトに関連する地域を示す地域識別子を受け取り、前記再生装置は、さらに、ブックマーク記憶手段と、前記地域識別子を、前記位置情報及び前記種類情報と対応付けて、前記ブックマーク記憶手段に書き込む書込手段とを備えるとしてもよい。
【００３１】
この構成によると、再生装置は、地域識別子を位置情報と対応付けて、ブックマーク記憶手段へ書き込むことができる。
ここで、前記再生装置は、さらに、外部端末から、前記部分コンテンツ取得手段にて取得される部分コンテンツの出力要求と、前記外部端末が位置する地域を示す端末地域識別子とを、受信する識別子受信手段と、前記部分コンテンツを、前記外部端末へ送信するコンテンツ送信手段とを備え、前記部分コンテンツ取得手段は、前記端末地域識別子と一致する地域識別子に対応する位置情報及び種類情報を、前記ブックマーク記憶手段から読み出し、読み出した位置情報及び種類情報とを用いて、前記部分コンテンツを取得するとしてもよい。
【００３２】
この構成によると、再生装置は、外部端末から端末地域識別子を受け取り、受け取った端末地域識別子と一致する地域識別子に対応する位置情報及び種類情報を用いて取得される部分コンテンツを、外部端末へ送信することができる。これにより、ユーザは、外部端末を用いて、外出先に関連する部分コンテンツを再生装置から受け取ることができる。
ここで、前記位置取得手段は、前記位置情報として、前記コンテンツの再生開始から前記種類情報を受け取った時点までの経過時刻を取得し、前記部分コンテンツ取得手段は、前記経過時刻内より開始される前記部分コンテンツを取得するとしてもよい。
【００３３】
この構成によると、再生装置は、位置情報として、コンテンツの再生開始から種類情報を受け取った時点までの経過時刻を取得し、取得した経過時刻を用いて、部分コンテンツを取得することができる。
また、本発明は、再生装置と、前記再生装置に、再生中のコンテンツにブックマークを付す指示を送る端末装置とからなるブックマークシステムであって、前記端末装置は、オブジェクトに対するブックマークの指示を利用者から受け付ける受付手段と、前記ブックマークの指示が受け付けられると、前記オブジェクトの種類を示す種類情報を前記再生装置へ送信する情報送信手段とを備え、前記再生装置は、前記端末装置から、前記種類情報を受け取る情報受取手段と、前記種類情報を受け取った時点における再生中のコンテンツの再生位置を示す位置情報を取得する位置取得手段と、前記種類情報にて示される種類に対応するオブジェクトを含み、前記位置情報にて示される再生位置又は再生位置の近傍から開始される部分コンテンツを、前記コンテンツから取得する部分コンテンツ取得手段とを備えることを特徴とする。
【００３４】
この構成によると、ブックマークシステムの端末装置は、利用者からブックマークの指示を受け付けると、種類情報を再生装置へ送信し、再生装置は、種類情報を端末装置から受け取ると、位置情報を取得し、受け取った種類情報にて示される種類の対応するオブジェクトを含み、取得した位置情報にて示される再生位置又は再生位置の近傍から開始される部分コンテンツを取得することができる。
【００３５】
ここで、前記部分コンテンツ取得手段は、前記情報受取手段が種類情報を受け取った時点で、前記部分コンテンツを取得し、前記再生装置は、さらに、ブックマーク記憶手段と、前記部分コンテンツを、前記ブックマーク記憶手段に書き込む書込手段とを備えるとしてもよい。
この構成によると、再生装置は、種類情報を、端末装置から受け取った際に、部分コンテンツを取得し、取得した部分コンテンツを、ブックマーク記憶手段へ書き込むことが可能となる。これにより、これにより、再生装置は、取得した部分コンテンツを、ブックマーク記憶手段にて管理することができる。
【００３６】
ここで、前記端末装置は、さらに、当該端末装置を識別する端末識別子を予め記憶している識別子記憶手段を備え、前記情報送信手段は、さらに、前記端末識別子を、前記種類情報と対応付けて送信し、前記情報受取手段は、さらに、前記端末識別子を受け取り、前記書込手段は、さらに、受け取った前記端末識別子を、前記部分コンテンツと対応付けて、前記ブックマーク記憶手段に書き込むとしてもよい。
【００３７】
この構成によると、再生装置は、端末識別子を、取得した部分コンテンツと対応付けて、部分コンテンツ記憶手段に書き込むことができる。これにより、再生装置は、端末装置ごとに、部分コンテンツを管理することができる。
ここで、前記受付手段は、さらに、前記ブックマーク記憶手段に記憶されている部分コンテンツの出力要求を受け付け、前記再生装置は、さらに、前記出力要求と、前記出力要求を行った端末装置を識別する端末識別子とを、前記端末装置から受信する受信手段と、前記受信手段が前記出力要求と前記端末識別子とを受信すると、受信した端末識別子と、ブックマーク記憶手段に記憶されている端末識別子とを比較し、一致した端末識別子に対応する部分コンテンツを、前記ブックマーク記憶手段より読み出す読出手段と、読み出された部分コンテンツを、前記端末装置へ送信するコンテンツ送信手段とを備え、前記端末装置は、さらに、前記受付手段が、前記出力要求を受け付けると、受け付けられた前記出力要求と前記端末識別子とを前記再生装置へ送信する要求送信手段と、前記読出手段にて読み出された部分コンテンツを、前記再生装置から受信するコンテンツ受信手段と、受信した部分コンテンツを出力するコンテンツ出力手段とを備えるとしてもよい。
【００３８】
この構成によると、再生装置は、端末端末から、出力要求と端末識別子とを受け取ると、受信した端末識別子と、ブックマーク記憶手段に記憶されている端末識別子とを比較し、一致した端末識別子に対応する部分コンテンツを、端末端末へ送信することができる。また、端末装置は、再生装置から部分コンテンツを受け取り、受け取った部分コンテンツを出力することができる。これにより、再生装置は、端末装置から部分コンテンツの出力要求があると、出力要求を行った端末装置を識別する端末識別子に対応する部分コンテンツを、ブックマーク記憶手段より読み出し、読み出した部分コンテンツを、端末装置へ送信すればよい。従って、端末装置から部分コンテンツの出力要求がある度に部分コンテンツをコンテンツから取得し、取得した部分コンテンツを送信する場合よりも、出力要求を受信してから部分コンテンツの送信までにかかる時間を短くすることができる。
【００３９】
ここで、前記再生装置と、前記端末装置とは、ホームネットワークにより接続されており、前記再生装置は、前記ホームネットワークにおけるサーバ装置であり、前記端末装置は、前記ホームネットワークにおけるクライアント装置であるとしてもよい。
この構成によると、再生装置をホームネットワークにおけるサーバ装置とし、端末装置をホームネットワークにおけるクライアント装置とすることができる。これにより、ブックマークシステムを、ホームネットワークにて形成することができる。
【００４０】
ここで、前記端末装置は、携帯型の端末装置であるとしてもよい。
この構成によると、ブックマークシステムの端末装置を携帯型の端末装置とすることができる。
ここで、前記再生装置は、さらに、前記位置情報を、前記端末措置へ送信する位置送信手段を備え、前記端末装置は、さらに、前記位置情報を、受信する位置受信手段と、ブックマーク記憶手段と、受信した前記位置情報と、前記再生装置へ送信した前記種類情報とを対応付けて、前記ブックマーク記憶手段へ書き込む情報書込手段とを備えるとしてもよい。
【００４１】
この構成によると、再生装置は、取得した位置情報を端末装置へ送信し、端末装置は、位置情報と種類情報とを対応付けて、ブックマーク記憶手段に書き込むことができる。
ここで、前記受付手段は、さらに、前記位置情報及び前記種類情報に対する部分コンテンツの出力要求を受け付け、前記端末装置は、さらに、前記受付手段が前記出力要求を受け付けると、受け付けられた前記出力要求と、前記ブックマーク記憶手段にて記憶されている前記位置情報及び前記種類情報とを、前記再生装置へ送信する要求送信手段と、送信した前記位置情報及び前記種類情報により取得された部分コンテンツを、前記再生装置から受信するコンテンツ受信手段と、受信した前記部分コンテンツを出力するコンテンツ出力手段とを備え、前記再生装置は、さらに、前記位置情報及び前記種類情報と、前記出力要求とを、前記端末装置から受信する受信手段と、前記部分コンテンツ取得手段にて取得される部分コンテンツを、前記端末装置へ送信するコンテンツ送信手段とを備え、前記部分コンテンツ取得手段は、受信手段が前記位置情報及び前記種類情報と、前記出力要求とを受信した時点で、受信した前記位置情報及び前記種類情報とを用いて、部分コンテンツを取得するとしてもよい。
【００４２】
この構成によると、端末装置は、出力要求と、位置情報及び種類情報とを再生装置へ送信し、再生装置は、受信した位置情報と種類情報とを用いて、部分コンテンツを取得し、取得した部分コンテンツを端末装置へ送信し、端末装置は、受け取った部分コンテンツを出力することができる。
また、本発明は、再生装置に、再生中のコンテンツにブックマークを付す指示を送る端末装置であって、オブジェクトに対するブックマークの指示を利用者から受け付ける受付手段と、前記ブックマークの指示が受け付けられると、前記オブジェクトの種類を示す種類情報を前記再生装置へ送信する情報送信手段と、前記種類情報を送信した時点における再生中のコンテンツの再生位置を示す位置情報を、前記再生装置から受信する位置受信手段と、ブックマーク記憶手段と、受信した前記位置情報と、前記再生装置へ送信した前記種類情報とを対応付けて、前記ブックマーク記憶手段へ書き込む情報書込手段とを備えることを特徴とする。
【００４３】
この構成によると、端末装置は、利用者からブックマークの指示を受け付けると、種類情報を再生装置へ送信し、再生装置から位置情報を受信し、位置情報と種類情報とを対応付けて、ブックマーク記憶手段へ書き込むことができる。
ここで、前記ブックマーク記憶手段は、前記種類情報にて示される種類に対応する領域を有し、前記情報書込手段は、前記種類情報及び前記位置情報を、対応する領域へ格納するとしてもよい。
【００４４】
この構成によると、端末装置は、種類情報にて示される種類に対応する領域に、位置情報及び種類情報とを格納することができる。これにより、オブジェクトの種類ごとに、位置情報及び種類情報を管理することができる。
ここで、前記受付手段は、さらに、前記位置情報及び前記種類情報に対応し、且つ前記再生装置にて前記コンテンツから取得される部分コンテンツの出力要求を受け付け、前記端末装置は、さらに、前記出力要求と、前記ブックマーク記憶手段にて記憶されている前記位置情報及び前記種類情報とを、前記再生装置へ送信する要求送信手段と、前記位置情報及び前記種類情報に対する部分コンテンツを、前記再生装置から受信するコンテンツ受信手段と、受信した前記部分コンテンツを出力するコンテンツ出力手段とを備えるとしてもよい。
【００４５】
この構成によると、端末装置は、出力要求と、位置情報及び種類情報とを再生装置へ送信し、再生装置から送信した位置情報及び種類情報に対応する部分コンテンツを受信し、受信した部分コンテンツを出力することができる。これにより、利用者は、外出先においても、端末装置を用いることにより部分コンテンツを視聴することができる。
ここで、前記端末装置は、他の端末装置と通信を行う携帯型の端末装置であり、前記情報送信手段は、さらに、前記ブックマーク記憶手段にて記憶されている前記位置情報と前記種類情報とを、前記他の端末装置へ送信するとしてもよい。
【００４６】
この構成によると、携帯型の端末装置は、ブックマーク記憶手段にて記憶している位置情報及び種類情報を、他の端末装置へ送信することができる。
ここで、前記位置受信手段は、さらに、前記他の端末装置から、前記他の端末装置に格納されている位置情報と種類情報とを受信し、前記情報書込手段は、さらに、前記他の端末装置から受信した位置情報と種類情報とを前記ブックマーク記憶手段へ書き込むとしてもよい。
【００４７】
この構成によると、端末装置は、他の端末装置から、別の位置情報及び別の種類情報を受信し、受信した別の位置情報及び別の種類情報を、ブックマーク記憶手段へ書き込むことができる。
ここで、前記端末装置は、前記再生装置をサーバ装置とするホームネットワークによってネットワーク接続されたクライアント装置であるとしてもよい。
【００４８】
この構成によると、端末装置は、再生装置をサーバ装置とするホームネットワークにおけるクライアント装置とすることができる。
ここで、前記受付手段は、さらに、オブジェクトに関連する地域を示す地域識別子を受け付け、前記情報書込手段は、さらに、前記地域識別子を、前記位置情報と対応付けて、前記ブックマーク記憶手段へ書き込むとしてもよい。
【００４９】
この構成によると、端末装置は、地域識別子を、位置情報と対応付けて、ブックマーク記憶手段に書き込むことができる。
ここで、前記受付手段は、さらに、地域識別子に対応する前記位置情報及び前記種類情報に対応し、且つ前記再生装置にて前記コンテンツから取得される部分コンテンツの出力要求を受け付け、前記端末装置は、さらに、前記出力要求を受け付けると、当該端末装置が現在位置する地域を識別する端末地域識別子を取得する識別子取得手段と、取得された前記端末地域識別子と一致する端末識別子に対応する前記位置情報及び種類情報を、前記ブックマーク記憶手段から取得する情報取得手段と、取得した前記位置情報及び種類情報と、前記出力要求とを、前記再生装置へ送信する要求送信手段と、送信した前記位置情報及び前記種類情報により取得される部分コンテンツを、前記再生装置から受信するコンテンツ受信手段と、受信した部分コンテンツを出力するコンテンツ出力手段とを備えるとしてもよい。
【００５０】
この構成によると、端末装置は、当該端末装置が現在位置する地域を示す端末地域識別子と一致する地域識別子に対応する位置情報及び種類情報を、再生装置へ送信し、再生装置から送信した位置情報及び種類情報に対応する部分コンテンツを受信して、受信した部分コンテンツを出力することができる。これにより、端末装置を所持する利用者は、現在、自身が位置する地域に関連する部分コンテンツを視聴することができる。
【発明を実施するための最良の形態】
【００５１】
１．第１の実施の形態
１．１  ブックマークシステム１の構成
図１は、ブックマークシステム１の使用形態を示す図であり、ブックマークシステム１は、携帯電話機１００と、テレビ１０と接続された再生装置２００とから構成される。再生装置２００の一例は、ＤＶＤレコーダである。
【００５２】
再生装置２００は、放送局から放送される番組コンテンツを録画し、録画した番組コンテツの再生を行う。このとき、番組コンテンツは、番組コンテンツが放送されたチャンネル番号（以下、「ＣＨ番号」という。）と、番組コンテンツを識別する番組ＩＤと、番組コンテンツの録画が開始された録画開始時刻と対応付けられている。
携帯電話機１００と再生装置２００とは、赤外線通信による双方向通信及びインターネットによる通信が可能である。
【００５３】
携帯電話機１００は、再生装置２００と赤外線通信を行うことにより、再生装置２００にて録画した番組コンテンツをテレビ１０にて再生中に、後で参照したい画像データに係る情報の登録を行う旨の情報を送信し、再生装置２００よりその画像データに係る情報を受信し、記憶する。ここで、後で参照する画像データを指定することをブックマーク（ＢｏｏｋＭａｒｋ）と呼ぶ。
【００５４】
さらに、携帯電話機１００は、記憶しているブックマークされた画像データに係る情報を、公衆無線通信網及びインターネットを介して再生装置２００へ送信して、再生装置２００より当該ブックマークされた画像データに係る静止画像若しくは動画像を受信し、表示する。
１．２  携帯電話機１００の構成
ここでは、携帯電話機１００の構成について説明する。
【００５５】
携帯電話機１００は、携帯型の通信端末装置であって、図２に示すように、ブックマーク記憶部１０１、地域情報記憶部１０２、無線部１０３、ベースバンド信号処理部１０４、スピーカー１０５、マイク１０６、制御部１０７、入力部１０８、表示部１０９及び送受信部１１０から構成されている。
携帯電話機１００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機１００は、その機能を達成する。
【００５６】
（１）  ブックマーク記憶部１０１
ブックマーク記憶部１０１は、図３に示すように、音楽フォルダ１２０、人物フォルダ１２１、文字フォルダ１２２及びキャプチャフォルダ１２３を有している。
＜音楽フォルダ１２０＞
音楽フォルダ１２０は、図４に一例として示すように、音楽情報テーブルＴ１００を有している。
【００５７】
音楽情報テーブルＴ１００は、識別名、ＢＭ（ＢｏｏｋＭａｒｋ）用表示時刻、ＢＭ用ＣＨ番号、ＢＭ用番組ＩＤ、地域コード及び付加情報からなる組を１以上記憶するための領域を備えている。ここで、識別名、ＢＭ用表示時刻、ＢＭ用ＣＨ番号、ＢＭ用番組ＩＤ、地域コード及び付加情報からなる情報をブックマーク情報という。
識別名は、記憶しているブックマーク情報を識別する名称である。ＢＭ用表示時刻は、ブックマークされた画像データが放送された放送時刻であり、日付と時刻で示される。ＢＭ用ＣＨ番号は、ブックマークを行った番組コンテンツに対応するＣＨ番号であり、ＢＭ用番組ＩＤは、ブックマークを行った番組コンテンツに対応する番組ＩＤである。地域コードは、地域を識別する情報であり、その地域の電話番号の市外局番と対応している。付加情報は、ブックマークの対象を示す情報である。
【００５８】
ここで、地域コードは、必ず記録される情報ではなく、必要に応じて記録される。
なお、音楽情報テーブルＴ１００における付加情報は、常に「音楽」となる。また、ＢＭ用番組ＩＤは、後述する再生装置２００にて記憶している番組ＩＤと同一のものである。
また、ブックマークの対象は、人の知覚によって認知されるオブジェクトであり、ブックマークの対象を示す情報とは、人の知覚によって認知されるオブジェクトの種類を示す。付加情報が「音楽」である場合には、ブックマークの対象が、出力された音声であり、その音声は、人の聴覚によって認知されるオブジェクトである。
【００５９】
＜人物フォルダ１２１＞
人物フォルダ１２１は、図５に一例として示すように、人物情報テーブルＴ１０１を有している。
人物情報テーブルＴ１０１のデータ構造については、音楽情報テーブルＴ１００と同様であるため、説明は省略する。
【００６０】
なお、人物情報テーブルＴ１０１における付加情報は、常に「人物」となる。付加情報が「人物」である場合には、ブックマークの対象が、表示された画像の一部を構成する人物画像であり、その人物画像は、人の視覚によって認知されるオブジェクトである。
＜文字フォルダ１２２＞
文字フォルダ１２２は、図６に一例として示すように、文字情報テーブルＴ１０２を有している。
【００６１】
文字情報テーブルＴ１０２のデータ構造については、音楽情報テーブルＴ１００と同様であるため、説明は省略する。
なお、文字情報テーブルＴ１０２における付加情報は、常に「文字」となる。付加情報が「文字」である場合には、ブックマークの対象が、表示された画像の一部を構成する文字であり、その文字は、人の視覚によって認知されるオブジェクトである。
【００６２】
＜キャプチャフォルダ１２３＞
キャプチャフォルダ１２３は、図７に一例として示すように、キャプチャ情報テーブルＴ１０３を有している。
キャプチャ情報テーブルＴ１０３のデータ構造については、音楽情報テーブルＴ１００と同様であるため、説明は省略する。
【００６３】
なお、キャプチャ情報テーブルＴ１０３における付加情報は、常に「キャプチャ」となる。付加情報が「キャプチャ」である場合には、ブックマークの対象が、表示された画像であり、その画像は、人の視覚によって認知されるオブジェクトである。
（２）  地域情報記憶部１０２
地域情報記憶部１０２は、図８に一例として示すように、地域情報テーブルＴ１１０を有している。
【００６４】
地域情報テーブルＴ１１０は、位置及び地域コードからなる組を１以上記憶するための領域を備えている。
位置は、地域名を示す情報であり、例えば、大阪市、神戸市などである。地域コードは、音楽情報テーブルＴ１００の地域コードと同様であるため、説明は省略する。
（３）  無線部１０３
無線部１０３は、アンテナ３００を備えており、無線信号の送受信を行う。
【００６５】
（４）  ベースバンド信号処理部１０４
ベースバンド信号処理部１０４は、無線部１０３より受け取った信号をスピーカー１０５へ出力するための信号処理や、マイク１０６より受け取った音声を無線部１０３へ出力するための信号処理を行う。
また、ベースバンド信号処理部１０４は、インターネット及び公衆無線通信網を介して受信した情報を無線部１０３を介して受け取ると、受け取った情報を制御部１０７へ出力する。さらに、ベースバンド信号処理部１０４は、制御部１０７から音声データを受け取ると、受け取った音声データをスピーカー１０５へ出力するための信号処理をも行う。
【００６６】
（５）  スピーカー１０５
スピーカー１０５は、ベースバンド信号処理部１０４にて処理された信号を音声として出力する。
（６）  マイク１０６
マイク１０６は、使用者の音声を受け付け、受け付けた音声をベースバンド信号処理部１０４へ出力する。
【００６７】
（７）  制御部１０７
制御部１０７は、位置を測定するＧＰＳ（Ｇｌｏｂａｌ  Ｐｏｓｉｔｉｏｎｉｎｇ  Ｓｙｓｔｅｍ）機能を予め備えており、携帯電話機１００全体の制御を行っている。
以下、ブックマーク情報の登録、利用者指定によるブックマークされた画像データの表示（以下、「指定表示」という。）、及び現在位置する地域に係るブックマークされた画像データの表示（以下、「地域表示」という。）における制御について、説明する。
【００６８】
＜ブックマーク情報の登録＞
制御部１０７は、ブックマーク情報の登録を行うことを示すブックマーク指示情報を入力部１０８より受け取る。また、制御部１０７は、入力部１０８にて、地域コードを示す地域コード情報を利用者より受け付けた場合には、入力部１０８よりブックマーク指示情報と併せて、地域コード情報も受け取る。ここで、ブックマーク指示情報は、対応情報を含み、対応情報とは、ブックマークの対象を示す情報であり、「人物」、「音楽」、「文字」及び「キャプチャ」のうち何れかを示す。例えば、ブックマークの対象が、人物である場合には、対応情報は「人物」を示し、音楽である場合には、対応情報は「音楽」を示し、文字である場合には、対応情報は「文字」を示し、キャプチャである場合には、対応情報は「キャプチャ」を示す。なお、「文字」にて指定される情報とは、例えば、テロップ表示されている文字列を示す。次に、制御部１０７は、受け取ったブックマーク指示情報を赤外線通信により、再生装置２００へ送受信部１１０を介して送信する。また、制御部１０７は、送信したブックマーク指示情報を一時的に記憶する。これにより、ブックマーク対象の種類を示す情報（対応情報）を送信する情報送信部が構成されることになる。
【００６９】
制御部１０７は、送受信部１１０を介して再生装置２００より、ＢＭ用表示時刻と、ＢＭ用ＣＨ番号と、ＢＭ用番組ＩＤとからなる番組情報を受信し、さらに、入力部１０８より識別名を示す識別名情報を受け取る。これにより、ＢＭ用表示時刻を含む番組情報を受信する時刻受信部が構成されることになる。
制御部１０７は、識別名情報と、受信した番組情報と、地域コード情報と、一時的に記憶しているブックマーク指示情報に含まれる対応情報とを用いて、ブックマーク情報を生成する。なお、ブックマーク情報に含まれる地域コードは、入力部１０８より、ブックマーク指示情報と併せて地域コード情報を受け取った場合にのみ記録される。
【００７０】
制御部１０７は、生成したブックマーク情報に含まれる付加情報に応じて、音楽情報テーブルＴ１００、人物情報テーブルＴ１０１、文字情報テーブルＴ１０２及びキャプチャ情報テーブルＴ１０３のうちの何れかに、生成したブックマーク情報を記録する。つまり、生成したブックマーク情報に含まれる付加情報が、音楽である判断する場合には、生成したブックマーク情報を音楽情報テーブルＴ１００へ記録し、人物であると判断する場合には、生成したブックマーク情報を人物情報テーブルＴ１０１へ記録し、文字であると判断する場合には、生成したブックマーク情報を文字情報テーブルＴ１０２へ記録し、キャプチャであると判断する場合には、生成したブックマーク情報をキャプチャ情報テーブルＴ１０３へ記録する。これにより、ブックマーク記憶部１０１へ、ブックマーク情報を書き込む情報書込部が構成されることになる。
【００７１】
＜指定表示＞
制御部１０７は、ブックマークされた画像データの表示開始を行うことを示す表示開始情報を入力部１０８より受け取ると、ブックマーク情報の格納先の選択を促す選択指示情報を表示部１０９へ出力し、選択された格納先の情報を入力部１０８より受け取る。ここで、選択された格納先の情報とは、音楽フォルダ１２０、人物フォルダ１２１、文字フォルダ１２２及びキャプチャフォルダ１２３のうち何れかのフォルダを示す情報である。
【００７２】
さらに、制御部１０７は、選択された格納先の情報にて示されるフォルダに記録されているブックマーク情報に含まれる識別名を取得する。例えば、選択された格納先の情報が、人物フォルダを示す場合には、制御部１０７は、ブックマーク記憶部１０１の人物フォルダ１２１に記録されている全てのブックマーク情報より、識別名「人物Ａ」及び「人物Ｂ」を取得する。
【００７３】
制御部１０７は、取得した全ての識別名からなる一覧情報を生成し、生成した一覧情報を表示部１０９へ出力する。例えば、取得した識別名が、「人物Ａ」及び「人物Ｂ」である場合には、「人物Ａ」及び「人物Ｂ」からなる一覧情報を生成する。
制御部１０７は、入力部１０８より、選択された識別名の情報を受け取ると、受け取った識別名の情報に対応するブックマーク情報をブックマーク記憶部１０１より取得する。例えば、選択された識別名の情報が「人物Ｂ」を示す場合には、制御部１０７は、ブックマーク記憶部１０１の人物フォルダ１２１より、識別名「人物Ｂ」を含むブックマーク情報を取得する。
【００７４】
制御部１０７は、取得したブックマーク情報と、受け取った表示開始情報とを無線部１０３を介して再生装置２００へ、公衆無線通信網及びインターネットを利用して送信する。
以上により、ブックマーク情報と、表示の指示を示す情報を送信する指示送信部が構成されることになる。
【００７５】
制御部１０７は、送信したブックマーク情報に係る静止画像の画像データ若しくは動画像の画像データを、無線部１０３を介して再生装置２００より、インターネット及び公衆無線通信網を利用して受信する。また、動画像の画像データを受信する際には、動画像に係る音声データをも受信する。これにより、静止画像からなる部分コンテンツ、若しくは動画像と音声とからなる部分コンテンツを受信するコンテンツ受信部が構成されることになる。
【００７６】
制御部１０７は、受信した静止画像の画像データ若しくは動画像の画像データに基づく静止画像若しくは動画像を、表示部１０９を介して表示する。また、動画像に係る音声データをも受信した場合には、受信した音声データを、ベースバンド信号処理部１０４を介してスピーカー１０５へ出力する。これにより、制御部１０７は、受信した動画像の再生を行うことができる。
【００７７】
以上により、静止画像からなる部分コンテンツ、若しくは動画像と音声とからなる部分コンテンツを出力するコンテンツ出力部が構成されることになる。
＜地域表示＞
制御部１０７は、現在位置する地域に係るブックマークされた画像データの表示を示す地域表示情報を入力部１０８より受け取ると、ＧＰＳ機能を用いて、現在の位置を測定する。制御部１０７は、測定結果より得られた地域に対応する地域コードを地域情報記憶部１０２より取得する。これにより、地域コードを取得する識別子取得部が構成されることになる。
【００７８】
制御部１０７は、ブックマーク記憶部１０１より取得した地域コードと一致する、つまり取得した地域コードを含むブックマーク情報を全て取得する。例えば、現在位置が大阪市である場合には、地域コード「０６」を含むブックマーク情報を全て取得する。この場合、文字フォルダ１２２より識別名が「文字Ａ」、「文字Ｂ」及び「文字Ｄ」であるそれぞれのブックマーク情報と、キャプチャフォルダ１２３より識別名が「キャプチャＢ」であるブックマーク情報とを取得する。これにより、ブックマーク情報を取得する情報取得部が構成されることになる。
【００７９】
制御部１０７は、取得した全てのブックマーク情報と、ブックマークされた画像データの表示開始を行うことを示す表示開始情報とを無線部１０３を介して再生装置２００へ、公衆無線通信網及びインターネットを利用して送信する。以上により、上記と同様に指示送信部が構成されることになる。つまり、指示送信部は、ブックマーク情報と表示開始情報と送信する構成部である。
【００８０】
制御部１０７は、送信したブックマーク情報に係る静止画像の画像データ若しくは動画像の画像データを、無線部１０３を介して再生装置２００より、インターネット及び公衆無線通信網を利用して受信する。また、動画像の画像データを受信する際には、動画像に係る音声データをも受信する。これにより、上記と同様にコンテンツ受信部が構成されることなる。
【００８１】
受信した静止画像の画像データ若しくは動画像の画像データに基づく静止画像若しくは動画像を、表示部１０９を介して表示する。また、動画像に係る音声データをも受信した場合には、受信した音声データを、ベースバンド信号処理部１０４を介してスピーカー１０５へ出力する。これにより、上記と同様に、コンテンツ出力部が構成されることになる。
【００８２】
なお、制御部１０７は、複数のブックマーク情報を再生装置２００へ送信すると、送信した各ブックマーク情報に係る静止画像を受信、若しくは動画像及び音声を受信することとなる。このとき、入力部１０８より、前の静止画像若しくは前の動画像へ切り替えを行う前画像情報、又は後の静止画像若しくは後の動画像へ切り替えを行う後画像情報を受け付けることにより、表示部１０９にて表示する静止画像若しくは動画像を制御する。
【００８３】
（８）  入力部１０８
入力部１０８は、数字入力キーなどの入力機能を備えたキーボード等により構成されており、使用者から入力指示を受け付ける。
入力部１０８は、ブックマーク指示情報を受け付け、受け付けたブックマーク指示情報を制御部１０７へ出力する。また、入力部１０８は、地域コード情報を受け付け、受け付けた地域コード情報を制御部１０７へ出力する。なお、地域コード情報は、ブックマーク指示情報の受け付け時に受け付け、地域コード情報を制御部１０７へ出力する際には、ブックマーク指示情報と併せて、出力する。
【００８４】
さらに、入力部１０８は、識別名情報を受け付けると、受け付けた識別名情報を制御部１０７へ出力する。
入力部１０８は、表示開始情報を受け付けると、受け付けた表示開始情報を制御部１０７へ出力し、ブックマーク情報の格納先の選択を受け付ける。次に、入力部１０８は、選択された格納先の情報を制御部１０７へ出力し、ブックマークの識別名の選択を受け付け、選択された識別名の情報を制御部１０７へ出力する。
【００８５】
また、入力部１０８は、地域表示情報を受け付けると、受け付けた地域表示情報を制御部１０７へ出力する。さらに、入力部１０８は、前画像情報を受け付け、受け付けた前画像情報を制御部１０７へ出力する。また、入力部１０８は、後画像情報を受け付け、受け付けた後画像情報を制御部１０７へ出力する。
以上により、受付部が構成されることになる。
【００８６】
（９）  表示部１０９
表示部１０９は、制御部１０７より選択指示情報を受け取ると、図９（ａ）に一例として示すように、ブックマーク記憶部１０１が有する各フォルダのフォルダ名に、それぞれ異なる番号を割り当て、割り当てた番号とフォルダ名とを組にして表示する。
これにより、携帯電話機１００は、利用者へブックマークされた情報の格納先の選択を促すことができ、利用者は表示部１０９にて表示された番号を入力部１０８より入力することにより、ブックマークされた情報の格納先を選択することができる。
【００８７】
表示部１０９は、入力部１０８にて格納先の選択を受け付け後、制御部１０７より一覧情報を受け取ると、受け取った一覧情報に含まれる全ての識別名にそれぞれ異なる番号を割り当て、表示の際には、割り当てた番号と識別名とを組にして表示する。例えば、図９（ｂ）は、図９（ａ）において、格納先として人物フォルダが選択されたときの一覧情報に含まれる全ての識別名を示している。
【００８８】
これにより、携帯電話機１００は、利用者へブックマーク情報の選択を促すことができ、利用者は、表示部１０９にて表示された番号を入力部１０８より入力することにより、ブックマーク情報を選択することができる。
さらに、表示部１０９は、制御部１０７より受け取った静止画像の画像データ若しくは動画像の画像データに基づいて、静止画像若しくは動画像を表示する。
【００８９】
（１０）  送受信部１１０
送受信部１１０は、制御部１０７より受け取った情報を、赤外線通信により再生装置２００へ送信する。
また、送受信部１１０は、赤外線通信により再生装置２００から情報を受信し、受信した情報を制御部１０７へ出力する。
【００９０】
１．３  再生装置２００の構成
ここでは、再生装置２００の構成について説明する。
再生装置２００は、図１０に示すように、番組コンテンツ記憶部２０１、検索情報記憶部２０２、再生部２０３、登録部２０４、データ取得部２０５、削除部２０６、第１送受信部２０７及び第２送受信部２０８から構成されている。
【００９１】
再生装置２００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置２００は、その機能を達成する。
【００９２】
（１）  番組コンテンツ記憶部２０１
番組コンテンツ記憶部２０１は、録画した番組コンテンツをＣＨ番号、番組ＩＤ及び録画開始時刻と対応付けて、１以上記憶するための領域を有している。
番組コンテンツ記憶部２０１に記録されている番組コンテンツは、時間軸に沿って連続した複数のフレーム（静止画像）からなる画像データと、各フレームでの音声を示す音声データとからなる。また、番組ＩＤは、番組コンテンツの録画時に再生装置２００にて付与するものとする。
【００９３】
例えば、図１１に一例として示すように、番組コンテンツ「ＡＡＡ」は、ＣＨ番号「２」、番組ＩＤ「０２０００３」、録画開始時刻「２００３／０８／０１  １９：００：００」と対応付けられて、記憶されている。
以上により、番組コンテンツを予め記録しているコンテンツ記憶部が構成されることになる。
【００９４】
（２）  検索情報記憶部２０２
検索情報記憶部２０２は、図１２に一例として示すように、検索情報テーブルＴ２００を有している。
検索情報テーブルＴ２００は、検索用表示時刻、検索用ＣＨ番号、検索用番組ＩＤ及び検索用付加情報からなる組を１以上記憶するための領域を備えている。ここで、検索用表示時刻、検索用ＣＨ番号、検索用番組ＩＤ及び検索用付加情報からなる情報を検索情報という。
【００９５】
検索用表示時刻は、ブックマークされた画像データが放送された放送時刻であり、日付と時刻で示される。検索用ＣＨ番号は、ブックマークされた番組コンテンツに対応するＣＨ番号であり、検索用番組ＩＤは、ブックマークされた番組コンテンツに対応する番組ＩＤである。検索用付加情報は、ブックマークの対象を示す情報であり、「音楽」、「人物」、「文字」及び「キャプチャ」のうち何れかが記録されている。
【００９６】
（３）  再生部２０３
再生部２０３は、再生する番組コンテンツに対応するＣＨ番号、番組ＩＤ及び録画開始時刻を記憶する再生情報記憶領域を有している。
再生部２０３は、番組コンテンツ記憶部２０１にて記憶している番組コンテンツの再生を行う。再生部２０３は、番組コンテンツの再生を行う際、再生する番組コンテンツに対応するＣＨ番号、番組ＩＤ及び録画開始時刻を、再生情報記憶領域へ記憶し、番組コンテンツの再生終了時に記憶しているＣＨ番号、番組ＩＤ及び録画開始時刻を消去する。
【００９７】
（４）  登録部２０４
登録部２０４は、再生部２０３にて番組コンテンツが再生されると、再生開始からの再生されたフレームの枚数をカウントしている。
登録部２０４は、番組コンテンツの再生中に、第１送受信部２０７を介して携帯電話機１００より、赤外線通信を用いて、ブックマーク指示情報を受信する。これにより、ブックマーク対象の種類を示す情報（対応情報）を受け取る情報受取部が構成されることになる。
【００９８】
登録部２０４は、ブックマーク指示情報を受信した時点までにカウントしたフレームの数を用いて、番組コンテンツの先頭に位置する画像データからブックマーク指示情報を受信した時点に再生部２０３にて再生されている画像データまでの区間における経過時刻を算出する。登録部２０４は、再生部２０３に記憶している録画開始時刻を取得し、取得した録画開始時刻に算出した経過時刻を加算することにより、ブックマーク指示情報を受け取った時点の画像データの放送時刻を取得する。さらに、登録部２０４は、再生部２０３より再生中の番組コンテンツに対応するＣＨ番号及び番組ＩＤを取得する。
【００９９】
なお、通常ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式で放送されている番組コンテンツは、１秒あたり３０フレーム（静止画像）の画像データを含んでいるため、ブックマークされた画像データまでの区間の経過時刻は約３３ｍ秒単位で特定できるが、本実施の形態では説明が煩雑になることを避けるため、経過時刻を分秒にて算出し、録画開始時刻に加算するものとする。また、取得した放送時刻と、１秒あたりに再生されるフレームの数との関係より、取得した放送時刻から、ブックマーク指示情報を受け取った時点のフレームを特定することができる。
【０１００】
以上により、ブックマーク情報を受け取った時点の番組コンテンツ内の位置を特定する情報（ここでは、放送時刻）を取得する位置取得部が構成されることになる。
登録部２０４は、取得した放送時刻、ＣＨ番号及び番組ＩＤとを用いて、番組情報を生成し、生成した番組情報を第１送受信部２０７を介して携帯電話機１００へ、赤外線通信を利用して送信する。これにより、放送時刻を含む番組情報を送信する時刻送信部が構成されることになる。
【０１０１】
また、登録部２０４は、取得した放送時刻と、受信したブックマーク指示情報に含まれる対応情報と、再生部２０３より取得したＣＨ番号及び番組ＩＤとを用いて、検索情報を生成し、生成した検索情報を検索情報テーブルＴ２００へ書き込む。
ここで、検索情報に含まれる検索用表示時刻と、検索用ＣＨ番号と、検索用番組ＩＤと、検索用付加情報とは、携帯電話機１００において、送信された番組情報を用いて生成されるブックマーク情報に含まれるＢＭ用表示時刻と、ＢＭ用ＣＨ番号と、ＢＭ用番組ＩＤと、付加情報のそれぞれと一致していることがわかる。なぜなら、検索用表示時刻とＢＭ用表示時刻とは、登録部２０４にて算出された放送時刻を用いており、検索用ＣＨ番号及び検索用番組ＩＤと、ＢＭ用ＣＨ番号及びＢＭ用番組ＩＤとは、登録部２０４にて取得したＣＨ番号及び番組ＩＤとを用いており、検索用付加情報と付加情報とは、ブックマーク指示情報に含まれる対応情報を用いているからである。これにより、検索情報とブックマーク情報との対応が可能となる。
【０１０２】
（５）  データ取得部２０５
データ取得部２０５は、携帯電話機１００へ送信する動画像を生成する静止画像の数（例えば、３００である。）、音楽認識処理を行うプログラム（以下、「音楽認識処理」という。）、人物認識処理を行うプログラム（以下、「人物認識処理」という。）、文字認識処理を行うプログラム（以下、「文字認識処理」という。）及びキャプチャ認識処理を行うプログラム（以下、「キャプチャ認識処理」という。）を予め記憶している。
【０１０３】
ここで、音楽認識処理とは、番組コンテンツにおける音声データにおいて、特徴音が周期的に繰り返す区間である音楽区間の先頭に位置する音楽先頭フレームを、所定のアルゴリズムにより検索する処理である。また、人物認識処理とは、番組コンテンツにおける画像データにおいて、ブックマーク情報に含まれるＢＭ用表示時刻に対応する画像データに示される人物が出現する人物先頭フレームを、所定のアルゴリズムにより検索する処理である。また、文字認識処理とは、番組コンテンツにおける画像データにおいて、テロップが出現する文字先頭フレームを、所定のアルゴリズムにより検索する処理である。また、キャプチャ認識処理とは、番組コンテンツにおける画像データにおいて、時間的に連続して撮影されたフレームの固まりであるシーンが、他のシーンより切り替わった先頭フレームであるキャプチャ先頭フレームを、所定のアルゴリズムにより検索する処理である。なお、以下では、音楽認識処理を行うプログラム、人物認識処理を行うプログラム、文字認識処理を行うプログラム及びキャプチャ認識処理を行うプログラムを、それぞれ音楽認識処理、人物認識処理、文字認識処理及びキャプチャ認識処理という。
【０１０４】
データ取得部２０５は、第２送受信部２０８を介して携帯電話機１００よりブックマーク情報及び表示開始情報を受信すると、受信したブックマーク情報に含まれるＢＭ用ＣＨ番号及びＢＭ用番組ＩＤと対応する番組コンテンツを番組コンテンツ記憶部２０１より取得する。このとき、後述する番組コンテンツの削除により、ＢＭ用ＣＨ番号及びＢＭ用番組ＩＤと対応する番組コンテンツが複数存在する場合があるため、ＢＭ用ＣＨ番号及びＢＭ用番組ＩＤと対応する番組コンテンツを複数取得した場合には、取得した複数の番組コンテンツのうち録画開始時刻がブックマーク情報に含まれるＢＭ用表示時刻にて示される時刻と一致する番組コンテンツを取得する。これにより、ＢＭ用ＣＨ番号及びＢＭ用番組ＩＤと対応する番組コンテンツが複数存在する場合でも、１つの番組コンテンツを取得することができる。
【０１０５】
次に、データ取得部２０５は、以下に記述する取得方法によって、取得した番組コンテンツより静止画像若しくは動画像を取得する。これにより、番組コンテンツからブックマークされた静止画像若しくは動画像を取得する部分コンテンツ取得部が構成されることになる。
データ取得部２０５は、取得した静止画像若しくは動画像を画像データとして第２送受信部２０８を介して、携帯電話機１００へ送信する。なお、動画像を送信する際には、動画像に係る音声データをも送信する。
【０１０６】
＜取得方法＞
データ取得部２０５は、ブックマーク情報に含まれる付加情報が、「音楽」であるか否かを判断する。「音楽」であると判断する場合には、ブックマーク情報に含まれるＢＭ用表示時刻と番組コンテンツ記憶部２０１より取得した番組コンテンツとを用いて、音楽認識処理を実行することにより、番組コンテンツにおいて、ＢＭ用表示時刻にて示されるフレームより前に位置する直近の音楽先頭フレームを検出し、さらに、検出した音楽先頭フレームから連続するフレームを３００枚、コピーにより取得し、取得した各フレームに対応する音声データをも、コピーにより取得する。つまり、データ取得部２０５は、音楽先頭フレームを含め、合計３００枚のフレーム及び音声データをコピーにより取得することができる。これにより、データ取得部２０５は、動画像と、その音声とをコピーにより取得することになる。
【０１０７】
ブックマーク情報に含まれる付加情報が、「音楽」でないと判断する場合には、「人物」であるか否かを判断し、「人物」であると判断する場合には、ブックマーク情報に含まれるＢＭ用表示時刻と番組コンテンツ記憶部２０１より取得した番組コンテンツとを用いて、人物認識処理を実行することにより、番組コンテンツにおいて、ＢＭ用表示時刻にて示されるフレームより前に位置する直近の人物先頭フレームを検出し、検出した人物先頭フレームをコピーにより取得する。
【０１０８】
ブックマーク情報に含まれる付加情報が、「人物」でないと判断する場合には、「文字」であるか否かを判断し、「文字」であると判断する場合には、ブックマーク情報に含まれるＢＭ用表示時刻と番組コンテンツ記憶部２０１より取得した番組コンテンツとを用いて、文字認識処理を実行することにより、番組コンテンツにおいて、ＢＭ用表示時刻にて示されるフレームより前に位置する直近の文字先頭フレームを検出し、検出した文字先頭フレームをコピーにより取得する。
【０１０９】
ブックマーク情報に含まれる付加情報が、「文字」でないと判断する場合、つまり、「キャプチャ」であると判断する場合には、ブックマーク情報に含まれるＢＭ用表示時刻と番組コンテンツ記憶部２０１より取得した番組コンテンツとを用いて、キャプチャ認識処理を実行することにより、番組コンテンツにおいて、ＢＭ用表示時刻にて示されるフレームより前に位置する直近のキャプチャ先頭フレームを検出し、検出したキャプチャ先頭フレームをコピーにより取得する。
【０１１０】
ここで、フレームより前に位置するとは、番組コンテンツの開始位置からＢＭ表示時刻にて示される位置の間に位置することをいう。
（６）  削除部２０６
削除部２０６は、データ取得部２０５と同様に、音楽認識処理、人物認識処理、文字認識処理及びキャプチャ認識処理を予め記憶している。
【０１１１】
削除部２０６は、利用者より番組コンテンツ記憶部２０１に記録されている番組コンテンツの削除を行う旨の削除指示情報を受け付ける。ここで、削除指示情報は、番組ＩＤを含む情報である。
削除部２０６は、番組コンテンツ記憶部２０１より、受け付けた削除指示情報に含まれる番組ＩＤに対応する番組コンテンツを取得し、さらに、検索情報記憶部２０２より、番組ＩＤと一致する検索用番組ＩＤを含む検索情報を全て取得する。
【０１１２】
削除部２０６は、取得した番組コンテンツ及び検索情報とを用いて、以下に記述する削除方法を取得した検索情報の数分繰り返す。
＜削除方法＞
削除部２０６は、検索情報に含まれる検索用付加情報が、「音楽」であるか否かを判断する。「音楽」であると判断する場合には、検索情報に含まれる検索用表示時刻と取得した番組コンテンツとを用いて、音楽認識処理を実行し、検索用表示時刻より前に位置する直近の音楽先頭フレームを検出し、さらに、検出した音楽先頭フレームから予め設定された時間分（例えば、３分）の連続するフレーム及び音声データからなる音楽用音声画像データをコピーにより取得し、取得した音楽用音声画像データを番組ＩＤ、ＣＨ番号及び検索用表示時刻と対応付けて一時的に記憶する。
【０１１３】
検索情報に含まれる検索用付加情報が、「音楽」でないと判断する場合には、「人物」であるか否かを判断し、「人物」であると判断する場合には、検索情報に含まれる検索用表示時刻と番組コンテンツ記憶部２０１より取得した番組コンテンツとを用いて、人物認識処理を実行し、検索用表示時刻より前に位置する直近の人物先頭フレームを検出し、さらに、検出した人物先頭フレームから予め設定された時間分（例えば、３分）の連続するフレーム及び音声データからなる人物用音声画像データをコピーにより取得し、取得した人物用音声画像データを番組ＩＤ、ＣＨ番号及び検索用表示時刻と対応付けて一時的に記憶する。
【０１１４】
検索情報に含まれる検索用付加情報が、「人物」でないと判断する場合には、「文字」であるか否かを判断し、「文字」であると判断する場合には、検索情報に含まれる検索用表示時刻と番組コンテンツ記憶部２０１より取得した番組コンテンツとを用いて、文字認識処理を実行し、検索用表示時刻より前に位置する直近の文字先頭フレームを検出し、さらに、検出した文字先頭フレームから予め設定された時間分（例えば、３分）の連続するフレーム及び音声データからなる文字用音声画像データをコピーにより取得し、取得した文字用音声画像データを番組ＩＤ、ＣＨ番号及び検索用表示時刻と対応付けて一時的に記憶する。
【０１１５】
検索情報に含まれる検索用付加情報が、「文字」でないと判断する場合、つまり、「キャプチャ」であると判断する場合には、検索情報に含まれる検索用表示時刻と番組コンテンツ記憶部２０１より取得した番組コンテンツとを用いて、キャプチャ認識処理を実行し、検索用表示時刻より前に位置する直近のキャプチャ先頭フレームを検出し、さらに、検出したキャプチャ先頭フレームから予め設定された時間分（例えば、３分）の連続するフレーム及び音声データからなるキャプチャ用音声画像データをコピーにより取得し、取得したキャプチャ用音声画像データを番組ＩＤ、ＣＨ番号及び検索用表示時刻と対応付けて一時的に記憶する。
【０１１６】
ここで、以降において、音楽用音声画像データ、人物用音声画像データ、文字用音声画像データ及びキャプチャ用音声画像データを、説明上区別する必要がない場合には、総称して音声画像データと呼ぶ。
削除部２０６は、上記の動作を、検索情報記憶部２０２より取得した全ての検索情報に対して行った後、番組コンテンツを消去し、一時的に記憶している音声画像データを、番組コンテンツ記憶部２０１に記憶する。このとき、録画開始時刻は、検索用表示時刻にて示される日付及び時刻となる。
【０１１７】
これにより、番組コンテンツが削除された後も、ブックマークされた画像データが存在する付近の画像データ及び音声データが保存されているため、参照が可能となる。
＜具体例＞
ここで、複数の検索情報に対応する番組コンテンツの削除後、番組コンテンツ記憶部２０１に記憶される内容について、以下に説明する。
【０１１８】
例えば、図１１において、番組ＩＤが「１００００５」である番組コンテンツ「ＦＦＦ」を削除する場合、先ず、削除部２０６は、検索情報記憶部２０２より検索情報４００及び４０１を取得する。取得した検索情報４００に含まれる検索用表示時刻を用いて、検索用表示時刻に示される時刻付近のキャプチャ用音声画像データ（以下、「ＦＦＦ−１」という。）を取得し、取得したＦＦＦ−１を番組ＩＤ、ＣＨ番号及び検索用表示時刻と対応付けて一時的に記憶し、さらに、取得した検索情報４０１に含まれる検索用表示時刻を用いて、検索用表示時刻に示される時刻付近のキャプチャ用音声画像データ（以下、「ＦＦＦ−２」という。）を取得し、取得したＦＦＦ−２を番組ＩＤ、ＣＨ番号及び検索用表示時刻と対応付けて一時的に記憶する。
【０１１９】
次に、削除部２０６は、番組コンテンツ記憶部２０１にて記憶している「ＦＦＦ」と、それに対応する番組ＩＤ、ＣＨ番号及び録画開始時刻とを消去し、一時的に記憶しているキャプチャ用音声画像データ「ＦＦＦ−１」及び「ＦＦＦ−２」を番組コンテンツ記憶部２０１へ記憶する。
このときの番組コンテンツ記憶部２０１にて記憶されている内容を図１３にて示す。上述したように、番組コンテンツ「ＦＦＦ」は消去され、「ＦＦＦ−１」及び「ＦＦＦ−２」が記憶されている。
【０１２０】
（７）  第１送受信部２０７
第１送受信部２０７は、赤外線通信により携帯電話機１００より受信した情報を登録部２０４へ出力する。
また、第１送受信部２０７は、登録部２０４より受け取った情報を携帯電話機１００へ、赤外線通信により送信する。
【０１２１】
（８）  第２送受信部２０８
第２送受信部２０８は、インターネットを介して携帯電話機１００より受信した情報をデータ取得部２０５へ出力する。
また、第２送受信部２０８は、データ取得部２０５より受け取った情報を携帯電話機１００へ、インターネットを介して送信する。
【０１２２】
１．４  ブックマークシステム１の動作
ここでは、ブックマークシステム１の動作について説明する。
（１）  ブックマーク情報の登録時の動作概要
ここでは、ブックマーク情報の登録時における動作概要について、図１４に示す流れ図を用いて説明する。
【０１２３】
携帯電話機１００は、利用者よりブックマーク指示情報を受け付けると、受け付けたブックマーク指示情報を再生装置２００へ送信する（ステップＳ１０）。
再生装置２００は、携帯電話機１００より、ブックマーク指示情報を受信すると、ＣＨ番号と、番組ＩＤと、ブックマークされた画像データの放送時刻とを取得し（ステップＳ１５）、取得した放送時刻とＣＨ番号と番組ＩＤとを用いて番組情報を生成し、生成した番組情報を携帯電話機１００へ送信する（ステップＳ２０）。なお、ステップＳ１５における放送時刻は、ブックマーク指示情報を受信した時点までの経過時刻を算出し、算出した経過時刻に、再生中の番組コンテンツの録画開始時刻を加算することにより、取得することができる。
【０１２４】
携帯電話機１００は、再生装置２００より番組情報を受信し、さらに、識別名を入力部１０８より受け付けると、ステップＳ１０にて受け付けたブックマーク指示情報と、受け付けた識別名と、受信した番組情報とを用いて、ブックマーク情報を生成する（ステップＳ２５）。次に、携帯電話機１００は、ブックマーク情報格納処理により、生成したブックマーク情報に含まれる付加情報の内容に応じて、生成したブックマーク情報をブックマーク記憶部１０１へ格納する（ステップＳ３０）。なお、ステップＳ１０において、利用者より地域コード情報をも受け付けた場合にのみ、生成したブックマーク情報に含まれる地域コードに受け付けた地域コード情報にて示される地域コードが記録される。
【０１２５】
再生装置２００は、ステップＳ１５にて受信したブックマーク指示情報と、ステップＳ１５取得した放送時刻、ＣＨ番号及び番組ＩＤと用いて、検索情報を生成し、生成した検索情報を検索情報記憶部２０２へ記憶する（ステップＳ３５）。
（２）  指定表示時の動作概要
ここでは、指定表示時の動作概要について、図１５に示す流れ図を用いて、説明する。
【０１２６】
携帯電話機１００は、利用者より識別名の選択を受け付け、受け付けた識別名に対応するブックマーク情報及び表示開始情報を再生装置２００へ送信する（ステップＳ５０）。
再生装置２００は、携帯電話機１００よりブックマーク情報及び表示開始情報を受信すると、画像データ取得処理を行うことにより、受信したブックマーク情報と対応する画像データを取得し、取得した画像データを携帯電話機１００へ送信する（ステップＳ５５）。
【０１２７】
携帯電話機１００は、再生装置２００より画像データを受信すると、受信した画像データに基づいて画像を表示する（ステップＳ６０）。
（３）  地域表示時の動作概要
ここでは、地域表示時の動作概要について、図１６に示す流れ図を用いて、説明する。
携帯電話機１００は、利用者より地域表示情報を受け付けると、ＧＰＳ機能を用いて、位置を測定し、測定結果より現在位置する地域の地域コードを取得する（ステップＳ１００）。次に、携帯電話機１００は、取得した地域コードを含むブックマーク情報をブックマーク記憶部１０１より取得し、取得したブックマーク情報及び表示開始情報を再生装置２００へ送信する（ステップＳ１０５）。
【０１２８】
再生装置２００は、携帯電話機１００よりブックマーク情報を受信すると、画像データ取得処理を行い、受信したブックマーク情報と対応する画像データを取得し、取得した画像データを携帯電話機１００へ送信する（ステップＳ１１０）。
携帯電話機１００は、再生装置２００より画像データを受信すると、受信した画像データに基づいて画像を表示する（ステップＳ１１５）。
【０１２９】
なお、ステップＳ１０５おいて、複数のブックマーク情報を取得した場合には、取得した全てのブックマーク情報を再生装置２００へ送信し、ステップＳ１１０において、受信した各ブックマーク情報に対応する画像データを取得し、取得した全ての画像データを送信する。さらに、携帯電話機１００は、ステップＳ１１５において、前画像情報若しくは後画像情報を受け付けることにより、表示する画像データを制御する。
【０１３０】
（４）  ブックマーク情報格納処理の動作
ここでは、携帯電話機１００にて行われるブックマーク情報格納処理の動作について、図１７に示す流れ図を用いて説明する
制御部１０７は、ブックマーク情報に含まれる付加情報が「音楽」であるか否かを判断する（ステップＳ２００）。
【０１３１】
「音楽」であると判断する場合には、ブックマーク情報を音楽フォルダ１２０へ書き込み（ステップＳ２０５）、「音楽」でないと判断する場合には、付加情報が「人物」であるか否かを判断する（ステップＳ２１０）。
「人物」であると判断する場合には、ブックマーク情報を人物フォルダ１２１へ書き込み（ステップＳ２１５）、「人物」でないと判断する場合には、付加情報が「文字」であるか否かを判断する（ステップＳ２２０）。
【０１３２】
「文字」であると判断する場合には、ブックマーク情報を文字フォルダ１２２へ書き込み（ステップＳ２２５）、「文字」でないと判断する場合、つまり、付加情報は「キャプチャ」であると判断する場合には、ブックマーク情報をキャプチャフォルダ１２３へ書き込む（ステップＳ２３０）。
（５）  画像データ取得処理
ここでは、再生装置２００にて行われる画像データ取得処理について、図１８に示す流れ図を用いて説明する。
【０１３３】
データ取得部２０５は、携帯電話機１００よりブックマーク情報を受信し（ステップＳ３００）、受信したブックマーク情報を用いて、番組コンテンツ取得処理を行うことにより、受信したブックマーク情報に対応する番組コンテンツを番組コンテンツ記憶部２０１より取得する（ステップＳ３０５）。
次に、受信したブックマーク情報に含まれる付加情報が「音楽」であるか否かを判断する（ステップＳ３１０）。
【０１３４】
「音楽」であると判断する場合には、データ取得部２０５は、音楽認識処理を実行して、取得した番組コンテンツから音楽先頭フレームを検出して取得し（ステップＳ３１５）、さらに、取得した音楽先頭フレームから連続するフレームを予め設定された数分コピーにより取得し、さらに音声データをもコピーにより取得する（ステップＳ３２０）。データ取得部２０５は、取得した音楽先頭フレームより連続するフレーム、つまり、音楽先頭フレームからの動画像を画像データとして、動画像に係る音声データとともに携帯電話機１００へ送信する（ステップＳ３２５）。なお、ステップS３１５においては、取得した音楽先頭フレームの音声データを、コピーにより取得する。
【０１３５】
ステップＳ３１０にて、「音楽」でないと判断する場合には、付加情報が「人物」であるか否かを判断する（ステップＳ３３０）。
「人物」であると判断する場合には、データ取得部２０５は、人物認識処理を実行して、取得した番組コンテンツから人物先頭フレームを検出して取得し（ステップＳ３３５）、取得した人物先頭フレームからなる静止画像を画像データとして携帯電話機１００へ送信する（ステップＳ３４０）。
【０１３６】
ステップＳ３３０にて、「人物」でないと判断する場合には、付加情報が「文字」であるか否かを判断する（ステップＳ３４５）。
「文字」であると判断する場合には、データ取得部２０５は、文字認識処理を実行して、取得した番組コンテンツから文字先頭フレームを検出して取得し（ステップＳ３５０）、取得した文字先頭フレームからなる静止画像を画像データとして携帯電話機１００へ送信する（ステップＳ３５５）。
【０１３７】
ステップＳ３４５にて、「文字」でないと判断する場合、つまり、付加情報は「キャプチャ」であると判断する場合には、データ取得部２０５は、キャプチャ認識処理を実行して、取得した番組コンテンツからキャプチャ先頭フレームを検出して取得し（ステップＳ３６０）、取得したキャプチャ先頭フレームからなる静止画像を画像データとして携帯電話機１００へ送信する（ステップＳ３６５）。
【０１３８】
なお、ステップＳ３００にて、複数のブックマーク情報を受信した場合には、ステップＳ３０５からステップＳ３６５までの動作を受信したブックマーク情報の数分繰り返す。
また、フレームを検出して取得とは、フレームを検出し、検出したフレームをコピーにより取得することをいう。
（６）  番組コンテンツ取得処理
ここでは、図１８に示す画像データ取得処理のステップＳ３０５にて行われる番組コンテンツ取得処理について、図１９に示す流れ図を用いて説明する。
【０１３９】
データ取得部２０５は、受信したブックマーク情報のＢＭ用ＣＨ番号及びＢＭ用番組ＩＤと対応する番組コンテンツを番組コンテンツ記憶部２０１より、少なくとも１つ以上取得する（ステップＳ３７０）。次に、取得した番組コンテンツが１つであるか否かを判断する（ステップＳ３７５）。
取得した番組コンテンツが１つであると判断する場合には、処理を終了し、取得した番組コンテンツが１つでないと判断する場合には、取得した複数の番組コンテンツのうち録画開始時刻がブックマーク情報に含まれるＢＭ用表示時刻にて示される時刻と一致する番組コンテンツを取得する（ステップＳ３８０）。
【０１４０】
（７）  削除処理
ここでは、再生装置２００にて行われる番組コンテンツの削除処理について、図２０及び図２１に示す流れ図を用いて説明する。
削除部２０６は、削除指示情報を受け取ると（ステップＳ４００）、受け取った削除指示情報に含まれる番組ＩＤと対応する番組コンテンツを番組コンテンツ記憶部２０１より取得し、さらに、番組ＩＤと対応する検索情報を全て検索情報記憶部２０２より取得する（ステップＳ４０５）。
【０１４１】
取得した全ての検索情報のうち１つの検索情報に対して、検索情報に含まれる検索用付加情報が音楽であるか否かの判断を行う（ステップＳ４１０）。
「音楽」であると判断する場合には、削除部２０６は、音楽認識処理を実行して、音楽先頭フレームを検出し（ステップＳ４１５）、さらに、検出した音楽先頭フレームを用いて音楽用音声画像データをコピーにより取得し、取得した音楽用音声画像データを番組ＩＤ、ＣＨ番号及び検索用表示時刻と対応付けて一時的に記憶する（ステップＳ４２０）。
【０１４２】
ステップＳ４１０にて、「音楽」でないと判断する場合には、検索用付加情報が「人物」であるか否かを判断する（ステップＳ４２５）。
「人物」であると判断する場合には、削除部２０６は、人物認識処理を実行して、人物先頭フレームを検出し（ステップＳ４３０）、検出した人物先頭フレームを用いて、人物用音声画像データをコピーにより取得し、取得した人物用音声画像データを番組ＩＤ、ＣＨ番号及び検索用表示時刻と対応付けて一時的に記憶する。（ステップＳ４３５）。
【０１４３】
ステップＳ４２５にて、「人物」でないと判断する場合には、検索用付加情報が「文字」であるか否かを判断する（ステップＳ４４０）。
「文字」であると判断する場合には、削除部２０６は、文字認識処理を実行して、文字先頭フレームを検出し（ステップＳ４４５）、検出した文字先頭フレームを用いて、文字用音声画像データをコピーにより取得し、取得した文字用音声画像データを番組ＩＤ、ＣＨ番号及び検索用表示時刻と対応付けて一時的に記憶する（ステップＳ４５０）。
【０１４４】
ステップＳ４４０にて、「文字」でないと判断する場合、つまり、検索用付加情報が「キャプチャ」であると判断する場合には、削除部２０６は、キャプチャ認識処理を実行して、キャプチャ先頭フレームを検出し（ステップＳ４５５）、検出したキャプチャ先頭フレームを用いて、キャプチャ用音声画像データをコピーにより取得し、取得したキャプチャ用音声画像データを番組ＩＤ、ＣＨ番号及び検索用表示時刻と対応付けて一時的に記憶する（ステップＳ４６０）。
【０１４５】
削除部２０６は、ステップＳ４０５にて取得した検索情報のうちで、ステップＳ４１０からステップＳ４６０までの処理がされていない検索情報が存在するか否かを判断し（ステップＳ４６５）、検索情報が存在すると判断する場合には、処理がされていない検索情報を取得し（ステップＳ４７０）、ステップＳ４１０に戻り、取得した検索情報に対して、ステップＳ４１０以降の動作を行う。
【０１４６】
削除部２０６は、ステップＳ４６５にて、ステップＳ４１０からステップＳ４６０までの処理がされていない検索情報が存在しない、つまり、ステップＳ４０５にて取得した全ての検索情報に対してステップＳ４１０からステップＳ４６０までの処理がされていると判断する場合には、番組コンテンツを消去し（ステップＳ４７５）、一時的に記憶している音声画像データを番組ＩＤ、ＣＨ番号、検索用表示時刻と対応付けて番組コンテンツ記憶部２０１へ記憶する（ステップＳ４８０）。
【０１４７】
１．５  まとめ
以上、説明したように本発明によれば、ブックマークシステムは、再生装置にてコンテンツの再生中に携帯電話機を用いて、ブックマークを行い、ブックマーク情報を生成し、生成したブックマーク情報を記憶することで、後日、記憶しているブックマーク情報を用いて、携帯電話機にてブックマークされた画像データの表示を行うことができる。
【０１４８】
また、再生装置は、携帯電話機より受信したブックマーク情報を用いて、画像データの取得を高速に行うことができる。
また、ブックマークの登録時に利用者がブックマークしたい画像データと実際にブックマークされた画像データとが、ブックマーク指示情報の送信から受信までに要する時間の影響により異なる場合が考えられるが、上記に示した再生装置は、画像データ取得時に、音楽認識処理、人物認識処理、文字認識処理及びキャプチャ認識処理のうちで、付加情報に示される情報に対応する認識処理を実行することにより、利用者が希望する画像データを従来より正確に取得し、取得した画像データを携帯電話機へ送信することができる。
【０１４９】
また、携帯電話機は、ブックマークを行う場合に、双方向通信により再生装置からブックマークした画像データの放送時刻や番組ＩＤ等の情報を受信することができる。
また、携帯電話機は、生成したブックマーク情報を内容に応じて、フォルダへ自動に振分けるため、ブックマーク情報の整理が簡単にできる。
１．６  ブックマーク情報の格納先の変形例
上記実施の形態では、ブックマーク情報を携帯電話機にて格納したが、ここでは、ブックマーク情報を再生装置のみに記憶した場合の変形例について説明する。
【０１５０】
本変形例における再生装置１０００及び携帯電話機１１００について、以下に説明する。
１．６．１  再生装置１０００
再生装置１０００は、図２２に示すように、番組コンテンツ記憶部１００１、ブックマーク記憶部１００２、再生部１００３、登録部１００４、データ取得部１００５、削除部１００６、受信部１００７及び送受信部１００８から構成されている。
【０１５１】
再生装置１０００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置１０００は、その機能を達成する。
【０１５２】
（１）番組コンテンツ記憶部１００１
番組コンテンツ記憶部１００１は、上記にて示す番組コンテンツ記憶部２０１と同様であるため、説明は省略する。
（２）ブックマーク記憶部１００２
ブックマーク記憶部１００２は、上記にて示すブックマーク記憶部１０１と同様のフォルダ構成を有している。上記実施の形態と異なる点は、ブックマーク情報には、上記実施の形態にて示すデータに、さらに、携帯電話機を識別する電話機ＩＤを含む点である。
【０１５３】
ここで、図２３に音楽フォルダにて記憶されている音楽情報テーブルＴ１０００の一例を示す。
音楽情報テーブルＴ１０００は、識別名、ＢＭ用表示時刻、ＢＭ用ＣＨ番号、ＢＭ用番組ＩＤ、地域コード、端末識別子及び付加情報である。
端末識別子は、携帯電話機を識別する電話機ＩＤである。残りの項目については、上記実施の形態と同様であるため、説明は省略する。
【０１５４】
また、他のフォルダにて記憶されている各テーブルの構成は、音楽情報テーブルＴ１０００の構成と同様であるため、説明は省略する。
（３）再生部１００３
再生部１００３は、上記にて示す再生部２０３と同様であるため説明は省略する。
（４）登録部１００４
登録部１００４は、再生部１００３にて番組コンテンツが再生されると、再生開始からの再生されたフレームの枚数をカウントしている。
【０１５５】
登録部１００４は、番組コンテンツの再生中に、受信部１００７を介して携帯電話機１１００から、ブックマーク指示情報と、携帯電話機１１００を識別する電話機ＩＤとを受信する。
登録部１００４は、上記にて示す登録部２０４と同様の動作にて、ブックマークされた画像データの放送時刻を取得し、さらに、再生部１００３より再生中の番組コンテンツに対応するＣＨ番号及び番組ＩＤを取得する。
【０１５６】
これにより、取得した放送時刻と、１秒あたりに再生されるフレームの数との関係より、取得した放送時刻から、ブックマーク指示情報を受け取った時点のフレームを特定することができる。以上により、ブックマーク情報を受け取った時点の番組コンテンツ内の位置を特定する情報（ここでは、放送時刻）を取得する位置取得部が構成されることになる。
【０１５７】
さらに、登録部１００４は、受信部１００７を介して携帯電話機１１００から、識別名を受信する。
登録部１００４は、取得した放送時刻と、受信したブックマーク指示情報に含まれる対応情報と、受信した電話機ＩＤ及び識別名と、再生部１００３より取得したＣＨ番号及び番組ＩＤとを用いて、ブックマーク情報を生成し、生成したブックマーク情報を、ブックマーク情報に含まれる付加情報に応じたブックマーク記憶部１００２内のフォルダへ書き込む。登録部１００４は、ブックマーク指示情報を受信後、さらに、地域コードを受信すると、取得した放送時刻と、受信したブックマーク指示情報に含まれる対応情報と、受信した電話機ＩＤ、地域コード及び識別名と、再生部１００３より取得したＣＨ番号及び番組ＩＤとを用いて、ブックマーク情報を生成し、生成したブックマーク情報を、ブックマーク情報に含まれる付加情報に応じたブックマーク記憶部１００２内のフォルダへ書き込む。
【０１５８】
以上により、ブックマーク情報を書き込む書込部が構成されることになる。
また、登録部１００４において、上記に示すように、ブックマーク対象の種類を示す情報（対応情報）、電話機ＩＤ、識別名及び地域コードを受け取る情報受取部も構成されることになる。
（５）  データ取得部１００５
データ取得部１００５は、携帯電話機１１００へ送信する動画像を生成する静止画像の数（例えば、３００である。）を記憶しており、さらに、「音楽認識処理」、「人物認識処理」、「文字認識処理」及び「キャプチャ認識処理」のそれぞれに対応するプログラムを予め記憶している。また、携帯電話機１１００より受信した電話機ＩＤを一時的に記憶するためのＩＤ記憶領域を有している。
【０１５９】
データ取得部１００５は、送受信部１００８を介して携帯電話機１１００より、ブックマークされた画像データの表示開始を行うことを示す表示開始情報と、電話機ＩＤとを受け取ると、ブックマーク情報の格納先の選択を促すために、ブックマーク記憶部１００２が有する各フォルダのフォルダ名に、それぞれ異なる番号を割り当て、割り当てた番号とフォルダ名とを組にした格納先リストを生成し、生成した格納先リストを送受信部１００８を介して携帯電話機１１００へ送信する。また、受信した電話機ＩＤをＩＤ記憶領域に記憶する。なお、格納先リストの画面イメージは、図９（ａ）と同様であるため、説明は省略する。
【０１６０】
データ取得部１００５は、選択された格納先を示す選択フォルダ情報を、携帯電話機１１００から送受信部１００８を介して、受信する。ここで、選択フォルダ情報は、選択されたフォルダに割り当てられた番号からなる情報である。
さらに、データ取得部１００５は、選択フォルダ情報にて示されるフォルダに記録されているブックマーク情報のうち、ＩＤ記憶領域にて記憶している電話機ＩＤを含むブックマーク情報を全て取得し、取得した各ブックマーク情報に含まれる識別名を取得する。データ取得部１００５は、取得した全ての識別名からなる一覧リストを生成し、生成した一覧リストを、送受信部１００８を介して携帯電話機１１００へ送信する。ここで、一覧リストは、各識別名に、異なる番号が割り当てられたリストである。なお、格納先リストの画面イメージは、図９（ｂ）と同様であるため、説明は省略する。
【０１６１】
データ取得部１００５は、携帯電話機１１００から送受信部１００８を介して、選択された識別名を示す選択識別名情報を受け取る。
以上により、表示の指示を示す情報を受信する受信部が構成されることになる。
データ取得部１００５は、受け取った選択識別名情報にて示される識別名に対応するブックマーク情報をブックマーク記憶部１００２より取得する。ここで、選択識別名情報は、選択された識別名に割り当てられた番号からなる情報である。
【０１６２】
データ取得部１００５は、取得したブックマーク情報に含まれるＢＭ用ＣＨ番号及びＢＭ用番組ＩＤと対応する番組コンテンツを番組コンテンツ記憶部１００１より取得する。このとき、ＢＭ用ＣＨ番号及びＢＭ用番組ＩＤと対応する番組コンテンツを複数取得した場合には、取得した複数の番組コンテンツのうち録画開始時刻がブックマーク情報に含まれるＢＭ用表示時刻にて示される時刻と一致する番組コンテンツを取得する。
【０１６３】
次に、データ取得部１００５は、上記にて示す取得方法と同様の方法にて、取得した番組コンテンツより静止画像若しくは動画像を、コピーにより取得する。また、動画像を取得する際には、その音声をもコピーにより取得する。データ取得部１００５は、取得した静止画像若しくは動画像に対して、間引き（ディグレード）を行い、携帯電話機１１００へ送信する画像の画質を落とす。間引きは、例えば、１６ビットのデータを８ビットに変換することにより可能である。これにより、番組コンテンツからブックマークされた静止画像若しくは動画像を取得する部分コンテンツ取得部が構成されることになる。
【０１６４】
データ取得部１００５は、画質が落とされた静止画像若しくは動画像を画像データとして送受信部１００８を介して、携帯電話機１１００へ送信する。なお、動画像を送信する際には、動画像に係る音声データをも送信する。これにより、静止画像からなる部分コンテンツ、若しくは動画像と音声とからなる部分コンテンツを送信するコンテンツ送信部が構成されることになる。
【０１６５】
データ取得部１００５は、現在位置する地域に係るブックマークされた画像データを要求する画像データ要求情報と、地域コードと、電話機ＩＤとを、携帯電話機１１００から送受信部１００８を介して、受信する。これにより、画像データ要求情報と地域コードを受信する識別子受信部が構成されることになる。
データ取得部１００５は、ブックマーク記憶部１００２より、受信した地域コード及び電話機ＩＤの双方と一致するブックマーク情報を全て取得する。
【０１６６】
データ取得部１００５は、取得した全てのブックマーク情報に対して、各ブックマーク情報に含まれる付加情報に対応する静止画像若しくは動画像を、上記と同様の取得方法にて取得する。データ取得部１００５は、上記と同様に、間引きを行い、画質が落とされた各画像を、送受信部１００８を介して携帯電話機１１００へ送信する。なお、動画像を送信する場合には、動画像に係る音声データをも、送受信部１００８を介して携帯電話機１１００へ送信する。これにより、上記と同様にコンテンツ送信部が構成されることになる。
【０１６７】
（６）削除部１００６
削除部１００６は、上記にて示す削除部２０６と同様であるため、説明は省略する。
（７）受信部１００７
受信部１００７は、赤外線通信により携帯電話機１１００より受信した情報を登録部１００４へ出力する。
【０１６８】
（８）送受信部１００８
送受信部１００８は、インターネットにより携帯電話機１１００より受信した情報をデータ取得部１００５へ出力する。
また、送受信部１００８は、データ取得部１００５より受け取った情報を携帯電話機１１００へ、インターネットにより送信する。
【０１６９】
１．６．２  携帯電話機１１００
携帯電話機１１００は、図２４に示すように、地域情報記憶部１１０２、無線部１１０３、ベースバンド信号処理部１１０４、スピーカー１１０５、マイク１１０６、制御部１１０７、入力部１１０８、表示部１１０９、送信部１１１０及び識別子記憶部１１１１から構成されている。
【０１７０】
携帯電話機１１００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機１１００は、その機能を達成する。
（１）地域情報記憶部１１０２
地域情報記憶部１１０２は、上記にて示す地域情報記憶部１０２と同様であるため、説明は省略する。
【０１７１】
（２）識別子記憶部１１１１
識別子記憶部１１１１は、携帯電話機１１００を識別する電話機ＩＤを記憶している。
（３）  無線部１１０３
無線部１１０３は、アンテナ１３００を備えており、無線信号の送受信を行う。
（４）  ベースバンド信号処理部１１０４
ベースバンド信号処理部１１０４は、無線部１１０３より受け取った信号をスピーカー１１０５へ出力するための信号処理や、マイク１１０６より受け取った音声を無線部１１０３へ出力するための信号処理を行う。
【０１７２】
また、ベースバンド信号処理部１１０４は、インターネット及び公衆無線通信網を介して受信した情報を、無線部１１０３を介して受け取ると、受け取った情報を制御部１１０７へ出力する。
ベースバンド信号処理部１１０４は、制御部１１０７から、表示開始情報、選択フォルダ情報、選択識別名情報及び画像データ要求情報を受け取ると、受け取った表示開始情報、選択フォルダ情報、選択識別名情報及び画像データ要求情報を無線部１１０３、公衆無線通信網及びインターネットを介して、再生装置１０００へ送信する。ベースバンド信号処理部１１０４は、画像データ要求情報を制御部１１０７から受け取ると、さらに、地域コードをも受け取り、受け取った地域コードも画像データ要求情報と併せて、公衆無線通信網及びインターネットを介して再生装置１０００へ送信する。ベースバンド信号処理部１１０４は、制御部１１０７から音声データを受け取ると、受け取った音声データをスピーカー１１０５へ出力するための信号処理をも行う。
【０１７３】
（５）  スピーカー１１０５
スピーカー１１０５は、上記にて示すスピーカー１０５と同様であるため、説明は省略する。
（６）  マイク１１０６
マイク１１０６は、上記にて示すマイク１０６と同様であるため、説明は省略する。
【０１７４】
（７）  制御部１１０７
制御部１１０７は、位置を測定するＧＰＳ（Ｇｌｏｂａｌ  Ｐｏｓｉｔｉｏｎｉｎｇ  Ｓｙｓｔｅｍ）機能を予め備えており、携帯電話機１１００全体の制御を行っている。
以下、ブックマーク情報の登録、指定表示及び地域表示における制御について、説明する。
【０１７５】
＜ブックマーク情報の登録＞
制御部１１０７は、ブックマーク指示情報を入力部１１０８より受け取る。また、制御部１１０７は、入力部１１０８にて、地域コードを示す地域コード情報を利用者より受け付けた場合には、入力部１１０８よりブックマーク指示情報と併せて、地域コード情報も受け取る。
【０１７６】
次に、制御部１１０７は、受け取ったブックマーク指示情報と識別子記憶部１１１１にて記憶している電話機ＩＤとを赤外線通信により、再生装置１０００へ送信部１１１０を介して送信する。また、制御部１１０７は、地域コードをも入力部１１０８から受け取っている場合には、地域コードも併せて、再生装置１０００へ送信部１１１０を介して送信する。
【０１７７】
さらに、制御部１１０７は、入力部１１０８より識別名を受け取ると、受け取った識別名を赤外線通信により、再生装置１０００へ送信部１１１０を介して送信する。
以上により、ブックマーク対象の種類を示す情報（対応情報）、電話機ＩＤ、地域コード及び識別名を送信する情報送信部が構成されることになる。
＜指定表示＞
制御部１１０７は、表示開始情報を入力部１１０８より受け取ると、電話機ＩＤを取得し、受け取った表示開始情報と取得した電話機ＩＤとを、無線部１１０３を介して再生装置１０００へ、インターネット及び公衆無線通信網を利用して送信する。
【０１７８】
制御部１１０７は、格納先リストを、インターネット及び公衆無線通信網を介して再生装置１０００から受信すると、受信した格納先リストを、表示部１１０９へ出力する。
制御部１１０７は、ユーザによるキー操作にて、入力部１１０８から選択フォルダ情報を受け取ると、受け取った選択フォルダ情報をベースバンド信号処理部１１０４へ出力する。
【０１７９】
制御部１１０７は、一覧リストを、インターネット及び公衆無線通信網を介して再生装置１０００から受信すると、受信した一覧リストを、表示部１１０９へ出力する。
制御部１１０７は、ユーザによるキー操作にて、入力部１１０８から選択識別名情報を受け取ると、受け取った選択識別名情報をベースバンド信号処理部１１０４へ出力する。
以上により、指示送信部が構成されることになる。
【０１８０】
制御部１１０７は、選択した識別名を含むブックマーク情報に対応する静止画像の画像データ若しくは動画像の画像データを、インターネット及び公衆無線通信網を介して再生装置１０００から受信する。また、動画像を受信する際には、動画像に係る音声データをも受信する。これにより、静止画像からなる部分コンテンツ、若しくは動画像及び音声からなる部分コンテンツを受信するコンテンツ受信部が構成されることになる。
【０１８１】
制御部１１０７は、受信した静止画像の画像データ若しくは動画像の画像データに基づく静止画像若しくは動画像を、表示部１１０９を介して表示する。また、音声データをも受信した場合には、受信した音声データをベースバンド信号処理部１１０４を介してスピーカー１１０５へ出力する。これにより、制御部１１０７は、受信した動画像の再生を行うことができる。これにより、コンテンツ出力部が構成されることになる。
【０１８２】
＜地域表示＞
制御部１１０７は、地域表示情報を入力部１１０８より受け取ると、ＧＰＳ機能を用いて、現在の位置を測定する。制御部１１０７は、測定結果より得られた地域に対応する地域コードを地域情報記憶部１１０２より取得し、さらに、電話機ＩＤを識別子記憶部１１１１より取得する。
【０１８３】
制御部１１０７は、取得した地域コード及び電話機ＩＤと、画像データ要求情報とをベースバンド信号処理部１１０４へ出力する。
制御部１１０７は、送信した地域コードに係る各ブックマーク情報に対応する静止画像の画像データ若しくは動画像の画像データを、インターネット及び公衆無線通信網を介して再生装置１０００から受信すると、受信した静止画像の画像データ若しくは動画像の画像データ基づく静止画像若しくは動画像を、表示部１１０９を介して表示する。
【０１８４】
また、動画像を受信する際には、動画像に係る音声データをも受信し、受信した音声データを、ベースバンド信号処理部１１０４を介してスピーカー１１０５へ出力する。これにより、制御部１１０７は、受信した動画像の再生を行うことができる。
なお、制御部１１０７は、複数の静止画像若しくは動画像を受信した場合には、入力部１１０８より、前画像情報、又は後画像情報を受け付けることにより、表示部１１０９にて表示する静止画像若しくは動画像を制御する。
【０１８５】
（８）  入力部１１０８
入力部１１０８は、数字入力キーなどの入力機能を備えたキーボード等により構成されており、使用者から入力指示を受け付ける。
入力部１１０８は、ブックマーク指示情報を受け付け、受け付けたブックマーク指示情報を制御部１１０７へ出力する。また、入力部１１０８は、地域コード情報を受け付け、受け付けた地域コード情報を制御部１１０７へ出力する。なお、地域コード情報は、ブックマーク指示情報の受け付け時に受け付け、地域コード情報を制御部１１０７へ出力する際には、ブックマーク指示情報と併せて、出力する。
【０１８６】
さらに、入力部１１０８は、識別名情報を受け付けると、受け付けた識別名情報を制御部１１０７へ出力する。
入力部１１０８は、表示開始情報を受け付けると、受け付けた表示開始情報を制御部１１０７へ出力する。さらに、入力部１１０８は、選択フォルダ情報及び選択識別名情報を受け付け、受け付けた選択フォルダ情報及び選択識別名情報を制御部１１０７へ出力する。
【０１８７】
また、入力部１１０８は、地域表示情報を受け付けると、受け付けた地域表示情報を制御部１１０７へ出力する。さらに、入力部１１０８は、前画像情報及び後画面情報を受け付け、受け付けた前画像情報及び後画面情報を制御部１１０７へ出力する。
以上により、受付部が構成されることになる。
（９）  表示部１１０９
表示部１１０９は、制御部１１０７より格納先リストを受け取ると、受け取った格納先リストを表示する。
【０１８８】
表示部１１０９は、制御部１１０７より一覧リストを受け取ると、受け取った一覧リストを表示する。
さらに、表示部１１０９は、制御部１１０７より受け取った静止画像若しくは動画像を表示する。なお、表示部１１０９にて表示される画像は、再生装置１０００にて行われる間引きにより、画質が落とされた画像であることに注意されたい。
【０１８９】
（１０）  送信部１１１０
送信部１１１０は、制御部１１０７より受け取った情報を、赤外線通信により再生装置１０００へ送信する。
１．６．３  ブックマーク情報の登録時の動作概要
ここでは、ブックマーク情報の登録時における動作概要について、図２５に示す流れ図を用いて説明する。
【０１９０】
携帯電話機１１００は、利用者よりブックマーク指示情報を受け付けると（ステップＳ１０００）、識別子記憶部１１１１から電話機ＩＤを取得する（ステップＳ１００５）。携帯電話機１１００は、ブックマーク指示情報と、電話機ＩＤとを再生装置１０００へ送信する（ステップＳ１０１０）。なお、ステップＳ１０００にて、ブックマーク指示情報加えて、地域コードをも受け付けた場合には、ステップＳ１０１０にて、受け付けた地域コードをも併せて送信する。
【０１９１】
再生装置１０００は、携帯電話機１１００より、ブックマーク指示情報及び電話機ＩＤを受信すると（ステップＳ１０１５）、ＣＨ番号と、番組ＩＤと、ブックマークされた画像データの放送時刻を取得する（ステップＳ１０２０）。
携帯電話機１１００は、さらに、識別名を受け付け、受け付けた識別名を再生装置１０００へ送信する（ステップＳ１０２５）。
【０１９２】
再生装置１０００は、携帯電話機１１００より識別名を受信し（ステップＳ１０３０）、受信した識別名、対応情報及び電話機ＩＤと、取得した放送時刻、ＣＨ番号及び番組ＩＤとを用いてブックマーク情報を生成し（ステップＳ１０３５）、生成したブックマーク情報を、生成したブックマーク情報に含まれる付加情報に対応するフォルダへ格納するブックマーク情報格納処理を行う（ステップＳ１０４０）。なお、ステップＳ１０１５において、携帯電話機１１００から地域コード情報をも受信した場合には、再生装置１０００は、受信したブックマーク指示情報に含まれる対応情報と、受信した電話機ＩＤ、地域コード及び識別名と、取得した放送時刻と、再生部１００３より取得したＣＨ番号及び番組ＩＤとを用いて、ブックマーク情報を生成し、生成したブックマーク情報を、ブックマーク情報に含まれる対応情報に対応するフォルダへ格納する。
【０１９３】
ブックマーク情報格納処理の詳細については、図１７に示す動作と同様であるため、説明は省略する。
１．６．４  指定表示時の動作概要
ここでは、指定表示時の動作概要について、図２６に示す流れ図を用いて、説明する。
携帯電話機１１００は、表示開始情報を受け取ると（ステップＳ１１００）、電話機ＩＤを取得し（ステップＳ１１０５）、受け取った表示開始情報と取得した電話機ＩＤとを、再生装置１０００へ送信する（ステップＳ１１１０）。
【０１９４】
再生装置１０００は、携帯電話機１１００より、表示開始情報と電話機ＩＤとを受信すると（ステップＳ１１１５）、格納先リストを生成し、生成した格納先リストを携帯電話機１１００へ送信し、受信した電話機ＩＤをＩＤ記憶領域に記憶する（ステップＳ１１２０）。
携帯電話機１１００は、格納先リストを、インターネット及び公衆無線通信網を介して再生装置１０００から受信すると、受信した格納先リストを表示する（ステップＳ１１２５）。
【０１９５】
携帯電話機１１００は、ユーザによるキー操作にて、選択フォルダ情報を受け取ると、受け取った選択フォルダ情報を再生装置１０００へ送信する（ステップＳ１１３０）。
再生装置１０００は、選択フォルダ情報を、携帯電話機１１００から受信する（ステップＳ１１３５）。
再生装置１０００は、さらに、選択フォルダ情報にて示されるフォルダに記録されているブックマーク情報のうち、ＩＤ記憶領域にて記憶している電話機ＩＤを含むブックマーク情報を全て取得し、取得した各ブックマーク情報に含まれる識別名を取得して、一覧リストを生成し、生成した一覧リストを、携帯電話機１１００へ送信する（ステップＳ１１４０）。
【０１９６】
携帯電話機１１００は、一覧リストを、インターネット及び公衆無線通信網を介して再生装置１０００から受信すると、受信した一覧リストを表示する（ステップＳ１１４５）。
携帯電話機１１００は、ユーザによるキー操作にて、選択識別名情報を受け取ると、受け取った選択識別名情報を再生装置１０００へ送信する（ステップＳ１１５０）。
【０１９７】
再生装置１０００は、携帯電話機１１００から選択識別名情報を受信すると（ステップＳ１１５５）、受け取った選択識別名情報にて示される識別名に対応するブックマーク情報をブックマーク記憶部１００２より取得する（ステップＳ１１６０）。
再生装置１０００は、取得したブックマーク情報に含まれるＢＭ用ＣＨ番号及びＢＭ用番組ＩＤを用いて、ブックマークされた静止画像若しくは動画像を取得する画像データ取得処理を行う（ステップＳ１１６５）。
【０１９８】
携帯電話機１１００は、選択した識別名を含むブックマーク情報に対応する静止画像若しくは動画像を、インターネット及び公衆無線通信網を介して再生装置１０００から受信すると、受信した静止画像及び動画像を表示する（ステップＳ１１７０）。
また、携帯電話機１１００は、動画像を受信する際には、動画像に係る音声データをも受信し、受信した音声データをも出力する。
【０１９９】
１．６．５  地域表示時の動作概要
ここでは、地域表示時の動作概要について、図２７に示す流れ図を用いて、説明する。
携帯電話機１１００は、地域表示情報を受け取ると、ＧＰＳ機能を用いて、現在の位置を測定し、測定結果より得られた地域に対応する地域コードを地域情報記憶部１１０２より取得し（ステップＳ１２００）、さらに、電話機ＩＤを識別子記憶部１１１１より取得する（ステップＳ１２０５）。
【０２００】
携帯電話機１１００は、取得した地域コード及び電話機ＩＤと、画像データ要求情報とを再生装置１０００へ送信する（ステップＳ１２１０）。
再生装置１０００は、画像データ要求情報と、地域コードと、電話機ＩＤとを、携帯電話機１１００から受信すると（ステップＳ１２１５）、ブックマーク記憶部１００２より、受信した地域コード及び電話機ＩＤの双方と一致するブックマーク情報を全て取得する（ステップＳ１２２０）。
【０２０１】
再生装置１０００は、画像データ取得処理を行う（ステップＳ１２２５）。
携帯電話機１１００は、送信した地域コードに係る各ブックマーク情報に対応する静止画像若しくは動画像を、インターネット及び公衆無線通信網を介して再生装置１０００から受信すると、受信した静止画像及び動画像を表示する（ステップＳ１２３０）。
また、携帯電話機１１００は、動画像を受信する際には、動画像に係る音声データをも受信し、受信した音声データを出力する。
【０２０２】
なお、ステップＳ１２２０おいて、複数のブックマーク情報が取得された場合には、携帯電話機１１００は、取得された全てのブックマーク情報に係る静止画像若しくは動画像を再生装置１０００から受信する。このとき、前画像情報若しくは後画像情報を受け付けることにより、表示する画像データを制御する。
１．６．６  画像データ取得処理
ここでは、図２６に示すステップＳ１１６５の画像データ取得処理について、図１８に示す画像データ取得処理との変更点のみ説明する。
【０２０３】
変更点は、図１８におけるステップＳ３００が削除され、ステップＳ３０５は、図２６にて示すステップＳ１１６０にて取得したブックマーク情報を用いて、実行される。なお、ステップＳ３１５、Ｓ３２０、Ｓ３３５、Ｓ３５０及びＳ３６０にて取得された１以上のフレームは、画質を落とすために間引きされ、ステップＳ３２５、Ｓ３４０、Ｓ３５５及びＳ３６５では、画質が落とされた画像データが送信される。
【０２０４】
また、図２７に示すステップＳ１２２５の画像データ取得処理についても上記と同様の変更がなされる。ただし、ステップＳ３０５以降の動作は、図２７にて示すステップＳ１２２０にて取得した全てのブックマーク情報を用いて、実行される。
１．６．７  変形例
上記に説明したブックマーク情報の格納先の変形例は、本発明の実施の一例であり、本発明はこの実施の形態に何ら限定されるものではなく、その旨を逸脱しない範囲において種々なる態様で実施し得るものである。以下のような場合も本発明に含まれる。
【０２０５】
（１）データ取得部１００５にて、ブックマーク情報に係る静止画像若しくは動画像を取得した場合に、画質を落とすために、間引きを行ったが、これに限定されない。
取得した静止画像若しくは動画像に、予め定められた文字（例えば、「サンプル」）を付加して、携帯電話機１１００へ送信してもよい。携帯電話機１１００は、文字「サンプル」が付加された静止画像若しくは動画像を表示する。
【０２０６】
また、再生装置１０００は、動画像を送信する場合には、さらに、音質を落とすために、音声データの間引きを行ってもよい。または、動画像を送信する場合には、音声データの間引きのみを行ってもよい。
また、再生装置１０００は、送信する静止画像若しくは動画像に有効期限を与えてもよい。このとき、再生装置１０００のデータ取得部１００５は、取得した画像を送信すると、送信した画像に対する有効期限を、送信した画像に対応するブックマーク情報、電話機ＩＤ及び送信した画像を含む番組コンテンツの番組ＩＤと対応付けて、ブックマーク記憶部１００２へ記憶しておく。これにより、有効期限をブックマーク記憶部１００２へ書き込む期限書込部が構成されることになる。
【０２０７】
再生装置１０００は、記憶している電話機ＩＤに対応する携帯電話機へ、有効期限内に限り、記憶している同一のブックマーク情報に対する画像を送信する。さらに、再生装置は、記憶している有効期限内において、記憶している番組ＩＤに対応するブックマーク情報に対する画像を、他の携帯電話機へは送信しない。なお、再生装置１０００は、記憶している有効期限内において、記憶している番組ＩＤに対応し、且つ記憶しているブックマーク情報とは異なるブックマーク情報に対する画像を、記憶している電話機ＩＤに対応する携帯電話機へは、送信しないようにしてもよいし、送信するようにしてもよい。
【０２０８】
（２）上記の変形例では、システムを再生装置１０００と携帯電話機１１００とからなる構成としたが、これに限定されない。
システムをホームネットワークにて実現してもよい。再生装置１０００をホームサーバとして、携帯電話機１１００の代わりにクライアント装置（例えば、デジタルテレビ、ＤＶＤレコーダ）を用いる。クライアント装置は少なくとも１台以上あり、各クライアント装置には、それぞれを識別する装置識別子が記憶されている。
【０２０９】
クライアント装置は、再生装置１０００にて記憶されている番組コンテンツを再生し、再生中に、クライアント装置に備え付けられているリモコンを用いて、ユーザの操作により、ブックマーク指示情報を受け付けると、受け付けたブックマーク指示情報と、装置識別子とを再生装置１０００へ送信する。ブックマーク情報の登録は、上記の変形例と同様であるため、説明は省略する。
【０２１０】
クライアント装置は、ユーザの操作により、表示開始情報を受け付けると、受け付けた表示開始情報と、装置識別子とを再生装置１０００へ送信する。以降の動作は、上記の変形例と同様であるため、説明は省略する。なお、上記の変形例と異なる点は、インターネット及び公衆無線通信網を利用する代わりに、ホームネットワークを利用する点である。
（３）上記の変形例にて用いた電話機ＩＤの代わりに、ユーザ毎に割り当てられたユーザＩＤを用いてもよい。携帯電話機１１００は、ブックマーク指示情報を再生装置１０００へ送信する際に、ユーザＩＤをも送信する。ブックマーク情報の登録は、上記の変形例と同様であるため、説明は省略する。
【０２１１】
携帯電話機１１００は、表示開始情報を再生装置１０００へ送信する際に、ユーザＩＤをも送信する。以降の動作は、上記の変形例と同様であるため、説明は省略する。
（４）上記実施の形態及び上記変形例をそれぞれ組み合わせるとしてもよい。
１．６．８  まとめ
以上、説明したように、本変形例によると、ＢＭ情報を再生装置１０００にて一括に管理できる。さらに、再生装置１０００は、ブックマーク情報に電話機ＩＤを付加することにより、複数の携帯電話機からのブックマーク指示に対応することができる。
【０２１２】
また、再生装置１０００は、ブックマーク情報に係る画像を間引きして、画質を落とすことにより、著作権保護上の制限を行うことができる。
１．７  その他の変形例
本発明を上記の実施の形態に基づいて説明してきたが、本発明は、上記の実施の形態に限定されないのはもちろんである。以下の場合も本発明に含まれる。
【０２１３】
（１）上記実施の形態では、ブックマークした画像データを再生装置２００より受信し、受信した画像データの表示を行ったがこれに限定されない。受信した画像データを記憶する記憶部を携帯電話機１００に備え、当該記憶部に保存してもよい。ここで、記憶部は、携帯電話機１００内のメモリや、携帯電話機に着脱可能な記録媒体（例えば、ＳＤカード）である。
【０２１４】
（２）上記の実施の形態では、携帯型の通信端末機を携帯電話機としたが、これに限定されない。他の携帯型の通信端末機であってもよい。
例えば、ＰＤＡ（Ｐｅｒｓｏｎａｌ  Ｄｉｇｉｔａｌ  Ａｓｓｉｓｔａｎｔ）やブックマークシステムのみに用いられる専用端末機である。
（３）複数の携帯電話機間にて、ブックマーク情報の送受信を行ってもよい。この場合、ブックマーク情報の送受信は、例えば、赤外線通信によって行う。この場合、制御部１０７内に構成されている情報送信部が、ブックマーク記憶部１０１にて記憶しているブックマーク情報を、送受信部１１０を介して他の携帯電話機へ送信する。また、他の携帯電話機よりブックマーク情報を受信する場合には、制御部１０７内に構成されている時刻受信部が、送受信部１１０を介して他の携帯電話機より、ブックマーク情報を受信する。また、他の携帯電話機より受信したブックマーク情報を、制御部１０７内に構成されている情報書込部が、ブックマーク記憶部１０１へ書き込む。
【０２１５】
このときの再生装置２００における動作について、携帯電話機１００を用いて、以下に説明する。再生装置２００は、携帯電話機１００よりブックマーク情報を受信すると、受信したブックマーク情報に含まれるＢＭ用番組ＩＤと一致する番組コンテンツが番組コンテンツ記憶部２０１に存在するか否かを判断する。存在すると判断する場合には、受信したブックマーク情報に対応する画像データを取得し、取得した画像データを携帯電話機１００へ送信する。なお、動画像を送信する場合には、音声データをも送信する。
【０２１６】
番組コンテンツが存在しないと判断する場合には、受信したブックマーク情報に対応する画像データが存在しない旨のメッセージを携帯電話機１００へ送信する。
（４）ブックマークの登録を行う場合に、対応情報にて、ブックマークの対象を指定したが、これに限定されない。ブックマークの対象を指定しなくてもよい。
この場合、対応情報は空白となり、携帯電話機１００にて生成されるブックマーク情報に含まれる付加情報も空白となる。再生装置２００は、付加情報が空白であるブックマーク情報を受信すると、ブックマーク情報に対応する画像データを含むコーナーの検出を行い。検出したコーナーをコピーにより取得する。または、コーナーの検出ではなく、番組コンテンツの開始位置の検索を行ってもよい。
【０２１７】
ここで、コーナーとは、特定の内容を持つ映像区間のことである。例えば、ＣＭから番組への切り替わり時から番組からＣＭへの切り替わり時までの区間である。このとき、商業放送の場合には、１つの番組内において、コーナーに相当する区間が、複数存在し、非商業放送の場合には、１つの番組内において、コーナーに相当する区間が、１つ存在する。また、商業放送及び非商業放送において、通常、コーナーの開始直前及び終了直後には、特定のフレーム（例えば、無音フレーム）が放送されている。これにより、番組コンテンツには、少なくとも１つ以上のコーナーが存在し、各コーナーの開始直前及び終了直後には、特定のフレームが存在することになる。
【０２１８】
（５）再生装置２００は、ブックマーク情報を受信した後に、受信したブックマーク情報に含まれる付加情報に対応する認識処理を実行し、先頭フレームを取得したが、これに限定されない。ブックマーク指示情報の受信後、ブックマーク指示情報に含まれる対応情報に対応する認識処理を実行し、先頭フレームの放送時刻を取得し、取得した放送時刻とブックマーク指示情報とを用いて、検索情報を生成し、生成した検索情報を記憶してもよい。
【０２１９】
ここで、対応情報が「音楽」である場合には、音楽認識処理が対応し、「人物」である場合には、人物認識処理が対応し、「文字」である場合には、文字認識処理が対応し、「キャプチャ」である場合には、キャプチャ認識処理が対応している。
（６）ブックマークの登録を録画した番組コンテンツの再生中に行ったが、これに限定されない。番組コンテンツの録画中にブックマークの登録を行ってもよい。
【０２２０】
（７）番組ＩＤは、番組コンテンツの録画時に再生装置２００にて付与したが、これに限定されない。再生装置２００は、放送局より番組のジャンル名、番組名、放送時間等の情報を含む電子番組ガイド（以下、ＥＰＧ）等のデータ放送を受信し、受信したＥＰＧにおける番組の識別子を番組ＩＤとしてもよい。
（８）ブックマーク登録時に携帯電話機１００と再生装置２００との通信を赤外線通信としたが、これに限定されない。無線にて通信を行う方法であればよい。
【０２２１】
例えば、Ｂｌｕｅｔｏｏｔｈである。
（９）再生装置２００は、画像データ取得時に、受信したブックマーク情報に含まれるＢＭ用表示時刻を用いて、ブックマーク情報に含まれる付加情報に応じた画像データの先頭フレームを取得したが、これに限定されない。ＢＭ用表示時刻に対応するフレームを先頭フレームとしてもよい。
【０２２２】
また、番組コンテンツの削除を行う場合も同様に、削除情報に含まれる検索用表示時刻に対応するフレームを先頭フレームとしてもよい。
（１０）携帯電話機１００にてブックマークした箇所を表示する場合には、静止画像若しくは動画像を表示したが、これに限定されない。文字データからなる情報を表示してもよい。例えば、文字データからなる情報とは、画像データに含まれるテロップからなる情報であり、再生装置２００は、当該テロップにて示される文字データを携帯電話機１００へ送信し、携帯電話機１００は、受信した文字データを表示する。
【０２２３】
または、再生装置２００は、ブックマークした箇所に係る情報として、動画像に係る音声データのみを取得し、取得した音声データを携帯電話機１００へ送信し、携帯電話機１００は、受信した音声データをスピーカー１０５にて出力してもよい。
（１１）検索情報とブックマーク情報とを、ブックマークされた画像データの放送時刻のみで対応付けしてもよい。
【０２２４】
このとき、ブックマーク情報は、識別名、ＢＭ用表示時刻、地域コード及び付加情報からなり、検索情報は、検索用表示時刻、検索用ＣＨ番号、検索用番組ＩＤ及び検索用付加情報とからなる。
このとき、再生装置２００は、携帯電話機１００よりブックマーク情報を受信すると、受信したブックマーク情報に含まれるＢＭ用表示時刻と一致する検索用表示時刻を含む検索情報を取得し、取得した検索情報を用いて、画像データを取得する。
【０２２５】
（１２）ブックマークの対象を示す情報の種類として、音楽、人物、文字及びキャプチャを用いたが、これに限定されない。上記以外の情報をブックマークの対象を示す情報として用いてもよい。例えば、ＣＭ（コマーシャルメッセージ）番組を示す情報である。このとき、携帯電話機１００は、ＣＭ番組を示す情報と対応するフォルダをブックマーク記憶部１０１に備えており、ブックマーク登録時に受け付けたブックマーク指示情報に含まれる対応情報が、ＣＭ番組を示す情報である場合には、その情報に対応するフォルダへブックマーク情報を記憶する。再生装置２００では、ＣＭ番組認識処理を行うプログラムをあらかじめ記憶しており、携帯電話機１００より受信ブックマーク情報に含まれる付加情報がＣＭ番組を示す情報である場合には、ブックマーク情報に含まれるＢＭ用表示時刻と番組コンテンツ記憶部２０１より取得した番組コンテンツとを用いて、ＣＭ番組認識処理行いプログラムを実行することにより、番組コンテンツにおいて、ＢＭ用表示時刻より前に位置する直近のＣＭ先頭フレームを取得し、さらに、取得したＣＭ先頭フレームからそのＣＭ番組の切れ目を取得、つまり、１つのＣＭ番組の画像データを取得する。さらに、取得した画像データに係る音声データをも取得する。ここで、ＣＭ番組認識処理とは、無音区間が所定の時間（例えば１５秒）間隔で繰り返される区間の先頭に位置するＣＭ先頭フレームを、所定のアルゴリズムにより検索する処理である。
【０２２６】
また、番組コンテンツの削除時には、検索情報に含まれる検索用付加情報がＣＭ番組を示す情報である場合には、ＣＭ番組認識処理を行うプログラムを実行して、ＣＭ先頭フレームを取得し、取得したＣＭ先頭フレームから予め設定された時間分（例えば、３分）の連続する画像データ及び音声データを取得する。
（１３）ブックマークの対象を示す情報をさらに詳細に分類してもよい。例えば、キャプチャを、さらに、レストラン及び行楽地と分類する。このとき、携帯電話機１００は、レストラン及び行楽地のそれぞれに対応するフォルダをブックマーク記憶部１０１に備えており、ブックマーク登録時に受け付けたブックマーク指示情報に含まれる対応情報が、レストランである場合には、レストランに対応するフォルダへブックマーク情報を記憶し、対応情報が、行楽地である場合には、行楽地に対応するフォルダへブックマーク情報を記憶する。なお、再生装置２００では、受信したブックマーク情報に含まれる付加情報がレストラン若しくは行楽地である場合には、付加情報がキャプチャである場合と同様の動作となるため、説明は省略する。
【０２２７】
また、番組コンテンツの削除時には、検索情報に含まれる検索用付加情報がレストラン若しくは行楽地である場合には、検索用付加情報がキャプチャである場合と同様の動作となるため、説明は省略する。
（１４）ブックマークされた画像データを表示する際、付加情報が音楽の場合のみ動画像を表示したが、これに限定されない。他の付加情報の場合でも、動画像を表示してもよいし、逆に、付加情報が音楽の場合には、静止画を表示してもよい。
【０２２８】
または、携帯電話機１００は、表示開始情報を受け付ける際に、表示する画像データを静止画とするか、又は動画像とするかの選択を受け付けてもよい。さらに、地域表示情報を受け付ける際も同様に、表示する画像データを静止画とするか、又は動画像とするかの選択を受け付けてもよい。
（１５）携帯電話機１００は、地域表示情報を受け付ける際に、検索するフォルダの指定を受け付けてもよい。このとき、携帯電話機１００は、指定されたフォルダから、ＧＰＳ機能にて測定された地域と対応する地域コードを含むブックマーク情報を取得する。
【０２２９】
（１６）音楽認識処理、人物認識処理、文字認識処理及びキャプチャ認識処理を、データ取得部２０５及び削除部２０６の双方に記憶したが、これに限定されない。
音楽認識処理、人物認識処理、文字認識処理及びキャプチャ認識処理をデータ取得部２０５のみに記憶し、削除部２０６は、データ取得部２０５に記憶されている各認識処理を利用してもよい。
【０２３０】
または、再生装置２００に音楽認識処理、人物認識処理、文字認識処理及びキャプチャ認識処理を記憶している認識処理記憶部を備え、データ取得部２０５及び削除部２０６は、認識処理記憶部に記憶されている各認識処理を利用してもよい。
（１７）音楽認識処理、人物認識処理、文字認識処理及びキャプチャ認識処理をそれぞれプログラムとしたが、これに限定されない。プログラムではなくそれぞれの認識処理を行う回路としてもよい。
【０２３１】
（１８）番組コンテンツをＣＨ番号、番組ＩＤ及び録画開始時刻と対応付けたが、これに限定されない。番組コンテンツを番組ＩＤ及び録画開始時刻と対応付けてもよい。
このとき、番組情報は、ＢＭ用番組ＩＤとＢＭ用表示時刻とからなり、ブックマーク情報は、識別名、ＢＭ用表示時刻、ＢＭ用番組ＩＤ、地域コード及び付加情報とからなり、検索情報は、検索用表示時刻、検索用番組ＩＤ及び検索用付加情報とからなる。再生部２０３は、番組コンテンツの再生を行う際、再生する番組コンテンツに対応する番組ＩＤ及び録画開始時刻を記憶し、番組コンテンツの再生終了時に記憶している番組ＩＤ及び録画開始時刻を消去する。
【０２３２】
また、登録部２０４は、ブックマーク指示情報を携帯電話機１００より受信すると、再生部２０３より再生中の番組コンテンツに対応する番組ＩＤ及び録画開始時刻を取得し、さらに、ブックマーク指示情報を受信した時点で再生された画像データの放送時刻を取得し、取得した放送時刻及び番組ＩＤを用いて番組情報を生成し、携帯電話機１００へ送信する。
【０２３３】
また、データ取得部２０５は、ブックマーク情報を受信すると、受信したブックマーク情報に含まれるＢＭ用番組ＩＤに対応する番組コンテンツを番組コンテンツ記憶部２０１より取得し、取得した番組コンテンツより、受信したブックマーク情報に対応する画像データを取得し、取得した画像データを携帯電話機１００へ送信する。なお、番組ＩＤに対応する番組コンテンツが複数存在する場合には、さらに、複数存在する番組コンテンツのうちで、受信したブックマーク情報に含まれるＢＭ用表示時刻と一致する録画開始時刻を含む番組コンテンツを取得する。
【０２３４】
（１９）再生装置において、ブックマークされた箇所に係る画像データをあらかじめ記憶しておいてもよい。
この場合の再生装置２００Ａについて、以下に説明する。
再生装置２００Ａは、図２８に示すように、番組コンテンツ記憶部２０１Ａ、検索情報記憶部２０２Ａ、再生部２０３Ａ、登録部２０４Ａ、データ読出部２０５Ａ、削除部２０６Ａ、第１送受信部２０７Ａ及び第２送受信部２０８Ａから構成されている。
【０２３５】
再生装置２００Ａは、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置２００Ａは、その機能を達成する。
【０２３６】
なお、番組コンテンツ記憶部２０１Ａ、再生部２０３Ａ、第１送受信部２０７Ａ及び第２送受信部２０８Ａについては、再生装置２００の番組コンテンツ記憶部２０１、再生部２０３、第１送受信部２０７及び第２送受信部２０８と同様であるため、説明は省略する。
検索情報記憶部２０２Ａは、ブックマークされた箇所に係る画像データを、検索情報と対応付けて記憶する領域を備えている。これにより、ブックマークされた画像データを記憶するブックマーク記憶部が構成されることになる。
【０２３７】
登録部２０４Ａは、音楽認識処理、人物認識処理、文字認識処理及びキャプチャ認識処理を、あらかじめ記憶している。
登録部２０４Ａは、再生部２０３Ａにて番組コンテンツが再生されると、再生開始からの再生されたフレームの枚数をカウントしている。
登録部２０４Ａは、番組コンテンツの再生中に、携帯電話機１００よりブックマーク指示情報を受信すると、上記の登録部２０４と同様の方法により、番組コンテンツの先頭に位置する画像データからブックマーク指示情報を受信した時点に再生部２０３Ａにて再生されている画像データまでの区間における経過時刻を算出する。登録部２０４Ａは、再生部２０３Ａに記憶している録画開始時刻を取得し、取得した録画開始時刻に算出した経過時刻をすることにより、ブックマークされた画像データの放送時刻を取得する。さらに、登録部２０４Ａは、再生部２０３Ａより再生中の番組コンテンツに対応するＣＨ番号及び番組ＩＤを取得する。
【０２３８】
登録部２０４Ａは、取得した放送時刻、ＣＨ番号及び番組ＩＤとを用いて、番組情報を生成し、生成した番組情報を携帯電話機１００へ送信する。また、取得した放送時刻、ＣＨ番号及び番組ＩＤと、受信したブックマーク指示情報に含まれる対応情報を用いて、検索情報を生成する。
登録部２０４Ａは、受信したブックマーク指示情報に含まれる対応情報と、取得した放送時刻とを用いて、対応情報に対応する認識処理を実行し、対応情報に対応する先頭フレームを検出する。
【０２３９】
さらに、登録部２０４Ａは、対応情報が、音楽である場合には、検出した音楽先頭フレームから連続するフレームを予め設定された数分コピーにより取得し、さらに音声データをも、コピーにより取得し、取得した複数のフレーム及び音声データを画像データとして、生成した検索情報と対応付けて検索情報記憶部２０２Ａへ記憶する。対応情報が、人物である場合には、検出した人物先頭フレームをコピーにより取得し、取得した人物先頭フレームを画像データとして、生成した検索情報と対応付けて検索情報記憶部２０２Ａへ記憶する。対応情報が、文字である場合には、検出した文字先頭フレームをコピーにより取得し、取得した文字先頭フレームを画像データとして、生成した検索情報と対応付けて検索情報記憶部２０２Ａへ記憶する。対応情報が、キャプチャである場合には、検出したキャプチャ先頭フレームをコピーにより取得し、取得したキャプチャ先頭フレームを画像データとして、生成した検索情報と対応付けて検索情報記憶部２０２Ａへ記憶する。これにより、ブックマークされた画像を書き込む書込部が構成されることになる。
【０２４０】
データ読出部２０５Ａは、携帯電話機１００よりブックマーク情報を受信すると、受信したブックマーク情報に対応する検索情報を取得し、取得した検索情報と対応する画像データを読み出し、読み出した画像データを携帯電話機１００へ送信する。
削除部２０６Ａは、利用者より番組コンテンツ記憶部２０１Ａに記録されている番組コンテンツの削除を行う旨の削除指示情報を受け付ける。ここで、削除指示情報は、番組ＩＤを含む情報である。削除部２０６Ａは、番組コンテンツ記憶部２０１Ａより、受け付けた削除指示情報に含まれる番組ＩＤに対応する番組コンテンツを削除する。
【０２４１】
ここで、ブックマーク指示情報の受信時に、登録部２０４Ａにて行われる画像データ取得処理の動作について、図２９及び図３０に示す流れ図を用いて説明する。
登録部２０４Ａは、ブックマーク指示情報を携帯電話機１００より受信すると（ステップＳ６００）、再生部２０３Ａより再生中の番組コンテンツに対応するＣＨ番号と、番組ＩＤと、録画開始時刻とを取得し、取得した録画開始時刻を用いて、ブックマークされた画像データの放送時刻を取得し（ステップＳ６０５）、取得した放送時刻とＣＨ番号と番組ＩＤとを用いて番組情報を生成し、生成した番組情報を携帯電話機１００へ送信する（ステップＳ６１０）。次に、ステップＳ６００にて受信したブックマーク指示情報と、ステップＳ６０５取得した放送時刻、ＣＨ番号及び番組ＩＤと用いて、検索情報を生成する（ステップＳ６１５）。
【０２４２】
次に、ＣＨ番号及び番組ＩＤとに対応する番組コンテンツを番組コンテンツ記憶部２０１Ａより取得する（ステップＳ６２０）。
次に、受信したブックマーク指示情報に含まれる対応情報が「音楽」であるか否かを判断する（ステップＳ６２５）。
「音楽」であると判断する場合には、登録部２０４Ａは、音楽認識処理を実行して、取得した番組コンテンツから音楽先頭フレームを検出して取得し（ステップＳ６３０）、さらに、取得した音楽先頭フレームから連続するフレームを予め設定された数分コピーにより取得し、さらに音声データをもコピーにより取得する（ステップＳ６３５）。登録部２０４Ａは、取得した音楽先頭フレームより連続するフレーム、つまり、音楽先頭フレームからの動画像を画像データとして、動画像に係る音声データとともに、ステップＳ６１５にて生成した検索情報と対応付けて検索情報記憶部２０２Ａへ記憶する（ステップＳ６４０）。なお、ステップＳ６３０においては、取得した音楽先頭フレームに対応する音声データをも、コピーにより取得する。
【０２４３】
ステップＳ６２５にて、「音楽」でないと判断する場合には、対応情報が「人物」であるか否かを判断する（ステップＳ６４５）。
「人物」であると判断する場合には、登録部２０４Ａは、人物認識処理を実行して、取得した番組コンテンツから人物先頭フレームを検出して取得し（ステップＳ６５０）、取得した人物先頭フレームからなる静止画像を画像データとして、ステップＳ６１５にて生成した検索情報と対応付けて検索情報記憶部２０２Ａへ記憶する（ステップＳ６５５）。
【０２４４】
ステップＳ６４５にて、「人物」でないと判断する場合には、対応情報が「文字」であるか否かを判断する（ステップＳ６６０）。
「文字」であると判断する場合には、登録部２０４Ａは、文字認識処理を実行して、取得した番組コンテンツから文字先頭フレームを検出して取得し（ステップＳ６６５）、取得した文字先頭フレームからなる静止画像を画像データとして、ステップＳ６１５にて生成した検索情報と対応付けて検索情報記憶部２０２Ａへ記憶する（ステップＳ６７０）。
【０２４５】
ステップＳ６６０にて、「文字」でないと判断する場合、つまり、対応情報は「キャプチャ」であると判断する場合には、登録部２０４Ａは、キャプチャ認識処理を実行して、取得した番組コンテンツからキャプチャ先頭フレームを検出して取得し（ステップＳ６７５）、取得したキャプチャ先頭フレームからなる静止画像を画像データとして、ステップＳ６１５にて生成した検索情報と対応付けて検索情報記憶部２０２Ａへ記憶する（ステップＳ６８０）。
【０２４６】
これにより、再生装置２００Ａは、携帯電話機１００よりブックマーク情報を受信すると、番組コンテンツより画像データを検索する必要がないため、ブックマーク情報の受信から画像データ送信までにかかる時間を短くすることができる。
また、画像データをコピーにより取得し、取得した画像データを検索情報と対応付けて検索情報記憶部２０２Ａへ記憶する動作は、番組コンテンツの再生終了後に行ってもよい。このとき、生成した検索情報は、番組コンテンツの再生が終了するまで、登録部２０４Ａにて一時的に記憶しておく。
【０２４７】
また、フレームを検出して取得とは、フレームを検出し、検出したフレームをコピーにより取得することをいう。
（２０）指定表示を行う際に、携帯電話機１００よりブックマーク情報を再生装置２００へ送信したが、これに限定されない。番組コンテンツを管理している他の装置（例えば、放送局にて、番組コンテンツを管理しているサーバ装置）へブックマーク情報を送信し、番組コンテンツを管理している他の装置にて、画像データを取得し、取得した画像データを携帯電話機１００へ送信してもよい。
【０２４８】
（２１）携帯電話機１００において、ブックマーク指示情報を受け付けた受付時刻のみを記憶し、ブックマーク指示情報と受付時刻とを再生装置２００へ送信してもよい。
このとき、再生装置２００は、ブックマーク指示情報と受付時刻とを受信すると、検索情報を生成し、生成した検索情報を受信した受付時刻と対応付けて検索情報記憶部２０２へ記憶する。
【０２４９】
携帯電話機１００は、記憶している受付時刻を再生装置２００へ送信し、再生装置２００は、受信した受付時刻と対応する検索情報を用いて、画像データを取得し、取得した画像データを携帯電話機１００へ送信する。
また、ブックマーク指示情報の受け付け時に、地域コード情報を受け付けた場合には、受け付けた地域コード情報をブックマーク指示情報と受付時刻とともに送信する。再生装置２００は、検索情報を生成し、生成した検索情報を受信した受付時刻及び地域コード情報とを対応付けて検索情報記憶部２０２へ記憶する。地域表示時には、携帯電話機１００は、記憶している受付時刻と、ＧＰＳ機能にて測定した地域に対応する地域コードを示す地域コード情報とを再生装置２００へ送信する。再生装置２００は、受信した受付時刻及び地域コード情報の双方と対応する検索情報を用いて、画像データを取得し、取得した画像データを携帯電話機１００へ送信する。
【０２５０】
（２２）携帯電話機１００は、再生装置２００にて記憶する検索情報を識別する検索情報識別子のみを記憶してもよい。
このとき、携帯電話機１００は、ブックマーク指示情報を再生装置２００へ送信する。再生装置２００は、ブックマーク指示情報を受信すると、検索情報を生成し、さらに、生成した検索情報を識別する検索情報識別子を取得する。生成した検索情報を取得した検索情報識別子と対応付けて検索情報記憶部２０２へ記憶し、取得した検索情報識別子を携帯電話機１００へ送信する。携帯電話機１００は受信した検索情報識別子を記憶する。
【０２５１】
携帯電話機１００は、記憶している検索情報識別子を再生装置２００へ送信し、再生装置２００は、受信した検索情報識別子と対応する検索情報を用いて、画像データを取得し、取得した画像データを携帯電話機１００へ送信する。
また、ブックマーク指示情報の受け付け時に、地域コード情報を受け付けた場合には、受け付けた地域コード情報をブックマーク指示情報とともに送信する。再生装置２００は、検索情報を生成し、さらに、生成した検索情報を識別する検索情報識別子を取得する。生成した検索情報を、取得した検索情報識別子及び受信した地域コード情報と対応付けて検索情報記憶部２０２へ記憶し、取得した検索情報識別子を携帯電話機１００へ送信する。携帯電話機１００は受信した検索情報識別子を記憶する。
【０２５２】
地域表示時には、携帯電話機１００は、記憶している検索情報識別子と、ＧＰＳ機能にて測定した地域に対応する地域コードを示す地域コード情報とを再生装置２００へ送信する。再生装置２００は、受信した検索情報識別子及び地域コード情報の双方と対応する検索情報を用いて、画像データを取得し、取得した画像データを携帯電話機１００へ送信する。
【０２５３】
（２３）上記実施の形態及び上記変形例をそれぞれ組み合わせるとしてもよい。
２．第２の実施の形態
上記の実施の形態では、ブックマーク情報は携帯電話機にて記憶されている。ここでは、再生装置のみで、ブックマークの指示及びブックマーク情報の記憶を行う方法について説明する。
【０２５４】
２．１  ブックマークシステム２の構成
図３１は、ブックマークシステム２の使用形態を示す図であり、ブックマークシステム２は、モニタ１１と接続された再生装置２０００と、携帯電話機２１００とから構成される。
再生装置２０００は、放送局から放送される番組コンテンツを録画し、録画した番組コンテツの再生を行う。このとき、録画された番組コンテンツは、番組コンテンツが放送されたチャンネル番号（以下、「ＣＨ番号」という。）と、番組コンテンツを識別する番組ＩＤと、番組コンテンツの録画が開始された録画開始時刻と対応付けられている。
【０２５５】
携帯電話機２１００と再生装置２０００とは、インターネット及び公衆無線通信網による通信が可能である。
再生装置２０００には、リモコン２３００が備えられており、リモコン２３００を用いることにより、再生装置２０００にて録画した番組コンテンツをモニタ１１にて再生中に、後で参照したい画像データに係る情報の登録を行う旨の情報を送信し、再生装置２０００よりその画像データに係る情報を受信し、記憶する。ここで、後で参照する画像データを指定することをブックマーク（ＢｏｏｋＭａｒｋ）と呼ぶ。
【０２５６】
さらに、リモコン２３００を用いて、ブックマークされた画像の表示を要求することにより、再生装置２０００は、モニタ１１を介して、ブックマークされた画像データに係る静止画像若しくは動画像を表示する。
また、携帯電話機２１００を用いて、公衆無線通信網及びインターネットを介して、ブックマークされた画像の表示を要求することにより、再生装置２０００は、ブックマークされた画像データに係る静止画像若しくは動画像を、インターネット及び公衆無線通信網を介して携帯電話機２１００へ送信し、携帯電話機２１００は受信した静止画像若しくは動画像を表示する。
【０２５７】
２．２  再生装置２０００及びリモコン２３００の構成
ここでは、再生装置２０００及びリモコン２３００の構成について説明する。
２．２．１  再生装置２０００
再生装置２０００は、図３２に示すように、番組コンテンツ記憶部２００１、ブックマーク記憶部２００２、再生部２００３、登録部２００４、データ読出部２００５、削除部２００６、出力部２００７、受信部２００８及び送受信部２００９から構成されている。
【０２５８】
再生装置２０００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置２０００は、その機能を達成する。
【０２５９】
（１）番組コンテンツ記憶部２００１
番組コンテンツ記憶部２００１は、図３３に一例として示すように、録画した番組コンテンツをＣＨ番号、番組ＩＤ及び録画開始時刻と対応付けて、１以上記憶するための領域を有している。
番組コンテンツ記憶部２００１に記録されている番組コンテンツは、時間軸に沿って連続した複数のフレーム（静止画像）からなる画像データと、各フレームでの音声を示す音声データとからなる。また、番組ＩＤは、番組コンテンツの録画時に再生装置２００にて付与するものとする。
【０２６０】
以上により、番組コンテンツを予め記録しているコンテンツ記憶部が構成されることになる。
（２）ブックマーク記憶部２００２
ブックマーク記憶部２００２は、図３４に示すように、音楽フォルダ２０２０、人物フォルダ２０２１、文字フォルダ２０２２及びキャプチャフォルダ２０２３を有している。各フォルダは、ブックマークされた静止画像若しくは動画像を記憶する領域を有している。なお、動画像が記憶される場合には、動画像に対応する音声データをも記憶される。
【０２６１】
＜音楽フォルダ２０２０＞
音楽フォルダ２０２０は、図３５に一例として示すように、音楽情報テーブルＴ２０００を有している。
音楽情報テーブルＴ２０００は、識別名、ＢＭ表示時刻、ＣＨ番号、番組ＩＤ、地域コード及び付加情報からなる組を１以上記憶するための領域を備えている。ここで、識別名、ＢＭ用表示時刻、ＢＭ用ＣＨ番号、ＢＭ用番組ＩＤ、地域コード及び付加情報からなる情報をブックマーク情報という。
【０２６２】
識別名は、記憶しているブックマーク情報を識別する名称である。ＢＭ表示時刻は、ブックマークされた画像データが放送された放送時刻であり、日付と時刻で示される。ＣＨ番号は、ブックマークを行った番組コンテンツが放送されたチャンネルの番号であり、番組ＩＤは、ブックマークを行った番組コンテンツを識別する識別子である。地域コードは、地域を識別する情報であり、その地域の電話番号の市外局番と対応している。付加情報は、ブックマークの対象を示す情報である。
【０２６３】
ここで、地域コードは、必ず記録される情報ではなく、必要に応じて記録される。
なお、音楽情報テーブルＴ２０００における付加情報は、常に「音楽」となる。
＜人物フォルダ２０２１＞
人物フォルダ２０２１は、図３６に一例として示すように、人物情報テーブルＴ２００１を有している。
【０２６４】
人物情報テーブルＴ２００１のデータ構造については、音楽情報テーブルＴ２０００と同様であるため、説明は省略する。
なお、人物情報テーブルＴ２００１における付加情報は、常に「人物」となる。
＜文字フォルダ２０２２＞
文字フォルダ２０２２は、図３７に一例として示すように、文字情報テーブルＴ２００２を有している。
【０２６５】
文字情報テーブルＴ２００２のデータ構造については、音楽情報テーブルＴ２０００と同様であるため、説明は省略する。
なお、文字情報テーブルＴ２００２における付加情報は、常に「文字」となる。
＜キャプチャフォルダ２０２３＞
キャプチャフォルダ２０２３は、図３８に一例として示すように、キャプチャ情報テーブルＴ２００３を有している。
【０２６６】
キャプチャ情報テーブルＴ２００３のデータ構造については、音楽情報テーブルＴ２０００と同様であるため、説明は省略する。
なお、キャプチャ情報テーブルＴ２００３における付加情報は、常に「キャプチャ」となる。
（３）再生部２００３
再生部２００３は、再生する番組コンテンツに対応するＣＨ番号、番組ＩＤ及び録画開始時刻を記憶する再生情報記憶領域を有している。
【０２６７】
再生部２００３は、番組コンテンツ記憶部２００１にて記憶している番組コンテンツの再生を行う。再生部２００３は、番組コンテンツを、出力部２００７を介してモニタ１１へ出力することにより、再生を行う。
また、再生部２００３は、データ読出部２００５よりブックマーク情報に対応する静止画像若しくは動画像を受け取ると、受け取った静止画像若しくは動画像を、出力部２００７を介してモニタ１１へ出力する。動画像を出力する際には、対応する音声データをも出力する。これにより、ブックマーク情報に対応する静止画像若しくは動画像の再生が可能となる。
【０２６８】
再生部２００３は、番組コンテンツの再生中に、登録部２００４よりブックマークを指定ためのＢＭ画面データを受け取ると、受け取ったＢＭ画面データと再生する番組コンテンツとを併せて、出力部２００７を介してモニタ１１へ出力し、表示する。
ここで、ＢＭ画面データと再生中の番組コンテンツとを表示している画面の一例を図３９に示す。図３９に示されているＢＭ画像Ｍ２０００は、ＢＭ画面データに基づいて表示される画像であり、音楽、人物、文字、キャプチャの４つの項目からなる。また、各項目のうち太枠で囲まれている項目は、ブックマークの対象を示している。なお、ＢＭ画像の表示直後は、音楽項目が太枠で囲まれており、ユーザによるリモコン２３００の操作にて、ブックマークの対象は変更される。
【０２６９】
再生部２００３は、番組コンテンツの再生を行う際、再生する番組コンテンツに対応するＣＨ番号、番組ＩＤ及び録画開始時刻を、再生情報記憶領域へ記憶し、番組コンテンツの再生終了時に記憶しているＣＨ番号、番組ＩＤ及び録画開始時刻を消去する。
（４）登録部２００４
登録部２００４は、情報生成部２０３０、データ取得部２０３１及び書込部２０３２とから構成されている。以下において、情報生成部２０３０、データ取得部２０３１及び書込部２０３２について説明する。
【０２７０】
（ａ）情報生成部２０３０
情報生成部２０３０は、ＢＭ画面データを予め記憶しており、ブックマークの対象の情報を記憶するための対象記憶領域を有している。
情報生成部２０３０は、再生部２００３にて番組コンテンツが再生されると、再生開始からの再生されたフレームの枚数をカウントしている。
【０２７１】
情報生成部２０３０は、番組コンテンツの再生中に、受信部２００８を介してリモコン２３００から、ブックマークを開始する旨を示すＢＭ開始情報を受信すると、予め記憶しているＢＭ画面データを再生部２００３へ出力し、対象記憶領域へ初期状態として、「音楽」を示す情報を記憶する。
情報生成部２０３０は、受信部２００８を介してリモコン２３００から、右移動情報及び左移動情報を受信すると、受信した情報に応じて、太枠で囲まれる項目を変更し、対象記憶領域に記憶されている情報を、変更された項目に対応する情報へと更新する。例えば、太枠で囲まれている項目が「音楽」である場合に（このとき、対象記憶領域には、「音楽」を示す情報が記憶されている。）、右移動情報を受信すると、太枠で囲まれる項目を「人物」へと変更し、対象記憶領域に記憶する情報を、「人物」を示す情報に更新する。
【０２７２】
情報生成部２０３０は、ＢＭ画像Ｍ２０００を表示中に、受信部２００８を介してリモコン２３００から、第１登録指示命令を含むブックマーク指示情報、第２登録指示命令を含むブックマーク情報、第２登録指示情報と地域コードとを含むブックマーク指示情報及び第１登録指示情報と地域コードとを含むブックマーク指示情報のうち何れかを受信する。これにより、ブックマーク対象の種類を示す情報（対応情報）及び地域コードを受け取る情報受取部が構成されることになる。
【０２７３】
情報生成部２０３０は、ブックマーク指示情報を受信した時点までにカウントしたフレームの数を用いて、番組コンテンツの先頭に位置する画像データからブックマーク指示情報を受信した時点に再生部２００３にて再生されている画像データまでの区間における経過時刻を算出する。情報生成部２０３０は、再生部２００３に記憶している録画開始時刻を取得し、取得した録画開始時刻に算出した経過時刻を加算することにより、ブックマークされた画像データのＢＭ表示時刻を取得する。さらに、情報生成部２０３０は、再生部２００３より再生中の番組コンテンツに対応するＣＨ番号及び番組ＩＤを取得する。これにより、取得した放送時刻と、１秒あたりに再生されるフレームの数との関係より、取得した放送時刻から、ブックマーク指示情報を受け取った時点のフレームを特定することができる。以上により、ブックマーク情報を受け取った時点の番組コンテンツ内の位置を特定する情報（ここでは、放送時刻）を取得する位置取得部が構成されることになる。
【０２７４】
さらに、情報生成部２０３０は、受信部２００８を介してリモコン２３００から、識別名を受信する。
情報生成部２０３０は、第１登録指示命令を含むブックマーク指示情報を受信した場合、及び第２登録指示情報を含むブックマーク指示情報を受信した場合には、受信した識別名と、取得したＢＭ表示時刻、ＣＨ番号及び番組ＩＤと、対象記憶領域にて記憶している情報とを用いて、ブックマーク情報を生成する。このとき、地域コードには何も記録されていない。
【０２７５】
情報生成部２０３０は、第１登録指示命令と地域コードとを含むブックマーク指示情報を受信した場合及び第２登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報とを用いて、ブックマーク情報を生成する。
【０２７６】
（ｂ）データ取得部２０３１
データ取得部２０３１は、動画像を生成する静止画像の数（例えば、３００である。）、音楽認識処理を行うプログラム（以下、「音楽認識処理」という。）、人物認識処理を行うプログラム（以下、「人物認識処理」という。）、文字認識処理を行うプログラム（以下、「文字認識処理」という。）、キャプチャ認識処理を行うプログラム（以下、「キャプチャ認識処理」という。）及びコーナー認識処理を行うプログラム（以下、「コーナー認識処理」という。）を予め記憶している。
【０２７７】
ここで、音楽認識処理とは、番組コンテンツにおける音声データにおいて、特徴音が周期的に繰り返す区間である音楽区間の先頭に位置する音楽先頭フレームを、所定のアルゴリズムにより検索する処理である。また、人物認識処理とは、番組コンテンツにおける画像データにおいて、ブックマーク情報に含まれるＢＭ表示時刻に対応する画像データに示される人物が出現する人物先頭フレームを、所定のアルゴリズムにより検索する処理である。また、文字認識処理とは、番組コンテンツにおける画像データにおいて、テロップが出現する文字先頭フレームを、所定のアルゴリズムにより検索する処理である。また、キャプチャ認識処理とは、番組コンテンツにおける画像データにおいて、時間的に連続して撮影されたフレームの固まりであるシーンが、他のシーンより切り替わった先頭フレームであるキャプチャ先頭フレームを、所定のアルゴリズムにより検索する処理である。また、コーナー認識処理とは、特定の内容を持つ映像区間を、所定のアルゴリズムにより検索する処理である。例えば、コーナーは、ＣＭから番組への切り替わり時から番組からＣＭへの切り替わり時までの区間であり、上述したように、番組コンテンツ内においては、少なくとも１以上のコーナーが存在し、コーナーの開始直前及び終了直後には、特定のフレーム（例えば、無音フレーム）が存在している。コーナー認識処理は、特定のフレームを検出することで、コーナーを特定することができる。コーナー認識処理は、先ず、ＢＭ表示情報に対応する番組コンテンツ内の位置を特定し、特定された位置の前後において、特定のフレームを検出することで、コーナーを検出することができる。
【０２７８】
データ取得部２０３１は、情報生成部２０３０にて生成されたブックマーク情報に含まれるＣＨ番号及び番組ＩＤと対応する番組コンテンツを番組コンテンツ記憶部２００１より取得する。
データ取得部２０３１は、情報生成部２０３０にて第１登録指示命令を受信された場合には、取得した番組コンテンツから、ＢＭ表示時刻と、付加情報にて示される情報に応じた認識処理とを用いて、静止画像若しくは動画像を取得する。なお、取得方法については、後述する。また、以下において、ブックマーク情報に含まれるＣＨ番号及び番組ＩＤと対応する番組コンテンツをＢＭ対象コンテンツという。
【０２７９】
データ取得部２０３１は、情報生成部２０３０にて第２登録指示命令が受信された場合には、取得したＢＭ対象コンテンツから、ＢＭ表示時刻と、コーナー認識処理とを用いて、情報生成部２０３０の対象記憶領域に記憶されている情報に対応する画像データを含むコーナーを検出し、検出したコーナーに含まれる画像データ全てをコピーにより取得、つまり動画像を取得する。これにより、番組コンテンツからブックマークされた静止画像若しくは動画像を取得する部分コンテンツ取得部が構成されることになる。
【０２８０】
＜取得方法＞
データ取得部２０３１は、情報生成部２０３０にて生成されたブックマーク情報に含まれる付加情報が、「音楽」であるか否かを判断する。「音楽」であると判断する場合には、ブックマーク情報に含まれるＢＭ表示時刻とＢＭ対象コンテンツとを用いて、音楽認識処理を実行することにより、ＢＭ対象コンテンツにおいて、ＢＭ表示時刻にて示されるフレームより前に位置する直近の音楽先頭フレームを検出し、さらに、検出した音楽先頭フレームから連続するフレームを３００枚、コピーにより取得し、取得した各フレームに対応する音声データをも、コピーにより取得する。つまり、データ取得部２０３１は、音楽先頭フレームを含め、合計３００枚のフレーム及び音声データをコピーにより取得することができる。これにより、データ取得部２０３１は、動画像と、その音声とをコピーにより取得することになる。
【０２８１】
ブックマーク情報に含まれる付加情報が、「音楽」でないと判断する場合には、「人物」であるか否かを判断し、「人物」であると判断する場合には、ブックマーク情報に含まれるＢＭ表示時刻とＢＭ対象コンテンツとを用いて、人物認識処理を実行することにより、ＢＭ対象コンテンツにおいて、ＢＭ表示時刻にて示されるフレームより前に位置する直近の人物先頭フレームを検出し、検出した人物先頭フレームをコピーにより取得する。
【０２８２】
ブックマーク情報に含まれる付加情報が、「人物」でないと判断する場合には、「文字」であるか否かを判断し、「文字」であると判断する場合には、ブックマーク情報に含まれるＢＭ表示時刻とＢＭ対象コンテンツとを用いて、文字認識処理を実行することにより、ＢＭ対象コンテンツにおいて、ＢＭ表示時刻にて示されるフレームより前に位置する直近の文字先頭フレームを検出し、検出した文字先頭フレームをコピーにより取得する。
【０２８３】
ブックマーク情報に含まれる付加情報が、「文字」でないと判断する場合、つまり、「キャプチャ」であると判断する場合には、ブックマーク情報に含まれるＢＭ表示時刻とＢＭ対象コンテンツとを用いて、キャプチャ認識処理を実行することにより、ＢＭ対象コンテンツにおいて、ＢＭ表示時刻にて示されるフレームより前に位置する直近のキャプチャ先頭フレームを検出し、検出したキャプチャ先頭フレームをコピーにより取得する。
【０２８４】
ここで、フレームより前に位置するとは、番組コンテンツの開始位置からＢＭ表示時刻にて示される位置の間に位置することをいう。
（ｃ）書込部２０３２
書込部２０３２は、情報生成部２０３０にて生成されたブックマーク情報に含まれる付加情報に応じて、音楽情報テーブルＴ２０００、人物情報テーブルＴ２００１、文字情報テーブルＴ２００２及びキャプチャ情報テーブルＴ２００３のうちの何れかに、ブックマーク情報と、データ取得部２０３１にて取得された静止画像若しくは動画像とを対応付けて記録する。なお、動画像を記憶する場合には、動画像に係る音声データをも記憶する。
【０２８５】
ブックマーク情報と、静止画像との対応付けは、例えば、ブックマーク情報と、静止画像の格納先のアドレスとを対応付け、ブックマーク情報と動画像との対応付けは、例えば、ブックマーク情報と、動画像の先頭に位置する画像の格納先のアドレスとを対応付ける。
これにより、ブックマークされた画像を書き込む書込部が構成されることになる。
【０２８６】
（５）データ読出部２００５
データ読出部２００５は、リモコン２３００から受信部２００８を介して、ブックマークされた画像データの表示開始を行うことを示す表示開始情報を受け取ると、ブックマーク情報の格納先の選択を促すために、図４０（ａ）に一例として示すように、ブックマーク記憶部２００２が有する各フォルダのフォルダ名に、それぞれ異なる番号を割り当て、割り当てた番号とフォルダ名とを組にした格納先リストを生成し、生成した格納先リストを出力部２００７を介してモニタ１１にて表示する。データ読出部２００５は、選択された格納先を示す選択フォルダ情報を、リモコン２３００から受信部２００８を介して、受け取る。ここで、選択フォルダ情報は、選択されたフォルダに割り当てられた番号からなる情報である。
【０２８７】
さらに、データ読出部２００５は、選択フォルダ情報にて示されるフォルダに記録されているブックマーク情報に含まれる識別名を取得する。例えば、選択フォルダ情報が、人物フォルダを示す場合には、データ読出部２００５は、ブックマーク記憶部２００２の人物フォルダ２０２１に記録されている全てのブックマーク情報より、識別名「人物Ａ」及び「人物Ｂ」を取得する。
【０２８８】
データ読出部２００５は、取得した全ての識別名からなる一覧リストを生成し、生成した一覧リストを、出力部２００７を介してモニタ１１にて表示する。ここで、一覧リストの一例を図４０（ｂ）にて示す。一覧リストは、各識別名に、異なる番号が割り当てられたリストである。
データ読出部２００５は、リモコン２３００から受信部２００８を介して、選択された識別名を示す選択識別名情報を受け取る。
【０２８９】
以上により、ブックマークされた画像の出力要求を受け取る要求受取部が構成されることになる。
データ読出部２００５は、受け取った選択識別名情報にて示される識別名に対応するブックマーク情報をブックマーク記憶部２００２より取得する。ここで、選択識別名情報は、選択された識別名に割り当てられた番号からなる情報である。
【０２９０】
データ読出部２００５は、取得したブックマーク情報と対応する静止画像若しくは動画像をブックマーク記憶部２００２から読み出す。これにより、ブックマーク記憶部２００２に記憶されている静止画像、若しくは動画像と音声を読み出す読出部が構成されることになる。
データ読出部２００５は、読み出した静止画像若しくは動画像を、再生部２００３及び出力部２００７を介してモニタ１１にて表示する。また、動画像を表示する場合には、動画像に係る音声データをもブックマーク記憶部２００２から取得し、取得した音声データを再生部２００３及び出力部２００７を介してモニタ１１から出力する。なお、モニタ１１では、音声データを受け取ると、音声データに基づく音声が出力される。これにより、ブックマーク記憶部２００２から読み出された静止画像からなる部分コンテンツ、若しくは動画像と音声とからなる部分コンテンツを出力する出力部が構成されることになる。
【０２９１】
また、データ読出部２００５は、携帯電話機２１００から送受信部２００９を介して、表示開始情報を受け取ると、格納先リストを生成して、生成した格納先リストを、送受信部２００９を介して携帯電話機２１００へ送信する。データ読出部２００５は、選択フォルダ情報を、携帯電話機２１００から送受信部２００９を介して、受け取ると、選択フォルダ情報にて示されるフォルダに記録されているブックマーク情報に含まれる識別名を取得する。
【０２９２】
データ読出部２００５は、取得した全ての識別名からなる一覧リストを生成し、生成した一覧リストを、送受信部２００９を介して携帯電話機２１００へ送信する。
データ読出部２００５は、携帯電話機２１００から送受信部２００９を介して、選択識別名情報を受け取る。
以上により、表示の指示を示す情報を受信する受信部が構成されることになる。
【０２９３】
データ読出部２００５は、受け取った選択識別名情報にて示される識別名に対応するブックマーク情報をブックマーク記憶部２００２より取得する。
データ読出部２００５は、取得したブックマーク情報と対応する静止画像若しくは動画像をブックマーク記憶部２００２から読み出す。これにより、上記に示す読出部と同様の読出部が構成されることになる。
【０２９４】
データ読出部２００５は、読み出した静止画像若しくは動画像を、送受信部２００９を介して携帯電話機２１００へ送信する。また、動画像を送信する場合には、動画像に係る音声データをも、送受信部２００９を介して携帯電話機２１００へ送信する。これにより、ブックマーク記憶部２００２から読み出された静止画像からなる部分コンテンツ、若しくは動画像と音声とからなる部分コンテンツを送信するコンテンツ送信部が構成されることになる。
【０２９５】
データ読出部２００５は、現在位置する地域に係るブックマークされた画像データを要求する画像データ要求情報と、地域コードとを、携帯電話機２１００から送受信部２００９を介して、受信すると、ブックマーク記憶部２００２より、受信した地域コードと一致する地域コードを含むブックマーク情報を全て取得する。例えば、現在位置が大阪市である場合には、地域コード「０６」を含むブックマーク情報を全て取得する。この場合、文字フォルダ２０２２より識別名が「文字Ａ」、「文字Ｂ」及び「文字Ｄ」であるそれぞれのブックマーク情報と、キャプチャフォルダ２０２３より識別名が「キャプチャＢ」であるブックマーク情報とを取得する。
【０２９６】
データ読出部２００５は、取得した全てのブックマーク情報を用いて、各ブックマーク情報に対応する静止画像若しくは動画像を読み出す。データ読出部２００５は、読み出した各画像を、送受信部２００９を介して携帯電話機２１００へ送信する。なお、動画像を送信する場合には、動画像に係る音声データをも、送受信部２００９を介して携帯電話機２１００へ送信する。
【０２９７】
（６）  削除部２００６
削除部２００６は、リモコン２３００より受信部２００８を介して、番組コンテンツ記憶部２００１に記録されている番組コンテンツの削除を行う旨の削除指示情報を受け付ける。ここで、削除指示情報は、番組ＩＤを含む情報である。これにより、削除指示を受け取る削除受取部が構成されることになる。
【０２９８】
削除部２００６は、番組コンテンツ記憶部２００１より、受け付けた削除指示情報に含まれる番組ＩＤに対応する番組コンテンツを削除する。従って、削除部２００６は、ブックマーク記憶部２００２にて記憶している画像を残し、番組コンテンツ記憶部２００１に記憶している番組コンテンツを削除することができる。これにより、番組コンテンツを削除する削除部が構成されることになる。
【０２９９】
（７）出力部２００７
出力部２００７は、再生部２００３より再生される番組コンテンツのデータを受け取り、受け取ったデータをモニタ１１へ出力する。これにより、モニタ１１では、再生された番組コンテンツが表示されている。
出力部２００７は、データ読出部２００５から再生部２００３を介して、受け取ったデータをモニタ１１へ出力する。これにより、ブックマーク情報に対応する静止画像若しくは動画像を表示することができる。
【０３００】
（８）受信部２００８
受信部２００８は、リモコン２３００から、ＢＭ開始情報、右移動情報、左移動情報、ブックマーク指示情報及び識別名を受信すると、受信したＢＭ開始情報、右移動情報、左移動情報、ブックマーク指示情報及び識別名を登録部２００４へ出力する。
受信部２００８は、リモコン２３００から、表示開始情報、選択フォルダ情報及び選択識別名情報を受信すると、受信した表示開始情報、選択フォルダ情報及び選択識別名情報をデータ読出部２００５へ出力する。
【０３０１】
受信部２００８は、リモコン２３００から、削除指示情報を受信すると、受信した削除指示情報を削除部２００６へ出力する。
（９）送受信部２００９
送受信部２００９は、インターネットを介して携帯電話機２１００より受信した情報をデータ読出部２００５へ出力する。
【０３０２】
また、送受信部２００９は、データ読出部２００５より受け取った情報を、インターネットを介して携帯電話機２１００へ送信する。
２．２．２  リモコン２３００
図４１は、リモコン２３００の外観を示す図であり、リモコン２３００は、ブックマークの操作を行うボタン群からなるＢＭ操作部２３０１と、数字、英字、日本語文字の入力及びその他操作を行うボタン群からなる文字操作部２３０２と、再生装置２０００へ赤外線通信により、信号を送信するための照射部２３０３から構成されている。
【０３０３】
リモコン２３００は、開始ボタン２３１０が押下されると、ＢＭ開始情報を、照射部２３０３を介して再生装置２０００へ送信する。
リモコン２３００は、左ボタン２３１３が押下されると左移動情報を、右ボタン２３１４が押下されると右移動情報を、照射部２３０３を介して再生装置２０００へ送信する。
リモコン２３００は、ＢＭボタン２３１１が押下されると、第１登録指示情報を含むブックマーク指示情報を、照射部２３０３を介して再生装置２０００へ送信する。リモコン２３００は、ＢＭボタン２３１１が押下され、且つ文字操作部２３０２の操作により地域コードが入力されると、第１登録指示情報と地域コードとからなるブックマーク指示情報を、照射部２３０３を介して再生装置２０００へ送信する。
【０３０４】
リモコン２３００は、コーナーボタン２３１２が押下されると、第２登録指示情報を含むブックマーク指示情報を、照射部２３０３を介して再生装置２０００へ送信する。リモコン２３００は、コーナーボタン２３１２が押下され、且つ文字操作部２３０２の操作により地域コードが入力されると、第２登録指示情報と地域コードとからなるブックマーク指示情報を、照射部２３０３を介して再生装置２０００へ送信する。
【０３０５】
リモコン２３００は、入力ボタン２３２１が押下された後、文字操作部２３０２のボタンが押下されることにより、識別名を受け付け、決定ボタン２３２２が押下されると、受け付けた識別名を、照射部２３０３を介して再生装置２０００へ送信する。
リモコン２３００は、要求ボタン２３１５が押下されると、表示開始情報を、照射部２３０３を介して再生装置２０００へ送信する。
【０３０６】
ユーザはブックマーク情報の格納先を選択する場合に、選択するフォルダに割り当てられた番号のボタンを押下すると、リモコン２３００は、押下されたボタンの番号を選択フォルダ情報として、照射部２３０３を介して再生装置２０００へ送信する。
ユーザはブックマーク情報に含まれる識別名を選択する場合に、選択する識別名に割り当てられた番号のボタンを押下すると、リモコン２３００は、押下されたボタンの番号を選択識別名情報として、照射部２３０３を介して再生装置２０００へ送信する。
【０３０７】
リモコン２３００は、削除ボタン２３２０が押下されると、削除指示情報を、照射部２３０３を介して再生装置２０００へ送信する。
２．３  携帯電話機２１００の構成
ここでは、携帯電話機２１００の構成について説明する。
携帯電話機２１００は、携帯型の通信端末装置であって、図４２に示すように、地域情報記憶部２１０２、無線部２１０３、ベースバンド信号処理部２１０４、スピーカー２１０５、マイク２１０６、制御部２１０７、入力部２１０８及び表示部２１０９から構成されている。
【０３０８】
携帯電話機２１００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、携帯電話機２１００は、その機能を達成する。
（１）  地域情報記憶部２１０２
地域情報記憶部２１０２は、図４３に一例として示すように、地域情報テーブルＴ２１００を有している。
【０３０９】
地域情報テーブルＴ２１００は、位置及び地域コードからなる組を１以上記憶するための領域を備えている。
位置は、地域名を示す情報であり、例えば、大阪市、神戸市などである。地域コードは、音楽情報テーブルＴ２０００の地域コードと同様であるため、説明は省略する。
（２）  無線部２１０３
無線部２１０３は、アンテナ２４００を備えており、無線信号の送受信を行う。
【０３１０】
（３）  ベースバンド信号処理部２１０４
ベースバンド信号処理部２１０４は、無線部２１０３より受け取った信号をスピーカー２１０５へ出力するための信号処理や、マイク２１０６より受け取った音声を無線部２１０３へ出力するための信号処理を行う。
また、ベースバンド信号処理部２１０４は、インターネット及び公衆無線通信網を介して受信した情報を、無線部２１０３から受け取ると、受け取った情報を制御部２１０７へ出力する。
【０３１１】
ベースバンド信号処理部２１０４は、制御部２１０７から、表示開始情報、選択フォルダ情報、選択識別名情報及び画像データ要求情報を受け取ると、受け取った表示開始情報、選択フォルダ情報、選択識別名情報及び画像データ要求情報を無線部２１０３、公衆無線通信網及びインターネットを介して、再生装置２０００へ送信する。ベースバンド信号処理部２１０４は、画像データ要求情報を制御部２１０７から受け取ると、さらに、地域コードをも受け取り、受け取った地域コードも画像データ要求情報と併せて、公衆無線通信網及びインターネットを介して再生装置２０００へ送信する。ベースバンド信号処理部２１０４は、制御部２１０７から音声データを受け取ると、受け取った音声データをスピーカー２１０５へ出力するための信号処理をも行う。
【０３１２】
（４）スピーカー２１０５
スピーカー２１０５は、ベースバンド信号処理部２１０４にて処理された信号を音声として出力する。
（５）マイク２１０６
マイク２１０６は、使用者の音声を受け付け、受け付けた音声をベースバンド信号処理部２１０４へ出力する。
【０３１３】
（６）制御部２１０７
制御部２１０７は、位置を測定するＧＰＳ（Ｇｌｏｂａｌ  Ｐｏｓｉｔｉｏｎｉｎｇ  Ｓｙｓｔｅｍ）機能を予め備えており、携帯電話機２１００全体の制御を行っている。
以下、利用者指定によるブックマークされた画像データの表示（以下、「指定表示」という。）、及び現在位置する地域に係るブックマークされた画像データの表示（以下、「地域表示」という。）における制御について、説明する。
【０３１４】
＜指定表示＞
制御部２１０７は、表示開始情報を入力部２１０８より受け取ると、受け取った表示開始情報をベースバンド信号処理部２１０４へ出力する。
制御部２１０７は、格納先リストを、インターネット及び公衆無線通信網を介して再生装置２０００から受信すると、受信した格納先リストを、表示部２１０９へ出力する。
【０３１５】
制御部２１０７は、ユーザによるキー操作にて、入力部２１０８から選択フォルダ情報を受け取ると、受け取った選択フォルダ情報をベースバンド信号処理部２１０４へ出力する。
制御部２１０７は、一覧リストを、インターネット及び公衆無線通信網を介して再生装置２０００から受信すると、受信した一覧リストを、表示部２１０９へ出力する。
【０３１６】
制御部２１０７は、ユーザによるキー操作にて、入力部２１０８から選択識別名情報を受け取ると、受け取った選択識別名情報をベースバンド信号処理部２１０４へ出力する。
制御部２１０７は、選択した識別名を含むブックマーク情報に対応する静止画像若しくは動画像を、インターネット及び公衆無線通信網を介して再生装置２０００から受信すると、受信した静止画像及び動画像を表示部２１０９へ出力する。
【０３１７】
また、動画像を受信する際には、動画像に係る音声データをも受信し、受信した音声データをベースバンド信号処理部２１０４を介してスピーカー２１０５へ出力する。これにより、制御部２１０７は、受信した動画像の再生を行うことができる。
＜地域表示＞
制御部２１０７は、現在位置する地域に係るブックマークされた画像データの表示を示す地域表示情報を入力部２１０８より受け取ると、ＧＰＳ機能を用いて、現在の位置を測定する。制御部２１０７は、測定結果より得られた地域に対応する地域コードを地域情報記憶部２１０２より取得する。
【０３１８】
制御部２１０７は、取得した地域コードと、画像データ要求情報とをベースバンド信号処理部２１０４へ出力する。
制御部２１０７は、送信した地域コードに係る各ブックマーク情報に対応する静止画像若しくは動画像を、インターネット及び公衆無線通信網を介して再生装置２０００から受信すると、受信した静止画像及び動画像を表示部２１０９へ出力する。
【０３１９】
また、動画像を受信する際には、動画像に係る音声データをも受信し、受信した音声データをベースバンド信号処理部２１０４を介してスピーカー２１０５へ出力する。これにより、制御部２１０７は、受信した動画像の再生を行うことができる。
なお、制御部２１０７は、複数の静止画像若しくは動画像を受信した場合には、入力部２１０８より、前の静止画像若しくは前の動画像へ切り替えを行う前画像情報、又は後の静止画像若しくは後の動画像へ切り替えを行う後画像情報を受け付けることにより、表示部２１０９へ出力する静止画像若しくは動画像を制御する。
【０３２０】
（７）入力部２１０８
入力部２１０８は、数字入力キーなどの入力機能を備えたキーボード等により構成されており、使用者から入力指示を受け付ける。
入力部２１０８は、表示開始情報、選択フォルダ情報、選択識別名情報及び画像データ要求情報を受け付けると、受け付けた表示開始情報、選択フォルダ情報、選択識別名情報及び画像データ要求情報を制御部２１０７へ出力する。入力部２１０８は、画像データ要求情報を受け付けると、さらに、地域コードをも受け付け、受け付けた地域コードも画像データ要求情報と併せて、制御部２１０７へ出力する。
【０３２１】
さらに、入力部２１０８は、前画像情報を受け付け、受け付けた前画像情報を制御部２１０７へ出力する。また、入力部２１０８は、後画像情報を受け付け、受け付けた後画像情報を制御部２１０７へ出力する。
（８）表示部２１０９
表示部２１０９は、制御部２１０７より格納先リストを受け取ると、受け取った格納先リストを表示する。
【０３２２】
表示部２１０９は、制御部２１０７より一覧リストを受け取ると、受け取った一覧リストを表示する。
さらに、表示部２１０９は、制御部２１０７より受け取った静止画像若しくは動画像を表示する。
２．４  ブックマークシステム２の動作
ここでは、ブックマークシステム２の動作について説明する。
【０３２３】
２．４．１  ＢＭ登録処理の動作
ここでは、ブックマーク情報の登録を行うＢＭ登録処理の動作について、図４４に示す流れ図を用いて説明する。
再生装置２０００の情報生成部２０３０は、利用者よりリモコン２３００を介して、ＢＭ開始情報を受け付けると、予め記憶しているＢＭ画面データを再生部２００３へ出力し、対象記憶領域へ初期状態として、「音楽」を示す情報を記憶する（ステップＳ２０００）。再生部２００３は、情報生成部２０３０から受け取ったＢＭ画面データに基づいてＢＭ画像を、出力部２００７を介してモニタ１１にて表示する（ステップＳ２００５）。
【０３２４】
情報生成部２０３０は、ユーザよりリモコン２３００を介して受信した情報が、ブックマーク指示情報であるか否かを判断する（ステップＳ２０１０）。
ブックマーク指示情報であると判断する場合には（ステップＳ２０１０における「ＹＥＳ」）、番組コンテンツの先頭に位置する画像データからブックマーク指示情報を受信した時点に再生部２００３にて再生されている画像データまでの区間における経過時刻を算出する（ステップＳ２０１５）。
【０３２５】
情報生成部２０３０は、再生部２００３に記憶している録画開始時刻を取得し、取得した録画開始時刻に算出した経過時刻を加算することにより、ブックマークされた画像データのＢＭ表示時刻を取得する（ステップＳ２０２０）。さらに、情報生成部２０３０は、再生部２００３より再生中の番組コンテンツに対応するＣＨ番号及び番組ＩＤを取得する（ステップＳ２０２５）。
【０３２６】
さらに、情報生成部２０３０は、受信部２００８を介してリモコン２３００から、識別名を受信する（ステップＳ２０３０）。
情報生成部２０３０は、第１登録指示命令を含むブックマーク指示情報を受信した場合、及び第２登録指示情報を含むブックマーク指示情報を受信した場合には、受信した識別名と、取得したＢＭ表示時刻、ＣＨ番号及び番組ＩＤと、対象記憶領域にて記憶している情報とを用いて、ブックマーク情報を生成する（ステップＳ２０３５）。このとき、地域コードには何も記録されていない。なお、第１登録指示命令と地域コードとを含むブックマーク指示情報を受信した場合及び第２登録指示命令と地域コードとを含むブックマーク指示情報を受信した場合には、ステップＳ２０３５では、受信した識別名と、取得したＢＭ表示時刻、ＣＨ番号及び番組ＩＤと、受信した地域コードと、対象記憶領域にて記憶している情報とを用いて、ブックマーク情報を生成する。
【０３２７】
ブックマーク情報の生成後、再生装置２０００は、生成したブックマーク情報に対応する静止画像若しくは動画像を取得し、記録する画像データ取得処理を行う（ステップＳ２０４０）。
情報生成部２０３０は、受信した情報がブックマーク指示情報でないと判断する場合には（ステップＳ２０１０における「ＮＯ」）、受信した情報が右移動情報であるか否かを判断する（ステップＳ２０４５）。
【０３２８】
右移動情報であると判断する場合には（ステップＳ２０４５における「ＹＥＳ」）、現在表示中のＢＭ画像において、ブックマークの対象の項目を、現在の対象項目から右の項目へと変更し（ステップＳ２０５０）、右移動情報でないと判断する場合には（ステップＳ２０４５における「ＮＯ」）、現在表示中のＢＭ画像において、ブックマークの対象の項目を、現在の対象項目から左の項目へと変更する（ステップＳ２０５５）。次に、情報生成部２０３０は、対象記憶領域に記憶されている情報を、変更された項目に対応する情報へと更新し（ステップＳ２０６０）、ステップＳ２００５へ戻る。
【０３２９】
２．４．２  画像データ取得処理
ここでは、再生装置２０００にて行われる画像データ取得処理について、図４５に示す流れ図を用いて説明する。
再生装置２０００のデータ取得部２０３１は、情報生成部２０３０にて生成されたブックマーク情報に含まれるＣＨ番号及び番組ＩＤと対応するＢＭ対象コンテンツを番組コンテンツ記憶部２００１より取得する（ステップＳ２１００）。
【０３３０】
データ取得部２０３１は、情報生成部２０３０にて受信したブックマーク指示情報に含まれる命令が第１登録指示命令であるか否かを判断する（ステップＳ２１０５）。
第１登録指示命令であると判断する場合には（ステップＳ２１０５の「ＹＥＳ」）、情報生成部２０３０にて生成されたブックマーク情報に含まれる付加情報が、「音楽」であるか否かを判断する（ステップＳ２１１０）。「音楽」であると判断する場合には（ステップＳ２１１０の「ＹＥＳ」）、ブックマーク情報に含まれるＢＭ表示時刻とＢＭ対象コンテンツとを用いて、音楽認識処理を実行して、取得した番組コンテンツから音楽先頭フレームを検出して取得し（ステップＳ２１１５）、さらに、取得した音楽先頭フレームから連続するフレームを予め設定された数分コピーにより取得し、さらに音声データをもコピーにより取得する（ステップＳ２１２０）。なお、ステップＳ２１１５においては、取得した音楽先頭フレームに対応する音声データをも、コピーにより取得する。
【０３３１】
次に、再生装置２０００の書込部２０３２は、取得した音楽先頭フレームより連続するフレーム、つまり、音楽先頭フレームからの動画像を、情報生成部２０３０にて生成されたブックマーク情報と対応付けて、ブックマーク情報に含まれる付加情報に応じて、音楽情報テーブルＴ２０００、人物情報テーブルＴ２００１、文字情報テーブルＴ２００２及びキャプチャ情報テーブルＴ２００３のうちの何れかに記録する情報格納先処理を行う（ステップＳ２１２５）。なお、動画像を記憶する場合には、動画像に係る音声データをも記憶する。
【０３３２】
ブックマーク情報に含まれる付加情報が、「音楽」でないと判断する場合には（ステップＳ２１１０の「ＮＯ」）、「人物」であるか否かを判断する（ステップＳ２１３０）。
「人物」であると判断する場合には（ステップＳ２１３０の「ＹＥＳ」）、ブックマーク情報に含まれるＢＭ表示時刻とＢＭ対象コンテンツとを用いて、人物認識処理を実行して、取得した番組コンテンツから人物先頭フレームを検出して取得し（ステップＳ２１３５）、ステップＳ２１２５を行う。
【０３３３】
「人物」でないと判断する場合には（ステップＳ２１３０の「ＮＯ」）、「文字」であるか否かを判断する（ステップＳ２１４０）。
「文字」であると判断する場合には（ステップＳ２１４０における「ＹＥＳ」）、ブックマーク情報に含まれるＢＭ表示時刻とＢＭ対象コンテンツとを用いて、文字認識処理を実行して、取得した番組コンテンツから文字先頭フレームを検出して取得し（ステップＳ２１４５）、ステップＳ２１２５を行う。
【０３３４】
「文字」でないと判断する場合（ステップＳ２１４０における「ＮＯ」）、つまり、「キャプチャ」であると判断する場合には、キャプチャ認識処理を実行して、取得した番組コンテンツからキャプチャ先頭フレームを検出して取得し（ステップＳ２１５０）、ステップＳ２１２５を行う。
データ取得部２０３１は、第１登録指示命令でないと判断する場合には（ステップＳ２１０５における「ＮＯ」）、取得したＢＭ対象コンテンツから、ＢＭ表示時刻と、コーナー認識処理とを用いて、情報生成部２０３０の対象記憶領域に記憶されている情報に対応する画像データを含むコーナーを検出し、検出したコーナーに含まれる画像データ全てを取得、つまり動画像を取得し（ステップＳ２１５５）、ステップＳ２１２５を行う。
【０３３５】
なお、フレームを検出して取得とは、フレームを検出し、検出したフレームをコピーにより取得することをいう。
２．４．３  ブックマーク情報格納処理の動作
ここでは、再生装置２０００にて行われる情報格納処理の動作について、図４６に示す流れ図を用いて説明する。
【０３３６】
書込部２０３２は、情報生成部２０３０にて生成されたブックマーク情報に含まれる付加情報が「音楽」であるか否かを判断する（ステップＳ２３００）。
「音楽」であると判断する場合には（ステップＳ２３００における「ＹＥＳ」）、ブックマーク情報及びデータ取得部２０３１にて取得した静止画像若しくは動画像を音楽フォルダ２０２０へ書き込み（ステップＳ２３０５）、「音楽」でないと判断する場合には（ステップＳ２３００における「ＮＯ」）、付加情報が「人物」であるか否かを判断する（ステップＳ２３１０）。
【０３３７】
「人物」であると判断する場合には（ステップＳ２３１０における「ＹＥＳ」）、ブックマーク情報及びデータ取得部２０３１にて取得した静止画像若しくは動画像を人物フォルダ２０２１へ書き込み（ステップＳ２３１５）、「人物」でないと判断する場合には（ステップＳ２３１０における「ＮＯ」）、付加情報が「文字」であるか否かを判断する（ステップＳ２３２０）。
【０３３８】
「文字」であると判断する場合には（ステップＳ２３２０における「ＹＥＳ」）、ブックマーク情報及びデータ取得部２０３１にて取得した静止画像若しくは動画像を文字フォルダ２０２２へ書き込み（ステップＳ２３２５）、「文字」でないと判断する場合（ステップＳ２３２０における「ＮＯ」）、つまり、付加情報は「キャプチャ」であると判断する場合には、ブックマーク情報及びデータ取得部２０３１にて取得した静止画像若しくは動画像をキャプチャフォルダ２０２３へ書き込む（ステップＳ２３３０）。
【０３３９】
なお、書込部２０３２は、動画像を対応するフォルダに書き込む場合には、音声データをも書き込む。
２．４．４  第１表示処理の動作
ここでは、再生装置２０００が、リモコン２３００より表示開始情報を受け取った際に行われる第１表示処理の動作について、図４７に示す流れ図を用いて説明する。
【０３４０】
データ読出部２００５は、リモコン２３００から受信部２００８を介して、表示開始情報を受け取ると（ステップＳ２４００）、ブックマーク情報の格納先の選択を促すために格納先リスト生成し、生成した格納先リストを出力部２００７を介してモニタ１１にて表示する（ステップＳ２４０５）。
データ読出部２００５は、選択フォルダ情報を、リモコン２３００から受信部２００８を介して、受け取る（ステップＳ２４１０）。
【０３４１】
さらに、データ読出部２００５は、選択フォルダ情報にて示されるフォルダに記録されているブックマーク情報に含まれる識別名を全て取得し、取得した全ての識別名からなる一覧リストを生成し、生成した一覧リストを、出力部２００７を介してモニタ１１にて表示する（ステップＳ２４１５）。
データ読出部２００５は、リモコン２３００から受信部２００８を介して、選択識別名情報を受け取ると（ステップＳ２４２０）、受け取った選択識別名情報にて示される識別名に対応するブックマーク情報をブックマーク記憶部２００２より取得する（ステップＳ２４２５）。
【０３４２】
データ読出部２００５は、取得したブックマーク情報と対応する静止画像若しくは動画像をブックマーク記憶部２００２から読み出し（ステップＳ２４３０）、読み出した静止画像若しくは動画像を、再生部２００３及び出力部２００７を介してモニタ１１にて表示する（ステップＳ２４３５）。また、動画像を表示する場合には、動画像に係る音声データを、出力部２００７を介してモニタ１１から出力する。
【０３４３】
なお、上記に示す表示処理は、再生装置２０００とリモコン２３００との間における動作について説明したが、再生装置２０００と携帯電話機２１００との間における動作についても、上記に示す動作と同様であり、各種情報の経路が異なるだけである。データ読出部２００５がリモコン２３００より受け取っている各種情報は、携帯電話機２１００から公衆無線通信網、インターネット及び送受信部２００９を介して、データ読出部２００５により受信され、データ読出部２００５が、再生部２００３及び出力部２００７を介してモニタ１１へ表示している情報は、インターネット、公衆無線通信網及び送受信部２００９を介して携帯電話機２１００へ送信される。
【０３４４】
２．４．５  第２表示処理の動作
ここでは、再生装置２０００が、携帯電話機２１００より画像データ要求情報と地域コードとを受け取った際に行われる第２表示処理の動作について、図４８に示す流れ図を用いて説明する。
データ読出部２００５は、画像データ要求情報と、地域コードとを、携帯電話機２１００から送受信部２００９を介して、受信すると（ステップＳ２５００）、ブックマーク記憶部２００２より、受信した地域コードと一致する地域コードを含むブックマーク情報を全て取得する（ステップＳ２５０５）。
【０３４５】
データ読出部２００５は、取得した全てのブックマーク情報を用いて、各ブックマーク情報に対応する静止画像若しくは動画像を読み出す（ステップＳ２５１０）。データ読出部２００５は、読み出した各画像を、送受信部２００９を介して携帯電話機２１００へ送信する。なお、動画像を送信する場合には、動画像に係る音声データをも、送受信部２００９を介して携帯電話機２１００へ送信する（ステップＳ２５１５）。
【０３４６】
２．５  まとめ
以上、説明したように本発明によれば、再生装置は、コンテンツの再生中にリモコンによりブックマークの指示を受け付けると、ブックマーク情報を生成、及び生成したブックマーク情報に対応する静止画像若しくは動画像を取得し、生成したブックマーク情報と、取得した静止画像若しくは動画像とを対応付けて記憶することで、後日、リモコン若しくは携帯電話機から指示を受け付けることにより、再生装置は、記憶しているブックマーク情報に対応する静止画像若しくは動画像を表示することができる。
【０３４７】
また、ブックマークの登録時に利用者がブックマークしたい画像データと実際にブックマークされた画像データとが、ブックマーク指示情報の送信から受信までに要する時間の影響により異なる場合が考えられるが、上記に示した再生装置は、画像データ取得時に、音楽認識処理、人物認識処理、文字認識処理及びキャプチャ認識処理のうちで、付加情報に示される情報に対応する認識処理を実行することにより、利用者が希望する画像データを正確に取得し、取得した画像データを記憶することができる。
【０３４８】
また、再生装置は、生成したブックマーク情報を内容に応じて、フォルダへ自動に振分けるため、ブックマーク情報の整理が簡単にできる。
２．６  画像取得の変形例
上記実施の形態では、ブックマーク情報を作成した際に、対応する静止画像若しくは動画像を取得し、ブックマーク情報と対応付けて記憶したが、ここでは、表示の要求があった際にブックマーク情報に対する画像の取得を行う場合の変形例について説明する。
【０３４９】
本変形例における再生装置３０００について、以下に説明する。
なお、リモコン及び携帯電話機は、上記にて示すリモコン２３００及び携帯電話機２１００と同様であるため、ここでの説明は省略する。また、以降では、モニタ１１、リモコン２３００及び携帯電話機２１００を用いて説明を行う。
２．６．１  再生装置３０００
再生装置３０００は、図４９に示すように、番組コンテンツ記憶部３００１、ブックマーク記憶部３００２、再生部３００３、登録部３００４、取得部３００５、削除部３００６、出力部３００７、受信部３００８及び送受信部３００９から構成されている。
【０３５０】
再生装置３０００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置３０００は、その機能を達成する。
【０３５１】
（１）番組コンテンツ記憶部３００１
番組コンテンツ記憶部３００１は、上記にて示す番組コンテンツ記憶部２００１と同様であるため、説明は省略する。
（２）ブックマーク記憶部３００２
ブックマーク記憶部３００２は、上記にて示すブックマーク記憶部２００２と同様のフォルダ構成を有している。上記第２実施の形態と異なる点は、ブックマーク情報には、上記第２実施の形態にて示すデータに、さらに、コーナー検出の行うか否かを示すフラグを含む点である。
【０３５２】
ここで、図５０に音楽フォルダにて記憶されている音楽情報テーブルＴ３０００の一例を示す。
音楽情報テーブルＴ３０００は、識別名、ＢＭ表示時刻、ＣＨ番号、番組ＩＤ、地域コード、コーナー検出及び付加情報である。
コーナー検出は、コーナー検出を行うか否かを示すフラグであり、値「１」はコーナー検出を行う旨を示し、値「０」はコーナー検出を行わないで、付加情報に対応する加増の取得を行う旨を示す。残りの項目については、上記第２実施の形態と同様であるため、説明は省略する。
【０３５３】
また、他のフォルダにて記憶されている各テーブルの構成は、音楽情報テーブルＴ３０００の構成と同様であるため、説明は省略する。
（３）再生部３００３
再生部３００３は、上記にて示す再生部２００３と同様であるため、説明は省略する。なお、以降において、ＢＭ画像Ｍ２０００を用いて、説明を行う。
【０３５４】
（４）登録部３００４
登録部３００４は、情報生成部３０３０及び書込部３０３２から構成されている。以下において、情報生成部３０３０及び書込部３０３２について説明する。
（ａ）情報生成部３０３０
情報生成部３０３０は、ＢＭ画面データを予め記憶しており、ブックマークの対象の情報を記憶するための対象記憶領域を有している。
【０３５５】
情報生成部３０３０は、再生部３００３にて番組コンテンツが再生されると、再生開始からの再生されたフレームの枚数をカウントしている。
情報生成部３０３０は、番組コンテンツの再生中に、受信部３００８を介してリモコン２３００から、ＢＭ開始情報を受信すると、予め記憶しているＢＭ画面データを再生部３００３へ出力し、対象記憶領域へ初期状態として、「音楽」を示す情報を記憶する。
【０３５６】
情報生成部３０３０は、受信部３００８を介してリモコン２３００から、右移動情報及び左移動情報を受信すると、受信した情報に応じて、太枠で囲まれる項目を変更し、対象記憶領域に記憶されている情報を、変更された項目に対応する情報へと更新する。
情報生成部３０３０は、ＢＭ画像Ｍ２０００を表示中に、受信部３００８を介してリモコン２３００から、第１登録指示命令を含むブックマーク指示情報、第２登録指示命令を含むブックマーク情報、第２登録指示情報と地域コードとを含むブックマーク指示情報及び第１登録指示情報と地域コードとを含むブックマーク指示情報のうち何れかを受信する。これにより、ブックマーク対象の種類を示す情報（対応情報）及び地域コードを受け取る情報受取部が構成されることになる。
【０３５７】
情報生成部３０３０は、ブックマーク指示情報を受信した時点までにカウントしたフレームの数を用いて、番組コンテンツの先頭に位置する画像データからブックマーク指示情報を受信した時点に再生部３００３にて再生されている画像データまでの区間における経過時刻を算出する。情報生成部３０３０は、再生部３００３に記憶している録画開始時刻を取得し、取得した録画開始時刻に算出した経過時刻を加算することにより、ブックマークされた画像データのＢＭ表示時刻を取得する。さらに、情報生成部３０３０は、再生部３００３より再生中の番組コンテンツに対応するＣＨ番号及び番組ＩＤを取得する。取得した放送時刻と、１秒あたりに再生されるフレームの数との関係より、取得した放送時刻から、ブックマーク指示情報を受け取った時点のフレームを特定することができる。以上により、ブックマーク情報を受け取った時点の番組コンテンツ内の位置を特定する情報（ここでは、放送時刻）を取得する位置取得部が構成されることになる。
【０３５８】
さらに、情報生成部３０３０は、受信部３００８を介してリモコン２３００から、識別名を受信する。
情報生成部３０３０は、第１登録指示命令を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「０」とを用いて、ブックマーク情報を生成する。このとき、地域コードには何も記録されていない。
【０３５９】
情報生成部３０３０は、第２登録指示情報を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「１」とを用いて、ブックマーク情報を生成する。このとき、地域コードには何も記録されていない。
情報生成部３０３０は、第１登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「０」とを用いて、ブックマーク情報を生成する。
【０３６０】
情報生成部３０３０は、第１登録指示命令と地域コードとを含むブックマーク指示情報を受信した場合及び第２登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「１」とを用いて、ブックマーク情報を生成する。
【０３６１】
（ｂ）書込部３０３２
書込部３０３２は、情報生成部３０３０にて生成されたブックマーク情報に含まれる付加情報に応じたブックマーク記憶部３００２内のフォルダへ書き込む。
（５）取得部３００５
取得部３００５は、情報取得部３０４０及びデータ取得部３０４１から構成されている。以下において、情報取得部３０４０及びデータ取得部３０４１について説明する。
【０３６２】
（ａ）情報取得部３０４０
情報取得部３０４０は、リモコン２３００から受信部３００８を介して、表示開始情報を受け取ると、ブックマーク情報の格納先の選択を促すために、格納先リストを生成し、生成した格納先リストを出力部３００７を介してモニタ１１にて表示する。情報取得部３０４０は、選択フォルダ情報を、リモコン２３００から受信部３００８を介して、受け取る。
【０３６３】
さらに、情報取得部３０４０は、選択フォルダ情報にて示されるフォルダに記録されているブックマーク情報に含まれる識別名を取得する。
情報取得部３０４０は、取得した全ての識別名からなる一覧リストを生成し、生成した一覧リストを、出力部３００７を介してモニタ１１にて表示する。
情報取得部３０４０は、リモコン２３００から受信部３００８を介して、選択された識別名を示す選択識別名情報を受け取る。
【０３６４】
以上により、ブックマークされた画像の出力要求を受け取る要求受取部が構成されることになる。
情報取得部３０４０は、受け取った選択識別名情報にて示される識別名に対応するブックマーク情報をブックマーク記憶部３００２より取得する。
また、情報取得部３０４０は、携帯電話機２１００から送受信部３００９を介して、表示開始情報を受け取ると、格納先リストを生成して、生成した格納先リストを、送受信部３００９を介して携帯電話機２１００へ送信する。情報取得部３０４０は、選択フォルダ情報を、携帯電話機２１００から送受信部３００９を介して、受け取ると、選択フォルダ情報にて示されるフォルダに記録されているブックマーク情報に含まれる識別名を取得する。
【０３６５】
情報取得部３０４０は、取得した全ての識別名からなる一覧リストを生成し、生成した一覧リストを、送受信部３００９を介して携帯電話機２１００へ送信する。
情報取得部３０４０は、携帯電話機２１００から送受信部３００９を介して、選択識別名情報を受け取ると、受け取った選択識別名情報にて示される識別名に対応するブックマーク情報をブックマーク記憶部２００２より取得する。
【０３６６】
情報取得部３０４０は、画像データ要求情報と、地域コードとを、携帯電話機２１００から送受信部３００９を介して、受信すると、ブックマーク記憶部２００２より、受信した地域コードと一致する地域コードを含むブックマーク情報を全て取得する。
（ｂ）データ取得部３０４１
データ取得部３０４１は、動画像を生成する静止画像の数（例えば、３００である。）を記憶しており、さらに、「音楽認識処理」、「人物認識処理」、「文字認識処理」、「キャプチャ認識処理」及び「コーナー認識処理」のそれぞれに対応するプログラムを予め記憶している。
【０３６７】
データ取得部３０４１は、情報取得部３０４０にて取得されたブックマーク情報に含まれるＣＨ番号及び番組ＩＤと対応する番組コンテンツを番組コンテンツ記憶部３００１より取得する。このとき、後述する番組コンテンツの削除により、ＣＨ番号及び番組ＩＤと対応する番組コンテンツが複数存在する場合があるため、ＣＨ番号及び番組ＩＤと対応する番組コンテンツが複数存在する場合には、複数の番組コンテンツのうち録画開始時刻がブックマーク情報に含まれる表示時刻にて示される時刻と一致する番組コンテンツを取得する。
【０３６８】
データ取得部３０４１は、取得したブックマーク情報に含まれるコーナー検出のフラグの値が「０」であるか否かを判断する。
値が「０」であると判断する場合には、取得した番組コンテンツから、ＢＭ表示時刻と、付加情報にて示される情報に応じた認識処理とを用いて、静止画像若しくは動画像をコピーにより取得する。動画像を取得する際には、その音声をも、コピーにより取得する。なお、取得方法については、上記第２の実施形態と同様であるため、説明は省略する。
【０３６９】
値が「０」でない、つまり値が「１」であると判断する場合には、取得した番組コンテンツから、ＢＭ表示時刻と、コーナー認識処理とを用いて、付加情報にて示される情報に対応する画像データを含むコーナーを検出し、検出されたコーナーに含まれる画像データ全てをコピーにより取得、つまり動画像を取得する。
なお、情報取得部３０４０にて取得したブックマーク情報が複数ある場合には、上記動作を取得した数分繰り返す。
【０３７０】
データ取得部３０４１は、表示開始情報をリモコン２３００より受け取った場合には、取得した画像を、再生部３００３及び出力部３００７を介してモニタ１１にて表示する。また、動画像を表示する場合には、動画像に係る音声データを、再生部３００３及び出力部３００７を介してモニタ１１から出力する。これにより、静止画像からなる部分コンテンツ、若しくは動画像と音声とからなる部分コンテンツを出力する出力部が構成されることになる。
【０３７１】
データ取得部３０４１は、表示開始情報を携帯電話機２１００より受け取った場合には、取得した画像を、送受信部３００９を介して携帯電話機２１００へ送信する。また、動画像を送信する場合には、動画像に係る音声データをも、送受信部３００９を介して携帯電話機２１００へ送信する。これにより、ブックマーク記憶部３００２から読み出された静止画像からなる部分コンテンツ、若しくは動画像と音声とからなる部分コンテンツを送信するコンテンツ送信部が構成されることになる。
【０３７２】
データ取得部３０４１は、画像データ要求情報を携帯電話機２１００より受け取った場合には、取得した各画像を、送受信部３００９を介して携帯電話機２１００へ送信する。なお、動画像を送信する場合には、動画像に係る音声データをも、送受信部３００９を介して携帯電話機２１００へ送信する。
（６）  削除部３００６
削除部３００６は、データ取得部３０４１と同様に、音楽認識処理、人物認識処理、文字認識処理及びキャプチャ認識処理のそれぞれに対応するプログラムを予め記憶している。
【０３７３】
削除部３００６は、リモコン２３００より受信部３００８を介して、番組コンテンツ記憶部３００１に記録されている番組コンテンツの削除を行う旨の削除指示情報を受け付ける。ここで、削除指示情報は、番組ＩＤを含む情報である。
削除部３００６は、番組コンテンツ記憶部３００１より、受け付けた削除指示情報に含まれる番組ＩＤに対応する番組コンテンツを取得し、さらに、ブックマーク記憶部３００２より、番組ＩＤと一致する番組ＩＤを含むブックマーク情報を全て取得する。
【０３７４】
削除部３００６は、取得した番組コンテンツ及びブックマーク情報とを用いて、以下に記述する削除方法を取得したブックマーク情報の数分繰り返す。
＜削除方法＞
削除部３００６は、ブックマーク情報に含まれる付加情報が、「音楽」であるか否かを判断する。「音楽」であると判断する場合には、ブックマーク情報に含まれるＢＭ表示時刻と取得した番組コンテンツとを用いて、音楽認識処理を実行し、ＢＭ表示時刻より前に位置する直近の音楽先頭フレームを取得し、さらに、取得した音楽先頭フレームから予め設定された時間分（例えば、３分）の連続するフレーム及び音声データからなる音楽用音声画像データを取得し、取得した音楽用音声画像データを番組ＩＤ、ＣＨ番号及びＢＭ表示時刻と対応付けて一時的に記憶する。
【０３７５】
ブックマーク情報に含まれる付加情報が、「音楽」でないと判断する場合には、「人物」であるか否かを判断し、「人物」であると判断する場合には、ブックマーク情報に含まれるＢＭ表示時刻と番組コンテンツ記憶部３００１より取得した番組コンテンツとを用いて、人物認識処理を実行し、ＢＭ表示時刻より前に位置する直近の人物先頭フレームを検出し、さらに、検出した人物先頭フレームから予め設定された時間分（例えば、３分）の連続するフレーム及び音声データからなる人物用音声画像データをコピーにより取得し、取得した人物用音声画像データを番組ＩＤ、ＣＨ番号及びＢＭ表示時刻と対応付けて一時的に記憶する。
【０３７６】
ブックマーク情報に含まれる付加情報が、「人物」でないと判断する場合には、「文字」であるか否かを判断し、「文字」であると判断する場合には、ブックマーク情報に含まれるブックマーク表示時刻と番組コンテンツ記憶部３００１より取得した番組コンテンツとを用いて、文字認識処理を実行し、ＢＭ表示時刻より前に位置する直近の文字先頭フレームを検出し、さらに、検出した文字先頭フレームから予め設定された時間分（例えば、３分）の連続するフレーム及び音声データからなる文字用音声画像データをコピーにより取得し、取得した文字用音声画像データを番組ＩＤ、ＣＨ番号及びＢＭ表示時刻と対応付けて一時的に記憶する。
【０３７７】
ブックマーク情報に含まれる付加情報が、「文字」でないと判断する場合、つまり、「キャプチャ」であると判断する場合には、ブックマーク情報に含まれるブックマーク表示時刻と番組コンテンツ記憶部３００１より取得した番組コンテンツとを用いて、キャプチャ認識処理を実行し、ＢＭ表示時刻より前に位置する直近のキャプチャ先頭フレームを検出し、さらに、検出したキャプチャ先頭フレームから予め設定された時間分（例えば、３分）の連続するフレーム及び音声データからなるキャプチャ用音声画像データをコピーにより取得し、取得したキャプチャ用音声画像データを番組ＩＤ、ＣＨ番号及びＢＭ表示時刻と対応付けて一時的に記憶する。
【０３７８】
ここで、以降において、音楽用音声画像データ、人物用音声画像データ、文字用音声画像データ及びキャプチャ用音声画像データを、説明上区別する必要がない場合には、総称して音声画像データと呼ぶ。
削除部３００６は、上記の動作を、ブックマーク記憶部３００２より取得した全てのブックマーク情報に対して行った後、番組コンテンツを消去する。
【０３７９】
削除部３００６は、一時的に記憶している音声画像データを、番組コンテンツ記憶部３００１に記憶する。このとき、録画開始時刻は、ＢＭ表示時刻にて示される日付及び時刻となる。
これにより、番組コンテンツが削除された後も、ブックマークされた画像データが存在する付近の画像データ及び音声データが保存されているため、参照が可能となる。
【０３８０】
なお、上述したブックマーク記憶部３００２、書込部３０３２、データ取得部３０４１及び削除部３００６から、ブックマークされた静止画像若しくは動画像を取得する部分コンテンツ取得部が構成されることになる。書込部３０３２がブックマーク情報を書き込む書込部を構成する。削除部３００６における削除指示情報を受け付ける動作が削除受取部を構成し、削除指示情報を受け取った後、音声画像データを取得する動作が第１取得部を構成し、音声画像データを番組コンテンツ記憶部３００１に記憶する動作が記録部を構成し、ブックマーク記憶部３００２より取得した全てのブックマーク情報に対して音声画像データの取得を行った後、番組コンテンツを番組コンテンツ記憶部３００１より削除する動作が削除部を構成する。さらに、データ取得部３０４１における静止画像の取得、若しくは動画像及び音声の取得を行う動作が第２取得部を構成する。
【０３８１】
（７）出力部３００７
出力部３００７は、上記にて示す出力部２００７と同様であるため、説明は省略する。
（８）受信部３００８
受信部３００８は、上記にて示す受信部２００８と同様であるため、説明は省略する。
（９）送受信部３００９
送受信部３００９は、上記にて示す送受信部３００９と同様であるため、説明は省略する。
【０３８２】
２．６．２  ＢＭ登録処理の動作
ここでは、再生装置３０００にて行われるＢＭ登録処理について、図４４にて示すＢＭ登録処理との変更点のみ、説明する。
変更箇所はステップＳ２０４０であり、画像データ取得処理から、図４７にて示す情報格納処理へと変更する。ただし、各フォルダへ格納するのは、生成したブックマーク情報のみである。
【０３８３】
また、ステップＳ２０３５では、以下の動作にてブックマーク情報を生成する。
情報生成部３０３０は、第１登録指示命令を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「０」とを用いて、ブックマーク情報を生成する。このとき、地域コードには何も記録されていない。
【０３８４】
情報生成部３０３０は、第２登録指示情報を含むブックマーク指示情報を受信した場合には、受信した識別名と、取得したＢＭ表示時刻、ＣＨ番号及び番組ＩＤと、対象記憶領域にて記憶している情報と、コーナー検出のフラグ「１」とを用いて、ブックマーク情報を生成する。このとき、地域コードには何も記録されていない。
情報生成部３０３０は、第１登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「０」とを用いて、ブックマーク情報を生成する。
【０３８５】
情報生成部２０３０は、第１登録指示命令と地域コードとを含むブックマーク指示情報を受信した場合及び第２登録指示命令と地域コードとを含むブックマーク指示情報を受信した場合には、受信した識別名と、取得したＢＭ表示時刻、ＣＨ番号及び番組ＩＤと、受信した地域コードと、対象記憶領域にて記憶している情報と、コーナー検出のフラグ「１」とを用いて、ブックマーク情報を生成する。
【０３８６】
２．６．３  第１表示処理の動作
ここでは、再生装置３０００が、リモコン２３００より表示開始情報を受け取った際に行われる第１表示処理の動作について、図４８に示す第１表示処理との変更点のみ、説明する。
変更点はステップＳ２４３０であり、後述する画像データ処理へと変更する。
【０３８７】
２．６．４  第２表示処理の動作
ここでは、再生装置３０００が、携帯電話機２１００より画像データ要求情報と地域コードとを受け取った際に行われる第２表示処理の動作について、図４９に示す第２表示処理との変更点のみ、説明する。
変更点はステップＳ２５１０であり、後述する画像データ処理へと変更する。
【０３８８】
なお、第２表示処理においては、ステップＳ２５０５にて取得したブックマーク情報が複数ある場合には、画像データ取得処理を取得したブックマーク情報の数分繰り返す。
２．６．５  画像データ取得処理
ここでは、第１及び第２表示処理にて行われる画像データ取得処理について、図５１に示す流れ図を用いて説明する。
【０３８９】
再生装置３０００のデータ取得部３０４１は、情報取得部３０４０にて生成されたブックマーク情報に含まれるＣＨ番号及び番組ＩＤと対応するＢＭ対象コンテンツを番組コンテンツ記憶部３００１より取得する番組コンテンツ取得処理を行う（ステップＳ３０００）。
データ取得部３０４１は、情報取得部３０４０にて取得したブックマーク情報に含まれるコーナー検出のフラグが「０」であるか否かを判断する（ステップＳ３００５）。
【０３９０】
「０」であると判断する場合には（ステップＳ３００５の「ＹＥＳ」）、情報取得部３０４０にて取得されたブックマーク情報に含まれる付加情報が、「音楽」であるか否かを判断する（ステップＳ３０１０）。「音楽」であると判断する場合には（ステップＳ３０１０における「ＹＥＳ」）、ブックマーク情報に含まれるＢＭ表示時刻とＢＭ対象コンテンツとを用いて、音楽認識処理を実行して、取得した番組コンテンツから音楽先頭フレームを検出して取得し（ステップＳ３０１５）、さらに、取得した音楽先頭フレームから連続するフレームを予め設定された数分コピーにより取得し、さらに音声データをもコピーにより取得する（ステップＳ３０２０）。なお、ステップS３０１５においては、取得した音楽先頭フレームに対応する音声データをもコピーにより取得する。
【０３９１】
ブックマーク情報に含まれる付加情報が、「音楽」でないと判断する場合には（ステップＳ３０１０における「ＮＯ」）、「人物」であるか否かを判断する（ステップＳ３０２５）。
「人物」であると判断する場合には（ステップＳ３０２５の「ＹＥＳ」）、ブックマーク情報に含まれるＢＭ表示時刻とＢＭ対象コンテンツとを用いて、人物認識処理を実行して、取得した番組コンテンツから人物先頭フレームを検出して取得する（ステップＳ３０３０）。
【０３９２】
「人物」でないと判断する場合には（ステップＳ３０２５における「ＮＯ」）、「文字」であるか否かを判断する（ステップＳ３０３５）。
「文字」であると判断する場合には（ステップＳ３０３５における「ＹＥＳ」）、ブックマーク情報に含まれるＢＭ表示時刻とＢＭ対象コンテンツとを用いて、文字認識処理を実行して、取得した番組コンテンツから文字先頭フレームを検出して取得する（ステップＳ３０４０）。
【０３９３】
「文字」でないと判断する場合（ステップＳ３０３５における「ＮＯ」）、つまり、「キャプチャ」であると判断する場合には、キャプチャ認識処理を実行して、取得した番組コンテンツからキャプチャ先頭フレームを検出して取得する（ステップＳ３０４５）。
データ取得部３０４１は、フラグが「０」でない、つまり「１」であると判断する場合には（ステップＳ３００５における「ＮＯ」）、取得したＢＭ対象コンテンツから、ＢＭ表示時刻と、コーナー認識処理とを用いて、情報取得部３０４０にて取得されたブックマーク情報に含まれる付加情報にて示される情報に対応する画像データを含むコーナーを検出し、検出したコーナーに含まれる画像データ全てをコピーにより取得、つまり動画像を取得する（ステップＳ３０５０）。
【０３９４】
なお、フレームを検出して取得とは、フレームを検出し、検出したフレームをコピーにより取得することをいう。
２．６．６  番組コンテンツ取得処理
ここでは、図５１に示す画像データ取得処理のステップＳ３０００にて行われる番組コンテンツ取得処理について、図５２に示す流れ図を用いて説明する。
【０３９５】
データ取得部３０４１は、情報取得部３０４０にて取得したブックマーク情報のＣＨ番号及び番組ＩＤと対応する番組コンテンツを番組コンテンツ記憶部２００１より、少なくとも１つ以上取得する（ステップＳ３１００）。次に、取得した番組コンテンツが１つであるか否かを判断する（ステップＳ３１０５）。
取得した番組コンテンツが１つであると判断する場合には（ステップＳ３１０５における「ＹＥＳ」）、処理を終了し、取得した番組コンテンツが１つでないと判断する場合には（ステップＳ３１０５における「ＮＯ」）、取得した複数の番組コンテンツのうち録画開始時刻がブックマーク情報に含まれるＢＭ表示時刻にて示される時刻と一致する番組コンテンツを取得する（ステップＳ３１１０）。
【０３９６】
２．６．７  削除処理
ここでは、再生装置３０００にて行われる番組コンテンツの削除処理について、図５３及び図５４に示す流れ図を用いて説明する。
削除部３００６は、削除指示情報を受け取ると（ステップＳ３２００）、受け取った削除指示情報に含まれる番組ＩＤと対応する番組コンテンツを番組コンテンツ記憶部３００１より取得し、さらに、番組ＩＤと対応するブックマーク情報を全てブックマーク記憶部３００２より取得する（ステップＳ３２０５）。
【０３９７】
取得した全てのブックマーク情報のうち１つのブックマーク情報に対して、ブックマーク情報に含まれる付加情報が音楽であるか否かの判断を行う（ステップＳ３２１０）。
「音楽」であると判断する場合には（ステップＳ３２１０における「ＹＥＳ」）、削除部３００６は、音楽認識処理を実行して、音楽先頭フレームを検出し（ステップＳ３２１５）、さらに、検出した音楽先頭フレームを用いて音楽用音声画像データをコピーにより取得し、取得した音楽用音声画像データを番組ＩＤ、ＣＨ番号及びＢＭ表示時刻と対応付けて一時的に記憶する（ステップＳ３２２０）。
【０３９８】
「音楽」でないと判断する場合には（ステップＳ３２１０における「ＮＯ」）、付加情報が「人物」であるか否かを判断する（ステップＳ３２２５）。
「人物」であると判断する場合には（ステップＳ３２２５における「ＹＥＳ」）、削除部３００６は、人物認識処理を実行して、人物先頭フレームを検出し（ステップＳ３２３０）、検出した人物先頭フレームを用いて、人物用音声画像データをコピーにより取得し、取得した人物用音声画像データを番組ＩＤ、ＣＨ番号及びＢＭ表示時刻と対応付けて一時的に記憶する（ステップＳ３２３５）。
【０３９９】
「人物」でないと判断する場合には（ステップＳ３２２５における「ＮＯ」）、付加情報が「文字」であるか否かを判断する（ステップＳ３２４０）。
「文字」であると判断する場合には（ステップＳ３２４０における「ＹＥＳ」）、削除部３００６は、文字認識処理を実行して、文字先頭フレームを検出し（ステップＳ３２４５）、検出した文字先頭フレームを用いて、文字用音声画像データをコピーにより取得し、取得した文字用音声画像データを番組ＩＤ、ＣＨ番号及びＢＭ表示時刻と対応付けて一時的に記憶する（ステップＳ３２５０）。
【０４００】
「文字」でないと判断する場合（ステップＳ３２４０における「ＮＯ」）、つまり、付加情報が「キャプチャ」であると判断する場合には、削除部３００６は、キャプチャ認識処理を実行して、キャプチャ先頭フレームを検出し（ステップＳ３２５５）、検出したキャプチャ先頭フレームを用いて、キャプチャ用音声画像データをコピーにより取得し、取得したキャプチャ用音声画像データを番組ＩＤ、ＣＨ番号及びＢＭ表示時刻と対応付けて一時的に記憶する（ステップＳ３２７０）。
【０４０１】
削除部３００６は、ステップＳ３２０５にて取得したブックマーク情報のうちで、ステップＳ３２１０からステップＳ３２６０までの処理がされていないブックマーク情報が存在するか否かを判断する（ステップＳ３２６５）。
ブックマーク情報が存在すると判断する場合には（ステップＳ３２６５における「ＹＥＳ」）、処理がされていないブックマーク情報を取得し（ステップＳ３２７０）、ステップＳ３２１０に戻り、取得したブックマーク情報に対して、ステップＳ３２１０以降の動作を行う。
【０４０２】
削除部３００６は、ステップＳ３２１０からステップＳ３２６０までの処理がされていないブックマーク情報が存在しない、つまり、ステップＳ３２０５にて取得した全てのブックマーク情報に対してステップＳ３２１０からステップＳ３２６０までの処理がされていると判断する場合には（ステップＳ３２６５における「ＮＯ」）、番組コンテンツを消去し（ステップＳ３２７５）、一時的に記憶している音声画像データを番組ＩＤ、ＣＨ番号、ＢＭ表示時刻と対応付けて番組コンテンツ記憶部３００１へ記憶する（ステップＳ３２８０）。
【０４０３】
２．７  その他の変形例
本発明を上記の実施の形態に基づいて説明してきたが、本発明は、上記の実施の形態に限定されないのはもちろんである。以下の場合も本発明に含まれる。
（１）上記実施の形態では、再生装置２０００は、ブックマークの指示を番組コンテンツの再生中に受け取ったが、これに限定されない。再生装置２０００は、ブックマーク情報に対応する動画像の再生中に、ブックマークの指示を受け取ってもよい。例えば、第２登録指示命令を含むブックマーク指示により、検出された動画像、つまり、１コーナー分の動画像を再生中に、ブックマークの指示を受け付けてもよい。
【０４０４】
このとき、再生装置２０００は、ＢＭ表示時刻として、認識処理（例えば、コーナー認識処理）にて取得した先頭フレームに対する放送時刻を記録する。再生装置２０００は、動画像の再生中に、ブックマーク指示情報を受け付けると、再生中の動画像に対応するＢＭ表示時刻から、ブックマークされた放送時刻を算出し、さらに、再生中の動画像に対応するブックマーク情報からＣＨ番号、番組ＩＤを取得する。また、再生装置２０００は識別名を受け取り、算出された放送時刻、取得したＣＨ番号及び番組ＩＤと、受け取った識別名と、対象記憶領域にて記憶している情報とを用いてブックマーク情報を生成する。さらに、再生装置２０００は、算出された放送時刻と、対象記憶領域にて記憶している情報に対応する認識処理とを用いて、ブックマーク情報に対応する静止画像若しくは動画像を取得する。再生装置２０００は、取得した静止画像若しくは動画像と、生成したブックマーク情報とを対応付けて記憶する。なお、ブックマーク指示情報に地域コードが含まれている場合には、再生装置２０００は、算出された放送時刻と、取得したＣＨ番号及び番組ＩＤと、受け取った識別名と、ブックマーク情報に含まれる地域コードと、対象記憶領域にて記憶している情報とを用いてブックマーク情報を生成する。
【０４０５】
これにより、再生装置２０００は、動画像の再生中にブックマークを行うことが可能となる。
（２）上記（１）における動作を、再生装置３０００に適用してもよい。
このとき、再生装置３０００は、表示要求により、ブックマーク情報に対応する動画像を再生する場合には、認識処理にて取得した先頭フレームの放送時刻を算出し、一時的に記憶しておく。再生装置３０００は、ブックマーク指示情報を受け取ると、記憶している放送時刻を用いて、ブックマーク指示情報を受け取った時点での放送時刻を算出し、さらに、再生中の動画像に対応するブックマーク情報からＣＨ番号、番組ＩＤを取得する。また、再生装置２０００は識別名を受け取り、算出された放送時刻、取得したＣＨ番号及び番組ＩＤと、受け取った識別名と、対象記憶領域にて記憶している情報とを用いてブックマーク情報を生成し、記憶する。なお、ブックマーク指示情報に地域コードが含まれている場合には、再生装置３０００は、算出された放送時刻と、取得したＣＨ番号及び番組ＩＤと、受け取った識別名と、ブックマーク情報に含まれる地域コードと、対象記憶領域にて記憶している情報とを用いてブックマーク情報を生成する。
【０４０６】
（３）上記に示すリモコン２３００において、左ボタン２３１３及び右ボタン２３１４を用いて、ブックマークの対象を変更したが、これに限定されない。リモコン２３００は、左ボタン２３１３及び右ボタン２３１４の代わりに、ブックマークの対象を示すボタン、例えば、音楽ボタン、人物ボタン、文字ボタン及びキャプチャボタンを備えてもよい。
このとき、リモコン２３００は、音楽ボタン、人物ボタン、文字ボタン及びキャプチャボタンのうち何れかが押下されると、第１登録指示情報と、対応情報とを含むブックマーク指示情報を、照射部２３０３を介して再生装置２０００へ送信する。なお、対応情報は、第１の実施の形態にて示す対応情報と同様であるため、説明は省略する。
【０４０７】
リモコン２３００は、音楽ボタン、人物ボタン、文字ボタン及びキャプチャボタンのうち何れかが押下され、且つ文字操作部２３０２の操作により地域コードが入力されると、第１登録指示情報と、対応情報と、地域コードとからなるブックマーク指示情報を、照射部２３０３を介して再生装置２０００へ送信する。
再生装置２０００の情報生成部２０３０は、ブックマーク指示情報を受け取ると、受け取ったブックマーク指示情報に含まれる対応情報を用いて、ブックマーク情報を生成する。なお、ブックマーク情報に含まれる他の要素は、上記実施の形態にて示す動作にて取得する。
【０４０８】
以降における動作は、上記実施の形態にて示す動作と同様であるため、説明は省略する。
（４）上記実施の形態において、ブックマークシステムは、再生装置２０００と携帯電話機２１００とから構成されるとしたが、これに限定されない。ブックマークシステムは、再生装置からのみなるとしてもよい。この場合、再生装置は、第１登録指示命令を含むブックマーク指示情報及び第２登録指示命令を含むブックマーク情報のうち何れかをリモコンから受け取り、ブックマーク情報に係る画像を表示する場合には、表示開始情報をリモコンからのみ受け取る。
【０４０９】
（５）再生装置２０００は、ブックマークされた静止画像若しくは動画像を取得する際に、
認識処理を施して、ＢＭ表示時刻より前に位置する先頭フレームを検出したが、これに限定されない。ＢＭ表示時刻に対応するフレームを先頭フレームとしてもよい。
（６）上記実施の形態及び上記変形例をそれぞれ組み合わせるとしてもよい。
【０４１０】
３．  変形例
本発明を上記の実施の形態に基づいて説明してきたが、本発明は、上記の実施の形態に限定されないのはもちろんである。以下の場合も本発明に含まれる。
（１）上記実施の形態では、再生する番組コンテンツは再生装置にて記憶されていたが、これに限定されない。再生する番組コンテンツは、サーバ型放送により配信されてもよい。このとき、番組コンテンツを配信するサーバと再生装置との間で、ブックマークの登録及びブックマーク情報に係る画像の送受信を行ってもよい。
【０４１１】
（２）上記実施の形態では、ブックマーク情報の生成時に、生成したブックマーク情報に対応する画像を取得する際に、コーナー認識処理若しくは付加情報に対応する認識処理を施して画像を取得したが、これに限定されない。
再生装置は、再生した画像を、所定容量からなるバッファに格納する機能を備え、ブックマークの指示があった場合には、バッファにて記憶されている１以上の画像を、ブックマーク情報に対応する静止画像若しくは動画像として、ブックマーク情報と対応付けて記憶するようにしてもよい。
【０４１２】
（３）上記実施の形態において、ブックマーク情報に対応する画像を携帯電話機に送信した場合に、携帯電話機は、当該携帯電話機内のメモリや着脱可能な記録媒体（例えば、ＳＤカード）に、受信した画像を記録してもよい。
（４）本発明において、図２、図１０、図２２、図２４、図２８、図３２、図４２及び図４９に示す破線で囲んだ機能ブロックの一部、又は全てを、集積回路であるＬＳＩにて実現してもよい。これらの機能ブロックは、個別に１チップ化されてもよいし、一部又は全てを含むように１チップ化されてもよい。
【０４１３】
ここでは、録画再生装置の制御を行う集積回路として、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０４１４】
さらには、半導体技術の進歩又は派生する別技術によりＬＳＩに置き換わる集積回路化の技術が登場すれば、当然、その技術を用いて機能ブロックの集積化を行ってもよい。このような技術には、バイオ技術の適応等が可能性としてありえる。
（５）本発明において、ブックマーク情報に対応する情報として、静止画像若しくは動画像を取得したが、これに限定されない。ブックマーク情報に対応する情報として音声データのみを取得するようにしてもよい。この場合、例えば、上記の実施の形態では、ブックマーク情報に含まれる付加情報が、「音楽」である場合には、取得する情報として、音声のみを取得することになる。
【０４１５】
（６）本発明において、ブックマークの指示がなされた時点までの経過時間を算出するために、番組コンテンツの再生開始からのフレームの数をカウントしたが、これに限定されない。タイマーを用いて、番組コンテンツの再生開始からの経過時刻を計時してもよい。
この場合、再生装置は、ブックマーク指示情報を受け取ると、受け取った時点において、計時されている時刻を経過時刻として取得する。
【０４１６】
（７）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０４１７】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０４１８】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（８）上記実施の形態及び上記変形例をそれぞれ組み合わせるとしてもよい。
【産業上の利用可能性】
【０４１９】
上記にて示したブックマークシステムは、再生装置及び携帯端末機を製造及び販売する産業において、経営的、つまり反復的かつ継続的に利用されうる。
【図面の簡単な説明】
【０４２０】
【図１】ブックマークシステム１の使用形態を示す図である。
【図２】帯電話機１００の構成を示すブロック図である。
【図３】ブックマーク記憶部１０１の構成を示すブロック図である。
【図４】音楽フォルダ１２０が有する音楽情報テーブルＴ１００のデータ構造を示す。
【図５】人物フォルダ１２１が有する人物情報テーブルＴ１０１のデータ構造を示す。
【図６】文字フォルダ１２２が有する文字情報テーブルＴ１０２のデータ構造を示す。
【図７】キャプチャフォルダ１２３が有するキャプチャ情報テーブルＴ１０３のデータ構造を示す。
【図８】地域情報記憶部１０２が有する地域情報テーブルＴ１１０のデータ構造を示す。
【図９】ブックマーク情報の選択を行う場合に表示部１０９にて表示される情報の一例を示す。
【図１０】再生装置２００の構成を示すブロック図である。
【図１１】番組コンテンツ記憶部２０１の構成を示すブロック図である。
【図１２】検索情報記憶部２０２が有する検索情報テーブルＴ２００のデータ構造を示す。
【図１３】番組コンテンツ「ＦＦＦ」を削除した後に番組コンテンツ記憶部２０１が記憶している内容を示す図である。
【図１４】ブックマーク登録時の動作概要を示す流れ図である。
【図１５】指定表示を行う場合の動作概要を示す流れ図である。
【図１６】地域表示を行う場合の動作概要を示す流れ図である。
【図１７】ブックマーク情報格納処理の動作を示す流れ図である。
【図１８】画像データ取得処理の動作を示す流れ図である。
【図１９】番組コンテンツ取得処理の動作を示す流れ図である。
【図２０】削除処理の動作を示す流れ図である。図２１へ続く。
【図２１】削除処理の動作を示す流れ図である。図２０から続く。
【図２２】再生装置１０００の構成を示すブロック図である。
【図２３】ブックマーク記憶部１００２の音楽フォルダが有する音楽情報テーブルＴ１０００のデータ構造を示す。
【図２４】携帯電話機１１００の構成を示すブロック図である。
【図２５】ブックマーク登録時の動作概要を示す流れ図である。
【図２６】指定表示を行う場合の動作概要を示す流れ図である。
【図２７】地域表示を行う場合の動作概要を示す流れ図である。
【図２８】再生装置２００Ａの構成を示すブロック図である。
【図２９】画像データ取得処理の動作を示す流れ図である。図２４へ続く。
【図３０】画像データ取得処理の動作を示す流れ図である。図２３から続く。
【図３１】ブックマークシステム２の使用形態を示す図である。
【図３２】再生装置２０００の構成を示すブロック図である。
【図３３】番組コンテンツ記憶部２００１の構成を示すブロック図である。
【図３４】ブックマーク記憶部２００２の構成を示すブロック図である。
【図３５】音楽フォルダ２０２０が有する音楽情報テーブルＴ２０００のデータ構造を示す。
【図３６】人物フォルダ２０２１が有する人物情報テーブルＴ２００１のデータ構造を示す。
【図３７】文字フォルダ２０２２が有する文字情報テーブルＴ２００２のデータ構造を示す。
【図３８】キャプチャフォルダ２０２３が有するキャプチャ情報テーブルＴ２００３のデータ構造を示す。
【図３９】画面データと再生中の番組コンテンツとを表示している画面の一例を示す。
【図４０】ブックマーク情報の選択を行う場合に出力部２００７を介してモニタ１１にて表示される情報の一例を示す。
【図４１】リモコン２３００の構成を示す。
【図４２】携帯電話機２１００の構成を示すブロック図である。
【図４３】地域情報記憶部２１０２が有する地域情報テーブルＴ２１００のデータ構造を示す。
【図４４】ブックマーク情報の登録を行うＢＭ登録処理の動作を示す流れ図である。
【図４５】画像データ取得処理の動作を示す流れ図である。
【図４６】情報格納処理の動作を示す流れ図である。
【図４７】第１表示処理の動作を示す流れ図である。
【図４８】第２表示処理の動作を示す流れ図である。
【図４９】再生装置３０００の構成を示すブロック図である。
【図５０】ブックマーク記憶部３００２の音楽フォルダが有する音楽情報テーブルＴ３０００の一例を示す。
【図５１】画像データ取得処理の動作を示す流れ図である。
【図５２】番組コンテンツ取得処理の動作を示す流れ図である。
【図５３】削除処理の動作を示す流れ図である。図５４へ続く。
【図５４】削除処理の動作を示す流れ図である。図５３から続く。
【手続補正３】
【補正対象書類名】図面
【補正対象項目名】全図
【補正方法】変更
【補正の内容】
【図１】
2005032829.tif 000057
【図２】
2005032829.tif 000058
【図３】
2005032829.tif 000059
【図４】
2005032829.tif 000060
【図５】
2005032829.tif 000061
【図６】
2005032829.tif 000062
【図７】
2005032829.tif 000063
【図８】
2005032829.tif 000064
【図９】
2005032829.tif 000065
【図１０】
2005032829.tif 000066
【図１１】
2005032829.tif 000067
【図１２】
2005032829.tif 000068
【図１３】
2005032829.tif 000069
【図１４】
2005032829.tif 000070
【図１５】
2005032829.tif 000071
【図１６】
2005032829.tif 000072
【図１７】
2005032829.tif 000073
【図１８】
2005032829.tif 000074
【図１９】
2005032829.tif 000075
【図２０】
2005032829.tif 000076
【図２１】
2005032829.tif 000077
【図２２】
2005032829.tif 000078
【図２３】
2005032829.tif 000079
【図２４】
2005032829.tif 000080
【図２５】
2005032829.tif 000081
【図２６】
2005032829.tif 000082
【図２７】
2005032829.tif 000083
【図２８】
2005032829.tif 000084
【図２９】
2005032829.tif 000085
【図３０】
2005032829.tif 000086
【図３１】
2005032829.tif 000087
【図３２】
2005032829.tif 000088
【図３３】
2005032829.tif 000089
【図３４】
2005032829.tif 000090
【図３５】
2005032829.tif 000091
【図３６】
2005032829.tif 000092
【図３７】
2005032829.tif 000093
【図３８】
2005032829.tif 000094
【図３９】
2005032829.tif 000095
【図４０】
2005032829.tif 000096
【図４１】
2005032829.tif 000097
【図４２】
2005032829.tif 000098
【図４３】
2005032829.tif 000099
【図４４】
2005032829.tif 000100
【図４５】
2005032829.tif 000101
【図４６】
2005032829.tif 000102
【図４７】
2005032829.tif 000103
【図４８】
2005032829.tif 000104
【図４９】
2005032829.tif 000105
【図５０】
2005032829.tif 000106
【図５１】
2005032829.tif 000107
【図５２】
2005032829.tif 000108
【図５３】
2005032829.tif 000109
【図５４】
2005032829.tif 000110